(57)【要約】      （修正有）【課題】ＲＦ性能を改善するための遮蔽体を含む無線周波数（ＲＦ）モジュールである。【解決手段】ＲＦモジュール２１００は、受信システムが実装されたパッケージング基板２１０２を含む。ＲＦモジュールは、受信システムの少なくとも一部分のためのＲＦ遮蔽を与えるように実装された遮蔽体を含む。受信システムは、増幅器前段又は増幅器後段帯域通過フィルタ、増幅器、スイッチングネットワーク、インピーダンス整合部品、位相シフト部品、入力マルチプレクサ及び出力マルチプレクサの任意の組み合わせを含む。遮蔽体は、ＲＦモジュールの上側及び側壁における等角遮蔽体の中に導電層２１１０及びパッケージング基板の上方に形成されたオーバーモールド２１０８を含む。導電層２１１０は、一以上の接地板２１０４に電気接続２１１２により接続される。パッケージング基板は、下側部品を装着するための基板の下側に接触特徴部を含む。【選択図】図２
2017200183.tif 000002
【特許請求の範囲】
【請求項１】
無線周波数（ＲＦ）モジュールであって、
複数の部品を受容するように構成されたパッケージング基板と、
前記パッケージング基板に対して実装された受信システムと、
前記受信システムの少なくとも一部分のためのＲＦ遮蔽を与えるように実装された遮蔽体と
を含み、
前記受信システムは、前記受信システムの入力と前記受信システムの出力との間にある複数の経路の一以上を選択的にアクティブにするように構成された制御器を含み、
前記受信システムはさらに複数の増幅器を含み、
前記複数の増幅器の各一つは、前記複数の経路に対応する一つに沿って設けられ、前記増幅器において受信した信号を増幅するように構成され、
前記受信システムはさらに、前記ＲＦ受信システムのために実装された第１の特徴部、第２の特徴部、第３の特徴部、第４の特徴部、第５の特徴部及び第６の特徴部の一以上を含み、
前記第１の特徴部は複数の帯域通過フィルタを含み、前記複数の帯域通過フィルタの各一つは前記複数の経路の対応する一つに沿って設けられ、前記帯域通過フィルタにおいて受信した信号を各周波数帯域へとフィルタリングするように構成され、前記複数の増幅器の少なくともいくつかは複数の可変利得増幅器（ＶＧＡ）として実装され、前記複数のＶＧＡの各一つは、対応する信号を、前記制御器から受信した増幅器制御信号が制御する利得を用いて増幅するように構成され、
前記第２の特徴部は複数の位相シフト部品を含み、前記複数の位相シフト部品の各一つは、前記複数の経路の対応する一つに沿って設けられ、前記位相シフト部品を通過する信号を位相シフトするように構成され、
前記第３の特徴部は複数のインピーダンス整合部品を含み、前記複数のインピーダンス整合部品の各一つは、前記複数の経路の対応する一つに沿って設けられ、前記複数の経路の前記一つの帯域外雑音指数又は帯域外利得の少なくとも一つを低減するように構成され、
前記第４の特徴部は複数の増幅器後段帯域通過フィルタを含み、前記複数の増幅器後段帯域通過フィルタの各一つは、前記複数の増幅器の対応する一つの出力において前記複数の経路の対応する一つに沿って設けられ、信号を各周波数帯域へとフィルタリングするように構成され、
前記第５の特徴部は、一以上の単極／単投スイッチを有するスイッチングネットワークを含み、前記スイッチの各一つは前記複数の経路の２つを結合し、前記スイッチングネットワークは、前記制御器が帯域選択信号に基づいて制御するように構成され、
前記第６の特徴部は、
一以上の入力マルチプレクサ入力において一以上のＲＦ信号を受信し、前記一以上のＲＦ信号のそれぞれを、前記複数の経路の一以上それぞれに沿って伝播させるべく複数の入力マルチプレクサ出力の一以上へと出力するように構成された入力マルチプレクサと、
一以上の対応出力マルチプレクサ入力において、前記複数の経路の一以上それぞれに沿って伝播する一以上の増幅済みＲＦ信号を受信し、前記一以上の増幅済みＲＦ信号のそれぞれを、複数の出力マルチプレクサ出力の選択された一つへと出力するように構成された出力マルチプレクサと
を含むＲＦモジュール。
【請求項２】
前記遮蔽体は、前記ＲＦモジュールの上側及び側壁に実装された等角遮蔽体を含む請求項１のＲＦモジュール。
【請求項３】
前記遮蔽体は、前記パッケージング基板の上方に形成されたオーバーモールドを含む請求項１のＲＦモジュール。
【請求項４】
前記オーバーモールドは、前記オーバーモールドの上面に導電層を含む請求項３のＲＦモジュール。
【請求項５】
前記オーバーモールドの側壁が前記導電層を含む請求項４のＲＦモジュール。
【請求項６】
前記導電層は、前記パッケージング基板の中に実装された一以上の接地板に電気的に接続される請求項５のＲＦモジュール。
【請求項７】
前記導電層と前記一以上の接地板との電気接続は、前記パッケージング基板の中に実装されるが対応側壁に部分的に露出された一以上の導電性特徴部を介してなされる請求項６のＲＦモジュール。
【請求項８】
前記パッケージング基板の下側が、装着先の回路基板のために構成される請求項１のＲＦモジュール。
【請求項９】
前記パッケージング基板は、前記パッケージング基板の下側に形成された複数の接触特徴部を含み、
前記複数の接触特徴部は、装着及び電気接続機能を前記ＲＦモジュールに与えるように構成される請求項８のＲＦモジュール。
【請求項１０】
前記パッケージング基板の下側が、装着先の下側部品のために構成される請求項１のＲＦモジュール。
【請求項１１】
前記パッケージング基板の下側に装着された下側部品をさらに含む請求項１のＲＦモジュール。
【請求項１２】
前記パッケージング基板の下側は一アレイの半田ボールを含む請求項１１のＲＦモジュール。
【請求項１３】
前記一アレイの半田ボールを使用して前記パッケージング基板の下側に装着される回路基板をさらに含む請求項１２のＲＦモジュール。
【請求項１４】
前記ＲＦ受信システムは、前記第１の特徴部、前記第２の特徴部、前記第３の特徴部、前記第４の特徴部、前記第５の特徴部又は前記第６の特徴部の少なくとも２つの組み合わせを含む請求項１のＲＦモジュール。
【請求項１５】
前記ＲＦ受信システムは、前記第１の特徴部、前記第２の特徴部、前記第３の特徴部、前記第４の特徴部、前記第５の特徴部又は前記第６の特徴部の少なくとも２つの組み合わせを含む請求項１のＲＦモジュール。
【請求項１６】
前記ＲＦ受信システムは、前記第１の特徴部、前記第２の特徴部、前記第３の特徴部、前記第４の特徴部、前記第５の特徴部又は前記第６の特徴部の少なくとも３つの組み合わせを含む請求項１のＲＦモジュール。
【請求項１７】
前記ＲＦ受信システムは、前記第１の特徴部、前記第２の特徴部、前記第３の特徴部、前記第４の特徴部、前記第５の特徴部又は前記第６の特徴部の少なくとも４つの組み合わせを含む請求項１のＲＦモジュール。
【請求項１８】
前記ＲＦ受信システムは、前記第１の特徴部、前記第２の特徴部、前記第３の特徴部、前記第４の特徴部、前記第５の特徴又は前記第６の特徴の少なくとも３つの組み合わせを含む請求項１のＲＦモジュール。
【請求項１９】
無線装置であって、
一以上の無線周波数（ＲＦ）信号を受信するように構成された第１アンテナと、
前記第１アンテナと通信する第１フロントエンドモジュール（ＦＥＭ）と、
前記受信システムの少なくとも一部分のためのＲＦ遮蔽を与えるように実装された遮蔽体と、
送受信器と
を含み、
前記第１ＦＥＭは、複数の部品を受容するように構成されたパッケージング基板を含み、
前記第１ＦＥＭはさらに、前記パッケージング基板に実装された受信システムを含み、
前記受信システムは、前記受信システムの入力と前記受信システムの出力との間にある複数の経路の一以上を選択的にアクティブにするように構成された制御器を含み、
前記受信システムはさらに複数の増幅器を含み、
前記複数の増幅器の各一つは、前記複数の経路に対応する一つに沿って設けられ、前記増幅器において受信した信号を増幅するように構成され、
前記受信システムはさらに、前記ＲＦ受信システムのために実装された第１の特徴部、第２の特徴部、第３の特徴部、第４の特徴部、第５の特徴部及び第６の特徴部の一以上を含み、
前記第１の特徴部は複数の帯域通過フィルタを含み、前記複数の帯域通過フィルタの各一つは前記複数の経路の対応する一つに沿って設けられ、前記帯域通過フィルタにおいて受信した信号を各周波数帯域へとフィルタリングするように構成され、前記複数の増幅器の少なくともいくつかは複数の可変利得増幅器（ＶＧＡ）として実装され、前記複数のＶＧＡの各一つは、対応する信号を、前記制御器から受信した増幅器制御信号が制御する利得を用いて増幅するように構成され、
前記第２の特徴部は複数の位相シフト部品を含み、前記複数の位相シフト部品の各一つは、前記複数の経路の対応する一つに沿って設けられ、前記位相シフト部品を通過する信号を位相シフトするように構成され、
前記第３の特徴部は複数のインピーダンス整合部品を含み、前記複数のインピーダンス整合部品の各一つは、前記複数の経路の対応する一つに沿って設けられ、前記複数の経路の前記一つの帯域外雑音指数又は帯域外利得の少なくとも一つを低減するように構成され、
前記第４の特徴部は複数の増幅器後段帯域通過フィルタを含み、前記複数の増幅器後段帯域通過フィルタの各一つは、前記複数の増幅器の対応する一つの出力において前記複数の経路の対応する一つに沿って設けられ、信号を各周波数帯域へとフィルタリングするように構成され、
前記第５の特徴部は、一以上の単極／単投スイッチを有するスイッチングネットワークを含み、前記スイッチの各一つは前記複数の経路の２つを結合し、前記スイッチングネットワークは、前記制御器が帯域選択信号に基づいて制御するように構成され、
前記第６の特徴部は、
一以上の入力マルチプレクサ入力において一以上のＲＦ信号を受信し、前記一以上のＲＦ信号のそれぞれを、前記複数の経路の一以上それぞれに沿って伝播させるべく複数の入力マルチプレクサ出力の一以上へと出力するように構成された入力マルチプレクサと、
一以上の対応出力マルチプレクサ入力において、前記複数の経路の一以上それぞれに沿って伝播する一以上の増幅済みＲＦ信号を受信し、前記一以上の増幅済みＲＦ信号のそれぞれを、複数の出力マルチプレクサ出力の選択された一つへと出力するように構成された出力マルチプレクサと
を含み、
前記送受信器は、前記一以上のＲＦ信号の処理済みバージョンを前記受信システムから受信し、前記一以上のＲＦ信号の前記処理済みバージョンに基づいてデータビットを生成するように構成される無線装置。
【請求項２０】
前記無線装置はセルラー電話である請求項１９の無線装置。
【発明の詳細な説明】
【技術分野】
【０００１】
本開示は一般に、遮蔽された無線周波数（ＲＦ）モジュールのような、遮蔽を備えた電子モジュールに関し、詳しくは、遮蔽されたダイバーシティ受信モジュールに関する。
【０００２】
関連出願の相互参照
本願は、２０１６年４月２９日に出願された「遮蔽されたダイバーシティ受信モジュール」との名称の米国仮出願第６２／３３０，０４６号の優先権を主張する。これは、その全体が、すべての目的のためにここに参照により明示的に組み入れられる。
【背景技術】
【０００３】
無線通信のアプリケーションにおいて、サイズ、コスト及び性能は、所与の製品にとって重要となり得る因子の例である。例えば、性能を向上させるには、ダイバーシティ受信アンテナ及び関連回路のような無線部品が一般的となっている。
【０００４】
多くの無線周波数（ＲＦ）アプリケーションにおいて、ダイバーシティ受信アンテナは、一次アンテナから物理的に遠くに設けられる。双方のアンテナが一度に使用される場合に送受信器は、双方のアンテナからの信号を、データスループットを増加させるべく処理することができる。
【０００５】
かかるＲＦアプリケーションにおいて、ＲＦ回路及び関連装置をパッケージ状モジュールに実装することができる。かかるパッケージ状モジュールは、かかるＲＦ回路の一部又は全部に関連づけられる電磁干渉を抑制又は低減する遮蔽機能を含み得る。
【発明の概要】
【０００６】
一定数の実装によれば、本開示は、複数の部品を受容するように構成されたパッケージング基板を含む無線周波数（ＲＦ）モジュールに関する。ＲＦモジュールはまた、パッケージング基板に対して実装された受信システムも含み、当該受信システムは、当該受信システムの入力と当該受信システムの出力との間にある複数の経路の一以上を選択的にアクティブにするように構成された制御器を含む。受信システムはまた、複数の増幅器を含み、当該複数の増幅器の各一つは、複数の経路の対応する一つに沿って設けられ、当該増幅器において受信した信号を増幅するように構成される。受信システムはまた、ＲＦ受信システムのために実装された第１の特徴部、第２の特徴部、第３の特徴部、第４の特徴部、第５の特徴部及び第６の特徴部の一以上を含む。第１の特徴部は複数の帯域通過フィルタを含み、当該複数の帯域通過フィルタの各一つは複数の経路の対応する一つに沿って設けられ、当該帯域通過フィルタにおいて受信した信号を各周波数帯域へとフィルタリングするように構成され、複数の増幅器の少なくともいくつかは複数の可変利得増幅器（ＶＧＡ）として実装され、当該複数のＶＧＡの各一つは、対応する信号を、制御器から受信した増幅器制御信号が制御する利得を用いて増幅するように構成される。第２の特徴部は複数の位相シフト部品を含み、当該複数の位相シフト部品の各一つは、複数の経路の対応する一つに沿って設けられ、当該位相シフト部品を通過する信号を位相シフトするように構成される。第３の特徴部は複数のインピーダンス整合部品を含み、当該複数のインピーダンス整合部品の各一つは、複数の経路の対応する一つに沿って設けられ、当該複数の経路の当該一つの帯域外雑音指数又は帯域外利得の少なくとも一つを低減するように構成される。第４の特徴部は複数の増幅器後段帯域通過フィルタを含み、当該複数の増幅器後段帯域通過フィルタの各一つは、複数の増幅器の対応する一つの出力において当該複数の経路の対応する一つに沿って設けられ、信号を各周波数帯域へとフィルタリングするように構成される。第５の特徴部は、一以上の単極／単投スイッチを有するスイッチングネットワークを含み、当該スイッチの各一つは複数の経路の２つを結合し、当該スイッチングネットワークは、制御器が帯域選択信号に基づいて制御するように構成される。第６の特徴部は、一以上の入力マルチプレクサ入力において一以上のＲＦ信号を受信し、当該一以上のＲＦ信号のそれぞれを、複数の経路の一以上それぞれに沿って伝播させるべく複数の入力マルチプレクサ出力の一以上へと出力するように構成された入力マルチプレクサと、一以上の対応出力マルチプレクサ入力において当該複数の経路の一以上それぞれに沿って伝播する一以上の増幅されたＲＦ信号を受信し、当該一以上の増幅されたＲＦ信号のそれぞれを、複数の出力マルチプレクサ出力の選択された一つへと出力するように構成された出力マルチプレクサとを含む。ＲＦモジュールはまた、受信システムの少なくとも一部分のためのＲＦ遮蔽を与えるように実装された遮蔽体を含む。
【０００７】
いくつかの実施形態において、遮蔽体は、ＲＦモジュールの上側壁と両側壁とに実装された等角遮蔽体を含む。いくつかの実施形態において、遮蔽体は、パッケージング基板の上方に形成されたオーバーモールドを含む。さらなる実施形態において、オーバーモールドは、当該オーバーモールドの上面に導電層を含む。さらなる実施形態において、導電層は、オーバーモールドの側壁に含まれる。さらなる実施形態において、導電層は、パッケージング基板の中に実装された一以上の接地板に電気的に接続される。さらなる実施形態において、導電層と一以上の接地板との電気的接続は、パッケージング基板の中に実装されるが対応側壁に部分的に露出された一以上の導電性特徴部を介してなされる。
【０００８】
いくつかの実施形態において、パッケージング基板の下側は、回路基板が装着されるように構成される。さらなる実施形態において、パッケージング基板は、パッケージング基板の下側に形成された複数の接触特徴部を含み、当該複数の接触特徴部は、ＲＦモジュールへの装着機能及び電気的接続機能を与えるように構成される。
【０００９】
いくつかの実施形態において、パッケージング基板の下側は、装着先となる下側部品のために構成される。いくつかの実施形態において、ＲＦモジュールはさらに、パッケージング基板の下側に装着された下側部品を含む。さらなる実施形態において、パッケージング基板の下側は、半田ボールのアレイを含む。さらなる実施形態において、回路基板は、半田ボールのアレイを使用してパッケージング基板の下側に装着される。
【００１０】
いくつかの実施形態において、ＲＦ受信システムは、第１の特徴部、第２の特徴部、第３の特徴部、第４の特徴部、第５の特徴部又は第６の特徴部の少なくとも２つの組み合わせを含む。いくつかの実施形態において、ＲＦ受信システムは、第１の特徴部、第２の特徴部、第３の特徴部、第４の特徴部、第５の特徴部又は第６の特徴部の少なくとも２つの組み合わせを含む。いくつかの実施形態において、ＲＦ受信システムは、第１の特徴部、第２の特徴部、第３の特徴部、第４の特徴部、第５の特徴部又は第６の特徴部の少なくとも３つの組み合わせを含む。いくつかの実施形態において、ＲＦ受信システムは、第１の特徴部、第２の特徴部、第３の特徴部、第４の特徴部、第５の特徴部又は第６の特徴部の少なくとも４つの組み合わせを含む。いくつかの実施形態において、ＲＦ受信システムは、第１の特徴部、第２の特徴部、第３の特徴部、第４の特徴部、第５の特徴部又は第６の特徴の少なくとも５つの組み合わせを含む。
【００１１】
一定数の実装によれば、本開示は、一以上の無線周波数（ＲＦ）信号を受信するように構成された第１アンテナを含む無線装置に関する。無線装置はまた、第１アンテナと通信する第１フロントエンドモジュール（ＦＥＭ）を含み、当該第１ＦＥＭは、複数の部品を受容するように構成されたパッケージング基板を含む。第１ＦＥＭはさらに、パッケージング基板に実装された受信システムを含む。受信システムは、当該受信システムの入力と当該受信システムの出力との間にある複数の経路の一以上を選択的にアクティブにするように構成された制御器を含む。受信システムはまた、複数の増幅器を含み、当該複数の増幅器の各一つは、複数の経路の対応する一つに沿って設けられ、当該増幅器において受信した信号を増幅するように構成される。受信システムはまた、当該ＲＦ受信システムのために実装された第１の特徴部、第２の特徴部、第３の特徴部、第４の特徴部、第５の特徴部及び第６の特徴部の一以上を含む。第１の特徴部は複数の帯域通過フィルタを含み、当該複数の帯域通過フィルタの各一つは複数の経路の対応する一つに沿って設けられ、当該帯域通過フィルタにおいて受信した信号を各周波数帯域へとフィルタリングするように構成され、当該複数の増幅器の少なくともいくつかは複数の可変利得増幅器（ＶＧＡ）として実装され、当該複数のＶＧＡの各一つは、対応する信号を、当該制御器から受信した増幅器制御信号が制御する利得を用いて増幅するように構成される。第２の特徴部は複数の位相シフト部品を含み、当該複数の位相シフト部品の各一つは、複数の経路の対応する一つに沿って設けられ、当該位相シフト部品を通過する信号を位相シフトするように構成される。第３の特徴部は複数のインピーダンス整合部品を含み、当該複数のインピーダンス整合部品の各一つは、複数の経路の対応する一つに沿って設けられ、当該複数の経路の当該一つの帯域外雑音指数又は帯域外利得の少なくとも一つを低減するように構成される。第４の特徴部は複数の増幅器後段帯域通過フィルタを含み、当該複数の増幅器後段帯域通過フィルタの各一つは、複数の増幅器の対応する一つの出力において複数の経路の対応する一つに沿って設けられ、信号を各周波数帯域へとフィルタリングするように構成される。第５の特徴部は、一以上の単極／単投スイッチを有するスイッチングネットワークを含み、当該スイッチの各一つは複数の経路の２つを結合し、当該スイッチングネットワークは、制御器が帯域選択信号に基づいて制御するように構成される。第６の特徴部は、一以上の入力マルチプレクサ入力において一以上のＲＦ信号を受信し、当該一以上のＲＦ信号のそれぞれを、複数の経路の一以上それぞれに沿って伝播させるべく複数の入力マルチプレクサ出力の一以上へと出力するように構成された入力マルチプレクサと、一以上の対応出力マルチプレクサ入力において当該複数の経路の一以上それぞれに沿って伝播する一以上の増幅されたＲＦ信号を受信し、当該一以上の増幅されたＲＦ信号のそれぞれを、複数の出力マルチプレクサ出力の選択された一つへと出力するように構成された出力マルチプレクサとを含む。無線装置はまた、受信システムの少なくとも一部分のためのＲＦ遮蔽を与えるように実装された遮蔽体を含む。無線装置はまた、一以上のＲＦ信号の処理済みバージョンを受信システムから受信し、当該一以上のＲＦ信号の当該処理済みバージョンに基づいてデータビットを生成するように構成された送受信器とを含む。
【００１２】
いくつかの実施形態において、無線装置はセルラー電話である。
【００１３】
本開示をまとめる目的で、本発明の所定の態様、利点、及び新規な特徴がここに記載されてきた。理解すべきことだが、かかる利点のすべてが必ずしも、本発明の任意の特定実施形態によって達成できるわけではない。すなわち、本発明は、ここに教示される一つの利点又は複数の利点の群を、ここに教示され又は示唆され得る他の利点を達成する必要なしに、達成又は最適化する態様で具体化し又は実行することができる。
【図面の簡単な説明】
【００１４】
【図１】無線周波数（ＲＦ）遮蔽特徴部を有するダイバーシティ受信（ＤＲｘ）モジュールを描く。
【図２】パッケージング基板に実装されたＤＲｘアセンブリを含み、オーバーモールドが当該パッケージング基板の上方に形成されるＲＦ遮蔽構成の一例を示す。
【図３】オーバーモールドがパッケージング基板の上方に形成され、遮蔽されたＤＲｘモジュールの下側が、回路基板への装着可能に構成されたＲＦ遮蔽構成の一例を示す。
【図４】オーバーモールドがパッケージング基板の上方に形成され、遮蔽されたＤＲｘモジュールの下側が、下側部品の装着可能に構成されたＲＦ遮蔽構成の一例を示す。
【図５】ＤＲｘアセンブリの一例を示す。
【図６】ここに記載される一以上の有利な特徴を有する無線装置の一例を示す。
【図７】下側にテープが貼り付けられたリングと、当該テープに装着されたパッケージ状装置のアレイとを含むアセンブリの一例の下側図を示す。
【図８】図８Ａは、図７の一部分の拡大上側平面図を示す。図８Ｂは、図７の同じ一部分の拡大側断面図を示す。
【図９】図９Ａ、９Ｂ、９Ｃ及び９Ｄは、パッケージ状装置を一以上の処理ステップに対して保持するべく、ステンシルをどのようにして利用できるのかについての一例を示す。
【図１０】第１アセンブリを得るべく、むき出しのステンシルに両面テープが結合されるプロセスの一例を示す。
【図１１】図１１Ａ、１１Ｂ及び１１Ｃは、図１０のプロセスに関連づけられる状態の複数例を示す。
【図１２】第２アセンブリを得るべく、図１０の第１アセンブリがＰＶＤリングに装着されるプロセスの一例を示す。
【図１３】図１３Ａ、１３Ｂ、１３Ｃ及び１３Ｄは、図１２のプロセスに関連づけられる状態の複数例を示す。
【図１４】ＰＶＤプロセスのための第３アセンブリを得るべく、一以上のパッケージ状装置のローディングを目的として図１２の第２アセンブリが用意されるプロセスの一例を示す。
【図１５】図１５Ａ、１５Ｂ及び１５Ｃは、図１４のプロセスに関連づけられる状態の複数例を示す。
【図１６】図１６Ａ及び１６Ｂは、ステンシルに両面テープが積層された積層アセンブリの一例の両側を示す。
【図１７】図１４Ａのものと類似する第１アセンブリが、ステンシルの、テープが剥がされた面が露出されるように装着台に配置される一例を示す。
【図１８】第１アセンブリを囲むようにＰＶＤリングが位置決めされ、かつ、第１アセンブリとＰＶＤリングの内周縁との上方に片面テープが位置決めされる一例を示す。
【図１９】図１８の動作の一例からもたらされるＰＶＤリング、片面テープ及び第１アセンブリの一側を示す。
【図２０】図１９のアセンブリの他側の一部分が、例えばレーザー切断動作を利用して露出される一例を示す。
【図２１】ステンシルの一側に貼り付けられた両面テープから剥がされるカバー層の一例を示す。
【図２２】複数のパッケージ状装置が、露出された両面テープに装着される一例を示す。この両面テープは、ステンシルによって少なくとも部分的に支持されている。
【図２３】ステンシル／両面テープアセンブリがテープによってＰＶＤリングに固定された、図１９及び２０の一例に類似するアセンブリを描く。
【図２４】いくつかの実施形態において、一を超えるステンシル／両面テープアセンブリが、テープによってＰＶＤリングに固定され得ることを示す。
【図２５】ステンシル／両面テープアセンブリが、円形ステンシルのような非矩形ステンシルに基づく一例を示す。
【図２６】ステンシル／両面テープアセンブリを保持するリング構造体が非円形状を有する一例を示す。
【図２７】片面テープがステンシルの一側に実装され、両面テープが当該ステンシルの他側に実装される構成の一例を示す。
【図２８】片面テープの適切な一部分を切り取ることによってステンシルの開口が露出された、図２０の一例に類似する構成の一例を示す。
【図２９】ステンシルの開口に対応する複数エリアにおいて、切断又は打ち抜き動作により片面テープに開口をもたらし得る一例を示す。
【図３０】図２９の一例の片面テープにレーザービームが開口を形成する切断動作の一例を示す。
【図３１】図２８の一例の片面テープの当該部分をレーザービームが形成する切断動作の一例を示す。
【図３２】ＰＶＤプロセスの用意において両面テープを備えたステンシルを含むアセンブリに、複数のパッケージ状装置をローディングしているプロセスステップの一例を示す。
【図３３】ＰＶＤプロセスの後にパッケージ状装置が除去されているプロセスステップを示す。
【図３４】張り出し部分を与えるべく切断された両面テープによるステンシル開口について、代表的なパッケージ状装置を示す。
【図３５】ボールグリッドアレイのような一以上の下側突起が、ステンシル開口によって収容され得るようにステンシル／両面テープアセンブリに装着されたパッケージ状装置を示す。
【図３６】いくつかの実施形態において、本開示の一以上の特徴が、モジュールパッケージシステムに実装され得ることを示す。
【図３７】一次アンテナ及びダイバーシティアンテナに結合された通信モジュールを有する無線装置を示す。
【図３８】ＤＲｘフロントエンドモジュール（ＦＥＭ）を含むダイバーシティ受信器（ＤＲｘ）構成を示す。
【図３９】いくつかの実施形態において、ダイバーシティ受信器（ＤＲｘ）構成が、多重周波数帯域に対応する多重経路を備えたＤＲｘモジュールを含み得ることを示す。
【図４０】いくつかの実施形態において、ダイバーシティ受信器構成が、ダイバーシティ受信器（ＤＲｘ）モジュールよりも少ない増幅器を備えたダイバーシティＲＦモジュールを含み得ることを示す。
【図４１】いくつかの実施形態において、ダイバーシティ受信器構成が、オフモジュールフィルタに結合されたＤＲｘモジュールを含み得ることを示す。
【図４２】いくつかの実施形態において、可変利得増幅器の利得がバイパス可能となり得ることを示す。
【図４３】いくつかの実施形態において、可変利得増幅器の利得がステップ可変又は連続可変であり得ることを示す。
【図４４】いくつかの実施形態において、ダイバーシティ受信器構成が、チューニング可能整合回路を備えたＤＲｘモジュールを含み得ることを示す。
【図４５】いくつかの実施形態において、ダイバーシティ受信器構成が多重アンテナを含み得ることを示す。
【図４６】ＲＦ信号を処理する方法のフローチャート表現の一実施形態を示す。
【図４７】いくつかの実施形態において、ダイバーシティ受信器構成が、一以上の位相整合部品を備えたＤＲｘモジュールを含み得ることを示す。
【図４８】いくつかの実施形態において、ダイバーシティ受信器構成が、一以上の位相整合部品及び二段増幅器を備えたＤＲｘモジュールを含み得ることを示す。
【図４９】いくつかの実施形態において、ダイバーシティ受信器構成が、一以上の位相整合部品と一の結合器後段増幅器を備えたＤＲｘモジュールを含み得ることを示す。
【図５０】いくつかの実施形態において、ダイバーシティ受信器構成が、チューニング可能位相シフト部品を備えたＤＲｘモジュールを含み得ることを示す。
【図５１】いくつかの実施形態において、ダイバーシティ受信器構成が、一以上のインピーダンス整合部品を備えたＤＲｘモジュールを含み得ることを示す。
【図５２】いくつかの実施形態において、ダイバーシティ受信器構成が、チューニング可能インピーダンス整合部品を備えたＤＲｘモジュールを含み得ることを示す。
【図５３】いくつかの実施形態において、ダイバーシティ受信器構成が、チューニング可能インピーダンス整合部品が入力及び出力に設けられたＤＲｘモジュールを含み得ることを示す。
【図５４】いくつかの実施形態において、ダイバーシティ受信器構成が、多重チューニング可能部品を備えたＤＲｘモジュールを含み得ることを示す。
【図５５】ＲＦ信号を処理する方法のフローチャート表現の一実施形態を示す。
【図５６】いくつかの実施形態において、ダイバーシティ受信器構成が、複数の増幅器の出力に設けられた複数の帯域通過フィルタを有するダイバーシティ受信器（ＤＲｘ）モジュールを含み得ることを示す。
【図５７】いくつかの実施形態において、ダイバーシティ受信器構成が、ダイバーシティ受信器（ＤＲｘ）モジュールよりも少ない増幅器を備えたダイバーシティＲＦモジュールを含み得ることを示す。
【図５８】いくつかの実施形態において、ダイバーシティ受信器構成が、オフモジュールフィルタに結合されたＤＲｘモジュールを含み得ることを示す。
【図５９】いくつかの実施形態において、ダイバーシティ受信器構成が、チューニング可能整合回路を備えたＤＲｘモジュールを含み得ることを示す。
【図６０】いくつかの実施形態において、ダイバーシティ受信器構成が、単極／単投スイッチを備えたＤＲｘモジュールを含み得ることを示す。
【図６１】いくつかの実施形態において、ダイバーシティ受信器構成が、チューニング可能位相シフト部品を備えたＤＲｘモジュールを含み得ることを示す。
【図６２】ＲＦ信号を処理する方法のフローチャート表現の一実施形態を示す。
【図６３】いくつかの実施形態において、ダイバーシティ受信器構成が、チューニング可能整合回路を備えたＤＲｘモジュールを含み得ることを示す。
【図６４】いくつかの実施形態において、ダイバーシティ受信器構成が多重送信ラインを含み得ることを示す。
【図６５】動的引き回しを目的として使用することができる出力マルチプレクサの一実施形態を示す。
【図６６】動的引き回しを目的として使用することができる出力マルチプレクサの他実施形態を示す。
【図６７】いくつかの実施形態において、ダイバーシティ受信器構成が多重アンテナを含み得ることを示す。
【図６８】動的引き回しを目的として使用することができる入力マルチプレクサの一実施形態を示す。
【図６９】動的引き回しを目的として使用することができる入力マルチプレクサの他実施形態を示す。
【図７０】動的入力引き回し及び／又は出力引き回しを備えたＤＲｘモジュールの様々な実装を示す。
【図７１】動的入力引き回し及び／又は出力引き回しを備えたＤＲｘモジュールの様々な実装を示す。
【図７２】動的入力引き回し及び／又は出力引き回しを備えたＤＲｘモジュールの様々な実装を示す。
【図７３】動的入力引き回し及び／又は出力引き回しを備えたＤＲｘモジュールの様々な実装を示す。
【図７４】動的入力引き回し及び／又は出力引き回しを備えたＤＲｘモジュールの様々な実装を示す。
【図７５】動的入力引き回し及び／又は出力引き回しを備えたＤＲｘモジュールの様々な実装を示す。
【図７６】ＲＦ信号を処理する方法のフローチャート表現の一実施形態を示す。
【図７７】図７７Ａ及び７７Ｂは、いくつかの実施形態において、ダイバーシティ受信器構成が、ここに記載される例Ａの一以上の特徴と、ここに記載される例Ｂの一以上の特徴とを含み得ることを示す。
【図７８】図７８Ａ及び７８Ｂは、いくつかの実施形態において、ダイバーシティ受信器構成が、ここに記載される例Ａの一以上の特徴と、ここに記載される例Ｃの一以上の特徴とを含み得ることを示す。
【図７９】図７９Ａ及び７９Ｂは、いくつかの実施形態において、ダイバーシティ受信器構成が、ここに記載される例Ａの一以上の特徴と、ここに記載される例Ｄの一以上の特徴とを含み得ることを示す。
【図８０】図８０Ａ及び８０Ｂは、いくつかの実施形態において、ダイバーシティ受信器構成が、ここに記載される例Ｂの一以上の特徴と、ここに記載される例Ｃの一以上の特徴とを含み得ることを示す。
【図８１】図８１Ａ及び８１Ｂは、いくつかの実施形態において、ダイバーシティ受信器構成が、ここに記載される例Ｂの一以上の特徴と、ここに記載される例Ｄの一以上の特徴とを含み得ることを示す。
【図８２】図８２Ａ及び８２Ｂは、いくつかの実施形態において、ダイバーシティ受信器構成が、ここに記載される例Ｃの一以上の特徴と、ここに記載される例Ｄの一以上の特徴とを含み得ることを示す。
【図８３】図８３Ａ及び８３Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴とを含み得ることを示す。
【図８４】図８４Ａ及び８４Ｂは、いくつかの実施形態において、ダイバーシティ受信器構成が、ここに記載される例Ａの一以上の特徴と、ここに記載される例Ｂの一以上の特徴と、ここに記載される例Ｄの一以上の特徴とを含み得ることを示す。
【図８５】図８５Ａ及び８５Ｂは、いくつかの実施形態において、ダイバーシティ受信器構成が、ここに記載される例Ａの一以上の特徴と、ここに記載される例Ｃの一以上の特徴と、ここに記載される例Ｄの一以上の特徴とを含み得ることを示す。
【図８６】図８６Ａ及び８６Ｂは、いくつかの実施形態において、ダイバーシティ受信器構成が、ここに記載される例Ｂの一以上の特徴と、ここに記載される例Ｃの一以上の特徴と、ここに記載される例Ｄの一以上の特徴とを含み得ることを示す。
【図８７】図８７Ａ及び８７Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴とを含み得ることを示す。
【図８８】図８８Ａ及び８８Ｂは、いくつかの実施形態において、ダイバーシティ受信器構成が、ここに記載される例Ａの一以上の特徴と、ここに記載される例Ｂの一以上の特徴と、ここに記載される例Ｅの一以上の特徴とを含み得ることを示す。
【図８９】図８９Ａ及び８９Ｂは、いくつかの実施形態において、ダイバーシティ受信器構成が、ここに記載される例Ａの一以上の特徴と、ここに記載される例Ｃの一以上の特徴と、ここに記載される例Ｅの一以上の特徴とを含み得ることを示す。
【図９０】図９０Ａ及び９０Ｂは、いくつかの実施形態において、ダイバーシティ受信器構成が、ここに記載される例Ａの一以上の特徴と、ここに記載される例Ｄの一以上の特徴と、ここに記載される例Ｅの一以上の特徴とを含み得ることを示す。
【図９１】図９１Ａ及び９１Ｂは、いくつかの実施形態において、ダイバーシティ受信器構成が、ここに記載される例Ｂの一以上の特徴と、ここに記載される例Ｃの一以上の特徴と、ここに記載される例Ｅの一以上の特徴とを含み得ることを示す。
【図９２】図９２Ａ及び９２Ｂは、いくつかの実施形態において、ダイバーシティ受信器構成が、ここに記載される例Ｂの一以上の特徴と、ここに記載される例Ｄの一以上の特徴と、ここに記載される例Ｅの一以上の特徴とを含み得ることを示す。
【図９３】図９３Ａ及び９３Ｂは、いくつかの実施形態において、ダイバーシティ受信器構成が、ここに記載される例Ｃの一以上の特徴と、ここに記載される例Ｄの一以上の特徴と、ここに記載される例Ｅの一以上の特徴とを含み得ることを示す。
【図９４】図９４Ａ及び９４Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｅの一以上の特徴とを含み得ることを示す。
【図９５】図９５Ａ及び９５Ｂは、いくつかの実施形態において、ダイバーシティ受信器構成が、ここに記載される例Ａの一以上の特徴と、ここに記載される例Ｂの一以上の特徴と、ここに記載される例Ｄの一以上の特徴と、ここに記載される例Ｅの一以上の特徴とを含み得ることを示す。
【図９６】図９６Ａ及び９６Ｂは、いくつかの実施形態において、ダイバーシティ受信器構成が、ここに記載される例Ａの一以上の特徴と、ここに記載される例Ｃの一以上の特徴と、ここに記載される例Ｄの一以上の特徴と、ここに記載される例Ｅの一以上の特徴とを含み得ることを示す。
【図９７】図９７Ａ及び９７Ｂは、いくつかの実施形態において、ダイバーシティ受信器構成が、ここに記載される例Ｂの一以上の特徴と、ここに記載される例Ｃの一以上の特徴と、ここに記載される例Ｄの一以上の特徴と、ここに記載される例Ｅの一以上の特徴とを含み得ることを示す。
【図９８】図９８Ａ及び９８Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴と、ここに記載される例Ｅの一以上の特徴とを含み得ることを示す。
【図９９】いくつかの実施形態において、ダイバーシティ受信器構成が、ここに記載される例Ａの一以上の特徴と、ここに記載される例Ｂの一以上の特徴と、ここに記載される例Ｆの一以上の特徴とを含み得ることを示す。
【図１００】いくつかの実施形態において、ダイバーシティ受信器構成が、ここに記載される例Ａの一以上の特徴と、ここに記載される例Ｃの一以上の特徴と、ここに記載される例Ｆの一以上の特徴とを含み得ることを示す。
【図１０１】いくつかの実施形態において、ダイバーシティ受信器構成が、ここに記載される例Ａの一以上の特徴と、ここに記載される例Ｄの一以上の特徴と、ここに記載される例Ｆの一以上の特徴とを含み得ることを示す。
【図１０２】いくつかの実施形態において、ダイバーシティ受信器構成が、ここに記載される例Ｂの一以上の特徴と、ここに記載される例Ｃの一以上の特徴と、ここに記載される例Ｆの一以上の特徴とを含み得ることを示す。
【図１０３】いくつかの実施形態において、ダイバーシティ受信器構成が、ここに記載される例Ｂの一以上の特徴と、ここに記載される例Ｄの一以上の特徴と、ここに記載される例Ｆの一以上の特徴とを含み得ることを示す。
【図１０４】いくつかの実施形態において、ダイバーシティ受信器構成が、ここに記載される例Ｃの一以上の特徴と、ここに記載される例Ｄの一以上の特徴と、ここに記載される例Ｆの一以上の特徴とを含み得ることを示す。
【図１０５】いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｆの一以上の特徴とを含み得ることを示す。
【図１０６】いくつかの実施形態において、ダイバーシティ受信器構成が、ここに記載される例Ａの一以上の特徴と、ここに記載される例Ｂの一以上の特徴と、ここに記載される例Ｄの一以上の特徴と、ここに記載される例Ｆの一以上の特徴とを含み得ることを示す。
【図１０７】いくつかの実施形態において、ダイバーシティ受信器構成が、ここに記載される例Ａの一以上の特徴と、ここに記載される例Ｃの一以上の特徴と、ここに記載される例Ｄの一以上の特徴と、ここに記載される例Ｆの一以上の特徴とを含み得ることを示す。
【図１０８】いくつかの実施形態において、ダイバーシティ受信器構成が、ここに記載される例Ｂの一以上の特徴と、ここに記載される例Ｃの一以上の特徴と、ここに記載される例Ｄの一以上の特徴と、ここに記載される例Ｆの一以上の特徴とを含み得ることを示す。
【図１０９】いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴と、ここに記載される例Ｆの一以上の特徴とを含み得ることを示す。
【図１１０】いくつかの実施形態において、ダイバーシティ受信器構成が、ここに記載される例Ａの一以上の特徴と、ここに記載される例Ｂの一以上の特徴と、ここに記載される例Ｅの一以上の特徴と、ここに記載される例Ｆの一以上の特徴とを含み得ることを示す。
【図１１１】いくつかの実施形態において、ダイバーシティ受信器構成が、ここに記載される例Ａの一以上の特徴と、ここに記載される例Ｃの一以上の特徴と、ここに記載される例Ｅの一以上の特徴と、ここに記載される例Ｆの一以上の特徴とを含み得ることを示す。
【図１１２】いくつかの実施形態において、ダイバーシティ受信器構成が、ここに記載される例Ａの一以上の特徴と、ここに記載される例Ｄの一以上の特徴と、ここに記載される例Ｅの一以上の特徴と、ここに記載される例Ｆの一以上の特徴とを含み得ることを示す。
【図１１３】いくつかの実施形態において、ダイバーシティ受信器構成が、ここに記載される例Ｂの一以上の特徴と、ここに記載される例Ｃの一以上の特徴と、ここに記載される例Ｅの一以上の特徴と、ここに記載される例Ｆの一以上の特徴とを含み得ることを示す。
【図１１４】いくつかの実施形態において、ダイバーシティ受信器構成が、ここに記載される例Ｂの一以上の特徴と、ここに記載される例Ｄの一以上の特徴と、ここに記載される例Ｅの一以上の特徴と、ここに記載される例Ｆの一以上の特徴とを含み得ることを示す。
【図１１５】いくつかの実施形態において、ダイバーシティ受信器構成が、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。
【図１１６】いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｅの一以上の特徴と、ここに記載される例Ｆの一以上の特徴とを含み得ることを示す。
【図１１７】いくつかの実施形態において、ダイバーシティ受信器構成が、ここに記載される例Ａの一以上の特徴と、ここに記載される例Ｂの一以上の特徴と、ここに記載される例Ｄの一以上の特徴と、ここに記載される例Ｅの一以上の特徴と、ここに記載される例Ｆの一以上の特徴とを含み得ることを示す。
【図１１８】いくつかの実施形態において、ダイバーシティ受信器構成が、ここに記載される例Ａの一以上の特徴と、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。
【図１１９】いくつかの実施形態において、ダイバーシティ受信器構成が、ここに記載される例Ｂの一以上の特徴と、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。
【図１２０】いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。
【図１２１】図１２１Ａ及び１２１Ｂは、いくつかの実施形態において、ダイバーシティ受信器構成が、ここに記載される例Ａの一以上の特徴と、ここに記載される例Ｅの一以上の特徴とを含み得ることを示す。
【図１２２】図１２２Ａ及び１２２Ｂは、いくつかの実施形態において、ダイバーシティ受信器構成が、ここに記載される例Ｂの一以上の特徴と、ここに記載される例Ｅの一以上の特徴とを含み得ることを示す。
【図１２３】図１２３Ａ及び１２３Ｂは、いくつかの実施形態において、ダイバーシティ受信器構成が、ここに記載される例Ｃの一以上の特徴と、ここに記載される例Ｅの一以上の特徴とを含み得ることを示す。
【図１２４】図１２４Ａ及び１２４Ｂは、いくつかの実施形態において、ダイバーシティ受信器構成が、ここに記載される例Ｄの一以上の特徴と、ここに記載される例Ｅの一以上の特徴とを含み得ることを示す。
【図１２５】いくつかの実施形態において、ダイバーシティ受信器構成が、ここに記載される例Ａの一以上の特徴と、ここに記載される例Ｆの一以上の特徴とを含み得ることを示す。
【図１２６】いくつかの実施形態において、ダイバーシティ受信器構成が、ここに記載される例Ｂの一以上の特徴と、ここに記載される例Ｆの一以上の特徴とを含み得ることを示す。
【図１２７】いくつかの実施形態において、ダイバーシティ受信器構成が、ここに記載される例Ｃの一以上の特徴と、ここに記載される例Ｆの一以上の特徴とを含み得ることを示す。
【図１２８】いくつかの実施形態において、ダイバーシティ受信器構成が、ここに記載される例Ｄの一以上の特徴と、ここに記載される例Ｆの一以上の特徴とを含み得ることを示す。
【図１２９】いくつかの実施形態において、ダイバーシティ受信器構成が、ここに記載される例Ｅの一以上の特徴と、ここに記載される例Ｆの一以上の特徴とを含み得ることを示す。
【図１３０】いくつかの実施形態において、ダイバーシティ受信器構成が、ここに記載される例Ａの一以上の特徴と、ここに記載される例Ｅの一以上の特徴と、ここに記載される例Ｆの一以上の特徴とを含み得ることを示す。
【図１３１】いくつかの実施形態において、ダイバーシティ受信器構成が、ここに記載される例Ｂの一以上の特徴と、ここに記載される例Ｅの一以上の特徴と、ここに記載される例Ｆの一以上の特徴とを含み得ることを示す。
【図１３２】いくつかの実施形態において、ダイバーシティ受信器構成が、ここに記載される例Ｃの一以上の特徴と、ここに記載される例Ｅの一以上の特徴と、ここに記載される例Ｆの一以上の特徴とを含み得ることを示す。
【図１３３】いくつかの実施形態において、ダイバーシティ受信器構成が、ここに記載される例Ｄの一以上の特徴と、ここに記載される例Ｅの一以上の特徴と、ここに記載される例Ｆの一以上の特徴とを含み得ることを示す。
【図１３４】いくつかの実施形態において、ここに記載される一以上の特徴を有するダイバーシティ受信器構成が、ダイバーシティ受信（ＤＲｘ）モジュールのようなモジュールに実装され得ることを示す。
【図１３５】ここに記載される一以上の特徴を有するダイバーシティ受信器アーキテクチャを示す。
【図１３６】ここに記載される一以上の特徴を有する無線装置を示す。
【発明を実施するための形態】
【００１５】
ここに与えられる見出しは、たとえあったとしても、便宜のみのためであって、必ずしも請求項に係る発明の範囲又は意味に影響するわけではない。
【００１６】
遮蔽されたＤＲｘモジュールの概要
【００１７】
いくつかの無線アプリケーションにおいて、ダイバーシティアンテナを介して受信した無線周波数（ＲＦ）信号を処理するべく、ダイバーシティ受信（ＤＲｘ）機能を実装することができる。ダイバーシティアンテナを介して受信したそのようなＲＦ信号は相対的に弱いので、例えば損失低減、雑音導入低減等を目的として、ダイバーシティアンテナの相対的に近くでＲＦ信号を処理することが好ましい。
【００１８】
いくつかの無線アプリケーションにおいて、弱いＲＦ信号の上述の処理もまた、電磁干渉（ＥＭＩ）を被り得る。いくつかの状況において、かかるＥＭＩは、ＤＲｘモジュール外のソースに由来し、ＤＲｘモジュール内の一以上の回路に影響を与え得る。いくつかの状況において、かかるＥＭＩは、ＤＲｘモジュール内に由来し、ＤＲｘモジュール内の一以上の回路、ＤＲｘモジュール外の一以上の回路、又はこれらの双方に影響を与え得る。よって、多くの無線アプリケーションにおいて、ＤＲｘモジュールのために遮蔽を実装することができる。
【００１９】
図１は、無線周波数（ＲＦ）遮蔽特徴部を有するダイバーシティ受信（ＤＲｘ）モジュール２１００を描く。かかる遮蔽されたＤＲｘモジュールに関する様々な複数例がここに開示される。理解されることだが、説明を目的として、ＲＦ遮蔽、ＥＭＩ遮蔽、単純遮蔽、又はこれらのいくつかのバリエーションは、交換可能に使用することができる。
【００２０】
図２〜４は、ＲＦ遮蔽構成の複数例を示す。図２において、遮蔽されたＤＲｘモジュール２１００は、パッケージング基板２１０２に実装されたＤＲｘアセンブリ２１０６を含む。ＤＲｘアセンブリ２１０６の複数例が、ここに詳細に説明される。理解されることだが、いくつかの実施形態において、ＤＲｘアセンブリ２１０６のいくつかは、パッケージング基板２１０２内に実装してもよく、しなくてもよい。
【００２１】
図２の一例において、パッケージング基板に装着された様々な部品を封入するべく、オーバーモールド２１０８がパッケージング基板２１０２の上方に形成される。いくつかの実施形態において、オーバーモールド２１０８の上面に導電層２１１０を実装することができる。かかる導電層は、パッケージング基板２１０２内に実装された（２１０４として描かれる）一以上の接地板に電気的に接続することができる。図２において、導電層２１１０と接地板２１０４とのそのような電気接続は、点線２１１２として描かれる。
【００２２】
いくつかの実施形態において、導電層２１１０と接地板２１０４との電気接続２１１２は、一以上の表面装着装置を介して、一以上の遮蔽ワイヤボンドを介して、これらの何らかの組み合わせにより与えることができる。かかる表面装着装置及び遮蔽ワイヤボンドに関する複数例は、２０１４年１０月１６日公開の「表面装着装置により実装されたグランド経路に関する装置及び方法」との名称の米国特許出願公開第２０１４／０３０８９０７号明細書、及び２０１６年１月１４日公開の「チューニングされた遮蔽を有するパッケージ状モジュールに関する方法」との名称の米国特許出願公開第２０１６／００１４９３５号明細書に詳細に説明されている。当該明細書は、その全体が、すべての目的のためにここに参照により明示的に組み入れられる。
【００２３】
図２の一例において、導電層２１１０、接地板２１０４及び電気接続２１１２によって遮蔽機能を与えることができる。
【００２４】
図３及び４において、遮蔽されたＤＲｘモジュール２１００は、少なくとも部分的にパッケージング基板２１２２に実装されたＤＲｘアセンブリ２１０６を含み得る。ＤＲｘアセンブリ２１０６に関する複数例が、ここに詳細に説明される。理解されることだが、いくつかの実施形態において、ＤＲｘアセンブリ２１０６の一部は、パッケージング基板２１２２内に実装してもよく、しなくてもよい。
【００２５】
図３及び４の複数例において、パッケージング基板に装着された様々な部品を封入するべく、オーバーモールド２１２４を、パッケージング基板２１２２の上方に形成することができる。いくつかの実施形態において、導電層２１２０を、オーバーモールド２１２４の上面と、オーバーモールド２１２４に関連づけられた側壁と、パッケージング基板２１２２とに実装することができる。かかる導電層は、パッケージング基板２１２２内に実装された（２１０４として描かれる）一以上の接地板に電気的に接続することができる。図３及び４において、導電層２１２０と接地板２１０４とのそのような電気接続は、パッケージング基板２１２２内に実装されて対応側壁に部分的に露出された一以上の導電性特徴部２１２６を介して行うことができる。かかる導電性特徴部（２１２６）に関する複数例は、２０１６年３月１０日に公開された「遮蔽アプリケーションのためのセラミック基板のメタライゼーションに関する装置及び方法」との名称の米国特許出願公開第２０１６／００７３４９０号明細書に詳細に説明されている。当該明細書は、その全体が、すべての目的のためにここに参照により明示的に組み入れられる。
【００２６】
図３及び４の複数例において、導電性特徴部２１２６は、電気接続２１２８を介して接地板２１０４に電気的に接続されるように描かれている。理解されることだが、かかる電気接続は、一定数の異なる方法で実装することができる。
【００２７】
図３の一例において、遮蔽されたＤＲｘモジュール２１００の下側を、電話機基板のような回路基板への装着を許容するように構成することができる。例えば、遮蔽されたＤＲｘモジュール２１００のための装着機能及び電気接続機能を与えるべく、パッケージング基板２１２２の下側に複数の接触特徴部を形成することができる。
【００２８】
図４の一例において、パッケージング基板２１２２の下側は、下側部品２１３０の装着を許容するように構成することができる。かかる下側部品２１３０は、遮蔽されたＤＲｘモジュール２１００の一部として含めることができ、かかる遮蔽されたＤＲｘモジュールは、（例えばボールグリッドアレイ（ＢＧＡ）として実装された）半田ボール２１３２のアレイを使用することにより、回路基板（例えば電話機基板）に装着することができる。
【００２９】
図４の一例において、下側部品２１３０のいくつか又はすべてが、ＤＲｘアセンブリ２１０６の一部となり得る。
【００３０】
いくつかの実施形態において、図３及び４の複数例の導電層２１２０は、等角遮蔽層として実装することができる。かかる等角遮蔽層を、どのようにして複数のダイシング済み装置（例えば、図３及び４の、導電層２１２０なしの未完成モジュール）、及び図４の両側パッキング構成に適用することができるのかに関する複数例が、ここに、特に図７〜３６を参照して詳述される。
【００３１】
図５は、いくつかの実施形態において、図２〜４のＤＲｘアセンブリ２１０６が、制御器２１４４、一以上のＤＲｘ特徴部２１４６、一以上のフィルタ装置又はフィルタ系装置２１４８、マルチプレクシングアセンブリ２１５０、及び一以上のＳＭＴ部品２１５２を有するＤＲｘアセンブリ２１０６として実装され得ることを示す。とりわけ、ここに記載されるのは、例Ａ〜Ｆ、及びかかる例の様々な組み合わせを、どのようにして実装することができるかである。図５の一例において、ＤＲｘアセンブリ２１０６は、いずれかの個別の例、又は２以上の例を有する組み合わせを含み得る。
【００３２】
いくつかの実装において、ここに記載される一以上の特徴を有する装置及び／又は回路は、無線装置のようなＲＦ電子装置に含まれ得る。いくつかの実施形態において、かかる無線装置は、例えば、セルラー電話、スマートフォン、電話機能あり又はなしのハンドヘルド無線装置、無線タブレット等を含み得る。
【００３３】
図６は、ここに記載の一以上の有利な特徴を有する無線装置４００の一例を描く。図６の一例において、本開示の一以上の特徴を有する遮蔽されたＤＲｘモジュール２１００は、ダイバーシティアンテナ４２６に近接して実装することができる。
【００３４】
図６を参照すると、複数の電力増幅器（ＰＡ）４２０は、各自のＲＦ信号を送受信器４１０から受信することができる。送受信器４１０は、増幅及び送信されるＲＦ信号を生成し、受信した信号を処理するように構成かつ動作することができる。送受信器４１０は、ユーザに適したデータ及び／又は音声信号と送受信器４１０に適したＲＦ信号との間の変換を与えるように構成されたベース帯域サブシステム４０８と相互作用をするように示される。送受信器４１０はまた、無線装置４００の動作のために電力を管理するように構成された電力管理部品４０６と通信することもできる。
【００３５】
ベース帯域サブシステム４０８は、ユーザに与えられ及びユーザから受けた音声及び／又はデータの様々な入力及び出力を容易にするべく、ユーザインタフェイス４０２に接続されるように示される。ベース帯域サブシステム４０８はまた、無線装置の動作を容易にし、及び／又はユーザのための情報記憶を与えるデータ及び／又は命令を記憶するように構成されたメモリ４０４に接続することもできる。
【００３６】
無線装置４００の一例において、ＰＡ４２０の出力が、（各整合回路４２２を介して）整合され、各自のデュプレクサ４２４へと引き回されるように示される。かかる増幅かつフィルタリングされた信号は、送信を目的としてアンテナスイッチ４１４を介して一次アンテナ４１６へと引き回すことができる。いくつかの実施形態において、デュプレクサ４２４は、共通アンテナ（例えば一次アンテナ４１６）を使用して送信動作及び受信動作を同時に行うことができる。図６において、受信した信号は、例えば低雑音増幅器（ＬＮＡ）を含み得る「Ｒｘ」経路へと引き回されるように示される。
【００３７】
図６の一例において、無線装置４００はまた、ダイバーシティアンテナ４２６と、当該ダイバーシティアンテナ４２６から信号を受信する遮蔽されたＤＲｘモジュール２１００とを含む。遮蔽されたＤＲｘモジュール１００は、受信した信号を処理し、処理済み信号を送信ライン４３５を介してダイバーシティＲＦモジュール４１１へと送信する。ダイバーシティＲＦモジュール４１１はさらに、当該信号が送受信器４１０へと供給される前に当該信号を処理する。
【００３８】
遮蔽されたＲＦモジュールの製作例
【００３９】
図７は、テープ５２が下側に貼り付けられたリング５０を含むアセンブリの一例の下側図を示す。リング５０の内側境界内のテープ５２の領域に、パッケージ状装置のような装置５４の一アレイが装着されるように示される。リング５０は、ＰＶＤプロセスがアセンブリの上側に行われるようにするべく、例えば物理蒸着堆積（ＰＶＤ）機械のような装置に装着される寸法としてよい。
【００４０】
図７の一例において、５６として示されかつパッケージ状装置５４を代表する一部分、及びそのテープ５２との関係が、図８Ａ及び２Ｂに詳細に示される。図８Ａは、図７の部分５６の拡大上側平面図を示し、図８Ｂは、同部分の拡大側断面図を示す。パッケージ状装置５４は、半田ボールのような一以上の不規則特徴部又は起伏を含むように示される。かかるパッケージ状装置は、テープの上面に装着されるように示される。図７に示されるように、テープ５２の周縁部分の上面はまた、リングの下側に貼り付けられるように示される。
【００４１】
図８Ａ及び８Ｂに示される一例において、半田ボール６０のような不規則な特徴部又は起伏は、テープが画定する開口５８により収容されるように示される。したがって、パッケージ状装置５４は、パッケージ状装置５４の側壁及び上面が一般に、アセンブリの上側へと露出されるように、テープ５２によって保持することができる。かかる構成において、ＰＶＤプロセスのような堆積プロセスがアセンブリの上側において行われ、パッケージ状装置５４の側壁及び上側への材料（例えば金属のような導電性材料）の等角コーティングが得られる一方、（半田ボール６０を含む）下側は一般に、ＰＶＤプロセスの間、未コーティングのままである。ここに記載されるように、パッケージ状装置５４のそのような等角コーティングにより、無線周波数（ＲＦ）遮蔽機能がもたらされる。
【００４２】
図７、８Ａ及び８Ｂの一例において、テープ５２は十分な可撓性があるのが典型的なので、機械的な問題が生じ得る。例えば、パッケージ状装置５４のアレイがテープ５２にローディングされると、テープ５２は余剰重量によりたるむので、アセンブリの一般に平坦な構成から逸脱する。かかるたるみは、ＰＶＤプロセスから得られるコーティングの均一性に影響を与え得る。かかるたるみはまた、（例えばＰＶＤプロセス前の）ローディングステップ中の、及び（例えばＰＶＤプロセス後の）アンローディングステップ中のパッケージ状装置５４の取り扱い方にも影響を与え得る。
【００４３】
ここに記載されるのは、パッケージング製作プロセス（例えば等角遮蔽層を形成するＰＶＤプロセス）中に装置（例えばパッケージ状装置）を保持するべくステンシルを利用する方法の様々な複数例である。かかるステンシルは、作業対象の装置の保持を目的として、図７、８Ａ及び８Ｂのテープの一例よりも適切な台を与えるように構成することができる。またもここに記載されるように、かかるステンシルは、ＰＶＤリングのような装置に組み付けることによって、当該ステンシルの安定性から利益を得るとともに、既存のＰＶＤ機械を利用することができるアセンブリを得ることができる。
【００４４】
とりわけ、パッケージ状装置を保持するステンシルに関する様々な複数例は、「遮蔽されたモジュールの製作に関する装置及び方法」との名称の国際特許出願第ＵＳ２０１６／０５４６５２号明細書に記載されている。当該明細書は、その全体がここに参照により明示的に組み入れられ、その開示は、すべての目的のために本願の明細書の一部とみなされる。とりわけ、半田ボールのような不規則な特徴部を有するパッケージ状装置に関する様々な複数例は、「ボールグリッドアレイを有する両面無線周波数パッケージ」との名称の米国特許出願公開第２０１６／００９９１９２号明細書に記載されている。当該明細書は、その全体がここに参照により明示的に組み入れられ、その開示は、すべての目的のために本願の明細書の一部とみなされる。
【００４５】
留意されることだが、いくつかの実施形態において、米国特許出願公開第２０１６／００９９１９２号明細書に開示されるボールグリッドアレイを有する両面パッケージのようなパッケージ状装置は、側壁に導電性特徴部が露出されたパッケージング基板を備えるように構成することができる。かかる導電性特徴部は、パッケージング基板内の接地板に電気的に接続することができる。すなわち、ここに記載されるようにパッケージ状装置の上面及び側壁面に形成された等角遮蔽層は、導電性特徴部を介して接地板に電気的に接続されるので、パッケージ状装置のためのＲＦ遮蔽機能を与える。
【００４６】
図９Ａ〜９Ｄは、国際特許出願第ＵＳ２０１６／０５４６５２号明細書に記載される一以上の特徴を、処理ステップを目的としてパッケージ状装置を保持するために実装する方法の一例を示す。理解されることだが、説明を目的として、ステンシル、フレームキャリア及びプレートのような用語は、適切な状況において交換可能に利用することができる。例えば、国際特許出願第ＵＳ２０１６／０５４６５２号明細書に記載のフレームキャリア又はプレートは、ここに記載のステンシルとして利用することができる。他例において、ここに記載されるステンシルは、国際特許出願第ＵＳ２０１６／０５４６５２号明細書におけるフレームキャリア又はプレートとして利用することができる。
【００４７】
いくつかの実施形態において、ここに記載の一以上の特徴を有するステンシルは、個別のユニット（例えばダイシング済みユニット）をステンシルへと導入可能かつステンシルから除去可能な第１側を有するプレートとしてよい。プレートの第２側は、第１側の対向側としてよい。例えば、ステンシルが、当該ステンシルの上側において個別のユニットが当該ステンシルへと導入され及び当該ステンシルから除去されるように利用される場合、当該ステンシルの上側をその第１側とし、下側をその第２側としてよい。同様に、ステンシルが、当該ステンシルの下側において個別のユニットが当該ステンシルへと導入され及び当該ステンシルから除去されるように利用される場合、当該ステンシルの下側をその第１側とし、上側をその第２側としてよい。
【００４８】
いくつかの実施形態において、上述のステンシルのプレートは、アパチャのアレイを画定することができる。かかるアパチャのそれぞれは、個別のユニットの少なくとも一部分を受容する寸法にして、複数のそのような個別のユニットがさらなる処理を目的として一アレイに配列され得るようにすることができる。ステンシルが受容するそのような一部分は、例えば、個別のパッケージ状装置の下側において半田ボールのような不規則的な特徴部を含み得る。
【００４９】
いくつかの実施形態において、上述のステンシルは、例えば、金属プレート、又は清浄環境動作及びテープ切断レーザー動作のような動作条件に繰り返し暴露されることに対処可能な成分を有するプレートとしてよい。かかるプレートは、例えば、矩形状パネル形式であってよく、ここに記載の一以上の機能を与える適切な厚さを有してよい。
【００５０】
図９Ａの構成５００の一例において、ステンシル２０４は、パッケージ状装置の一部分を受容する寸法の開口２０３を画定するように示される。説明を目的として一つの開口が示されるが、複数のそのような開口をステンシル２０４に実装してよいことも理解すべきである。二面テープ２０６（ここでは両面テープとも称する）が、ステンシル２０４の一側に貼り付けられるように示される。かかるテープは、例えば、各側に接着層が実装されたポリイミド膜２１１（例えばカプトン（登録商標））の基体を含み得る。すなわち、図示の一例において、接着層２１３がステンシル２０４に係合するように示され、接着層２１２がカバー層２０７（例えばＰＥＴ膜）によって覆われ得るように示される。したがって、カバー層２０７は、接着層２１２が露出されるように剥離することができる。
【００５１】
図９Ｂの構成５０２の一例において、レーザービーム２５０は、両面テープ２０６を通る開口を形成するべく、両面テープ２０６に適用されるように示される。国際特許出願第ＵＳ２０１６／０５４６５２号明細書に記載されるように、レーザービーム２５０のそのような適用は、一定数の方法によって達成することができる。例えば、レーザービーム２５０は、下側（図９Ｂの反転配向における上側）から適用することができる。レーザー切断動作から得られる開口は、両面テープ２０６の張り出しを、ステンシル２０４の開口２０３の各縁を超えるようにもたらすことができる。
【００５２】
いくつかの実施形態において、図９Ｂのレーザー切断動作は、レーザービーム２５０が一般に両面テープ２０６を焼き落とすが、完全にはカバー層２０７を通り抜けないように構成することができる。すなわち、カバー層２０７が両面テープ２０６から剥がされると、両面テープ２０６の切断部分がカバー層２０７に固着したままとなるので、一緒に除去される。
【００５３】
図９Ｃの構成５０４の一例において、図９Ｂのレーザー切断動作と、カバー層の剥離とが、両面テープを貫通する開口２０２が得られるように示される。国際特許出願第ＵＳ２０１６／０５４６５２号明細書に記載されるように、かかる開口は、ステンシル２０４の開口２０３に対して異なる寸法にすることができる。いくつかの実施形態において、開口２０２は、両面テープ２０６の張り出し（図９Ｄの配向の場合）がステンシルの開口２０３の縁を超えるような寸法にすることができる。いくつかの処理アプリケーションにおいて、両面テープのそのような張り出しは、パッケージ状装置を処理するときに望ましい機能を与えることができる。かかる望ましい機能に関する複数例が、ここに詳細に記載される。
【００５４】
図９Ｄの構成５０６の一例において、図９Ｃのアセンブリは、両面テープ２０６がステンシル２０４の上方になって（図９Ａに示される）接着層２１２が頂面に露出されるように反転して示される。かかる配向のアセンブリにおいて、パッケージ状装置５１０は、両面テープ２０６に装着され、半田ボール５１６が両面テープ２０６の開口２０２を通って延びるように示される。したがって、パッケージ装置５１０の下側の周縁は、両面テープ２０６の縁部分によって固定することができる。
【００５５】
図９Ｄの一例において、パッケージ状装置５１０は、パッケージング基板５１２（例えばＰＣＢ基板、積層基板等）と、パッケージング基板５１２に装着されたダイのような無線周波数（ＲＦ）部品５１３とを含むように示される。パッケージ状装置５１０の上面を得るようにパッケージング基板５１２の上方にオーバーモールドキャップ５１４を形成することができる。矩形フットプリント形状を有するパッケージング基板５１２の文脈の一例において、オーバーモールドキャップ５１４及びパッケージング基板５１２により形成された箱形状が、パッケージ状装置５１０の４つの側壁を画定する。したがって、パッケージ状装置５１０が図９Ｄに示されるように両面テープ２０６に装着されると、パッケージ状装置５１０の４つの側壁と上面とが、ＲＦ遮蔽機能を与える金属のような材料の堆積を許容するように露出される。パッケージ状装置５１０の、半田ボール５１６を含む下側は、ステンシルの上側に露出されないので、堆積材料にさらされることがない。
【００５６】
図９Ｄの一例において、パッケージ状装置５１０の下側は、ダイのような下側装着部品を含んでもよく、含まなくてもよい。さらに、複数の半田ボール５１６が、パッケージ状装置５１０の一例に関連づけられた不規則な特徴部又は起伏の複数例であることが理解される。かかる不規則な特徴部又は起伏は、半田ボール以外の特徴部を含んでよく、又は半田ボールに加えて特徴部を含んでよい。上述の下側装着部品と不規則な特徴部又は起伏に関する複数例は、米国特許出願公開第２０１６／００９９１９２号明細書に記載されている。
【００５７】
いくつかの製造アプリケーションにおいて、ＰＶＤシステムのような既存のシステムを利用することが望ましい。図７、８Ａ及び８Ｂを参照して記載されるように、テープを使用することによってパッケージ状装置のアレイを装着するべく、ＰＶＤシステムのための寸法を有するリングを利用することができる。しかしながら、かかる構成は、例えばテープの可撓性ゆえに、一以上の難題をもたらし得る。
【００５８】
いくつかの実施形態において、ここに記載の一以上の特徴を有するステンシルを、特にＰＶＤシステムとともに動作するように実装することができる。かかる構成もまた、一以上の難題に直面し得る。例えば、ＰＶＤ専用ステンシルが相対的に大きな場合、（例えば両面テープを介した）様々な切断動作を行うときにレーザーシステムにおける難題が存在し得る。
【００５９】
ここに記載されるのは、一定数の有利な特徴を与えるべくステンシルを他の構造体（例えばＰＶＤリング）に装着する方法の様々な複数例である。例えば、ステンシルを備えたパッケージ状装置のローディング、処理及びアンローディングが、当該ステンシルの安定かつ一貫した特定ゆえに利益を受け得る。他例において、ステンシルは、レーザー切断動作のような非ＰＶＤ動作を容易にするのに適切な寸法を有し得る。
【００６０】
いくつかの実施形態において、ステンシルは、テープを使用してＰＶＤリングに装着することができる。図１０及び１１は、第１アセンブリを得るべく、むき出しのステンシルに両面テープが結合されるプロセスの一例、及びかかるプロセスに関連づけられた状態の複数例を示す。図１２及び１３は、第２アセンブリを得るべく、図１０及び１１の第１アセンブリがＰＶＤリングに装着されるプロセスの一例、及びかかるプロセスに関連づけられた状態の複数例を示す。図１４及び１５は、ＰＶＤプロセスのための第３アセンブリを得るべく、図１２及び１３の第２アセンブリが、一以上のパッケージ状装置のローディングに利用されるプロセスの一例、及びかかるプロセスに関連づけられた状態の複数例を示す。図１６〜２２は、上述の図１０〜１５の複数例に関する付加的な複数例を示す。
【００６１】
図１１、１３及び１５に描かれる様々な複数例において、明確性を目的として、一つの代表的な開口が示される。しかしながら、理解されることだが、ステンシルは、複数のパッケージ状装置を収容するべく、（例えばアレイ状に配列された）複数のそのような開口を含み得る。
【００６２】
留意されることだが、様々な複数例は、ＰＶＤプロセスの文脈において記載される。しかしながら、本開示の一以上の特徴は、他のタイプの堆積又は製作のプロセスに対しても実装できることが理解される。
【００６３】
いくつかの実施形態において、本開示の一以上の特徴は、一アレイの各パッケージ状装置に等角導電層を形成し、各パッケージ状装置に対してＲＦ遮蔽機能を得るために利用することができる。パッケージ状装置における等角導電層のそのような形成は、ＰＶＤ及び／又は他のタイプの製作プロセスによって達成することができる。
【００６４】
図１０及び１１を参照すると、プロセス５２０は、ステンシルが形成又は与えられるブロック５２２を含み得る。かかるステンシルは、図１１Ａの構成５５０において２０４として描かれる。ステンシル２０４は、第１面５１２及び第２面５１４を含むように示される。ステンシル２０４はまた、ここに記載されるようにパッケージ状装置の一部分を受容する寸法を有する開口２０３を含む。
【００６５】
プロセス５２０はさらに、ステンシルに両面テープが積層されるブロック５２４を含み得る。かかる積層構成は、図１１Ｂにおいて５５６として描かれる。ここで、両面テープ２０６は、各面に接着層が実装されたポリイミド膜２１１（例えばカプコン（登録商標））の基体を含むように示される。すなわち、図示の一例において、接着層２１３はステンシル２０４に係合するように示され、接着層２１２は、カバー層２０７（例えばＰＥＴ膜）によって覆われるように示される。したがって、カバー層２０７を剥離して接着層２１２を露出させることができる。
【００６６】
図１６Ａ及び１６Ｂは、積層構成５５６の一例の両面を示す。かかる構成は、図１１Ｂの上述の構成５５６に対応し得る。詳しくは、図１６Ａは、パッケージ状装置が受容される側に対向する側（例えば下側）を示す。したがって、両面テープの接着層（図１１Ｂの２１３）は、ステンシル２０４の一アレイの各開口を通って露出されるように示される。図１６Ｂは、パッケージ状装置が受容される側（例えば上側）を示す。したがって、カバー層２０７を備えた両面テープ２０６は、ステンシル２０４の一アレイの各開口を覆うように示される。
【００６７】
図１０を参照すると、プロセス５２０はさらに、第１アセンブリを得るべく、ステンシルの各開口のために両面テープの一部又は全部を切り抜くレーザー動作が行われるブロック５２６を含み得る。かかるレーザー切断構成は５５８として描かれる。ここで、レーザービーム５６０は、切断箇所５６２を得るべく両面テープ２０６に適用されるように示される。ここに記載されるように、レーザービーム５６０のそのような適用は、一定数の方法によって達成することができる。いくつかの実施形態において、図１１Ｃのレーザー切断動作は、レーザービーム５６０が一般に両面テープ２０６を焼き落とすが、完全にはカバー層２０７を通り抜けないように構成することができる。すなわち、カバー層２０７が両面テープ２０６から剥離されると、両面テープの切断部分がカバー層に固着したままとなり得るので、一緒に除去することができる。
【００６８】
図１２及び１３を参照すると、プロセス５３０は、図１０及び１１を参照して記載された第１アセンブリが形成され又は与えられるブロック５３２を含む。図１３Ａにおいて、図１１Ｃのレーザー切断構成５５８から得られた構成５６４が、第１アセンブリを含むように示される。ここで、レーザー切断箇所５６２が、両面テープ２０６を通るがカバー層２０７は通らないように形成される。
【００６９】
プロセス５３０はさらに、第１アセンブリがテープ（例えば片面テープ）によってＰＶＤリングに装着されるブロック５３４を含み得る。図１３Ｂにおいて、かかる構成が５６６として描かれる。ここで、テープ５６８は、ステンシル２０４の、両面テープ２０６に対向する側に貼り付けられるように示される。いくつかの実施形態において、テープ５６８は、例えば片面テープとしてよい。
【００７０】
いくつかの実施形態において、かかる片面テープはＰＶＤリングへと延びるので、第１アセンブリ（５６４）をＰＶＤリングに装着することができる。図１７〜１９は、図１２及び１３Ｂを参照して記載されたＰＶＤリングに第１アセンブリ５６４が装着され得る一例を示す。図１７において、図１３Ａのものと類似する第１アセンブリ５６４が、装着台６００に置かれるように示される。ステンシルの、テープが貼られていない面（例えば図１６Ａに示される面）が露出される。図１８において、ＰＶＤリング６０２が、第１アセンブリ５６４を取り囲むように位置決めされることが示され、片面テープ５６８が、第１アセンブリ５６４とＰＶＤリング６０２の内周縁との上方に位置決めされることが示される。したがって、第１アセンブリ５６４（ここでは片面テープ５６８に貼り付けられている）は、テープ５６８によってＰＶＤリング６０２に固定されるように示される。図１９は、図１８の動作から得られたＰＶＤリング６０２のアセンブリ５６６の他側（図１３Ｂにおいても５６６）、片面テープ５６８及び第１アセンブリ５６４を示す。
【００７１】
図１２及び１３Ａ〜１３Ｄを参照すると、プロセス５３０はさらに、第２アセンブリを得るべく、片面テープを通る一以上の開口を形成するレーザー動作を行うことができるブロック５３６を含み得る。図１３Ｃは、かかるレーザー動作５７０の一例を示す。レーザービーム５７２が、５７４として示される切断箇所を得るべく片面テープ５６８に適用されている。いくつかの実施形態において、かかるレーザー切断は、ステンシルが、他層に切断箇所が作られるのを防止するバックストップとして作用するように行うことができる。かかる選択可能レーザー切断箇所に関する複数例が、ここに詳述される。
【００７２】
図１３Ｄは、図１２及び１３Ｃのブロック５３６のレーザー動作から得られた第２アセンブリの一例を示す。かかるレーザー動作は、ステンシルの開口が、片面テープ５６８の一側５７７に露出される結果となるように示される。図１７〜１９の複数例の文脈において、図２０は、アセンブリ５６４の一側５７７が、図１２及び１３Ｃを参照して記載されたレーザー切断動作により露出される一例を示す。図示の一例において、一つの大きな開口が、ステンシルのすべての開口を露出するように作られる。理解されることだが、他の切断パターンも実装することができる。ステンシル開口のそのような露出に関する詳しい複数例が、ここに詳述される。
【００７３】
図１４及び１５を参照すると、プロセス５４０は、図１２及び１３Ａ〜１３Ｄを参照して記載された第２アセンブリが形成され又は与えられるブロック５４２を含み得る。図１５Ａにおいて、図１３Ｃのレーザー切断構成５７０により得られた構成５７６が、ステンシル開口が片面テープ５６８を通るように形成された第２アセンブリを含むように示される。
【００７４】
プロセス５４０はさらに、第２アセンブリを反転することができるブロック５４４を含み得る。かかるプロセスブロックはまた、反転ステップの前又は後のいずれにカバー層（図１５Ａの２０７）が両面テープ２０６から剥離されることも含む。図１５Ｂにおいて、かかる構成は５７８として描かれる。ここで、カバー層２０７の剥離により、（例えば図１１Ｃにおいてのような）両面テープ２０６のレーザー切断部分が除去されるので、両面テープ２０６を通る開口２０２が得られる。
【００７５】
図２１は、カバー層２０７が両面テープ２０６から剥離される一例を示す。カバー層２０７は、両面テープのレーザー切断部分６０４が固着するように示される。したがって、両面テープ２０６は、ステンシル２０４の開口に対応する一アレイの開口２０２を画定するように示される。
【００７６】
図１４及び１５Ａ〜１５Ｃを参照すると、プロセス５４０はさらに、ＰＶＤプロセスに適した第３アセンブリ５８０を得るべくパーツが両面テープに装着されるブロック５４６を含み得る。図１５Ｃにおいて、かかるパーツは、箱形本体と、その下側の不規則な特徴部（例えば半田ボール）とを有するパッケージ状装置５１０を含むように示される。ここに記載されるように、パッケージ状装置５１０は、例えば、パッケージング基板５１２  （例えばＰＣＢ基板、積層基板等）と、パッケージング基板５１２に装着されたダイのようなＲＦ部品５１３とを含み得る。パッケージ状装置５１０の上面を得るようにパッケージング基板５１２の上方にオーバーモールドキャップ５１４を形成することができる。矩形フットプリント形状を有するパッケージング基板５１２の文脈の一例において、オーバーモールドキャップ５１４及びパッケージング基板５１２が、パッケージ状装置５１０の４つの側壁を画定する。したがって、図１５Ｃに示されるようにパッケージ状装置５１０が両面テープ２０６に装着されると、側壁及び上面は、ＲＦ遮蔽機能を与える金属のような材料の堆積を許容するように露出される。パッケージ状装置５１０の、半田ボール５１６を含む下側は露出されないので、堆積材料にさらされることがない。
【００７７】
図１５Ｃの一例において、パッケージ状装置５１０の下側は、ダイのような下側装着部品を含んでもよく、含まなくてもよい。さらに、複数の半田ボール５１６が、パッケージ状装置５１０の一例に関連づけられた不規則な特徴部又は起伏の複数例であることが理解される。かかる不規則な特徴部又は起伏は、半田ボール以外の特徴部を含んでよく、又は半田ボールに加えて特徴部を含んでよい。
【００７８】
図２２は、複数のパッケージ状装置５１０が両面テープ２０６に装着される一例を示す。両面テープ２０６は、ステンシル２０４によって少なくとも部分的に支持される。ここに記載されるように、両面テープ２０６を通るように形成された開口２０２は、パッケージ状装置５１０に関連づけられた半田ボールのような不規則性の特徴部を収容することができる。
【００７９】
いくつかの実施形態において、図１４及び１５Ｃの複数の第３アセンブリの一以上を、堆積プロセスを目的としてＰＶＤ装置へとローディングすることができる。ここに記載されるように、かかる堆積プロセスは、例えば、所与のパッケージ状装置ためのＲＦ遮蔽機能を容易にする金属の等角コーティングを含み得る。
【００８０】
図２３は、図１９及び２０の一例に類似するアセンブリを描く。ここで、ステンシル／両面テープアセンブリ５６４が、テープ５６８によってＰＶＤリング６０２に固定される。ステンシルは、Ｌ×Ｗの横方向寸法を有するように示される。ＰＶＤリング６０２の内径は、Ｄの寸法を有するように示される。いくつかの実施形態において、（例えば図１１Ｃ及び１３Ｃの）切断プロセスのために利用されるレーザーシステムは、ＰＶＤリング６０２の内径の中の横方向エリア全体よりも、ステンシル（Ｌ×Ｗ）が画定する横方向エリア内での動作に良好に適し得る。横方向寸法Ｌ×Ｗが、ＰＶＤリング６０２の内径の中の大きなエリアよりも効率的となる他の処理動作も存在してよい。すなわち、適切な寸法とされたステンシルをＰＶＤリングとの組み合わせで使用することにより、ここに記載される一定数の有利な特徴を与えることができる。
【００８１】
いくつかの実施形態において、ＰＶＤリング及びステンシルは、一を超えるステンシルをＰＶＤリングに装着することが許容される寸法としてよい。図２４は、２つのステンシル／両面テープアセンブリ５６４が、テープ５６８によってＰＶＤリング６０２に固定される一例を示す。留意されることだが、図２４の一例における複数のステンシルは、図２３の一例におけるステンシルと同じ寸法を有する必要はない。またもなお、図２４の一例における複数のステンシルは、互いに同じとする必要はない。したがって、一定数のステンシルを、ここに記載されるように適切な寸法にしてＰＶＤリングに装着することにより、当該ＰＶＤリングにおける空間の利用方法の効率を最大限にし、又は増大させることができる。
【００８２】
ここに記載の様々な例において、ステンシルは矩形状を有するように描かれる。理解されることだが、ここに記載の一以上の特徴部を有するステンシルを目的として、他の形状も実装することができる。例えば、図２５は、ステンシル／両面テープアセンブリ５６４が円形状ステンシルに基づく一例を示す。かかるステンシルは、ＰＶＤリング６０２の内径の中に収まる寸法としてよい。ステンシル／両面テープアセンブリ５６４は、ここに記載されるように、テープ５６８によってＰＶＤリング６０２に固定することができる。
【００８３】
ここに記載の様々な例において、ＰＶＤリングは、多くのＰＶＤシステムでの使用を容易にする一般円形状を有するように描かれる。理解されることだが、かかる円形状は一例であり、基板保持器が円形とは限らない他の堆積システムを収容するように他の形状を実装することもできる。したがって、図２６は、ステンシル／両面テープアセンブリ５６４を保持するリング構造体６０２が非円形状を有する一例を示す。例えば、リング６０２は、矩形状を有し得る。図２６の一例において、ステンシル／両面テープアセンブリ５６４は、ここに記載されるように、テープ５６８によって矩形状リング６０２に固定することができる。
【００８４】
ここに記載の様々な例において、片面テープの一部分を対応ステンシルから切り取るべく、レーザー動作を行うことができる。例えば、図１３Ｃ、１３Ｄ及び２０は、ステンシルの開口を露出するべく実装されたそのような切断箇所を示す。いくつかの実施形態において、ステンシルのそのような開口が露出されることにより、ステンシルに関与する一以上のプロセスステップ中のパッケージ状装置の取り扱いが容易となり得る。
【００８５】
例えば、図２７は、ステンシル２０４の一側に片面テープ５６８が実装され、ステンシル２０４の他側に両面テープ２０６が実装された構成を示す。片面テープ５６８は、ステンシル２０４をＰＶＤリング（図示せず）に固定することを目的とし、両面テープ２０６は、半田ボールのような不規則的な特徴部が、ステンシル２０４の複数の開口２０３に収容されるように、パッケージ状装置５１０をステンシル２０４に装着することを目的とする。図２７の一例において、片面テープ５６８は、いずれの開口も有しないように描かれる。かかる構成において、パッケージ状装置５１０が開口２０３の上方に装着されるとき、空気のような周囲気体が、ステンシル開口２０３にトラップされるようになり得る。そのようなトラップされた気体は、困難な様々な処理ステップをなし得る。例えば、かかるアセンブリ（両面テープに装着されたパッケージ状装置５１０）が清浄及び硬化のプロセスのような複数のステップ中に加熱されると、一般に開口２０３にトラップされた気体が著しく膨張し、パッケージ状装置５１０が追い出され得る。
【００８６】
図２８は、図９Ｄ、１５Ｃ及び２０を参照してここに記載される複数例に類似する構成の一例を示す。ここで、ステンシル２０４の開口２０３が、片面テープ５６８の適切な部分を切り取ることによって露出される。かかる構成において、空気のような周囲気体は、ステンシル開口２０３にトラップされない。パッケージ状装置５１０が、開口２０３の上方に装着されるからである。例えば、パッケージ状装置５１０の装着によりもたらされる周囲気体の変位分はいずれも、開口２０３から（矢印６１０の方向に）抜け出ることができる。片面テープ５６８に作られた切断箇所の結果として当該開口が露出されたからである。
【００８７】
ここに記載の様々な例において、片面テープ（５６８）に形成された上述の切断箇所は、複数のステンシル開口（２０３）すべてを露出させることができる。かかる技術は有利となり得る。一つのレーザー切断動作によって多くのステンシル開口を露出させることができるからである。しかしながら、理解される。ステンシル開口を露出させることは、他の態様で実装することもできる。例えば、一を超えるレーザー切断箇所を、各切断箇所が一群のステンシル開口の露出をもたらすように存在させることができる。
【００８８】
他例において、各ステンシル開口は部分的に又は完全に、他のステンシル開口とは別個に露出させることができる。図２９は、複数のステンシル開口２０３に対応するエリアにおいて、切断又は打ち抜き動作により片面テープ５６８に複数の開口をもたらし得る一例を示す。したがって、周囲気体は、パッケージ状装置５１０の装着のようなプロセスステップ中に片面テープ５６８のそのような開口を通って（矢印６１０の方向に）抜け出ることができる。
【００８９】
いくつかの実施形態において、ステンシルは、所与のテープによってＰＶＤリングに固定することができ、パッケージ状装置を保持するべく同テープを利用することができる。例えば、パッケージ状装置を受容する複数の開口を有する両面テープが、対応ステンシルを超えて延びてＰＶＤリングに貼り付けられる。かかる構成において、かかる両面テープを取り扱うのにレーザー切断動作が行われる。
【００９０】
いくつかの実施形態において、様々な複数例によってここに記載されるように、２つの別個のテープを利用することができる。ここで、第１テープ（例えば両面テープ）を、パッケージ状装置をステンシルに装着するべく実装し、第２テープ（例えば片面テープ）を、ステンシルをＰＶＤリングに固定するべく実装することができる。かかる構成において、レーザー切断動作が、第１テープ及び第２テープの切断に関与し得る。好ましくは、第１テープ及び第２テープに作られた切断箇所が、一方のテープのレーザー切断が他方のテープに損傷を与えることがないように構成される。
【００９１】
例えば、各ステンシル開口２０３の中間領域において又は当該中間領域の近くにおいて片面テープ５６８に切断箇所が作られる図２９の構成の文脈において、図３０は、レーザービーム６１２がそのような切断箇所（６１４として示す）を形成する切断動作を示す。わかることだが、かかるレーザー切断箇所は一般に、両面テープ２０６の張り出し部分（６１６として示す）に損傷を与えることがない。レーザービーム６１２は両面テープ２０６には入射しないからである。留意されることだが、図３０の一例において、両面テープ２０６のためのレーザー切断箇所は、レーザービームが片面テープ５６８に損傷を与えることを回避するべく、片面テープ５６８の適用前に作ることができる。
【００９２】
他例において、一つの大きな切断箇所がステンシル２０４の周縁近くで片面テープに作られる図２８の構成において、図３１は、かかる切断箇所（６２０として示す）を形成するレーザービーム６１８が、片面テープ５６８の切り抜きの後に当該ステンシル自体に入射する切断動作を示す。したがって、張り出し部分６１６を含む両面テープ２０６は、レーザービーム６１８から遮蔽される。
【００９３】
ここに記載の様々な例において、（パッケージ状装置の保持のための）両面テープの切断パターンは、各ステンシル開口に対する張り出し部分（例えば図３０及び３１の６１６）を含み得る。図３２〜３５は、両面テープのそのような張り出し部分が、様々なプロセスステップ中に有利な特徴を与えるように構成することができる複数例を示す。
【００９４】
図３２は、複数のパッケージ状装置５１０がアセンブリ６３０にローディングされているプロセスステップの一例を示す。説明を目的として、アセンブリ６３０は、パッケージ状装置を保持するステンシル及び両面テープを含み得る。アセンブリ６３０は、ステンシルの他側に片面テープを含んでもよく、含まなくてもよい。ここに記載されるように、複数のパッケージ状装置５１０がアセンブリ６３０によって保持されることにより、ＰＶＤプロセスが各パッケージ状装置５１０に等角遮蔽層を形成することが容易となり得る。
【００９５】
図３３は、ＰＶＤプロセスの後にパッケージ状装置５１０が除去されているプロセスステップの一例を示す。ここに記載されるように、パッケージ状装置５１０がアセンブリ６３０によって保持されることにより、各パッケージ状装置５１０の側面及び上面における等角遮蔽層の上述した形成が許容される一方、当該パッケージ状装置の下側は未コーティングのままにされる。
【００９６】
図３４は、張り出し部分を与える両面テープ切断箇所を備えたステンシル開口に関する代表的なパッケージ状装置５１０を示す。パッケージ状装置５１０、ステンシル開口及び両面テープに関連づけられる様々な寸法が、図示のとおりに示される。図３５は、アセンブリ６３０に装着されたパッケージ状装置５１０を示す。
【００９７】
いくつかの実施形態において、両面テープにおける切断箇所は、複数の半田ボールの端から端までの横方向寸法よりもわずかに大きな寸法（ｄ３）を有し得るので、当該半田ボールは、両面テープを通るように収まることができる。さらに、ステンシル開口の横方向寸法（ｄ１）、パッケージ状装置の縁から半田ボールまでの寸法（ｄ８）、パッケージ状装置の質量、両面テープの機械的特性（例えば曲げ特性）、及び張り出し量（ｄ５）のような因子の一部又は全部を、パッケージ状装置５１０が容易にアセンブリ６３０に装着できるとともにアセンブリ６３０から容易に除去できるようにするべく利用することができる。例えば、張り出しの適切な量により、パッケージ状装置がアセンブリ６３０上でクッションを受けることが許容されるが、張り出しが過度に撓むことなしに十分な安定性を有し得る。かかる装着構成により、パッケージ状装置は、パッケージ状装置と両面テープとが過度に接着されることなしにアセンブリ６３０によって保持されることが許容され得る。さらに留意されることだが、上述の構成により、パッケージ状装置５１０は、当該パッケージ状装置と両面テープとの適切な接着ゆえに、アセンブリ６３０から容易に除去されることが許容され得る。
【００９８】
ＰＶＤ関連プロセスの文脈において多くの複数例がここに記載されるが、本開示の一以上の特徴はまた、他のタイプの堆積プロセスのために、及びＲＦモジュールのようなパッケージ状装置の製造に利用される非堆積プロセスのために実装可能なことが理解される。例えば、一アレイの装置が安定した態様で保持され、特定の基板保持構成を有するシステムにおいて一緒に処理される場合、望ましい結果を得るべく本開示の一以上の特徴を実装することができる。
【００９９】
図３６は、いくつかの実施形態において、本開示の一以上の特徴が、モジュールパッケージシステム７００に実装され得ることを示す。かかるシステムは、アセンブリシステム７１０、ハンドリングシステム７２０及び等角遮蔽体適用システム７３０の一部又は全部を含み得る。
【０１００】
いくつかの実施形態において、アセンブリシステム７１０は、例えば、ステンシルに関連づけられた様々なプロセスステップを容易にするように構成されたステンシルアセンブリ部品７１２を含み得る。アセンブリシステム７１０はさらに、例えばＰＶＤリングに関連づけられた様々なプロセスステップを容易にするように構成されたリング装着アセンブリ部品７１４を含み得る。
【０１０１】
アセンブリシステム７１０はさらに、ここに記載されるレーザー切断動作を行うように構成されたレーザー部品７１６を含み得る。アセンブリシステム７１０はさらに、例えば、両面及び／又は片面テープをその対応パーツに貼り付けることを容易にするアセンブリ治具部品を含み得る。アセンブリシステム７１０はさらに、上述の部品の一部又は全部に対して制御機能を与えるべく構成された制御部品７１５を含み得る。
【０１０２】
いくつかの実施形態において、モジュールパッケージシステム７００は、例えば、ピックアンドプレース装置７２２、及びかかるピックアンドプレース装置を制御する制御部品７２４を有するハンドリングシステム７２０を含み得る。
【０１０３】
いくつかの実施形態において、モジュールパッケージシステム７００はさらに、等角遮蔽体適用システム７３０を含み得る。かかる等角遮蔽体適用システムは、例えば、堆積装置７３２、及びかかる堆積装置を制御する制御部品７３４を含み得る。いくつかの実施形態において、堆積装置７３２は、ＰＶＤ装置として構成され得る。
【０１０４】
ここに記載の様々な例において、テープは、片側又は両側に接着層を有する接着部材を含み得る。したがって、片面テープは、２つの面の一方に接着層を有する片面接着部材としてよく、両面テープは、２つの面のそれぞれに接着層を有する両面接着部材としてよい。両面接着部材、理解されることだが、２つの接着層は類似してもよく、しなくてもよい。
【０１０５】
いくつかの実施形態において、かかる接着部材又はテープは、全体的に矩形及び／又は円形の形状を含む異なる形状にすることができる。接着部材／テープのそのような形状は、例えば、当該形状の接着部材／テープを得るべく切断される大きなシートに由来し得る。
【０１０６】
ダイバーシティ受信器の複数例
【０１０７】
図３７は、一次アンテナ１３０及びダイバーシティアンテナ１４０に結合された通信モジュール１１０を有する無線装置１００を示す。通信モジュール１１０（及びその構成部品）は、制御器１２０により制御することができる。通信モジュール１１０は、アナログ無線周波数（ＲＦ）信号及びデジタルデータ信号間の変換をするように構成される送受信器１１２を含む。それを目的として、送受信器１１２は、デジタル／アナログ変換器、アナログ／デジタル変換器、ベース帯域アナログ信号を搬送周波数に変調若しくは搬送周波数から復調する局所発振器、デジタルサンプル及びデータビット（例えば音声又は他のタイプのデータ）間の変換をするベース帯域プロセッサ、又は他の部品を含み得る。
【０１０８】
通信モジュール１１０はさらに、一次アンテナ１３０及び送受信器１１２間に結合されたＲＦモジュール１１４を含む。ＲＦモジュール１１４は、ケーブル損失に起因する減衰を低減するべく一次アンテナ１３０に物理的に近いので、ＲＦモジュール１１４は、フロントエンドモジュール（ＦＥＭ）と称することができる。ＲＦモジュール１１４は、送受信器１１２の一次アンテナ１３０から受信したアナログ信号、又は送受信器１１２から受信して一次アンテナ１３０を介して送信するアナログ信号に処理を行うことができる。それを目的として、ＲＦモジュール１１４は、フィルタ、電力増幅器、帯域選択スイッチ、整合回路及び他の部品を含み得る。同様に、通信モジュール１１０は、同様の処理を行う送受信器１１２とダイバーシティアンテナ１４０との間に結合されたダイバーシティＲＦモジュール１１６を含む。
【０１０９】
信号が無線装置に送信されると当該信号は、一次アンテナ１３０及びダイバーシティアンテナ１４０の双方において受信され得る。一次アンテナ１３０及びダイバーシティアンテナ１４０は物理的に離間しているので、一次アンテナ１３０及びダイバーシティアンテナ１４０において受信される信号は異なる特性を備える。例えば、一実施形態において、一次アンテナ１３０及びダイバーシティアンテナ１４０は、異なる減衰、雑音、周波数応答又は位相シフトを備えた信号を受信し得る。送受信器１１２は、異なる特性を備えた双方の信号を使用して、当該信号に対応するデータビットを決定することができる。いくつかの実装において、送受信器１１２は、当該特性に基づいて一次アンテナ１３０及びダイバーシティアンテナ１４０間から、信号対雑音比が最高のアンテナを選択するというように、選択される。いくつかの実装において、送受信器１１２は、一次アンテナ１３０からの信号とダイバーシティアンテナ１４０からの信号とを結合して当該結合信号の信号対雑音比を増加させる。いくつかの実装において、送受信器１１２は、多重入力／多重出力（ＭＩＭＯ）通信を行うべく信号を処理する。
【０１１０】
ダイバーシティアンテナ１４０は一次アンテナ１３０から物理的に離間しているので、ダイバーシティアンテナ１４０は、ケーブル又はプリント回路基板（ＰＣＢ）トレースのような送信ライン１３５を介して通信モジュール１１０に結合される。いくつかの実装において、送信ライン１３５は損失性であり、ダイバーシティアンテナ１４０において受信した信号を減衰させ、その後、当該信号は通信モジュール１１０に到達する。すなわち、いくつかの実装において、以下に記載するように、ダイバーシティアンテナ１４０において受信した信号に利得が適用される。利得（又は他の、フィルタリングのようなアナログ処理）は、ダイバーシティ受信器モジュールによって適用することができる。かかるダイバーシティ受信器モジュールは、ダイバーシティアンテナ１４０の物理的近くに設けられるので、ダイバーシティ受信器フロントエンドモジュールと称することができる。
【０１１１】
図３８は、ＤＲｘフロントエンドモジュール（ＦＥＭ）２１０を含むダイバーシティ受信器（ＤＲｘ）構成２００を示す。ＤＲｘ構成２００は、ダイバーシティ信号を受信して当該ダイバーシティ信号をＤＲｘＦＥＭ２１０に与えるべく構成されたダイバーシティアンテナ１４０を含む。ＤＲｘＦＥＭ２１０は、ダイバーシティアンテナ１４０から受信したダイバーシティ信号の処理を行うべく構成される。例えば、ＤＲｘＦＥＭ２１０は、ダイバーシティ信号を、例えば制御器１２０が指示する一以上のアクティブ周波数帯域へとフィルタリングするように構成することができる。他例では、ＤＲｘＦＥＭ２１０は、ダイバーシティ信号を増幅するように構成することができる。それを目的として、ＤＲｘＦＥＭ２１０は、フィルタ、低雑音増幅器、帯域選択スイッチ、整合回路及び他の部品を含み得る。
【０１１２】
ＤＲｘＦＥＭ２１０は、処理されたダイバーシティ信号を、送信ライン１３５を介して、ダイバーシティＲＦ（Ｄ−ＲＦ）モジュール１１６のような下流側モジュールへと送信する。下流側モジュールは、さらに処理されたダイバーシティ信号を送受信器１１２に供給する。ダイバーシティＲＦモジュール１１６（及び、いくつかの実装においては送受信器）は、制御器１２０によって制御される。いくつかの実装において、制御器１２０は、送受信器１１２内に実装することができる。
【０１１３】
図３９は、いくつかの実施形態において、ダイバーシティ受信器（ＤＲｘ）構成３００が、多重周波数帯域に対応する多重経路を備えたＤＲｘモジュール３１０を含み得ることを示す。ＤＲｘ構成３００は、ダイバーシティ信号を受信するように構成されたダイバーシティアンテナ１４０を含む。いくつかの実装において、ダイバーシティ信号は、単一周波数帯域に変調されたデータを含む単一帯域信号とすることができる。いくつかの実装において、ダイバーシティ信号は、多重周波数帯域に変調されたデータを含む多重帯域信号（帯域間キャリアアグリゲーション信号とも称する）とすることができる。
【０１１４】
ＤＲｘモジュール３１０は、ダイバーシティアンテナ１４０からのダイバーシティ信号を受信する入力と、処理されたダイバーシティ信号を送受信器３３０に（送信ライン１３５及びダイバーシティＲＦモジュール３２０を介して）与える出力とを有する。ＤＲｘモジュール３１０の入力は、第１マルチプレクサ（ＭＵＸ）３１１の入力に供給される。第１マルチプレクサ３１１は複数のマルチプレクサ出力を含む。各マルチプレクサ出力は、ＤＲｘモジュール３１０の入力及び出力間の経路に対応する。各経路は、各周波数帯域に対応し得る。ＤＲｘモジュール３１０の出力は、第２マルチプレクサ３１２の出力によって与えられる。第２マルチプレクサ３１２は複数のマルチプレクサ入力を含む。各マルチプレクサ入力は、ＤＲｘモジュール３１０の入力及び出力間の経路の一つに対応する。
【０１１５】
周波数帯域は、ＵＭＴＳ（ユニバーサル移動体通信システム）周波数帯域のようなセルラー周波数帯域とすることができる。例えば、第１周波数帯域を１９３０メガヘルツ（ＭＨＺ）〜１９９０ＭＨｚのＵＭＴＳダウンリンク又は「Ｒｘ」帯域２とし、第２周波数帯域を８６９ＭＨｚ〜８９４ＭＨｚのＵＭＴＳダウンリンク又は「Ｒｘ」帯域５とすることができる。表１において以下に記載のもの又は他の非ＵＭＴＳ周波数帯域のような、他のダウンリンク周波数帯域も使用され得る。
【０１１６】
いくつかの実装において、ＤＲｘモジュール３１０はＤＲｘ制御器３０２を含む。ＤＲｘ制御器３０２は、制御器１２０（通信制御器とも称する）から信号を受信し、当該受信した信号に基づいて入力及び出力間の複数の経路の一以上を選択的にアクティブにする。いくつかの実装において、ＤＲｘモジュール３１０は、ＤＲｘ制御器３０２を含まずに制御器１２０が、複数の経路の一以上を直接、選択的にアクティブにする。
【０１１７】
ここで述べたように、いくつかの実装において、ダイバーシティ信号は単一帯域信号である。すなわち、いくつかの実装において、第１マルチプレクサ３１１は、単一帯域信号の周波数帯域に対応する複数の経路の一つへと、ＤＲｘ制御器３０２から受信した信号に基づいてダイバーシティ信号を引き回す単極／多投（ＳＰＭＴ）スイッチである。ＤＲｘ制御器３０２は、ＤＲｘ制御器３０２が通信制御器１２０から受信した帯域選択信号に基づいて信号を生成することができる。同様に、いくつかの実装において、第２マルチプレクサ３１２は、ＤＲｘ制御器３０２から受信した信号に基づいて、単一帯域信号の周波数帯域に対応する複数の経路の一つからの信号を引き回すＳＰＭＴスイッチである。
【０１１８】
ここで述べたように、いくつかの実装において、ダイバーシティ信号は多重帯域信号である。すなわち、いくつかの実装において、第１マルチプレクサ３１１は、ＤＲｘ制御器３０２から受信した分割器制御信号に基づいて、多重帯域信号の２以上周波数帯域に対応する複数の経路の２以上にダイバーシティ信号を引き回す帯域分割器である。信号分割器の機能は、ＳＰＭＴスイッチ、ダイプレクサフィルタ、又はこれらの何らかの組み合わせとして実装することができる。同様に、いくつかの実装において、第２マルチプレクサ３１２は、多重帯域信号の２以上の周波数帯域に対応する複数の経路の２以上からの信号を、ＤＲｘ制御器３０２から受信した結合器制御信号に基づいて結合する信号結合器である。信号結合器の機能は、ＳＰＭＴスイッチ、ダイプレクサフィルタ、又はこれらの何らかの組み合わせとして実装することができる。ＤＲｘ制御器３０２は、ＤＲｘ制御器３０２が通信制御器１２０から受信した帯域選択信号に基づいて分割器制御信号及び結合器制御信号を生成することができる。
【０１１９】
すなわち、いくつかの実装において、ＤＲｘ制御器３０２は、ＤＲｘ制御器３０２が（例えば通信制御器１２０から）受信した帯域選択信号に基づいて複数の経路の一以上を選択的にアクティブにするように構成される。いくつかの実装において、ＤＲｘ制御器３０２は、信号分割器に分割器制御信号を送信しかつ信号結合器に結合器制御信号を送信することによって複数の経路の一以上を選択的にアクティブにするように構成される。
【０１２０】
ＤＲｘモジュール３１０は複数の帯域通過フィルタ３１３ａ〜３１３ｄを含む。帯域通過フィルタ３１３ａ〜３１３ｄの各一つは、複数の経路の対応する一つに沿って設けられ、帯域通過フィルタにおいて受信した信号を、当該複数の経路の当該一つの対応周波数帯域へとフィルタリングするように構成される。いくつかの実装において、帯域通過フィルタ３１３ａ〜３１３ｄはさらに、帯域通過フィルタにおいて受信した信号を、当該複数の経路の当該一つの対応周波数帯域のダウンリンク周波数サブ帯域へとフィルタリングするように構成される。ＤＲｘモジュール３１０は複数の増幅器３１４ａ〜３１４ｄを含む。増幅器３１４ａ〜３１４ｄの各一つは、複数の経路の対応する一つに沿って設けられ、当該増幅器において受信した信号を増幅するように構成される。
【０１２１】
いくつかの実装において、増幅器３１４ａ〜３１４ｄは、当該増幅器が設けられた経路の対応周波数帯域内の信号を増幅するように構成された狭帯域増幅器である。いくつかの実装において、増幅器３１４ａ〜３１４ｄは、ＤＲｘ制御器３０２によって制御可能である。例えば、いくつかの実装において、増幅器３１４ａ〜３１４ｄはそれぞれ、イネーブル／ディセーブル入力を含み、当該イネーブル／ディセーブル入力において受信した増幅器イネーブル信号に基づいてイネーブル（又はディセーブル）にされる。増幅器イネーブル信号は、ＤＲｘ制御器３０２によって送信することができる。すなわち、いくつかの実装において、ＤＲｘ制御器３０２は、複数の経路の一以上に沿ってそれぞれが設けられた増幅器３１４ａ〜３１４ｄの一以上に増幅器イネーブル信号を送信することにより、当該複数の経路の一以上を選択的にアクティブにするように構成される。かかる実装においては、ＤＲｘ制御器３０２による制御というよりもむしろ、第１マルチプレクサ３１１を、ダイバーシティ信号を複数の経路のそれぞれに引き回す信号分割器とし、第２マルチプレクサ３１２を、当該複数の経路のそれぞれからの信号を結合する信号結合器とすることができる。しかしながら、ＤＲｘ制御器３０２が第１マルチプレクサ３１１及び第２マルチプレクサ３１２を制御する実装において、ＤＲＸ制御器３０２はまた、例えば電池を節約するべく特定の増幅器３１４ａ〜３１４ｄをイネーブル（又はディセーブル）にすることもできる。
【０１２２】
いくつかの実装において、増幅器３１４ａ〜３１４ｄは可変利得増幅器（ＶＧＡ）である。すなわち、いくつかの実装において、ＤＲｘモジュール３１０は複数の可変利得増幅器（ＶＧＡ）を含み、ＶＧＡの各一つは、複数の経路の対応する一つに沿って設けられ、当該ＶＧＡにおいて受信した信号を、ＤＲｘ制御器３０２から受信した増幅器制御信号が制御する利得によって増幅するように構成される。
【０１２３】
ＶＧＡの利得は、バイパス可能、ステップ可変、連続可変とすることができる。いくつかの実装において、ＶＧＡの少なくとも一つは、固定利得増幅器と、増幅器制御信号によって制御可能なバイパススイッチとを含む。バイパススイッチは（第１位置において）、固定利得増幅器の入力と当該固定利得増幅器の出力との間のラインを閉とすることにより、信号が当該固定利得増幅器をバイパスするのを許容することができる。バイパススイッチは（第２位置において）入力及び出力間のラインを開とすることにより、信号が固定利得増幅器を通過するようにできる。いくつかの実装において、固定利得増幅器は、バイパススイッチが第１位置にある場合はディセーブルにされ、そうでない場合はバイパスモードに適合するように再構成される。
【０１２４】
いくつかの実装において、ＶＧＡの少なくとも一つは、当該ＶＧＡにおいて受信した信号を、増幅器制御信号によって指示された複数の設定量の一つの利得によって増幅するように構成されたステップ可変利得増幅器を含む。いくつかの実装において、ＶＧＡの少なくとも一つは、当該ＶＧＡにおいて受信した信号を増幅器制御信号に比例する利得によって増幅するように構成された連続可変利得増幅器を含む。
【０１２５】
いくつかの実装において、増幅器３１４ａ〜３１４ｄは可変電流増幅器（ＶＣＡ）である。ＶＣＡにより引き出される電流は、バイパス可能、ステップ可変、連続可変とすることができる。いくつかの実装において、ＶＣＡの少なくとも一つは、固定電流増幅器と、増幅器制御信号によって制御可能なバイパススイッチとを含む。バイパススイッチは（第１位置において）、固定電流増幅器の入力と当該固定電流増幅器の出力との間のラインを閉とすることにより、信号が当該固定電流増幅器をバイパスするのを許容することができる。バイパススイッチは（第２位置において）入力及び出力間のラインを開とすることにより、信号が固定電流増幅器を通過するようにできる。いくつかの実装において、固定電流増幅器は、バイパススイッチが第１位置にある場合にディセーブルにされ、そうでない場合はバイパスモードに適合するように再構成される。
【０１２６】
いくつかの実装において、ＶＣＡの少なくとも一つは、当該ＶＣＡにおいて受信した信号を、増幅器制御信号が指示する複数の設定量の一つの電流を引き出すことによって増幅するように構成されたステップ可変電流増幅器を含む。いくつかの実装において、ＶＣＡの少なくとも一つは、当該ＶＣＡにおいて受信した信号を、増幅器制御信号に比例する電流を引き出すことによって増幅するように構成された連続可変電流増幅器を含む。
【０１２７】
いくつかの実装において、増幅器３１４ａ〜３１４ｄは、固定利得、固定電流増幅器である。いくつかの実装において、増幅器３１４ａ〜３１４ｄは、固定利得、可変電流増幅器である。いくつかの実装において、増幅器３１４ａ〜３１４ｄは、可変利得、固定電流増幅器である。いくつかの実装において、増幅器３１４ａ〜３１４ｄは、可変利得、可変電流増幅器である。
【０１２８】
いくつかの実装において、ＤＲｘ制御器３０２は、入力において受信した入力信号の、サービス品質メトリックに基づいて増幅器制御信号（複数可）を生成する。いくつかの実装において、ＤＲｘ制御器３０２は、通信制御器１２０から受信した信号に基づいて増幅器制御信号（複数可）を生成する。増幅器制御信号はさらに、受信した信号のサービス品質（ＱｏＳ）メトリックに基づき得る。受信した信号のＱｏＳメトリックは、少なくとも部分的には、ダイバーシティアンテナ１４０において受信したダイバーシティ信号（例えば入力において受信した入力信号）に基づき得る。受信した信号のＱｏＳメトリックはさらに、一次アンテナにおいて受信した信号に基づき得る。いくつかの実装において、ＤＲｘ制御器３０２は、通信制御器１２０から信号を受信することなく、ダイバーシティ信号のＱｏＳメトリックに基づいて増幅器制御信号（複数可）を生成する。
【０１２９】
いくつかの実装において、ＱｏＳメトリックは信号強度を含む。他例では、ＱｏＳメトリックは、ビット誤り率、データスループット、送信遅延、又は任意の他のＱｏＳメトリックを含み得る。
【０１３０】
ここで述べたように、ＤＲｘモジュール３１０は、ダイバーシティアンテナ１４０からのダイバーシティ信号を受信する入力と、処理されたダイバーシティ信号を送受信器３３０に（送信ライン１３５及びダイバーシティＲＦモジュール３２０を介して）与える出力とを有する。ダイバーシティＲＦモジュール３２０は、処理されたダイバーシティ信号を、送信ライン１３５を介して受信してさらなる処理を行う。特に、処理されたダイバーシティ信号は、ダイバーシティＲＦマルチプレクサ３２１によって一以上の経路へと分割され又は引き回される。当該経路において、分割され又は引き回された信号は、対応する帯域通過フィルタ３２３ａ〜３２３ｄによるフィルタリングを受け、対応する増幅器３２４ａ〜３２４ｄによって増幅される。増幅器３２４ａ〜３２４ｄそれぞれの出力は、送受信器３３０に与えられる。
【０１３１】
ダイバーシティＲＦマルチプレクサ３２１は、経路の一以上を選択的にアクティブにするべく制御器１２０によって（直接的に又はオンチップダイバーシティＲＦ制御器を介してのいずれかにより）制御することができる。同様に、増幅器３２４ａ〜３２４ｄも制御器１２０によって制御され得る。例えば、いくつかの実装において、増幅器３２４ａ〜３２４ｄのそれぞれは、イネーブル／ディセーブル入力を含み、増幅器イネーブル信号に基づいてイネーブル（又はディセーブル）にされる。いくつかの実装において、増幅器３２４ａ〜３２４ｄは、制御器１２０（又は制御器１２０が制御するオンチップダイバーシティＲＦ制御器）から受信した増幅器制御信号が制御する利得により、ＶＧＡにおいて受信した信号を増幅する可変利得増幅器（ＶＧＡ）である。いくつかの実装において、増幅器３２４ａ〜３２４ｄは可変電流増幅器（ＶＣＡ）である。
【０１３２】
すでにダイバーシティＲＦモジュール３２０を含んだ受信器チェーンにＤＲｘモジュール３１０を追加することにより、ＤＲｘ構成３００における帯域通過フィルタの数は２倍となる。すなわち、いくつかの実装において、帯域通過フィルタ３２３ａ〜３２３ｄは、ダイバーシティＲＦモジュール３２０には含まれない。むしろ、ＤＲｘモジュール３１０の帯域通過フィルタ３１３ａ〜３１３ｄが、帯域外ブロッカーの強度を低減するべく使用される。さらに、ダイバーシティＲＦモジュール３２０の自動利得制御（ＡＧＣ）テーブルをシフトして、ダイバーシティＲＦモジュール３２０の増幅器３２４ａ〜３２４ｄが与える利得量を、ＤＲｘモジュール３１０の増幅器３１４ａ〜３１４ｄが与える利得量だけ低減することができる。
【０１３３】
例えば、ＤＲｘモジュール利得が１５ｄＢでありかつ受信器感度が−１００ｄＢｍの場合、ダイバーシティＲＦモジュール３２０は−８５ｄＢｍの感度となる。ダイバーシティＲＦモジュール３２０の閉ループＡＧＣがアクティブになると、その利得は自動的に１５ｄＢだけ降下する。しかしながら、信号部品及び帯域外ブロッカーの双方が受信されて１５ｄＢだけ増幅される。すなわち、ダイバーシティＲＦモジュール３２０の１５ｄＢ利得降下には、その線形性の１５ｄＢ上昇も付随し得る。特に、ダイバーシティＲＦモジュール３２０の増幅器３２４ａ〜３２４ｄは、当該増幅器の線形性が、利得低減（又は電流増加）に伴い増加するように設計され得る。
【０１３４】
いくつかの実装において、制御器１２０は、ＤＲｘモジュール３１０の増幅器３１４ａ〜３１４ｄとダイバーシティＲＦモジュール３２０の増幅器３２４ａ〜３２４ｄとの利得（及び／又は電流）を制御する。ここでの一例においてのように、制御器１２０は、ＤＲｘモジュール３１０の増幅器３１４ａ〜３１４ｄが与える一定量の利得が増加することに応答して、ダイバーシティＲＦモジュール３２０の増幅器３２４ａ〜３２４ｄが与える一定量の利得を低減することができる。すなわち、いくつかの実装において、制御器１２０は、（ダイバーシティＲＦモジュール３２０の増幅器３２４ａ〜３２４ｄのための）下流側増幅器制御信号を（ＤＲｘモジュール３１０の増幅器３１４ａ〜３１４ｄのための）増幅器制御信号に基づいて生成し、送信ライン１３５を介して（ＤＲｘモジュール３１０の）出力に結合された一以上の下流側増幅器３２４ａ〜３２４ｄの利得を制御するように構成される。いくつかの実装において、制御器１２０はまた、無線装置の、フロントエンドモジュール（ＦＥＭ）における増幅器のような他の部品の利得も増幅器制御信号に基づいて制御する。
【０１３５】
ここで述べたように、いくつかの実装において、帯域通過フィルタ３２３ａ〜３２３ｄは含まれない。すなわち、いくつかの実装において、下流側増幅器３２４ａ〜３２４ｄの少なくとも一つは、下流側帯域通過フィルタを通過することなく、送信ライン１３５を介して（ＤＲｘモジュール３１０の）出力に結合される。
【０１３６】
図４０は、いくつかの実施形態において、ダイバーシティ受信器構成４００が、ダイバーシティ受信器（ＤＲｘ）モジュール３１０よりも少ない増幅器を備えたダイバーシティＲＦモジュール４２０を含み得ることを示す。ダイバーシティ受信器構成４００は、図３９を参照してここに記載されるされたダイバーシティアンテナ１４０及びＤＲｘモジュール３１０を含む。ＤＲｘモジュール３１０の出力が、送信ライン１３５を介してダイバーシティＲＦモジュール４２０へと通過する。ダイバーシティＲＦモジュール４２０は、図４０のダイバーシティＲＦモジュール４２０がＤＲｘモジュール３１０よりも少ない増幅器を含む点で図３９のダイバーシティＲＦモジュール３２０とは異なる。
【０１３７】
ここに言及されるように、いくつかの実装において、ダイバーシティＲＦモジュール４２０は帯域通過フィルタを含まない。すなわち、いくつかの実装において、ダイバーシティＲＦモジュール４２０の一以上の増幅器４２４は帯域固有とする必要がない。特に、ダイバーシティＲＦモジュール４２０は一以上の経路を含み得る。各経路は、ＤＲｘモジュール３１０の経路に一対一でマッピングされない増幅器４２４を含む。かかる経路（又は対応する増幅器）のマッピングは、制御器１２０に記憶することができる。
【０１３８】
したがって、ＤＲｘモジュール３１０が、それぞれが一周波数帯域に対応する一定数の経路を含む一方、ダイバーシティＲＦモジュール４２０は、単一周波数帯域に対応しない一以上の経路を含み得る。
【０１３９】
（図４０に示される）いくつかの実装において、ダイバーシティＲＦモジュール４２０は、送信ライン１３５から受信した信号を増幅して増幅済み信号をマルチプレクサ４２１へと出力する単一の広帯域又はチューニング可能増幅器４２４を含む。マルチプレクサ４２１は、それぞれが各周波数帯域に対応する複数のマルチプレクサ出力を含む。いくつかの実装において、ダイバーシティＲＦモジュール４２０はいずれの増幅器も含まない。
【０１４０】
いくつかの実装において、ダイバーシティ信号は単一帯域信号である。すなわち、いくつかの実装において、マルチプレクサ４２１は、制御器１２０から受信した信号に基づいてダイバーシティ信号を、複数の出力の、単一帯域信号の周波数帯域に対応する一つへと引き回すＳＰＭＴスイッチである。いくつかの実装において、ダイバーシティ信号は多重帯域信号である。すなわち、いくつかの実装において、マルチプレクサ４２１は、制御器１２０から受信した分割器制御信号に基づいてダイバーシティ信号を、複数の出力の、多重帯域信号の２以上の周波数帯域に対応する２以上へと引き回す信号分割器である。いくつかの実装において、ダイバーシティＲＦモジュール４２０は、単一モジュールとして送受信器３３０と組み合わせることができる。
【０１４１】
いくつかの実装において、ダイバーシティＲＦモジュール４２０は、それぞれが一組の周波数帯域に対応する多重増幅器を含む。送信ライン１３５からの信号は、第１経路に沿って高周波増幅器に高周波を出力しかつ第２経路に沿って低周波増幅器に低周波を出力する帯域分割器へと供給することができる。各増幅器の出力は、当該信号を送受信器３３０の対応入力へと引き回すべく構成されたマルチプレクサ４２１へと与えることができる。
【０１４２】
図４１は、いくつかの実施形態において、ダイバーシティ受信器構成Ａ５００が、オフモジュールフィルタＡ５１３に結合されたＤＲｘモジュールＡ５１０を含み得ることを示す。ＤＲｘモジュールＡ５１０は、複数の部品を受容するように構成されたパッケージング基板Ａ５０１と、パッケージング基板Ａ５０１に実装された受信システムとを含み得る。ＤＲｘモジュールＡ５１０は、ＤＲｘモジュールＡ５１０から出るように引き回されて任意の所望帯域のためのフィルタをサポートするシステムインテグレータ、設計者又は製造者にとって利用可能とされた一以上の信号経路を含み得る。
【０１４３】
ＤＲｘモジュールＡ５１０は、ＤＲｘモジュールＡ５１０の入力及び出力間に一定数の経路を含む。ＤＲｘモジュールＡ５１０は、ＤＲｘ制御器Ａ５０２が制御するバイパススイッチＡ５１９によってアクティブにされる入力及び出力間のバイパス経路を含む。図４１が単一のバイパススイッチＡ５１９を例示するにもかかわらず、いくつかの実装において、バイパススイッチＡ５１９は、多重スイッチ（例えば、入力の物理的近くに設けられた第１スイッチ、及び出力の物理的近くに設けられた第２スイッチ）を含み得る。図４１に示されるように、バイパス経路は、フィルタ又は増幅器を含まない。
【０１４４】
ＤＲｘモジュールＡ５１０は、第１マルチプレクサＡ５１１及び第２マルチプレクサＡ５１２を含む一定数のマルチプレクサ経路を含む。マルチプレクサ経路は一定数のオンモジュール経路を含む。これは、第１マルチプレクサＡ５１１、パッケージング基板Ａ５０１に実装された帯域通過フィルタ３１３ａ〜３１３ｄ、パッケージング基板Ａ５０１に実装された増幅器３１４ａ〜３１４ｄ、及び第２マルチプレクサＡ５１２を含む。マルチプレクサ経路は一以上のオフモジュール経路を含む。これは、第１マルチプレクサＡ５１１、パッケージング基板Ａ５０１の外に実装された帯域通過フィルタＡ５１３、増幅器Ａ５１４、及び第２マルチプレクサＡ５１２を含む。増幅器Ａ５１４は、パッケージング基板Ａ５０１に実装された広帯域増幅器とすることができ、又はパッケージング基板Ａ５０１の外に実装することもできる。ここに記載されるように、増幅器３１４ａ〜３１４ｄ、Ａ５１４は、可変利得増幅器及び／又は可変電流増幅器としてよい。
【０１４５】
ＤＲｘ制御器Ａ５０２は、入力及び出力間の複数の経路の一以上を選択的にアクティブにするように構成される。いくつかの実装において、ＤＲｘ制御器Ａ５０２は、ＤＲｘ制御器Ａ５０２が（例えば通信制御器から）受信した帯域選択信号に基づいて複数の経路の一以上を選択的にアクティブにするように構成される。ＤＲｘ制御器Ａ５０２は、例えば、バイパススイッチ５１９の開閉により、増幅器３１４ａ〜３１４ｄ、Ａ５１４のイネーブル又はディセーブルにより、マルチプレクサＡ５１１、Ａ５１２の制御により、又は他のメカニズムを介して当該経路を選択的にアクティブにすることができる。例えば、ＤＲｘ制御器Ａ５０２は、（例えば、フィルタ３１３ａ〜３１３ｄ、Ａ５１３と増幅器３１４ａ〜３１４ｄ、Ａ５１４との間の）経路沿いのスイッチを開閉すること、又は増幅器３１４ａ〜３１４ｄ、Ａ５１４の利得を実質的にゼロに設定することができる。
【０１４６】
例Ａ：可変利得増幅器
【０１４７】
ここに記載されるように、受信した信号を処理する増幅器は可変利得増幅器（ＶＧＡ）とすることができる。すなわち、いくつかの実装において、ＤＲｘモジュールは複数の可変利得増幅器（ＶＧＡ）を含み、ＶＧＡの各一つは、複数の経路の対応する一つに沿って設けられ、当該ＶＧＡにおいて受信した信号を、ＤＲｘ制御器から受信した増幅器制御信号が制御する利得によって増幅するように構成される。
【０１４８】
いくつかの実施形態において、ＶＧＡの利得は、バイパス可能、ステップ可変、連続可変とすることができる。図４２は、いくつかの実施形態において、可変利得増幅器Ａ３５０がバイパス可能であり得ることを示す。可変利得増幅器Ａ３５０は、固定利得増幅器Ａ３５１と、ＤＲｘ制御器Ａ３０２が生成する増幅器制御信号によって制御可能なバイパススイッチＡ３５２とを含む。バイパススイッチＡ３５２は（第１位置において）固定利得増幅器Ａ３５１の入力から当該固定利得増幅器の出力へのラインを閉にして固定利得増幅器Ａ３５１をバイパスする信号を許容することができる。バイパススイッチＡ３５２は（第２位置において）固定利得増幅器Ａ３５１の入力と固定利得増幅器Ａ３５１の出力との間のラインを開にして固定利得増幅器Ａ３５１に信号を通過させることができる。いくつかの実装において、固定利得増幅器は、バイパススイッチが第１位置にある場合はディセーブルにされ、そうでない場合はバイパスモードに適合するように再構成される。図３９の一例を参照すると、いくつかの実装において、ＶＧＡ３１４ａ〜３１４ｄの少なくとも一つは、固定利得増幅器と、増幅器制御信号によって制御可能なバイパススイッチとを含む。
【０１４９】
図４３は、いくつかの実施形態において、可変利得増幅器Ａ３６０の利得がステップ可変又は連続可変であり得ることを示す。いくつかの実装において、可変利得増幅器Ａ３６０はステップ可変であり、ＤＲｘ制御器Ａ３０２が生成したデジタル増幅器制御信号に応答して当該デジタル信号が指示する複数の設定量の一つの利得により、可変利得増幅器Ａ３６０の入力において受信した信号を増幅する。いくつかの実装において、可変利得増幅器Ａ３６０は連続可変であり、ＤＲｘ制御器Ａ３０２が生成したアナログ増幅器制御信号に応答して当該アナログ信号の特性（例えば電圧又はデューティーサイクル）に比例する利得により、可変利得増幅器Ａ３６０の入力において受信した信号を増幅する。図３９の一例を参照すると、いくつかの実装において、ＶＧＡ３１４ａ〜３１４ｄの少なくとも一つは、当該ＶＧＡにおいて受信した信号を、増幅器制御信号によって指示された複数の設定量の一つの利得によって増幅するように構成されたステップ可変利得増幅器を含む。いくつかの実装において、図３９のＶＧＡ３１４ａ〜３１４ｄの少なくとも一つは、当該ＶＧＡにおいて受信した信号を増幅器制御信号に比例する利得によって増幅するように構成された連続可変利得増幅器を含む。
【０１５０】
いくつかの実装において、図３９の増幅器３１４ａ〜３１４ｄは、可変電流増幅器（ＶＣＡ）とすることができる。ＶＣＡにより引き出される電流は、バイパス可能、ステップ可変、連続可変とすることができる。いくつかの実装において、ＶＣＡの少なくとも一つは、固定電流増幅器と、増幅器制御信号によって制御可能なバイパススイッチとを含む。バイパススイッチは（第１位置において）、固定電流増幅器の入力と当該固定電流増幅器の出力との間のラインを閉とすることにより、信号が当該固定電流増幅器をバイパスするのを許容することができる。バイパススイッチは（第２位置において）入力及び出力間のラインを開とすることにより、信号が固定電流増幅器を通過するようにできる。いくつかの実装において、固定電流増幅器は、バイパススイッチが第１位置にある場合にディセーブルにされ、そうでない場合はバイパスモードに適合するように再構成される。
【０１５１】
いくつかの実装において、ＶＣＡの少なくとも一つは、当該ＶＣＡにおいて受信した信号を、増幅器制御信号が指示する複数の設定量の一つの電流を引き出すことによって増幅するように構成されたステップ可変電流増幅器を含む。いくつかの実装において、ＶＣＡの少なくとも一つは、当該ＶＣＡにおいて受信した信号を、増幅器制御信号に比例する電流を引き出すことによって増幅するように構成された連続可変電流増幅器を含む。
【０１５２】
いくつかの実装において、図３９の増幅器３１４ａ〜３１４ｄは、固定利得、固定電流増幅器である。いくつかの実装において、増幅器３１４ａ〜３１４ｄは、固定利得、可変電流増幅器である。いくつかの実装において、増幅器３１４ａ〜３１４ｄは、可変利得、固定電流増幅器である。いくつかの実装において、増幅器３１４ａ〜３１４ｄは、可変利得、可変電流増幅器である。
【０１５３】
いくつかの実装において、ＤＲｘ制御器３０２は、第１マルチプレクサの入力３１１において受信した入力信号のサービス品質メトリックに基づいて増幅器制御信号（複数可）を生成する。いくつかの実装において、ＤＲｘ制御器３０２は、通信制御器１２０から受信した信号に基づいて増幅器制御信号（複数可）を生成する。増幅器制御信号はさらに、受信した信号のサービス品質（ＱｏＳ）メトリックに基づき得る。受信した信号のＱｏＳメトリックは、少なくとも部分的には、ダイバーシティアンテナ１４０において受信したダイバーシティ信号（例えば入力において受信した入力信号）に基づき得る。受信した信号のＱｏＳメトリックはさらに、一次アンテナにおいて受信した信号に基づき得る。いくつかの実装において、ＤＲｘ制御器３０２は、通信制御器１２０から信号を受信することなく、ダイバーシティ信号のＱｏＳメトリックに基づいて増幅器制御信号（複数可）を生成する。
【０１５４】
いくつかの実装において、ＱｏＳメトリックは信号強度を含む。他例では、ＱｏＳメトリックは、ビット誤り率、データスループット、送信遅延、又は任意の他のＱｏＳメトリックを含み得る。
【０１５５】
ここで述べたように、図３９のＤＲｘモジュール３１０は、ダイバーシティアンテナ１４０からのダイバーシティ信号を受信する入力と、処理されたダイバーシティ信号を送受信器３３０に（送信ライン１３５及びダイバーシティＲＦモジュール３２０を介して）与える出力とを有する。ダイバーシティＲＦモジュール３２０は、処理されたダイバーシティ信号を、送信ライン１３５を介して受信してさらなる処理を行う。特に、処理されたダイバーシティ信号は、ダイバーシティＲＦマルチプレクサ３２１によって一以上の経路へと分割され又は引き回される。当該経路において、分割され又は引き回された信号は、対応する帯域通過フィルタ３２３ａ〜３２３ｄによるフィルタリングを受け、対応する増幅器３２４ａ〜３２４ｄによって増幅される。増幅器３２４ａ〜３２４ｄそれぞれの出力は、送受信器３３０に与えられる。
【０１５６】
ダイバーシティＲＦマルチプレクサ３２１は、経路の一以上を選択的にアクティブにするべく制御器１２０によって（直接的に又はオンチップダイバーシティＲＦ制御器を介してのいずれかにより）制御することができる。同様に、増幅器３２４ａ〜３２４ｄも制御器１２０によって制御され得る。例えば、いくつかの実装において、増幅器３２４ａ〜３２４ｄのそれぞれは、イネーブル／ディセーブル入力を含み、増幅器イネーブル信号に基づいてイネーブル（又はディセーブル）にされる。いくつかの実装において、増幅器３２４ａ〜３２４ｄは、制御器１２０（又は制御器１２０が制御するオンチップダイバーシティＲＦ制御器）から受信した増幅器制御信号が制御する利得により、ＶＧＡにおいて受信した信号を増幅する可変利得増幅器（ＶＧＡ）である。いくつかの実装において、増幅器３２４ａ〜３２４ｄは可変電流増幅器（ＶＣＡ）である。
【０１５７】
すでにダイバーシティＲＦモジュール３２０を含んだ受信器チェーンにＤＲｘモジュール３１０を追加することにより、ＤＲｘ構成３００における帯域通過フィルタの数は２倍となる。すなわち、いくつかの実装において、帯域通過フィルタ３２３ａ〜３２３ｄは、ダイバーシティＲＦモジュール３２０には含まれない。むしろ、ＤＲｘモジュール３１０の帯域通過フィルタ３１３ａ〜３１３ｄが、帯域外ブロッカーの強度を低減するべく使用される。さらに、ダイバーシティＲＦモジュール３２０の自動利得制御（ＡＧＣ）テーブルをシフトして、ダイバーシティＲＦモジュール３２０の増幅器３２４ａ〜３２４ｄが与える利得量を、ＤＲｘモジュール３１０の増幅器３１４ａ〜３１４ｄが与える利得量だけ低減することができる。
【０１５８】
例えば、ＤＲｘモジュール利得が１５ｄＢでありかつ受信器感度が−１００ｄＢｍの場合、ダイバーシティＲＦモジュール３２０は−８５ｄＢｍの感度となる。ダイバーシティＲＦモジュール３２０の閉ループＡＧＣがアクティブになると、その利得は自動的に１５ｄＢだけ降下する。しかしながら、信号部品及び帯域外ブロッカーの双方が受信されて１５ｄＢだけ増幅される。すなわち、いくつかの実装において、ダイバーシティＲＦモジュール３２０の１５ｄＢ利得降下には、その線形性の１５ｄＢ上昇も付随し得る。特に、ダイバーシティＲＦモジュール３２０の増幅器３２４ａ〜３２４ｄは、当該増幅器の線形性が、利得低減（又は電流増加）に伴い増加するように設計され得る。
【０１５９】
いくつかの実装において、制御器１２０は、ＤＲｘモジュール３１０の増幅器３１４ａ〜３１４ｄとダイバーシティＲＦモジュール３２０の増幅器３２４ａ〜３２４ｄとの利得（及び／又は電流）を制御する。ここでの一例においてのように、制御器１２０は、ＤＲｘモジュール３１０の増幅器３１４ａ〜３１４ｄが与える一定量の利得が増加することに応答して、ダイバーシティＲＦモジュール３２０の増幅器３２４ａ〜３２４ｄが与える一定量の利得を低減することができる。すなわち、いくつかの実装において、制御器１２０は、（ダイバーシティＲＦモジュール３２０の増幅器３２４ａ〜３２４ｄのための）下流側増幅器制御信号を（ＤＲｘモジュール３１０の増幅器３１４ａ〜３１４ｄのための）増幅器制御信号に基づいて生成し、送信ライン１３５を介して（ＤＲｘモジュール３１０の）出力に結合された一以上の下流側増幅器３２４ａ〜３２４ｄの利得を制御するように構成される。いくつかの実装において、制御器１２０はまた、無線装置の、フロントエンドモジュール（ＦＥＭ）における増幅器のような他の部品の利得も増幅器制御信号に基づいて制御する。
【０１６０】
ここで述べたように、いくつかの実装において、帯域通過フィルタ３２３ａ〜３２３ｄは含まれない。すなわち、いくつかの実装において、下流側増幅器３２４ａ〜３２４ｄの少なくとも一つは、下流側帯域通過フィルタを通過することなく、送信ライン１３５を介して（ＤＲｘモジュール３１０の）出力に結合される。かかる実装に関する複数例が、図４０を参照してここに記載される。
【０１６１】
図４４は、いくつかの実施形態において、ダイバーシティ受信器構成Ａ６００が、チューニング可能整合回路を備えたＤＲｘモジュールＡ６１０を含み得ることを示す。特に、ＤＲｘモジュールＡ６１０は、ＤＲｘモジュールＡ６１０の入力及び出力の一以上に設けられた一以上のチューニング可能整合回路を含み得る。
【０１６２】
同じダイバーシティアンテナ１４０において受信した多重周波数帯域のすべてが、理想的なインピーダンス整合である可能性は低い。コンパクト整合回路を使用して各周波数帯域を整合させるべく、チューニング可能入力整合回路Ａ６１６をＤＲｘモジュールＡ６１０の入力に実装して（例えば通信制御器からの帯域選択信号に基づいて）ＤＲｘ制御器Ａ６０２によって制御することができる。ＤＲｘ制御器Ａ６０２は、チューニング可能入力整合回路Ａ６１６を、複数の周波数帯域（又は複数組の周波数帯域）をチューニングパラメータに関連づけるルックアップテーブルに基づいてチューニングすることができる。チューニング可能入力整合回路Ａ６１６は、チューニング可能Ｔ型回路、チューニング可能π型回路、又は任意の他のチューニング可能整合回路とすることができる。特に、チューニング可能入力整合回路Ａ６１６は、抵抗器、インダクタ及びキャパシタのような一以上の可変部品を含み得る。これらの可変部品は、並列及び／又は直列に接続してよく、かつ、ＤＲｘモジュールＡ６１０の入力と第１マルチプレクサＡ３１１の入力との間に接続してよく、又はＤＲｘモジュールＡ６１０の入力と接地電圧との間に接続してよい。
【０１６３】
同様に、多くの周波数帯域の信号を搬送する一つのみの送信ライン１３５（又は少なくともいくつかのケーブル）によっては、多重周波数帯域すべてが理想的なインピーダンス整合となる可能性は低い。コンパクト整合回路を使用して各周波数帯域を整合させるべく、チューニング可能出力整合回路Ａ６１７をＤＲｘモジュールＡ６１０の出力に実装して（例えば通信制御器からの帯域選択信号に基づいて）ＤＲｘ制御器Ａ６０２によって制御することができる。ＤＲｘ制御器Ａ６０２は、チューニング可能出力整合回路Ａ６１８を、複数の周波数帯域（又は複数組の周波数帯域）をチューニングパラメータに関連づけるルックアップテーブルに基づいてチューニングすることができる。チューニング可能出力整合回路Ａ６１７は、チューニング可能Ｔ型回路、チューニング可能π型回路、又は任意の他のチューニング可能整合回路とすることができる。特に、チューニング可能出力整合回路Ａ６１７は、抵抗器、インダクタ及びキャパシタのような一以上の可変部品を含み得る。これらの可変部品は、並列及び／又は直列に接続してよく、かつ、ＤＲｘモジュールＡ６１０の出力と第２マルチプレクサＡ３１２の出力との間に接続してよく、又はＤＲｘモジュールＡ６１０の出力と接地電圧との間に接続してよい。
【０１６４】
図４５は、いくつかの実施形態において、ダイバーシティ受信器構成Ａ７００が多重アンテナを含み得ることを示す。図４５が２つのアンテナＡ７４０ａ〜Ａ７４０ｂ及び一つの送信ライン１３５を備えた一実施形態を例示するにもかかわらず、ここに記載される態様は、２つを超えるアンテナ及び／又は２つの以上のケーブルを備えた実施形態に実装することができる。
【０１６５】
ダイバーシティ受信器構成Ａ７００は、第１アンテナＡ７４０ａ及び第２アンテナＡ７４０ｂに結合されたＤＲｘモジュールＡ７１０を含む。いくつかの実装において、第１アンテナＡ７４０ａは、高い周波数帯域において送信された信号を受信するように構成された高帯域アンテナであり、第２アンテナＡ７４０ｂは、低い周波数帯域において送信された信号を受信するように構成された低帯域アンテナである。
【０１６６】
ＤＲｘモジュールＡ７１０は、ＤＲｘモジュールＡ７１０の第１入力における第１チューニング可能入力整合回路Ａ７１６ａと、ＤＲｘモジュールＡ７１０の第２入力における第２チューニング可能入力整合回路Ａ７１６ｂとを含む。ＤＲｘモジュールＡ７１０はさらに、ＤＲｘモジュールＡ７１０の出力にチューニング可能出力整合回路Ａ７１７を含む。ＤＲｘ制御器Ａ７０２は、チューニング可能整合回路Ａ７１６ａ〜Ａ７１６ｂ、Ａ７１７のそれぞれを、複数の周波数帯域（又は複数組の周波数帯域）をチューニングパラメータに関連づけるルックアップテーブルに基づいてチューニングすることができる。チューニング可能整合回路Ａ７１６ａ〜Ａ７１６ｂ、Ａ７１７は、チューニング可能Ｔ型回路、チューニング可能π型回路、又は任意の他のチューニング可能整合回路とすることができる。
【０１６７】
ＤＲｘモジュールＡ７１０は、ＤＲｘモジュールＡ７１０の入力（第１アンテナＡ７４０ａに結合された第１入力、及び第２アンテナＡ７４０ｂに結合された第２入力）と（送信ライン１３５に結合された）出力との間に一定数の経路を含む。いくつかの実装において、ＤＲｘモジュールＡ７１０は、ＤＲｘ制御器Ａ７０２が制御する一以上のバイパススイッチによってアクティブにされる入力及び出力間の一以上のバイパス経路（図示せず）を含む。
【０１６８】
ＤＲｘモジュールＡ７１０は、第１入力マルチプレクサＡ７１１ａ又は第２入力マルチプレクサＡ７１１ｂの一方を含むとともに、出力マルチプレクサＡ７１２を含む一定数のマルチプレクサ経路を含む。マルチプレクサ経路は、一定数のオンモジュール経路（図示）を含む。チューニング可能入力整合回路Ａ７１６ａ〜Ａ７１６ｂの一つ、入力マルチプレクサＡ７１１ａ〜Ａ７１１ｂの一つ、一の帯域通過フィルタＡ７１３ａ〜Ａ７１３ｈ、一の増幅器Ａ７１４ａ〜Ａ７１４ｈ、出力マルチプレクサＡ７１２及び出力整合回路Ａ７１７を含む。マルチプレクサ経路は、ここに記載される一以上のオフモジュール経路（図示せず）を含んでよい。またもここに記載されるように、増幅器Ａ７１４ａ〜Ａ７１４ｈは、可変利得増幅器及び／又は可変電流増幅器としてよい。
【０１６９】
ＤＲｘ制御器Ａ７０２は、入力及び出力間の複数の経路の一以上を選択的にアクティブにするように構成される。いくつかの実装において、ＤＲｘ制御器Ａ７０２は、ＤＲｘ制御器Ａ７０２が（例えば通信制御器から）受信した帯域選択信号に基づいて複数の経路の一以上を選択的にアクティブにするように構成される。いくつかの実装において、ＤＲｘ制御器Ａ７０２は、帯域選択信号に基づいてチューニング可能整合回路Ａ７１６ａ〜Ａ７１６ｂ、Ａ７１７をチューニングするように構成される。ＤＲｘ制御器Ａ７０２は、例えば、増幅器Ａ７１４ａ〜Ａ７１４ｈのイネーブル又はディセーブルにより、マルチプレクサＡ７１１ａ〜Ａ７１１ｂ、Ａ７１２の制御により、又はここに記載される他のメカニズムを介して当該経路を選択的にアクティブにすることができる。
【０１７０】
図４６は、ＲＦ信号を処理する方法のフローチャート表現の一実施形態を示す。いくつかの実装において（及び一例として以下に詳述されるように）、方法Ａ８００は、図３９のＤＲｘ制御器３０２又は図３９の通信制御器１２０のような制御器によって行われる。いくつかの実装において、方法Ａ８００は、ハードウェア、ファームウェア、ソフトウェア又はこれらの組み合わせを含む処理ロジックによって行うことができる。いくつかの実装において、方法Ａ８００は、非一時的コンピュータ可読媒体（例えばメモリ）に記憶されたコードを実行するプロセッサによって行われる。簡潔には、方法Ａ８００は、帯域選択信号を受信することと、受信したＲＦ信号を一以上の利得制御経路に沿って引き回して当該受信したＲＦ信号を処理することとを含む。
【０１７１】
方法Ａ８００は、ブロックＡ８１０において、制御器が帯域選択信号を受信することから始まる。制御器は、他の制御器から帯域選択信号を受信し、又はセルラー基地局若しくは他の外部ソースから帯域選択信号を受信することができる。帯域選択信号は、無線装置がＲＦ信号を送受信する一以上の周波数帯域を指示することができる。いくつかの実装において、帯域選択信号は、キャリアアグリゲーション通信のための一組の周波数帯域を指示する。
【０１７２】
いくつかの実装において、制御器は、一以上のチューニング可能整合回路を受信帯域選択信号に基づいてチューニングする。例えば、制御器は、チューニング可能整合回路を、帯域選択信号が指示する複数の周波数帯域（又は複数組の周波数帯域）をチューニングパラメータに関連づけるルックアップテーブルに基づいてチューニングすることができる。
【０１７３】
ブロックＡ８２０において、制御器は、ダイバーシティ受信器（ＤＲｘ）モジュールの一以上の経路を帯域選択信号に基づいて選択的にアクティブにする。ここに記載されるように、ＤＲｘモジュールは、当該ＤＲｘモジュールの（一以上のアンテナに結合された）一以上の入力と（一以上のケーブルに結合された）一以上の出力との間に一定数の経路を含み得る。経路は、バイパス経路及びマルチプレクサ経路を含み得る。マルチプレクサ経路は、オンモジュール経路及びオフモジュール経路を含み得る。
【０１７４】
制御器は、複数の経路の一以上を、例えば、一以上のバイパススイッチの開閉により、当該経路に沿って設けられた増幅器の、増幅器イネーブル信号を介したイネーブル若しくはディセーブルにより、分割器制御信号及び／若しくは結合器制御信号を介した一以上のマルチプレクサの制御により、又は他のメカニズムを介して選択的にアクティブにすることができる。例えば、制御器は、当該経路に沿って設けられたスイッチを開若しくは閉にし、又は当該経路に沿って設けられた増幅器の利得を実質的にゼロに設定することができる。
【０１７５】
ブロックＡ８３０において、制御器は増幅器制御信号を、一以上のアクティブにされた経路に沿ってそれぞれが設けられた一以上の増幅器に送信する。増幅器制御信号は、送信先となる増幅器の利得（又は電流）を制御する。一実施形態において、増幅器は、固定利得増幅器と、増幅器制御信号によって制御可能なバイパススイッチとを含む。すなわち、一実施形態において、増幅器制御信号は、バイパススイッチを開にすべきか又は閉にすべきかを指示する。
【０１７６】
一実施形態において、増幅器は、当該増幅器において受信した信号を、増幅器制御信号によって指示された複数の設定量の一つの利得によって増幅するように構成されたステップ可変利得増幅器を含む。すなわち、一実施形態において、増幅器制御信号は、複数の設定量の一つを指示する。
【０１７７】
一実施形態において、増幅器は、当該増幅器において受信した信号を、増幅器制御信号に比例する利得によって増幅するように構成された連続可変利得増幅器を含む。すなわち、一実施形態において、増幅器制御信号は、比例利得量を指示する。
【０１７８】
いくつかの実装において、制御器は、入力において受信した入力信号のサービス品質（ＱｏＳ）メトリックに基づいて増幅器制御信号（複数可）を生成する。いくつかの実装において、制御器は、他の制御器から受信した信号、ひいては当該受信した信号のＱｏＳメトリックに基づき得る信号に基づいて増幅器制御信号（複数可）を生成する。受信した信号のＱｏＳメトリックは、少なくとも部分的に、ダイバーシティアンテナにおいてダイバーシティ信号（例えば入力において受信した入力）に基づく。受信した信号のＱｏＳメトリックはさらに、一次アンテナにおいて受信した信号に基づき得る。いくつかの実装において、制御器は、他の制御器から信号を受信することなく、ダイバーシティ信号のＱｏＳメトリックに基づいて増幅器制御信号（複数可）を生成する。例えば、ＱｏＳメトリックは信号強度を含み得る。他例では、ＱｏＳメトリックは、ビット誤り率、データスループット、送信遅延、又は任意の他のＱｏＳメトリックを含み得る。
【０１７９】
いくつかの実装において、制御器はまた、ブロックＡ８３０において、一以上のケーブルを介して出力に結合された一以上の下流側増幅器の利得を制御するべく、増幅器制御信号に基づいて下流側増幅器制御信号を送信する。
【０１８０】
とりわけ、可変利得増幅器に関する上述の例Ａは、以下のようにまとめることができる。
【０１８１】
いくつかの実装によれば、本開示は、第１マルチプレクサの入力と第２マルチプレクサの出力との間にある複数の経路の一以上を選択的にアクティブにするように構成された制御器を含む受信システムに関する。受信システムはさらに、複数の帯域通過フィルタを含む。複数の帯域通過フィルタの各一つは、複数の経路の対応する一つに沿って設けられ、帯域通過フィルタにおいて受信した信号を各帯域へとフィルタリングするように構成される。受信システムはさらに、複数の可変利得増幅器（ＶＧＡ）を含む。複数のＶＧＡの各一つは、複数の経路の対応する一つに沿って設けられ、当該ＶＧＡにおいて受信した信号を、当該制御器から受信した増幅器制御信号が制御する利得によって増幅するように構成される。
【０１８２】
いくつかの実施形態において、制御器は、当該制御器が受信した帯域選択信号に基づいて複数の経路の一以上を選択的にアクティブにするように構成することができる。いくつかの実施形態において、制御器は、分割器制御信号を第１マルチプレクサに、結合器制御信号を第２マルチプレクサに送信することによって、複数の経路の一以上を選択的にアクティブにするように構成することができる。いくつかの実施形態において、制御器は、複数の経路の一以上に沿ってそれぞれが設けられた複数のＶＧＡの一以上に増幅器イネーブル信号を送信することによって、複数の経路の一以上を選択的にアクティブにするように構成することができる。
【０１８３】
いくつかの実施形態において、ＶＧＡの少なくとも一つは、固定利得増幅器と、増幅器制御信号によって制御可能なバイパススイッチとを含む。いくつかの実施形態において、ＶＧＡの少なくとも一つは、当該ＶＧＡにおいて受信した信号を、増幅器制御信号が指示する複数の設定量の一つの利得によって増幅するように構成されたステップ可変利得増幅器、又は、当該ＶＧＡにおいて受信した信号を、増幅器制御信号に比例する利得によって増幅するように構成された連続可変利得増幅器を含み得る。いくつかの実施形態において、ＶＧＡの少なくとも一つは、当該増幅器において受信した信号を、増幅器制御信号が制御する電流量を引き出すことによって増幅するように構成された可変電流増幅器を含み得る。
【０１８４】
いくつかの実施形態において、増幅器制御信号は、第１マルチプレクサの入力において受信した入力信号のサービス品質メトリックに基づく。
【０１８５】
いくつかの実施形態において、ＶＧＡの少なくとも一つは低雑音増幅器を含み得る。
【０１８６】
いくつかの実施形態において、受信システムはさらに、入力及び出力の一以上に設けられた一以上のチューニング可能整合回路を含み得る。
【０１８７】
いくつかの実施形態において、受信システムはさらに、第２マルチプレクサの出力に結合され、一以上の下流側増幅器を含む下流側モジュールに結合された送信ラインを含み得る。いくつかの実施形態において、制御器はさらに、一以上の下流側増幅器の利得を制御するべく、増幅器制御信号に基づいて下流側増幅器制御信号を生成するように構成することができる。いくつかの実施形態において、下流側増幅器の少なくとも一つは、下流側帯域通過フィルタを通過することのない送信ラインに結合することができる。いくつかの実施形態において、一以上の下流側増幅器の数は、ＶＧＡの数未満としてよい。
【０１８８】
いくつかの実装において、本開示は、複数の部品を受容するように構成されたパッケージング基板を含む無線周波数（ＲＦ）モジュールに関する。ＲＦモジュールさらに、パッケージング基板に実装された受信システムを含む。受信システムは、第１マルチプレクサの入力及び第２マルチプレクサの出力（例えばＲＦモジュールの入力及びＲＦモジュールの出力）間にある複数の経路の一以上を選択的にアクティブにするように構成された制御器を含む。受信システムはさらに、複数の帯域通過フィルタを含む。帯域通過フィルタの各一つは、複数の経路の対応する一つに沿って設けられ、帯域通過フィルタにおいて受信した信号を各周波数帯域へとフィルタリングするように構成される。受信システムはさらに、複数の可変利得増幅器（ＶＧＡ）を含む。複数のＶＧＡの各一つは、複数の経路の対応する一つに沿って設けられ、ＶＧＡにおいて受信した信号を、制御器から受信した増幅器制御信号が制御する利得によって増幅するように構成される。
【０１８９】
いくつかの実施形態において、ＲＦモジュールは、ダイバーシティ受信器フロントエンドモジュール（ＦＥＭ）としてよい。
【０１９０】
いくつかの実施形態において、複数の経路はオフモジュール経路を含む。オフモジュール経路は、オフモジュール帯域通過フィルタと、複数のＶＧＡの一つとを含み得る。
【０１９１】
いくつかの教示によれば、本開示は、第１無線周波数（ＲＦ）信号を受信するように構成された第１アンテナを含む無線装置に関する。無線装置はさらに、第１アンテナと通信する第１フロントエンドモジュール（ＦＥＭ）を含む。パッケージング基板を含む第１ＦＥＭは、複数の部品を受容するように構成される。第１ＦＥＭはさらに、パッケージング基板に実装された受信システムを含む。受信システムは、第１マルチプレクサの入力と第２マルチプレクサの出力との間にある複数の経路の一以上を選択的にアクティブにするように構成された制御器を含む。受信システムはさらに、複数の帯域通過フィルタを含む。複数の帯域通過フィルタの各一つは、複数の経路の対応する一つに沿って設けられ、帯域通過フィルタにおいて受信した信号を各周波数帯域へとフィルタリングするように構成される。受信システムはさらに、複数の可変利得増幅器（ＶＧＡ）を含む。複数のＶＧＡの各一つは、複数の経路の対応する一つに沿って設けられ、ＶＧＡにおいて受信した信号を、制御器から受信した増幅器制御信号が制御する利得によって増幅するように構成される。無線装置さらに、出力からの第１ＲＦ信号の処理済みバージョンを、ケーブルを介して受信し、当該第１ＲＦ信号の処理済みバージョンに基づいてデータビットを生成するように構成された通信モジュールを含む。
【０１９２】
いくつかの実施形態において、無線装置はさらに、第２無線周波数（ＲＦ）信号を受信するように構成された第２アンテナと、当該第２アンテナと通信する第２ＦＥＭとを含む。通信モジュールは、第２ＦＥＭの出力から第２ＲＦ信号の処理済みバージョンを受信し、当該第２ＲＦ信号の処理済みバージョンに基づいてデータビットを生成するように構成することができる。
【０１９３】
いくつかの実施形態において、無線装置は、第１ＦＥＭと通信モジュールの一以上の下流側増幅器の利得を制御するように構成された通信制御器を含む。
【０１９４】
例Ｂ：位相シフト部品
【０１９５】
図４７は、いくつかの実施形態において、ダイバーシティ受信器構成Ｂ６００が、一以上の位相整合部品Ｂ６２４ａ〜Ｂ６２４ｂを備えたＤＲｘモジュールＢ６１０を含み得ることを示す。ＤＲｘモジュールＢ６１０は、アンテナ１４０に結合されたＤＲｘモジュールＢ６１０の入力からの２つの経路と、送信ライン１３５に結合されたＤＲｘモジュールＢ６１０の出力とを含む。
【０１９６】
図４７のＤＲｘモジュールＢ６１０において、信号分割器及び帯域通過フィルタはダイプレクサＢ６１１として実装される。ダイプレクサＢ６１１は、アンテナ１４０に結合された入力と、第１増幅器３１４ａに結合された第１出力と、第２増幅器３１４ｂに結合された第２出力とを含む。第１出力において、ダイプレクサＢ６１１は、（例えばアンテナ１４０から）入力において受信した信号であって第１周波数帯域へとフィルタリングされた信号を出力する。第２出力において、ダイプレクサＢ６１１は、入力において受信した信号を、第２周波数帯域へとフィルタリングして出力する。いくつかの実装において、ダイプレクサＢ６１１は、ＤＲｘモジュールＢ６１０の入力において受信した入力信号を分割して、複数の経路に沿って伝播する複数の周波数帯域それぞれの複数の信号にするように構成されたトリプレクサ、クワッドプレクサ又は他のマルチプレクサに置き換えることができる。
【０１９７】
ここに記載されるように、増幅器３１４ａ〜３１４ｂの各一つは、当該経路の対応する一つに沿って設けられ、増幅器において受信した信号を増幅するように構成される。増幅器３１４ａ〜３１４ｂの出力は、信号結合器Ｂ６１２により結合される前に、対応する位相シフト部品Ｂ６２４ａ〜Ｂ６２４ｂを通して供給される。
【０１９８】
信号結合器Ｂ６１２は、第１位相シフト部品Ｂ６２４ａに結合された第１入力、第２位相シフト部品Ｂ６２４ｂに結合された第２入力、及びＤＲｘモジュールＢ６１０の出力に結合された出力を含む。信号結合器の出力における信号は、第１入力及び第２入力の信号の合計である。すなわち、信号結合器は、複数の経路に沿って伝播する信号を結合するように構成される。
【０１９９】
信号がアンテナ１４０によって受信されると、当該信号は、ダイプレクサＢ６１１によって第１周波数帯域へとフィルタリングされ、第１増幅器３１４ａを通る第１経路に沿って伝播する。フィルタリングかつ増幅された信号は、第１位相シフト部品Ｂ６２４ａによって位相シフトされて信号結合器Ｂ６１２の第１入力に供給される。いくつかの実装において、信号結合器Ｂ６１２又は第２増幅器３１４ｂは、信号が信号結合器Ｂ６１２を通って第２経路に沿って逆方向に続くのを妨げることがない。すなわち、信号は、第２位相シフト部品Ｂ６２４ｂを通り、第２増幅器３１４ｂを通って伝播し、ダイプレクサＢ６１１から反射される。反射された信号は、第２増幅器３１４ｂを通って伝播し、第２位相シフト部品Ｂ６２４ｂを通り、信号結合器Ｂ６１２の第２入力に到達する。
【０２００】
（信号結合器Ｂ６１２の第１入力における）初期信号の位相と（信号結合器Ｂ６１２の第２入力における）反射信号の位相とがずれている場合、信号結合器Ｂ６１２が行う合計により、信号結合器Ｂ６１２の出力における信号は弱められる。同様に、初期信号及び反射された信号が同相の場合、信号結合器Ｂ６１２が行う合計により、信号結合器Ｂ６１２の出力における信号が強められる。すなわち、いくつかの実装において、第２位相シフト部品Ｂ６２４ｂは、（少なくとも第１周波数帯域にある）信号を位相シフトして、初期信号及び反射信号が少なくとも部分的に同相となるように構成される。特に、第２位相シフト部品Ｂ６２４ｂは、（少なくとも第１周波数帯域にある）信号を位相シフトして、初期信号及び反射信号の合計振幅が初期信号の振幅よりも大きくなるように構成される。
【０２０１】
例えば、第２位相シフト部品Ｂ６２４ｂは、第２位相シフト部品Ｂ６２４ｂを通過する信号を、第２増幅器３１４ｂを介した逆方向伝播により導入される位相シフトの−１／２倍だけ位相シフトし、ダイプレクサＢ６１１から反射させ、第２増幅器３１４ｂを介して順方向伝播させるように構成することができる。他例では、第２位相シフト部品Ｂ６２４ｂは、第２位相シフト部品Ｂ６２４ｂを通過する信号を、３６０度と、第２増幅器３１４ｂを介した逆方向伝播により導入される位相シフトとの差の半分だけ位相シフトし、ダイプレクサＢ６１１から反射させ、第２増幅器３１４ｂを介して順方向伝播させるように構成することができる。一般に、第２位相シフト部品Ｂ６２４ｂは、第２位相シフト部品Ｂ６２４ｂを通過する信号を位相シフトして、初期信号と反射信号とが３６０度の整数倍（ゼロを含む）の位相差を有するように構成することができる。
【０２０２】
一例では、初期信号は、０度（又は任意の他の基準位相）としてよく、第２増幅器３１４ｂを通って逆方向伝播し、ダイプレクサＢ６１１から反射され、第２増幅器３１４ｂを通って順方向伝播することにより、１４０度の位相シフトを導入することができる。すなわち、いくつかの実装において、第２位相シフト部品Ｂ６２４ｂは、第２位相シフト部品Ｂ６２４ｂを通過する信号を−７０度だけ位相シフトさせるように構成される。すなわち、初期信号は、第２位相シフト部品Ｂ６２４ｂにより−７０度へと位相シフトされ、第２増幅器３１４ｂを通る逆方向伝播、ダイプレクサＢ６１１を通る順方向伝播、及び第２増幅器３１４ｂを通る順方向伝播により７０度へと位相シフトされ、並びに第２位相シフト部品Ｂ６２４ｂにより０度へと戻るように位相シフトされる。
【０２０３】
いくつかの実装において、第２位相シフト部品Ｂ６２４ｂは、第２位相シフト部品Ｂ６２４ｂを通過する信号を１１０度だけ位相シフトさせるように構成される。すなわち、初期信号は、第２位相シフト部品Ｂ６２４ｂにより１１０度へと位相シフトされ、第２増幅器３１４ｂを通過する逆方向伝播、ダイプレクサＢ６１１からの反射、及び第２増幅器３１４ｂを介した順方向伝播により２５０度へと位相シフトされ、並びに第２位相シフト部品Ｂ６２４ｂにより３６０度へと位相シフトされる。
【０２０４】
同時に、アンテナ１４０が受信した信号は、ダイプレクサＢ６１１により第２周波数帯域へとフィルタリングされ、第２増幅器３１４ｂを通る第２経路に沿って伝播する。フィルタリングかつ増幅された信号は、第２位相シフト部品Ｂ６２４ｂによって位相シフトされて信号結合器Ｂ６１２の第２入力に供給される。いくつかの実装において、信号結合器Ｂ６１２又は第１増幅器３１４ａは、信号が信号結合器Ｂ６１２を通って第１経路に沿って逆方向に続くのを妨げることがない。すなわち、信号は、第１位相シフト部品Ｂ６２４ａを通り、第２増幅器３１４ａを通って伝播し、ダイプレクサＢ６１１から反射される。反射信号は、第１増幅器３１４ａ及び第１位相シフト部品Ｂ６２４ａを通って伝播し、信号結合器Ｂ６１２の第１入力に到達する。
【０２０５】
（信号結合器Ｂ６１２の第２入力における）初期信号の位相と（信号結合器Ｂ６１２の第１入力における）反射信号の位相とがずれている場合、信号結合器Ｂ６１２が行う合計により、信号結合器Ｂ６１２の出力における信号は弱められ、初期信号と反射信号とが同相の場合、信号結合器Ｂ６１２が行う合計により、信号結合器Ｂ６１２の出力における信号は強められる。すなわち、いくつかの実装において、第１位相シフト部品Ｂ６２４ａは、（少なくとも第２周波数帯域にある）信号を位相シフトして、初期信号及び反射信号が少なくとも部分的に同相となるように構成される。
【０２０６】
例えば、第１位相シフト部品Ｂ６２４ａは、第１位相シフト部品Ｂ６２４ａを通過する信号を、第１増幅器３１４ａを介した逆方向伝播により導入される位相シフトの−１／２倍だけ位相シフトし、ダイプレクサＢ６１１から反射させ、第１増幅器３１４ａを介して順方向伝播させるように構成することができる。他例では、第１位相シフト部品Ｂ６２４ａは、第１位相シフト部品Ｂ６２４ａを通過する信号を、３６０度と、第１増幅器３１４ａを介した逆方向伝播により導入される位相シフトとの差の半分だけ位相シフトし、ダイプレクサＢ６１１から反射させ、第１増幅器３１４ａを介して順方向伝播させるように構成することができる。一般に、第１位相シフト部品Ｂ６２４ａは、第１位相シフト部品Ｂ６２４ａを通過する信号を位相シフトして、初期信号及び反射信号が３６０度の整数倍（ゼロを含む）の位相差を有するように構成することができる。
【０２０７】
位相シフト部品Ｂ６２４ａ〜Ｂ６２４ｂは、受動回路として実装してよい。特に、位相シフト部品Ｂ６２４ａ〜Ｂ６２４ｂは、ＬＣ回路として実装してよく、インダクタ及び／又はキャパシタのような一以上の受動部品を含み得る。これらの受動部品は、並列及び／又は直列に接続してよく、かつ、増幅器３１４ａ〜３１４ｂの出力と信号結合器Ｂ６１２の入力との間に接続してよく、又は増幅器３１４ａ〜３１４ｂの出力と接地電圧との間に接続してよい。いくつかの実装において、位相シフト部品Ｂ６２４ａ〜Ｂ６２４ｂは、増幅器３１４ａ〜３１４ｂと同じダイに又は同じパッケージに統合される。
【０２０８】
いくつかの実装において（例えば図４７に示されるように）、位相シフト部品Ｂ６２４ａ〜Ｂ６２４ｂは、経路に沿って増幅器３１４ａ〜３１４ｂの後に設けられる。すなわち、位相シフト部品Ｂ６２４ａ〜Ｂ６２４ｂが引き起こす任意の信号減衰は、例えば出力信号の信号対雑音比のような、モジュールＢ６１０の性能に影響を与えることがない。しかしながら、いくつかの実装において、位相シフト部品Ｂ６２４ａ〜Ｂ６２４ｂは、経路に沿って増幅器３１４ａ〜３１４ｂの前に設けられる。例えば、位相シフト部品Ｂ６２４ａ〜Ｂ６２４ｂは、ダイプレクサＢ６１１及び増幅器３１４ａ〜３１４ｂ間に設けられたインピーダンス整合部品に統合されてよい。
【０２０９】
図４８は、いくつかの実施形態において、ダイバーシティ受信器構成Ｂ６４０が、一以上の位相整合部品Ｂ６２４ａ〜Ｂ６２４ｂ及び二段増幅器Ｂ６１４ａ〜Ｂ６１４ｂを備えたＤＲｘモジュールＢ６４１を含み得ることを示す。図４８のＤＲｘモジュールＢ６４１は、図４７のＤＲｘモジュールＢ６１０の増幅器３１４ａ〜３１４ｂが、図４８のＤＲｘモジュールＢ６４１における二段増幅器Ｂ６１４ａ〜Ｂ６１４ｂによって置き換えられている点を除き、図４７のＤＲｘモジュールＢ６１０に実質的に類似する。
【０２１０】
図４９は、いくつかの実施形態において、ダイバーシティ受信器構成Ｂ６８０が、一以上の位相整合部品Ｂ６２４ａ〜Ｂ６２４ｂ及び結合器後段増幅器Ｂ６１５を備えたＤＲｘモジュールＢ６８１を含み得ることを示す。図４９のＤＲｘモジュールＢ６８１は、図４９のＤＲｘモジュールＢ６８１が、信号結合器Ｂ６１２の出力とＤＲｘモジュールＢ６８１の出力との間に設けられた結合器後段増幅器Ｂ６１５を含む点を除き、図４７のＤＲｘモジュールＢ６１０に実質的に類似する。結合器後段増幅器Ｂ６１５は、増幅器３１４ａ〜３１４ｂと同様に、ＤＲｘ制御器（図示せず）が制御する可変利得増幅器（ＶＧＡ）及び／又は可変電流増幅器でよい。
【０２１１】
図５０は、いくつかの実施形態において、ダイバーシティ受信器構成Ｂ７００が、チューニング可能位相シフト部品Ｂ７２４ａ〜Ｂ７２４ｄを備えたＤＲｘモジュールＢ７１０を含み得ることを示す。チューニング可能位相シフト部品Ｂ７２４ａ〜Ｂ７２４ｄはそれぞれ、チューニング可能位相シフト部品を通過する信号を、ＤＲｘ制御器Ｂ７０２から受信した位相シフトチューニング信号が制御する量だけ位相シフトさせるように構成することができる。
【０２１２】
ダイバーシティ受信器構成Ｂ７００は、アンテナ１４０に結合された入力と送信ライン１３５に結合された出力とを有するＤＲｘモジュールＢ７１０を含む。ＤＲｘモジュールＢ７１０は、ＤＲｘモジュールＢ７１０の入力及び出力間に一定数の経路を含む。いくつかの実装において、ＤＲｘモジュールＢ７１０は、ＤＲｘ制御器Ｂ７０２が制御する一以上のバイパススイッチによってアクティブにされる入力及び出力間の一以上のバイパス経路（図示せず）を含む。
【０２１３】
ＤＲｘモジュールＢ７１０は、入力マルチプレクサＢ３１１及び出力マルチプレクサＢ３１２を含む一定数のマルチプレクサ経路を含む。マルチプレクサ経路は、一定数のオンモジュール経路（図示）を含む。これは、入力マルチプレクサＢ３１１、帯域通過フィルタＢ３１３ａ〜Ｂ３１３ｄ、増幅器Ｂ３１４ａ〜Ｂ３１４ｄ、チューニング可能位相シフト部品Ｂ７２４ａ〜Ｂ７２４ｄ、出力マルチプレクサＢ３１２及び結合器後段増幅器Ｂ６１５を含む。マルチプレクサ経路は、ここに記載される一以上のオフモジュール経路（図示せず）を含んでよい。またもここに記載されるように、増幅器Ｂ３１４ａ〜Ｂ３１４ｄ（ポストゲイン増幅器Ｂ６１５を含む）は、可変利得増幅器及び／又は可変電流増幅器としてよい。
【０２１４】
チューニング可能位相シフト部品Ｂ７２４ａ〜Ｂ７２４ｄは、インダクタ及びキャパシタのような一以上の可変部品を含み得る。これらの可変部品は、並列及び／又は直列に接続してよく、かつ、増幅器Ｂ３１４ａ〜Ｂ３１４ｄの出力と出力マルチプレクサＢ３１２の入力との間に接続してよく、又は増幅器Ｂ３１４ａ〜Ｂ３１４ｄの出力と接地電圧との間に接続してよい。
【０２１５】
ＤＲｘ制御器Ｂ７０２は、入力及び出力間の複数の経路の一以上を選択的にアクティブにするように構成される。いくつかの実装において、ＤＲｘ制御器Ｂ７０２は、当該複数の経路の一以上を、ＤＲｘ制御器Ｂ７０２が  （例えば通信制御器から）受信する帯域選択信号に基づいて選択的にアクティブにするように構成される。ＤＲｘ制御器Ｂ７０２は、例えば、増幅器Ｂ３１４ａ〜Ｂ３１４ｄのイネーブル又はディセーブルにより、マルチプレクサＢ３１１、Ｂ３１２の制御により、又はここに記載される他のメカニズムを介して当該経路を選択的にアクティブにすることができる。
【０２１６】
いくつかの実装において、ＤＲｘ制御器Ｂ７０２は、チューニング可能位相シフト部品Ｂ７２４ａ〜Ｂ７２４ｄをチューニングするように構成される。いくつかの実装において、ＤＲｘ制御器Ｂ７０２は、チューニング可能位相シフト部品Ｂ７２４ａ〜Ｂ７２４ｄを、帯域選択信号に基づいてチューニングする。例えば、ＤＲｘ制御器Ｂ７０２は、チューニング可能位相シフト部品Ｂ７２４ａ〜Ｂ７２４ｄを、帯域選択信号が指示する複数の周波数帯域（又は複数組の周波数帯域）をチューニングパラメータに関連づけるルックアップテーブルに基づいてチューニングすることができる。したがって、ＤＲｘ制御器Ｂ７０２は、チューニング可能位相シフト部品（又はその可変部品）をチューニングパラメータに応じてチューニングするべく、帯域選択信号に応答して位相シフトチューニング信号をアクティブな各経路のチューニング可能位相シフト部品Ｂ７２４ａ〜Ｂ７２４ｄへと送信することができる。
【０２１７】
ＤＲｘ制御器Ｂ７０２は、帯域外の反射信号が出力マルチプレクサＢ３１２において帯域外の初期信号と同相になるようにチューニング可能位相シフト部品Ｂ７２４ａ〜Ｂ７２４ｄとチューニングすることができる。例えば、第１周波数帯域に対応する（第１増幅器Ｂ３１４ａを通る）第１経路と、第２周波数帯域に対応する（第２増幅器Ｂ３１４ｂを通る）第２経路と、（第３増幅器Ｂ３１４ｃを通る）第３経路とがアクティブにされることを帯域選択信号が指示すると、ＤＲｘ制御器Ｂ７０２は、（１）第２経路に沿って伝播する（第２周波数帯域の）信号に対しては、初期信号と、第１経路に沿って逆方向伝播し、帯域通過フィルタＢ３１３ａから反射され、第１経路を通って順方向伝播する反射信号とが同相になるように、（２）第３経路に沿って伝播する（第３周波数帯域の）信号に対しては、初期信号と、第１経路に沿って逆方向伝播し、帯域通過フィルタＢ３１３ａから反射され、第１経路を通って順方向伝播する反射信号とが同相になるように第１チューニング可能位相シフト部品Ｂ７２４ａをチューニングすることができる。
【０２１８】
ＤＲｘ制御器Ｂ７０２は、第１チューニング可能位相シフト部品Ｂ７２４ａを、第２周波数帯域が第３周波数帯域とは異なる量だけ位相シフトされるようにチューニングすることができる。例えば、第１増幅器Ｂ３１４ａを通る逆方向伝播と、帯域通過フィルタＢ３１３ａからの反射と、第１増幅器Ｂ３１４ｂを通る順方向伝播とにより、第２周波数帯域の信号が１４０度だけ位相シフトされて第３周波数帯域が１３０度だけ位相シフトされると、ＤＲｘ制御器Ｂ７０２は、第２周波数帯域を−７０度（又は１１０度）だけ位相シフトし、かつ、第３周波数帯域を−６５度（又は１１５度）だけ位相シフトするように、第１チューニング可能位相シフト部品Ｂ７２４ａをチューニングすることができる。
【０２１９】
ＤＲｘ制御器Ｂ７０２は同様に、第２位相シフト部品Ｂ７２４ｂ及び第３位相シフト部品Ｂ７２４ｃをチューニングすることができる。
【０２２０】
他例では、第１経路と、第２経路と、（第４増幅器Ｂ３１４ｄを通る）第４経路とがアクティブにされることを帯域選択信号が指示すると、ＤＲｘ制御器Ｂ７０２は、（１）第２経路に沿って伝播する（第２周波数帯域の）信号に対しては、初期信号と、第１経路に沿って逆方向伝播し、帯域通過フィルタＢ３１３ａから反射され、第１経路を通って順方向伝播する反射信号とが同相になるように、（２）第４経路に沿って伝播する（第４周波数帯域の）信号に対しては、初期信号と、第１経路に沿って逆方向伝播し、帯域通過フィルタＢ３１３ａから反射され、第１経路を通って順方向伝播する反射信号とが同相になるように第１チューニング可能位相シフト部品Ｂ７２４ａをチューニングすることができる。
【０２２１】
ＤＲｘ制御器Ｂ７０２は、チューニング可能位相シフト部品Ｂ７２４ａ〜Ｂ７２４ｄの可変部品を、異なる複数組の周波数帯域に対して異なる値を有するようにチューニングすることができる。
【０２２２】
いくつかの実装において、チューニング可能位相シフト部品Ｂ７２４ａ〜Ｂ７２４ｄは、チューニング可能でない又はＤＲｘ制御器Ｂ７０２により制御されない固定位相シフト部品によって置き換えられる。一つの周波数帯域に対応する当該経路の対応する一つに沿って設けられた位相シフト部品の各一つは、他の周波数帯域のそれぞれを位相シフトすることにより、対応する他経路に沿った初期信号と、当該経路の当該一つに沿って逆方向伝播し、対応帯域通過フィルタから反射され、当該経路の当該一つを通って順方向伝播する反射信号とが同相となるように構成してよい。
【０２２３】
例えば、第３位相シフト部品Ｂ７２４ｃは固定されており、（１）（第１経路に沿って伝播する）第１周波数の初期信号と、第３経路に沿って逆方向伝播し、第３帯域通過フィルタＢ３１３ｃから反射され、第３経路を通って順方向伝播する反射信号とが同相となるように第１周波数帯域を位相シフトし、（２）（第２経路に沿って伝播する）第２周波数の初期信号と、第３経路に沿って逆方向伝播し、第３帯域通過フィルタＢ３１３ｃから反射され、第３経路を通って順方向伝播する反射信号とが同相となるように第２周波数帯域を位相シフトし、（３）（第４経路に沿って伝播する）第４周波数の初期信号と、第３経路に沿って逆方向伝播し、第３帯域通過フィルタＢ３１３ｃから反射され、第３経路を通って順方向伝播する反射信号とが同相となるように第４周波数帯域を位相シフトするように構成される。他の位相シフト部品も、同様に固定及び設定されてよい。
【０２２４】
すなわち、ＤＲｘモジュールＢ７１０は、ＤＲｘモジュールＢ７１０の入力及びＤＲｘモジュールＢ７１０の出力間にある複数の経路の一以上を選択的にアクティブにするように構成されたＤＲｘ制御器Ｂ７０２を含む。ＤＲｘモジュールＢ７１０はさらに複数の増幅器Ｂ３１４ａ〜Ｂ３１４ｄを含む。複数の増幅器Ｂ３１４ａ〜Ｂ３１４ｄの各一つは、複数の経路の対応する一つに沿って設けられ、当該増幅器において受信した信号を増幅するように構成される。ＤＲｘモジュールさらに複数の位相シフト部品Ｂ７２４ａ〜Ｂ７２４ｄを含む。複数の位相シフト部品Ｂ７２４ａ〜Ｂ７２４ｄの各一つは、複数の経路の対応する一つに沿って設けられ、当該位相シフト部品を通過する信号を位相シフトするように構成される。
【０２２５】
いくつかの実装において、第１位相シフト部品Ｂ７２４ａは、第１周波数帯域（例えば第１帯域通過フィルタＢ３１３ａの周波数帯域）に対応する第１経路に沿って設けられ、第１位相シフト部品Ｂ７２４ａを通過する信号の第２周波数帯域（例えば第２帯域通過フィルタＢ３１３ｂの周波数帯域）を位相シフトすることにより、第２周波数帯域に対応する第２経路に沿って伝播する初期信号と、第１経路に沿って伝播する反射信号とが少なくとも部分的に同相となるように構成される。
【０２２６】
いくつかの実装において、第１位相シフト部品Ｂ７２４ａはさらに、第１位相シフト部品Ｂ７２４ａを通過する信号の第３周波数帯域（例えば第３帯域通過フィルタＢ３１３ｃの周波数帯域）を位相シフトすることにより、第３周波数帯域に対応する第３経路に沿って伝播する初期信号と、第１経路に沿って伝播する反射信号とが少なくとも部分的に同相となるように構成される。
【０２２７】
同様に、いくつかの実装において、第２経路に沿って設けられた第２位相シフト部品Ｂ７２４ｂは、第２位相シフト部品Ｂ７２４ｂを通過する信号の第１周波数帯域を位相シフトすることにより、第１経路に沿って伝播する初期信号と、第２経路に沿って伝播する反射信号とが少なくとも部分的に同相となるように構成される。
【０２２８】
図５３は、いくつかの実施形態において、ダイバーシティ受信器構成ＢＣ１０００が、チューニング可能インピーダンス整合部品が入力及び出力に設けられたＤＲｘモジュールＢＣ１０１０を含み得ることを示す。ＤＲｘモジュールＢＣ１０１０は、ＤＲｘモジュールＢＣ１０１０の入力及び出力の一以上に設けられた一以上のチューニング可能インピーダンス整合部品を含み得る。特に、ＤＲｘモジュールＢＣ１０１０は、ＤＲｘモジュールＢＣ１０１０の入力に設けられた入力チューニング可能インピーダンス整合部品ＢＣ１０１６、ＤＲｘモジュールＢＣ１０１０の出力に設けられた出力チューニング可能インピーダンス整合部品ＢＣ１０１７、又はその双方を含み得る。
【０２２９】
同じダイバーシティアンテナ１４０において受信した多重周波数帯域のすべてが、理想的なインピーダンス整合である可能性は低い。コンパクト整合回路を使用して各周波数帯域を整合させるべく、チューニング可能入力インピーダンス整合部品ＢＣ１０１６をＤＲｘモジュールＢＣ１０１０の入力に実装して（例えば通信制御器からの帯域選択信号に基づいて）ＤＲｘ制御器ＢＣ１００２によって制御することができる。例えば、ＤＲｘ制御器ＢＣ１００２は、チューニング可能入力インピーダンス整合部品ＢＣ１０１６を、帯域選択信号が指示する複数の周波数帯域（又は複数組の周波数帯域）をチューニングパラメータに関連づけるルックアップテーブルに基づいてチューニングすることができる。したがって、ＤＲｘ制御器ＢＣ１００２は、チューニング可能入力インピーダンス整合部品（又はその可変部品）をチューニングパラメータに応じてチューニングするべく、帯域選択信号に応答して入力インピーダンスチューニング信号をチューニング可能入力インピーダンス整合部品ＢＣ１０１６に送信することができる。
【０２３０】
チューニング可能入力インピーダンス整合部品ＢＣ１０１６は、チューニング可能Ｔ型回路、チューニング可能π型回路、又は任意の他のチューニング可能整合回路としてよい。特に、チューニング可能入力インピーダンス整合部品ＢＣ１０１６は、抵抗器、インダクタ及びキャパシタのような一以上の可変部品を含み得る。これらの可変部品は、並列及び／又は直列に接続してよく、かつ、ＤＲｘモジュールＢＣ１０１０の入力と第１マルチプレクサＢＣ３１１の入力との間に接続してよく、又はＤＲｘモジュールＢＣ１０１０の入力と接地電圧との間に接続してよい。
【０２３１】
同様に、多くの周波数帯域の信号を搬送する一つのみの送信ライン１３５（又は少なくともいくつかの送信ライン）によっては、多重周波数帯域すべてが理想的なインピーダンス整合となる可能性は低い。コンパクト整合回路を使用して各周波数帯域を整合させるべく、チューニング可能出力インピーダンス整合部品ＢＣ１０１７をＤＲｘモジュールＢＣ１０１０の出力に実装して（例えば通信制御器からの帯域選択信号に基づいて）ＤＲｘ制御器ＢＣ１００２によって制御することができる。例えば、ＤＲｘ制御器ＢＣ１００２は、チューニング可能出力インピーダンス整合部品ＢＣ１０１７を、帯域選択信号が指示する複数の周波数帯域（又は複数組の周波数帯域）をチューニングパラメータに関連づけるルックアップテーブルに基づいてチューニングすることができる。したがって、チューニング可能出力インピーダンス整合部品（又はその可変部品）をチューニングパラメータに応じてチューニングするべく、ＤＲｘ制御器ＢＣ１００２は、帯域選択信号に応答して、出力インピーダンスチューニング信号をチューニング可能出力インピーダンス整合部品ＢＣ１０１７に送信することができる。
【０２３２】
チューニング可能出力インピーダンス整合部品ＢＣ１０１７は、チューニング可能Ｔ型回路、チューニング可能π型回路又は任意の他のチューニング可能整合回路としてよい。特に、チューニング可能出力インピーダンス整合部品ＢＣ１０１７は、抵抗器、インダクタ及びキャパシタのような一以上の可変部品を含み得る。これらの可変部品は、並列及び／又は直列に接続してよく、かつ、第２マルチプレクサＢＣ３１２の出力とＤＲｘモジュールＢＣ１０１０の出力との間に接続してよく、又は第２マルチプレクサＢＣ３１２の出力と接地電圧との間に接続してよい。
【０２３３】
図５４は、いくつかの実施形態において、ダイバーシティ受信器構成ＢＣ１１００が、多重チューニング可能部品を備えたＤＲｘモジュールＢＣ１１１０を含み得ることを示す。ダイバーシティ受信器構成ＢＣ１１００は、アンテナ１４０に結合された入力と送信ライン１３５に結合された出力とを有するＤＲｘモジュールＢＣ１１１０を含む。ＤＲｘモジュールＢＣ１１１０は、ＤＲｘモジュールＢＣ１１１０の入力及び出力間に一定数の経路を含む。いくつかの実装において、ＤＲｘモジュールＢＣ１１１０は、入力と、ＤＲｘ制御器ＢＣ１１０２が制御する一以上のバイパススイッチによりアクティブにされる出力との間にある一以上のバイパス経路（図示せず）を含む。
【０２３４】
ＤＲｘモジュールＢＣ１１１０は、入力マルチプレクサＢＣ３１１及び出力マルチプレクサＢＣ３１２を含む一定数のマルチプレクサ経路を含む。マルチプレクサ経路は、一定数のオンモジュール経路（図示）を含む。これは、チューニング可能入力インピーダンス整合部品ＢＣ１０１６、入力マルチプレクサＢＣ３１１、帯域通過フィルタＢＣ３１３ａ〜ＢＣ３１３ｄ、チューニング可能インピーダンス整合部品ＢＣ９３４ａ〜ＢＣ９３４ｄ、増幅器ＢＣ３１４ａ〜ＢＣ３１４ｄ、チューニング可能位相シフト部品ＢＣ７２４ａ〜ＢＣ７２４ｄ、出力マルチプレクサＢＣ３１２、及びチューニング可能出力インピーダンス整合部品ＢＣ１０１７を含む。マルチプレクサ経路は、ここに記載される一以上のオフモジュール経路（図示せず）を含んでよい。またもここに記載されるように、増幅器ＢＣ３１４ａ〜ＢＣ３１４ｄは、可変利得増幅器及び／又は可変電流増幅器とすることができる。
【０２３５】
ＤＲｘ制御器ＢＣ１１０２は、入力及び出力間の複数の経路の一以上を選択的にアクティブにするように構成される。いくつかの実装において、ＤＲｘ制御器ＢＣ１１０２は、ＤＲｘ制御器ＢＣ１１０２が（例えば通信制御器から）受信した帯域選択信号に基づいて複数の経路の一以上を選択的にアクティブにするように構成される。ＤＲｘ制御器ＢＣ９０２は、例えば、増幅器ＢＣ３１４ａ〜ＢＣ３１４ｄのイネーブル又はディセーブルにより、マルチプレクサＢＣ３１１、ＢＣ３１２の制御により、又はここに記載される他のメカニズムを介して当該経路を選択的にアクティブにすることができる。いくつかの実装において、ＤＲｘ制御器ＢＣ１１０２は、それぞれが一以上のアクティブにされた経路に沿って設けられた一以上の増幅器ＢＣ３１４ａ〜ＢＣ３１４ｄに増幅器制御信号を送信するように構成される。増幅器制御信号は、送信先となる増幅器の利得（又は電流）を制御する。
【０２３６】
ＤＲｘ制御器ＢＣ１１０２は、チューニング可能入力インピーダンス整合部品ＢＣ１０１６、チューニング可能インピーダンス整合部品ＢＣ９３４ａ〜ＢＣ９３４ｄ、チューニング可能位相シフト部品ＢＣ７２４ａ〜ＢＣ７２４ｄ及びチューニング可能出力インピーダンス整合部品ＢＣ１０１７の一以上をチューニングするように構成される。例えば、ＤＲｘ制御器ＢＣ１１０２は、チューニング可能部品を、帯域選択信号が指示する複数の周波数帯域（又は複数組の周波数帯域）をチューニングパラメータに関連づけるルックアップテーブルに基づいてチューニングすることができる。したがって、ＤＲｘ制御器ＢＣ１１０１は、チューニング可能部品（又はその可変部品）をチューニングパラメータに応じてチューニングするべく、帯域選択信号に応答してチューニング信号を、チューニング可能部品（アクティブな経路）に送信することができる。いくつかの実装において、ＤＲｘ制御器ＢＣ１１０２は、増幅器ＢＣ３１４ａ〜ＢＣ３１４ｄの利得及び／又は電流を制御するべく、少なくとも部分的に増幅器制御信号に基づいてチューニング可能部品をチューニングする。様々な実装において、チューニング可能部品の一以上は、ＤＲｘ制御器ＢＣ１１０２が制御しない固定部品によって置き換えてよい。
【０２３７】
なお、チューニング可能部品の一つのチューニングは、他のチューニング可能部品のチューニングに影響を与え得る。すなわち、第１チューニング可能部品のためのルックアップテーブルにおけるチューニングパラメータは、第２チューニング可能部品のためのチューニングパラメータに基づいてよい。例えば、チューニング可能位相シフト部品ＢＣ７２４ａ〜ＢＣ７２４ｄのためのチューニングパラメータは、チューニング可能インピーダンス整合部品ＢＣ９３４ａ〜ＢＣ９３４ｄのためのチューニングパラメータに基づいてよい。他例では、チューニング可能インピーダンス整合部品ＢＣ９３４ａ〜ＢＣ９３４ｄのためのチューニングパラメータは、チューニング可能入力インピーダンス整合部品ＢＣ１０１６のためのチューニングパラメータに基づいてよい。
【０２３８】
図５５は、ＲＦ信号を処理する方法のフローチャート表現の一実施形態を示す。いくつかの実装において（及び一例として以下に詳述されるように）、方法ＢＣ１２００は、図５４のＤＲｘ制御器ＢＣ１１０２のような制御器によって行われる。いくつかの実装において、方法ＢＣ１２００は、ハードウェア、ファームウェア、ソフトウェア又はこれらの組み合わせを含む処理ロジックによって行われる。いくつかの実装において、方法ＢＣ１２００は、非一時的なコンピュータ可読媒体（例えばメモリ）に記憶されたコードを実行するプロセッサによって行われる。簡潔には、方法ＢＣ１２００は、帯域選択信号を受信することと、受信したＲＦ信号を一以上のチューニングされた経路に引き回して当該受信したＲＦ信号を処理することとを含む。
【０２３９】
方法ＢＣ１２００は、ブロックＢＣ１２１０において、制御器が帯域選択信号を受信することから開始する。制御器は、他の制御器から帯域選択信号を受信し、又はセルラー基地局若しくは他の外部ソースから帯域選択信号を受信することができる。帯域選択信号は、無線装置がＲＦ信号を送受信する一以上の周波数帯域を指示することができる。いくつかの実装において、帯域選択信号は、キャリアアグリゲーション通信のための一組の周波数帯域を指示する。
【０２４０】
ブロックＢＣ１２２０において、制御器は、ダイバーシティ受信器（ＤＲｘ）モジュールの一以上の経路を、帯域選択信号に基づいて選択的にアクティブにする。ここに記載されるように、ＤＲｘモジュールは、当該ＤＲｘモジュールの（一以上のアンテナに結合された）一以上の入力と（一以上の送信ラインに結合された）一以上の出力との間にある一定数の経路を含み得る。経路は、バイパス経路及びマルチプレクサ経路を含み得る。マルチプレクサ経路は、オンモジュール経路及びオフモジュール経路を含み得る。
【０２４１】
制御器は、複数の経路の一以上を、例えば、一以上のバイパススイッチの開閉により、当該経路に沿って設けられた増幅器の、増幅器イネーブル信号を介したイネーブル若しくはディセーブルにより、分割器制御信号及び／若しくは結合器制御信号を介した一以上のマルチプレクサの制御により、又は他のメカニズムを介して選択的にアクティブにすることができる。例えば、制御器は、当該経路に沿って設けられたスイッチを開閉すること、又は当該経路に沿って設けられた増幅器の利得を実質的にゼロに設定することができる。
【０２４２】
ブロックＢＣ１２３０において、制御器はチューニング信号を、一以上のアクティブにされた経路に沿って設けられた一以上のチューニング可能部品に送信する。チューニング可能部品は、ＤＲｘモジュールの入力に設けられたチューニング可能インピーダンス整合部品と、複数の経路に沿ってそれぞれが設けられた複数のチューニング可能インピーダンス整合部品と、当該複数の経路に沿ってそれぞれが設けられた複数のチューニング可能位相シフト部品と、ＤＲｘモジュールの出力に設けられたチューニング可能出力インピーダンス整合部品との一以上を含み得る。
【０２４３】
制御器は、チューニング可能部品を、帯域選択信号が指示する複数の周波数帯域（又は複数組の周波数帯域）をチューニングパラメータに関連づけるルックアップテーブルに基づいてチューニングすることができる。したがって、ＤＲｘ制御器は、チューニング可能部品（又はその可変部品）をチューニングパラメータに応じてチューニングするべく、帯域選択信号に応答してチューニング信号を、（アクティブな経路の）チューニング可能部品に送信することができる。いくつかの実装において、制御器は、それぞれが一以上のアクティブにされた経路に沿って設けられた一以上の増幅器の利得及び／又は電流を制御するべく、少なくとも部分的に増幅器制御信号に基づいてチューニング可能部品をチューニングする。
【０２４４】
とりわけ、位相シフト部品に関する上述の例Ｂは、以下のようにまとめることができる。
【０２４５】
いくつかの実施形態によれば、本開示は受信システムに関し、これは、当該受信システムの入力と当該受信システムの出力との間にある複数の経路の一以上を選択的にアクティブにするように構成された制御器を含む。受信システムはさらに複数の増幅器を含む。複数の増幅器の各一つは、複数の経路の対応する一つに沿って設けられ、当該増幅器において受信した信号を増幅するように構成される。受信システムはさらに複数の位相シフト部品を含む。複数の位相シフト部品の各一つは、複数の経路の対応する一つに沿って設けられ、位相シフト部品を通過する信号を位相シフトするように構成される。
【０２４６】
いくつかの実施形態において、第１周波数帯域に対応する複数の経路の第１経路に沿って設けられた複数の位相シフト部品の第１位相シフト部品は、当該第１位相シフト部品を通過する信号の第２周波数帯域を位相シフトすることにより、第２周波数帯域に対応する当該複数の経路の第２経路に沿って伝播する第２初期信号と、当該第１経路に沿って伝播する第２反射信号とが少なくとも部分的に同相となるように構成することができる。
【０２４７】
いくつかの実施形態において、第２経路に沿って設けられた複数の位相シフト部品の第２位相シフト部品は、当該第２位相シフト部品を通過する信号の第１周波数帯域を位相シフトすることにより、第１経路に沿って伝播する第１初期信号と、第２経路に沿って伝播する第１反射信号とが少なくとも部分的に同相となるように構成することができる。
【０２４８】
いくつかの実施形態において、第１位相シフト部品はさらに、当該第１位相シフト部品を通過する信号の第３周波数帯域を位相シフトすることにより、第３周波数帯域に対応する複数の経路の第３経路に沿って伝播する第３初期信号と、第１経路に沿って伝播する第３反射信号とが少なくとも部分的に同相となるように構成することができる。
【０２４９】
いくつかの実施形態において、第１位相シフト部品は、当該第１位相シフト部品を通過する信号の第２周波数帯域を位相シフトすることにより、第２初期信号と第２反射信号とが３６０度の整数倍の位相差を有するように構成することができる。
【０２５０】
いくつかの実施形態において、受信システムはさらに、入力において受信した入力信号を分割して、複数の経路に沿って伝播する複数の周波数帯域それぞれの複数の信号にするように構成されたマルチプレクサを含み得る。いくつかの実施形態において、受信システムはさらに、複数の経路に沿って伝播する信号を結合するように構成された信号結合器を含み得る。いくつかの実施形態において、受信システムはさらに、信号結合器及び出力間に設けられた結合器後段増幅器を含み得る。結合器後段増幅器は、当該結合器後段増幅器において受信した信号を増幅するように構成される。いくつかの実施形態において、複数の位相シフト部品の各一つは、信号結合器と複数の増幅器の対応する一つとの間に設けることができる。いくつかの実施形態において、複数の増幅器の少なくとも一つは二段増幅器を含み得る。
【０２５１】
いくつかの実施形態において、複数の位相シフト部品の少なくとも一つは、受動回路としてよい。いくつかの実施形態において、複数の位相シフト部品の少なくとも一つは、ＬＣ回路としてよい。
【０２５２】
いくつかの実施形態において、複数の位相シフト部品の少なくとも一つは、チューニング可能位相シフト部品を含み得る。これは、チューニング可能位相シフト部品を通過する信号を、制御器から受信した位相シフトチューニング信号が制御する量だけ位相シフトする。
【０２５３】
いくつかの実施形態において、受信システムはさらに、複数のインピーダンス整合部品を含み得る。インピーダンス整合部品の各一つは、複数の経路の対応する一つに沿って設けられ、当該複数の経路の当該対応する一つの帯域外雑音指数又は帯域外利得の少なくとも一つを減少させるように構成される。
【０２５４】
いくつかの実装において、本開示は、複数の部品を受容するように構成されたパッケージング基板を含む無線周波数（ＲＦ）モジュールに関する。ＲＦモジュールさらに、パッケージング基板に実装された受信システムを含む。受信システムは、当該受信システムの入力と当該受信システムの出力との間にある複数の経路の一以上を選択的にアクティブにするように構成された制御器を含む。受信システムはさらに複数の増幅器を含む。複数の増幅器の各一つは、複数の経路の対応する一つに沿って設けられ、当該増幅器において受信した信号を増幅するように構成される。受信システムはさらに複数の位相シフト部品を含む。複数の位相シフト部品の各一つは、複数の経路の対応する一つに沿って設けられ、位相シフト部品を通過する信号を位相シフトするように構成される。
【０２５５】
いくつかの実施形態において、ＲＦモジュールは、ダイバーシティ受信器フロントエンドモジュール（ＦＥＭ）としてよい。
【０２５６】
いくつかの実施形態において、第１周波数帯域に対応する複数の経路の第１経路に沿って設けられた複数の位相シフト部品の第１位相シフト部品は、当該第１位相シフト部品を通過する信号の第２周波数帯域を位相シフトすることにより、第２周波数帯域に対応する当該複数の経路の第２経路を伝播する第２初期信号と、第１経路に沿って伝播する第２反射信号とが少なくとも部分的に同相となるように構成される。
【０２５７】
いくつかの教示によれば、本開示は、第１無線周波数（ＲＦ）信号を受信するように構成された第１アンテナを含む無線装置に関する。無線装置はさらに、第１アンテナと通信する第１フロントエンドモジュール（ＦＥＭ）を含む。パッケージング基板を含む第１ＦＥＭは、複数の部品を受容するように構成される。第１ＦＥＭはさらに、パッケージング基板に実装された受信システムを含む。受信システムは、当該受信システムの入力と当該受信システムの出力との間にある複数の経路の一以上を選択的にアクティブにするように構成された制御器を含む。受信システムはさらに複数の増幅器を含む。複数の増幅器の各一つは、複数の経路の対応する一つに沿って設けられ、当該増幅器において受信した信号を増幅するように構成される。受信システムはさらに複数の位相シフト部品を含む。複数の位相シフト部品の各一つは、複数の経路の対応する一つに沿って設けられ、位相シフト部品を通過する信号を位相シフトするように構成される。無線装置はさらに、出力からの第１ＲＦ信号の処理済みバージョンを送信ラインを介して受信しかつ当該第１ＲＦ信号の処理済みバージョンに基づいてデータビットを生成するように構成された送受信器を含む。
【０２５８】
いくつかの実施形態において、無線装置はさらに、第２無線周波数（ＲＦ）信号を受信するように構成された第２アンテナと、第１アンテナと通信する第２ＦＥＭとを含み得る。送受信器は、第２ＦＥＭの出力から第２ＲＦ信号の処理済みバージョンを受信し、当該第２ＲＦ信号の処理済みバージョンに基づいてデータビットを生成するように構成される。
【０２５９】
いくつかの実施形態において、第１周波数帯域に対応する複数の経路の第１経路に沿って設けられた複数の位相シフト部品の第１位相シフト部品は、当該第１位相シフト部品を通過する信号の第２周波数帯域を位相シフトすることにより、第２周波数帯域に対応する当該複数の経路の第２経路を伝播する第２初期信号と、第１経路に沿って伝播する第２反射信号とが少なくとも部分的に同相となるように構成される。
【０２６０】
例Ｃ：インピーダンスシフト部品
【０２６１】
図５１は、いくつかの実施形態において、ダイバーシティ受信器構成Ｃ８００が、一以上のインピーダンス整合部品Ｃ８３４ａ〜Ｃ８３４ｂを備えたＤＲｘモジュールＣ８１０を含み得ることを示す。ＤＲｘモジュールＣ８１０は、アンテナ１４０に結合されたＤＲｘモジュールＣ８１０の入力から、送信ライン１３５に結合されたＤＲｘモジュールＣ８１０の出力への２つの経路を含む。
【０２６２】
図５１のＤＲｘモジュールＣ８１０において（図４７のＤＲｘモジュールＢ６１０においてのように）、信号分割器及び帯域通過フィルタはダイプレクサＣ６１１として実装される。ダイプレクサＣ６１１は、アンテナに結合された入力と、第１インピーダンス整合部品Ｃ８３４ａに結合された第１出力と、第２インピーダンス整合部品Ｃ８３４ｂに結合された第２出力とを含む。第１出力において、ダイプレクサＣ６１１は、第１周波数帯域へとフィルタリングされた入力において（例えばアンテナ１４０から）受信した信号を出力する。第２出力において、ダイプレクサＣ６１１は、第２周波数帯域へとフィルタリングされた入力において受信した信号を出力する。
【０２６３】
インピーダンス整合部品Ｃ８３４ａ〜Ｃ６３４ｄはそれぞれが、ダイプレクサＣ６１１及び増幅器Ｃ３１４ａ〜Ｃ３１４ｂ間に設けられる。ここに記載されるように、増幅器Ｃ３１４ａ〜Ｃ３１４ｂの各一つは、当該経路の対応する一つに沿って設けられ、増幅器において受信した信号を増幅するように構成される。増幅器Ｃ３１４ａ〜Ｃ３１４ｂの出力は信号結合器Ｃ６１２に供給される。
【０２６４】
信号結合器Ｃ６１２は、第１増幅器Ｃ３１４ａに結合された第１入力と、第２増幅器Ｃ３１４ｂに結合された第２入力と、ＤＲｘモジュールＣ６１０の出力に結合された出力とを含む。信号結合器の出力における信号は、第１入力及び第２入力の信号の合計である。
【０２６５】
信号がアンテナ１４０によって受信されると、当該信号は、ダイプレクサＣ６１１によって第１周波数帯域へとフィルタリングされ、第１増幅器Ｃ３１４ａを通る第１経路に沿って伝播する。同様に、信号は、ダイプレクサＣ６１１によって第２周波数帯域へとフィルタリングされ、第２増幅器Ｃ３１４ｂを通る第２経路に沿って伝播する。
【０２６６】
各経路は、雑音指数及び利得によって特徴づけることができる。各経路の雑音指数は、当該経路に沿って設けられた増幅器及びインピーダンス整合部品がもたらす信号対雑音比（ＳＮＲ）の劣化を表す。特に、各経路の雑音指数は、インピーダンス整合部品Ｃ８３４ａ〜Ｃ８３４ｂの入力におけるＳＮＲと、増幅器Ｃ３１４ａ〜Ｃ３１４ｂの出力におけるＳＮＲとのデシベル（ｄＢ）差である。すなわち、雑音指数は、同じ利得による増幅器の雑音出力と（雑音が発生しない）「理想の」増幅器の雑音出力との差の尺度である。同様に、各経路に対する利得は、当該経路に沿って設けられた増幅器及びインピーダンス整合部品がもたらす利得を表す。
【０２６７】
各経路の雑音指数及び利得は、異なる周波数帯域に対して異なり得る。例えば、第１経路は、第１周波数帯域に対する帯域内雑音指数及び帯域内利得と、第２周波数帯域に対する帯域外雑音指数及び帯域外利得とを有し得る。同様に、第２経路は、第２周波数帯域に対する帯域内雑音指数及び帯域内利得と、第１周波数帯域に対する帯域外雑音指数及び帯域外利得とを有し得る。
【０２６８】
ＤＲｘモジュールＣ８１０はまた、異なる周波数帯域に対して異なり得る雑音指数及び利得によって特徴づけることができる。特に、ＤＲｘモジュールＣ８１０の雑音指数は、ＤＲｘモジュールＣ８１０の入力におけるＳＮＲと、ＤＲｘモジュールＣ８１０の出力におけるＳＮＲとのｄＢ差である。
【０２６９】
（各周波数帯域における）各経路の雑音指数及び利得は、少なくとも一部では、インピーダンス整合部品Ｃ８３４ａ〜Ｃ８３４ｂの（各周波数帯域における）インピーダンスに依存し得る。したがって、インピーダンス整合部品Ｃ８３４ａ〜Ｃ８３４ｂのインピーダンスは、各経路の帯域内雑音指数を最小化し及び／又は各経路の帯域内利得を最大化するようにすることが有利となり得る。すなわち、いくつかの実装において、インピーダンス整合部品Ｃ８３４ａ〜Ｃ８３４ｂはそれぞれが、（かかるインピーダンス整合部品Ｃ８３４ａ〜Ｃ８３４ｂを欠くＤＲｘモジュールと比べて）その対応経路の帯域内雑音指数を減少させ及び／又はその対応経路の帯域内利得を増加させるように構成される。
【０２７０】
２つの経路に沿って伝播する信号が信号結合器Ｃ６１２によって結合されるので、増幅器が生成又は増幅する帯域外雑音は、当該結合された信号に負の影響を与え得る。例えば、第１増幅器Ｃ３１４ａが生成又は増幅する帯域外雑音は、第２周波数におけるＤＲｘモジュールＣ８１０の雑音指数を増加させ得る。したがって、インピーダンス整合部品Ｃ８３４ａ〜Ｃ８３４ｂのインピーダンスは、各経路の帯域外雑音指数を最小化し及び／又は各経路の帯域外利得を最小化するようにすることが有利となり得る。すなわち、いくつかの実装において、インピーダンス整合部品Ｃ８３４ａ〜Ｃ８３４ｂはそれぞれが、（かかるインピーダンス整合部品Ｃ８３４ａ〜Ｃ８３４ｂを欠くＤＲｘモジュールと比べて）その対応経路の帯域外雑音指数を減少させ及び／又はその対応経路の帯域外利得を減少させるように構成される。
【０２７１】
インピーダンス整合部品Ｃ８３４ａ〜Ｃ８３４ｂは、受動回路として実装してよい。特に、インピーダンス整合部品Ｃ８３４ａ〜Ｃ８３４ｂは、ＲＬＣ回路として実装してよく、抵抗器、インダクタ及び／又はキャパシタのような一以上の受動部品を含んでよい。受動部品は、並列及び／又は直列に接続してよく、かつ、ダイプレクサＣ６１１の出力と増幅器Ｃ３１４ａ〜Ｃ３１４ｂの入力との間に接続してよく、又はダイプレクサＣ６１１の出力と接地電圧との間に接続してよい。いくつかの実装において、インピーダンス整合部品Ｃ８３４ａ〜Ｃ８３４ｂは、増幅器Ｃ３１４ａ〜Ｃ３１４ｂと同じダイに又は同じパッケージに統合される。
【０２７２】
ここで述べたように、特定の経路に対し、インピーダンス整合部品Ｃ８３４ａ〜Ｃ８３４ｂのインピーダンスは、帯域内雑音指数を最小化し、帯域内利得を最大化し、帯域外雑音指数を最小化し、及び帯域外利得を最小化するようにすることが有利となり得る。これら４つの目標すべてを達成するように、２つのみの自由度（例えば第１周波数帯域におけるインピーダンス、及び第２周波数帯域におけるインピーダンス）によって又は他の様々な制約（例えば部品数、コスト、ダイ空間）を伴って、インピーダンス整合部品Ｃ８３４ａ〜Ｃ８３４ｂを設計することは難題である。したがって、いくつかの実装において、帯域内雑音指数の帯域内メトリックから帯域内利得をマイナスしたものが最小化され、帯域外雑音指数の帯域外メトリックに帯域外利得をプラスしたものが最小化される。これらの目標の双方を、様々な制約を伴って達成するようにインピーダンス整合部品Ｃ８３４ａ〜Ｃ８３４ｂを設計することも、依然として難題となり得る。すなわち、いくつかの実装において、帯域内メトリックは一組の制約を受けて最小化され、帯域外メトリックは、当該組の制約と、帯域内メトリックがしきい量（例えば０．１ｄＢ、０．２ｄＢ、０．５ｄＢ又は任意の他の値）を超えて増加することがないようにとの付加的制約とを受けて最小化される。したがって、インピーダンス整合部品は、帯域内雑音指数の帯域内メトリックから帯域内利得をマイナスしたものを、例えば任意の制約を受けて可能な帯域内メトリック最小値のような帯域内メトリック最小値のしきい量以内にまで低減するように構成される。インピーダンス整合部品はさらに、帯域外雑音指数に帯域外利得をプラスしたものである帯域外メトリックを、帯域内制約帯域外最小値、例えば帯域内メトリックがしきい量を超えて増加することがないようにとの付加的制約を受けて可能な最小帯域外メトリックまで低減するように構成される。いくつかの実装において、（帯域内因子により重みづけされた）帯域内メトリックに（帯域外因子により重みづけされた）帯域外メトリックをプラスした複合メトリックが、任意の制約を受けて最小化される。
【０２７３】
すなわち、いくつかの実装において、インピーダンス整合部品Ｃ８３４ａ〜Ｃ８３４ｂはそれぞれが、その対応経路の帯域内メトリック（帯域内雑音指数から帯域内利得をマイナスしたもの）を、（例えば帯域内雑音指数を減少させること、帯域内利得を増加させること、又はその双方により）減少させるように構成される。いくつかの実装において、インピーダンス整合部品Ｃ８３４ａ〜Ｃ８３４ｂのそれぞれはさらに、その対応経路の帯域外メトリック（帯域外雑音指数に帯域外利得をプラスしたもの）を、（例えば帯域外雑音指数を減少させること、帯域外利得を減少させること、又はその双方により）減少させるように構成される。
【０２７４】
いくつかの実装において、帯域外メトリックを減少させることにより、インピーダンス整合部品Ｃ８３４ａ〜Ｃ８３４ｂは、当該周波数帯域の一以上において、他の周波数帯域における雑音指数を実質的に増加させることなく、ＤＲｘモジュールＣ８１０の雑音指数を減少させる。
【０２７５】
図５２は、いくつかの実施形態において、ダイバーシティ受信器構成Ｃ９００が、チューニング可能インピーダンス整合部品Ｃ９３４ａ〜Ｃ９３４ｄを備えたＤＲｘモジュールＣ９１０を含み得ることを示す。チューニング可能インピーダンス整合部品Ｃ９３４ａ〜Ｃ９３４ｄはそれぞれが、ＤＲｘ制御器Ｃ９０２から受信したインピーダンスチューニング信号が制御するインピーダンスを提示するように構成することができる。
【０２７６】
ダイバーシティ受信器構成Ｃ９００は、アンテナ１４０に結合された入力と送信ライン１３５に結合された出力とを有するＤＲｘモジュールＣ９１０を含む。ＤＲｘモジュールＣ９１０は、ＤＲｘモジュールＣ９１０の入力及び出力間に一定数の経路を含む。いくつかの実装において、ＤＲｘモジュールＣ９１０は、ＤＲｘ制御器Ｃ９０２が制御する一以上のバイパススイッチによってアクティブにされる入力及び出力間の一以上のバイパス経路（図示せず）を含む。
【０２７７】
ＤＲｘモジュールＣ９１０は、入力マルチプレクサＣ３１１及び出力マルチプレクサ３１２を含む一定数のマルチプレクサ経路を含む。マルチプレクサ経路は、入力マルチプレクサＣ３１１、帯域通過フィルタＣ３１３ａ〜Ｃ３１３ｄ、チューニング可能インピーダンス整合部品Ｃ９３４ａ〜Ｃ９３４ｄ、増幅器Ｃ３１４ａ〜Ｃ３１４ｄ及び出力マルチプレクサＣ３１２を含む一定数のオンモジュール経路（図示）を含む。マルチプレクサ経路は、ここに記載される一以上のオフモジュール経路（図示せず）を含んでよい。またもここに記載されるように、増幅器Ｃ３１４ａ〜Ｃ３１４ｄは、可変利得増幅器及び／又は可変電流増幅器としてよい。
【０２７８】
チューニング可能インピーダンス整合部品Ｃ９３４ａ〜Ｃ９３４ｂは、チューニング可能Ｔ型回路、チューニング可能π型回路、又は任意の他のチューニング可能整合回路とすることができる。チューニング可能インピーダンス整合部品Ｃ９３４ａ〜Ｃ９３４ｄは、抵抗器、インダクタ及びキャパシタのような一以上の可変部品を含み得る。これらの可変部品は、並列及び／又は直列に接続してよく、かつ、入力マルチプレクサＣ３１１の出力と増幅器Ｃ３１４ａ〜Ｃ３１４ｄの入力との間に接続してよく、又は入力マルチプレクサＣ３１１の出力と接地電圧との間に接続してよい。
【０２７９】
ＤＲｘ制御器Ｃ９０２は、入力及び出力間の複数の経路の一以上を選択的にアクティブにするように構成される。いくつかの実装において、ＤＲｘ制御器Ｃ９０２は、ＤＲｘ制御器Ｃ９０２が（例えば通信制御器から）受信した帯域選択信号に基づいて複数の経路の一以上を選択的にアクティブにするように構成される。ＤＲｘ制御器Ｃ９０２は、例えば、増幅器Ｃ３１４ａ〜Ｃ３１４ｄのイネーブル又はディセーブルにより、マルチプレクサＣ３１１、Ｃ３１２の制御により、又はここに記載される他のメカニズムを介して当該経路を選択的にアクティブにすることができる。
【０２８０】
いくつかの実装において、ＤＲｘ制御器Ｃ９０２は、チューニング可能インピーダンス整合部品Ｃ９３４ａ〜Ｃ９３４ｄをチューニングするように構成される。いくつかの実装において、ＤＲｘ制御器Ｃ７０２は、帯域選択信号に基づいてチューニング可能インピーダンス整合部品Ｃ９３４ａ〜Ｃ９３４ｄをチューニングする。例えば、ＤＲｘ制御器Ｃ９０２は、チューニング可能インピーダンス整合部品Ｃ９３４ａ〜Ｃ９３４ｄを、帯域選択信号が指示する複数の周波数帯域（又は複数組の周波数帯域）をチューニングパラメータに関連づけるルックアップテーブルに基づいてチューニングすることができる。したがって、チューニング可能インピーダンス整合部品（又はその可変部品）をチューニングパラメータに応じてチューニングするべく、ＤＲｘ制御器Ｃ９０２は、帯域選択信号に応答して、インピーダンスチューニング信号を、アクティブな各経路のチューニング可能インピーダンス整合部品Ｃ９３４ａ〜Ｃ９３４ｄに送信することができる。
【０２８１】
いくつかの実装において、ＤＲｘ制御器Ｃ９０２は、チューニング可能インピーダンス整合部品Ｃ９３４ａ〜Ｃ９３４ｄを、増幅器Ｃ３１４ａ〜Ｃ３１４ｄの利得及び／又は電流を制御するべく送信された増幅器制御信号に少なくとも部分的に基づいてチューニングする。
【０２８２】
いくつかの実装において、ＤＲｘ制御器Ｃ９０２は、アクティブな各経路のチューニング可能インピーダンス整合部品Ｃ９３４ａ〜Ｃ９３４ｄをチューニングすることにより、帯域内雑音指数が最小化（若しくは低減）され、帯域内利得が最大化（若しくは増加）され、他のアクティブ経路のそれぞれに対する帯域外雑音指数が最小化（若しくは低減）され、及び／又は他のアクティブ経路のそれぞれに対する帯域外利得が最小化（若しくは低減）されるように構成される。
【０２８３】
いくつかの実装において、ＤＲｘ制御器Ｃ９０２は、アクティブな各経路のチューニング可能インピーダンス整合部品Ｃ９３４ａ〜Ｃ９３４ｄをチューニングすることにより、他のアクティブな経路のそれぞれに対し、帯域内メトリック（帯域内雑音指数から帯域内利得をマイナスしたもの）が最小化（又は低減）され、帯域外メトリック（帯域外雑音指数に帯域外利得をプラスしたもの）が最小化（又は低減）されように構成される。
【０２８４】
いくつかの実装において、ＤＲｘ制御器Ｃ９０２は、アクティブな各経路のチューニング可能インピーダンス整合部品Ｃ９３４ａ〜Ｃ９３４ｄをチューニングすることにより、帯域内メトリックが一組の制約を受けて最小化（又は低減）され、他のアクティブな経路のそれぞれに対する帯域外メトリックが当該一組の制約と、帯域内メトリックがしきい量（例えば０．１ｄＢ、０．２ｄＢ、０．５ｄＢ又は任意の他の値）を超えて増加することがないようにとの付加的制約とを受けて最小化（又は低減）される。
【０２８５】
すなわち、いくつかの実装において、ＤＲｘ制御器Ｃ９０２は、アクティブな各経路のチューニング可能インピーダンス整合部品Ｃ９３４ａ〜Ｃ９３４ｄをチューニングすることにより、当該チューニング可能インピーダンス整合部品が、帯域内雑音指数から帯域内利得をマイナスしたものである帯域内メトリックを、帯域内メトリック最小値、例えば任意の制約を受けて可能な帯域内メトリック最小値のしきい量以内にまで低減するように構成される。ＤＲｘ制御器Ｃ９０２はさらに、アクティブな各経路のチューニング可能インピーダンス整合部品Ｃ９３４ａ〜Ｃ９３４ｄをチューニングすることにより、当該チューニング可能インピーダンス整合部品が、帯域外雑音指数に帯域外利得をプラスしたものである帯域外メトリックを、帯域内制約帯域外最小値のような、例えば帯域内メトリックがしきい量を超えて増加することがないようにとの付加的制約を受けて可能な最小帯域外メトリックにまで低減するように構成される。
【０２８６】
いくつかの実装において、ＤＲｘ制御器Ｃ９０２は、アクティブな各経路のチューニング可能インピーダンス整合部品Ｃ９３４ａ〜Ｃ９３４ｄをチューニングすることにより、（帯域内因子により重みづけされた）帯域内メトリックに（他のアクティブな経路それぞれに対して帯域外因子により重みづけされた）他のアクティブな経路に対する帯域外メトリックをプラスしたものである複合メトリックが、任意の制約を受けて最小化（又は低減）されるように構成される。
【０２８７】
ＤＲｘ制御器Ｃ９０２は、チューニング可能インピーダンス整合部品Ｃ９３４ａ〜Ｃ９３４ｄの可変部品を、異なる複数組の周波数帯域に対して異なる値を有するようにチューニングすることができる。
【０２８８】
いくつかの実装において、チューニング可能インピーダンス整合部品Ｃ９３４ａ〜Ｃ９３４ｄは、チューニング可能ではなくＤＲｘ制御器Ｃ９０２による制御もできない固定インピーダンス整合部品によって置き換えてよい。一つの周波数帯域に対応する経路の対応する一つに沿って設けられたインピーダンス整合部品の各一つは、当該一つの周波数帯域のための帯域内メトリックを低減（又は最小化）するように構成し、及び他の周波数帯域（例えば他の周波数帯域のそれぞれ）の一以上のための帯域外メトリックを低減（又は最小化）するように構成してよい。
【０２８９】
例えば、第３インピーダンス整合部品Ｃ９３４ｃは、固定であり、かつ、（１）第３周波数帯域のための帯域内メトリックを低減し、（２）第１周波数帯域のための帯域外メトリックを低減し、（３）第２周波数帯域のための帯域外メトリックを低減し、及び／又は（４）第４周波数帯域の帯域外メトリックを低減するように構成される。他のインピーダンス整合部品も、同様に固定して構成してよい。
【０２９０】
すなわち、ＤＲｘモジュールＣ９１０は、ＤＲｘモジュールＣ９１０の入力とＤＲｘモジュールＣ９１０の出力との間にある複数の経路を選択的にするように構成されたＤＲｘ制御器Ｃ９０２を含む。ＤＲｘモジュールＣ９１０はさらに複数の増幅器Ｃ３１４ａ〜Ｃ３１４ｄを含む。複数の増幅器Ｃ３１４ａ〜Ｃ３１４ｄの各一つは、複数の経路の対応する一つに沿って設けられ、当該増幅器において受信した信号を増幅するように構成される。ＤＲｘモジュールさらに複数のインピーダンス整合部品Ｃ９３４ａ〜Ｃ９３４ｄを含む。複数の位相シフト部品Ｃ９３４ａ〜Ｃ９３４ｄの各一つは、複数の経路の対応する一つに沿って設けられ、当該複数の経路の当該一つの帯域外雑音指数又は帯域外利得の少なくとも一つを低減するように構成される。
【０２９１】
いくつかの実装において、第１インピーダンス整合部品Ｃ９３４ａは、第１周波数帯域（例えば第１帯域通過フィルタＣ３１３ａの周波数帯域）に対応する第１経路に沿って設けられ、第２経路に対応する第２周波数帯域（例えば第２帯域通過フィルタＣ３１３ｂの周波数帯域）のための帯域外雑音指数又は帯域外利得の少なくとも一方を低減するように構成される。
【０２９２】
いくつかの実装において、第１インピーダンス整合部品Ｃ９３４ａはさらに、第３経路に対応する第３周波数帯域（例えば第３帯域通過フィルタＣ３１３ｃの周波数帯域）のための帯域外雑音指数又は帯域外利得の少なくとも一方を低減するように構成される。
【０２９３】
同様に、いくつかの実装において、第２経路に沿って設けられた第２インピーダンス整合部品Ｃ９３４ｂは、第１周波数帯域のための帯域外雑音指数又は帯域外利得の少なくとも一つを低減するように構成される。
【０２９４】
図５３は、いくつかの実施形態において、ダイバーシティ受信器構成ＢＣ１０００が、チューニング可能インピーダンス整合部品が入力及び出力に設けられたＤＲｘモジュールＢＣ１０１０を含み得ることを示す。ＤＲｘモジュールＢＣ１０１０は、ＤＲｘモジュールＢＣ１０１０の入力及び出力の一以上に設けられた一以上のチューニング可能インピーダンス整合部品を含み得る。特に、ＤＲｘモジュールＢＣ１０１０は、ＤＲｘモジュールＢＣ１０１０の入力に設けられた入力チューニング可能インピーダンス整合部品ＢＣ１０１６、ＤＲｘモジュールＢＣ１０１０の出力に設けられた出力チューニング可能インピーダンス整合部品ＢＣ１０１７、又はその双方を含み得る。
【０２９５】
同じダイバーシティアンテナ１４０において受信した多重周波数帯域のすべてが、理想的なインピーダンス整合である可能性は低い。コンパクト整合回路を使用して各周波数帯域を整合させるべく、チューニング可能入力インピーダンス整合部品ＢＣ１０１６をＤＲｘモジュールＢＣ１０１０の入力に実装して（例えば通信制御器からの帯域選択信号に基づいて）ＤＲｘ制御器ＢＣ１００２によって制御することができる。例えば、ＤＲｘ制御器ＢＣ１００２は、チューニング可能入力インピーダンス整合部品ＢＣ１０１６を、帯域選択信号が指示する複数の周波数帯域（又は複数組の周波数帯域）をチューニングパラメータに関連づけるルックアップテーブルに基づいてチューニングすることができる。したがって、ＤＲｘ制御器ＢＣ１００２は、チューニング可能入力インピーダンス整合部品（又はその可変部品）をチューニングパラメータに応じてチューニングするべく、帯域選択信号に応答して入力インピーダンスチューニング信号をチューニング可能入力インピーダンス整合部品ＢＣ１０１６に送信することができる。
【０２９６】
チューニング可能入力インピーダンス整合部品ＢＣ１０１６は、チューニング可能Ｔ型回路、チューニング可能π型回路、又は任意の他のチューニング可能整合回路としてよい。特に、チューニング可能入力インピーダンス整合部品ＢＣ１０１６は、抵抗器、インダクタ及びキャパシタのような一以上の可変部品を含み得る。これらの可変部品は、並列及び／又は直列に接続してよく、かつ、ＤＲｘモジュールＢＣ１０１０の入力と第１マルチプレクサＢＣ３１１の入力との間に接続してよく、又はＤＲｘモジュールＢＣ１０１０の入力と接地電圧との間に接続してよい。
【０２９７】
同様に、多くの周波数帯域の信号を搬送する一つのみの送信ライン１３５（又は少なくともいくつかの送信ライン）によっては、多重周波数帯域すべてが理想的なインピーダンス整合となる可能性は低い。コンパクト整合回路を使用して各周波数帯域を整合させるべく、チューニング可能出力インピーダンス整合部品ＢＣ１０１７をＤＲｘモジュールＢＣ１０１０の出力に実装して（例えば通信制御器からの帯域選択信号に基づいて）ＤＲｘ制御器ＢＣ１００２によって制御することができる。例えば、ＤＲｘ制御器ＢＣ１００２は、チューニング可能出力インピーダンス整合部品ＢＣ１０１７を、帯域選択信号が指示する複数の周波数帯域（又は複数組の周波数帯域）をチューニングパラメータに関連づけるルックアップテーブルに基づいてチューニングすることができる。したがって、チューニング可能出力インピーダンス整合部品（又はその可変部品）をチューニングパラメータに応じてチューニングするべく、ＤＲｘ制御器ＢＣ１００２は、帯域選択信号に応答して、出力インピーダンスチューニング信号をチューニング可能出力インピーダンス整合部品ＢＣ１０１７に送信することができる。
【０２９８】
チューニング可能出力インピーダンス整合部品ＢＣ１０１７は、チューニング可能Ｔ型回路、チューニング可能π型回路又は任意の他のチューニング可能整合回路としてよい。特に、チューニング可能出力インピーダンス整合部品ＢＣ１０１７は、抵抗器、インダクタ及びキャパシタのような一以上の可変部品を含み得る。これらの可変部品は、並列及び／又は直列に接続してよく、かつ、第２マルチプレクサＢＣ３１２の出力とＤＲｘモジュールＢＣ１０１０の出力との間に接続してよく、又は第２マルチプレクサＢＣ３１２の出力と接地電圧との間に接続してよい。
【０２９９】
図５４は、いくつかの実施形態において、ダイバーシティ受信器構成ＢＣ１１００が、多重チューニング可能部品を備えたＤＲｘモジュールＢＣ１１１０を含み得ることを示す。ダイバーシティ受信器構成ＢＣ１１００は、アンテナ１４０に結合された入力と送信ライン１３５に結合された出力とを有するＤＲｘモジュールＢＣ１１１０を含む。ＤＲｘモジュールＢＣ１１１０は、ＤＲｘモジュールＢＣ１１１０の入力及び出力間に一定数の経路を含む。いくつかの実装において、ＤＲｘモジュールＢＣ１１１０は、入力と、ＤＲｘ制御器ＢＣ１１０２が制御する一以上のバイパススイッチによりアクティブにされる出力との間にある一以上のバイパス経路（図示せず）を含む。
【０３００】
ＤＲｘモジュールＢＣ１１１０は、入力マルチプレクサＢＣ３１１及び出力マルチプレクサＢＣ３１２を含む一定数のマルチプレクサ経路を含む。マルチプレクサ経路は、一定数のオンモジュール経路（図示）を含む。これは、チューニング可能入力インピーダンス整合部品ＢＣ１０１６、入力マルチプレクサＢＣ３１１、帯域通過フィルタＢＣ３１３ａ〜ＢＣ３１３ｄ、チューニング可能インピーダンス整合部品ＢＣ９３４ａ〜ＢＣ９３４ｄ、増幅器ＢＣ３１４ａ〜ＢＣ３１４ｄ、チューニング可能位相シフト部品ＢＣ７２４ａ〜ＢＣ７２４ｄ、出力マルチプレクサＢＣ３１２、及びチューニング可能出力インピーダンス整合部品ＢＣ１０１７を含む。マルチプレクサ経路は、ここに記載される一以上のオフモジュール経路（図示せず）を含んでよい。またもここに記載されるように、増幅器ＢＣ３１４ａ〜ＢＣ３１４ｄは、可変利得増幅器及び／又は可変電流増幅器とすることができる。
【０３０１】
ＤＲｘ制御器ＢＣ１１０２は、入力及び出力間の複数の経路の一以上を選択的にアクティブにするように構成される。いくつかの実装において、ＤＲｘ制御器ＢＣ１１０２は、ＤＲｘ制御器ＢＣ１１０２が（例えば通信制御器から）受信した帯域選択信号に基づいて複数の経路の一以上を選択的にアクティブにするように構成される。ＤＲｘ制御器ＢＣ９０２は、例えば、増幅器ＢＣ３１４ａ〜ＢＣ３１４ｄのイネーブル又はディセーブルにより、マルチプレクサＢＣ３１１、ＢＣ３１２の制御により、又はここに記載される他のメカニズムを介して当該経路を選択的にアクティブにすることができる。いくつかの実装において、ＤＲｘ制御器ＢＣ１１０２は、それぞれが一以上のアクティブにされた経路に沿って設けられた一以上の増幅器ＢＣ３１４ａ〜ＢＣ３１４ｄに増幅器制御信号を送信するように構成される。増幅器制御信号は、送信先となる増幅器の利得（又は電流）を制御する。
【０３０２】
ＤＲｘ制御器ＢＣ１１０２は、チューニング可能入力インピーダンス整合部品ＢＣ１０１６、チューニング可能インピーダンス整合部品ＢＣ９３４ａ〜ＢＣ９３４ｄ、チューニング可能位相シフト部品ＢＣ７２４ａ〜ＢＣ７２４ｄ及びチューニング可能出力インピーダンス整合部品ＢＣ１０１７の一以上をチューニングするように構成される。例えば、ＤＲｘ制御器ＢＣ１１０２は、チューニング可能部品を、帯域選択信号が指示する複数の周波数帯域（又は複数組の周波数帯域）をチューニングパラメータに関連づけるルックアップテーブルに基づいてチューニングすることができる。したがって、ＤＲｘ制御器ＢＣ１１０１は、チューニング可能部品（又はその可変部品）をチューニングパラメータに応じてチューニングするべく、帯域選択信号に応答してチューニング信号を、チューニング可能部品（アクティブな経路）に送信することができる。いくつかの実装において、ＤＲｘ制御器ＢＣ１１０２は、増幅器ＢＣ３１４ａ〜ＢＣ３１４ｄの利得及び／又は電流を制御するべく、少なくとも部分的に増幅器制御信号に基づいてチューニング可能部品をチューニングする。様々な実装において、チューニング可能部品の一以上は、ＤＲｘ制御器ＢＣ１１０２が制御しない固定部品によって置き換えてよい。
【０３０３】
なお、チューニング可能部品の一つのチューニングは、他のチューニング可能部品のチューニングに影響を与え得る。すなわち、第１チューニング可能部品のためのルックアップテーブルにおけるチューニングパラメータは、第２チューニング可能部品のためのチューニングパラメータに基づいてよい。例えば、チューニング可能位相シフト部品ＢＣ７２４ａ〜ＢＣ７２４ｄのためのチューニングパラメータは、チューニング可能インピーダンス整合部品ＢＣ９３４ａ〜ＢＣ９３４ｄのためのチューニングパラメータに基づいてよい。他例では、チューニング可能インピーダンス整合部品ＢＣ９３４ａ〜ＢＣ９３４ｄのためのチューニングパラメータは、チューニング可能入力インピーダンス整合部品ＢＣ１０１６のためのチューニングパラメータに基づいてよい。
【０３０４】
図５５は、ＲＦ信号を処理する方法のフローチャート表現の一実施形態を示す。いくつかの実装において（及び一例として以下に詳述されるように）、方法ＢＣ１２００は、図５４のＤＲｘ制御器ＢＣ１１０２のような制御器によって行われる。いくつかの実装において、方法ＢＣ１２００は、ハードウェア、ファームウェア、ソフトウェア又はこれらの組み合わせを含む処理ロジックによって行われる。いくつかの実装において、方法ＢＣ１２００は、非一時的なコンピュータ可読媒体（例えばメモリ）に記憶されたコードを実行するプロセッサによって行われる。簡潔には、方法ＢＣ１２００は、帯域選択信号を受信することと、受信したＲＦ信号を一以上のチューニングされた経路に引き回して当該受信したＲＦ信号を処理することとを含む。
【０３０５】
方法ＢＣ１２００は、ブロックＢＣ１２１０において、制御器が帯域選択信号を受信することから開始する。制御器は、他の制御器から帯域選択信号を受信し、又はセルラー基地局若しくは他の外部ソースから帯域選択信号を受信することができる。帯域選択信号は、無線装置がＲＦ信号を送受信する一以上の周波数帯域を指示することができる。いくつかの実装において、帯域選択信号は、キャリアアグリゲーション通信のための一組の周波数帯域を指示する。
【０３０６】
ブロックＢＣ１２２０において、制御器は、ダイバーシティ受信器（ＤＲｘ）モジュールの一以上の経路を、帯域選択信号に基づいて選択的にアクティブにする。ここに記載されるように、ＤＲｘモジュールは、当該ＤＲｘモジュールの（一以上のアンテナに結合された）一以上の入力と（一以上の送信ラインに結合された）一以上の出力との間にある一定数の経路を含み得る。経路は、バイパス経路及びマルチプレクサ経路を含み得る。マルチプレクサ経路は、オンモジュール経路及びオフモジュール経路を含み得る。
【０３０７】
制御器は、複数の経路の一以上を、例えば、一以上のバイパススイッチの開閉により、当該経路に沿って設けられた増幅器の、増幅器イネーブル信号を介したイネーブル若しくはディセーブルにより、分割器制御信号及び／若しくは結合器制御信号を介した一以上のマルチプレクサの制御により、又は他のメカニズムを介して選択的にアクティブにすることができる。例えば、制御器は、当該経路に沿って設けられたスイッチを開閉すること、又は当該経路に沿って設けられた増幅器の利得を実質的にゼロに設定することができる。
【０３０８】
ブロックＢＣ１２３０において、制御器はチューニング信号を、一以上のアクティブにされた経路に沿って設けられた一以上のチューニング可能部品に送信する。チューニング可能部品は、ＤＲｘモジュールの入力に設けられたチューニング可能インピーダンス整合部品と、複数の経路に沿ってそれぞれが設けられた複数のチューニング可能インピーダンス整合部品と、当該複数の経路に沿ってそれぞれが設けられた複数のチューニング可能位相シフト部品と、ＤＲｘモジュールの出力に設けられたチューニング可能出力インピーダンス整合部品との一以上を含み得る。
【０３０９】
制御器は、チューニング可能部品を、帯域選択信号が指示する複数の周波数帯域（又は複数組の周波数帯域）をチューニングパラメータに関連づけるルックアップテーブルに基づいてチューニングすることができる。したがって、ＤＲｘ制御器は、チューニング可能部品（又はその可変部品）をチューニングパラメータに応じてチューニングするべく、帯域選択信号に応答してチューニング信号を、（アクティブな経路の）チューニング可能部品に送信することができる。いくつかの実装において、制御器は、それぞれが一以上のアクティブにされた経路に沿って設けられた一以上の増幅器の利得及び／又は電流を制御するべく、少なくとも部分的に増幅器制御信号に基づいてチューニング可能部品をチューニングする。
【０３１０】
とりわけ、インピーダンスシフト部品に関する上述の例Ｃは、以下のようにまとめることができる。
【０３１１】
いくつかの実施形態によれば、本開示は受信システムに関し、これは、当該受信システムの入力と当該受信システムの出力との間にある複数の経路の一以上を選択的にアクティブにするように構成された制御器を含む。受信システムはさらに複数の増幅器を含む。複数の増幅器の各一つは、複数の経路の対応する一つに沿って設けられ、当該増幅器において受信した信号を増幅するように構成される。受信システムはさらに、複数のインピーダンス整合部品を含む。複数のインピーダンス整合部品の各一つは、複数の経路の対応する一つに沿って設けられ、当該複数の経路の当該一つの帯域外雑音指数及び帯域外利得を低減するように構成される。
【０３１２】
いくつかの実施形態において、第１周波数帯域に対応する複数の経路の第１経路に沿って設けられた複数のインピーダンス整合部品の第１インピーダンス整合部品は、当該複数の経路の第２経路に対応する第２周波数帯域のための帯域外雑音指数又は帯域外利得の少なくとも一方を低減するように構成することができる。
【０３１３】
いくつかの実施形態において、第２経路に沿って設けられた複数のインピーダンス整合部品の第２インピーダンス整合部品は、第１周波数帯域のための帯域外雑音指数又は帯域外利得の少なくとも一方を低減するように構成することができる。いくつかの実施形態において、第１インピーダンス整合部品はさらに、複数の経路の第３経路に対応する第３周波数帯域のための帯域外雑音指数又は帯域外利得の少なくとも一方を低減するように構成することができる。
【０３１４】
いくつかの実施形態において、第１インピーダンス整合部品はさらに、帯域内雑音指数の少なくとも一つを低減し、又は第１周波数帯域のための帯域内利得を増加させるように構成される。いくつかの実施形態において、第１インピーダンス整合部品は、帯域内雑音指数から帯域内利得をマイナスしたものである帯域内メトリックを、帯域内メトリック最小値のしきい量以内にまで低減するように構成される。いくつかの実施形態において、第１インピーダンス整合部品は、帯域外雑音指数に帯域外利得をプラスしたものである帯域外メトリックを、帯域内制約つき帯域外最小値まで低減するよう構成することができる。
【０３１５】
いくつかの実施形態において、受信システムはさらに、入力において受信した入力信号を分割して、複数の経路に沿って伝播する複数の周波数帯域それぞれの複数の信号にするように構成されたマルチプレクサを含み得る。いくつかの実施形態において、複数のインピーダンス整合部品の各一つは、マルチプレクサと複数の増幅器の対応する一つとの間に設けることができる。いくつかの実施形態において、受信システムはさらに、複数の経路に沿って伝播する信号を結合するように構成された信号結合器を含み得る。
【０３１６】
いくつかの実施形態において、複数のインピーダンス部品の少なくとも一つは、受動回路としてよい。いくつかの実施形態において、複数のインピーダンス整合部品の少なくとも一つは、ＲＬＣ回路としてよい。
【０３１７】
いくつかの実施形態において、複数のインピーダンス整合部品の少なくとも一つは、制御器から受信したインピーダンスチューニング信号が制御するインピーダンスを提示するように構成されたチューニング可能インピーダンス整合部品を含み得る。
【０３１８】
いくつかの実施形態において、第１周波数帯域に対応する複数の経路の第１経路に沿って設けられた第１インピーダンス整合部品はさらに、当該第１インピーダンス整合部品を通過する信号の第２周波数帯域を位相シフトすることにより、第２周波数帯域に対応する複数の経路の第２経路に沿って伝播する初期信号と、第１経路に沿って伝播する反射信号とが少なくとも部分的に同相となるように構成される。
【０３１９】
いくつかの実装において、本開示は、複数の部品を受容するように構成されたパッケージング基板を含む無線周波数（ＲＦ）モジュールに関する。ＲＦモジュールさらに、パッケージング基板に実装された受信システムを含む。受信システムは、当該受信システムの入力と当該受信システムの出力との間にある複数の経路の一以上を選択的にアクティブにするように構成された制御器を含む。受信システムはさらに複数の増幅器を含む。複数の増幅器の各一つは、複数の経路の対応する一つに沿って設けられ、当該増幅器において受信した信号を増幅するように構成される。受信システムはさらに、複数のインピーダンス整合部品を含む。複数のインピーダンス整合部品の各一つは、複数の経路の対応する一つに沿って設けられ、当該複数の経路の当該一つの帯域外雑音指数及び帯域外利得を低減するように構成される。いくつかの実施形態において、ＲＦモジュールは、ダイバーシティ受信器フロントエンドモジュール（ＦＥＭ）としてよい。
【０３２０】
いくつかの実施形態において、第１周波数帯域に対応する複数の経路の第１経路に沿って設けられた複数のインピーダンス整合部品の第１インピーダンス整合部品は、当該複数の経路の第２経路に対応する第２周波数帯域のための帯域外雑音指数又は帯域外利得の少なくとも一方を低減するように構成することができる。
【０３２１】
いくつかの教示によれば、本開示は、第１無線周波数（ＲＦ）信号を受信するように構成された第１アンテナを含む無線装置に関する。無線装置はさらに、第１アンテナと通信する第１フロントエンドモジュール（ＦＥＭ）を含む。パッケージング基板を含む第１ＦＥＭは、複数の部品を受容するように構成される。第１ＦＥＭはさらに、パッケージング基板に実装された受信システムを含む。受信システムは、当該受信システムの入力と当該受信システムの出力との間にある複数の経路の一以上を選択的にアクティブにするように構成された制御器を含む。受信システムはさらに複数の増幅器を含む。複数の増幅器の各一つは、複数の経路の対応する一つに沿って設けられ、当該増幅器において受信した信号を増幅するように構成される。受信システムはさらに、複数のインピーダンス整合部品を含む。複数のインピーダンス整合部品の各一つは、複数の経路の対応する一つに沿って設けられ、当該複数の経路の当該一つの帯域外雑音指数及び帯域外利得を低減するように構成される。無線装置はさらに、出力からの第１ＲＦ信号の処理済みバージョンを送信ラインを介して受信しかつ当該第１ＲＦ信号の処理済みバージョンに基づいてデータビットを生成するように構成された送受信器を含む。
【０３２２】
いくつかの実施形態において、無線装置はさらに、第２無線周波数（ＲＦ）信号を受信するように構成された第２アンテナと、第１アンテナと通信する第２ＦＥＭとを含み得る。送受信器は、第２ＦＥＭの出力から第２ＲＦ信号の処理済みバージョンを受信し、当該第２ＲＦ信号の処理済みバージョンに基づいてデータビットを生成するように構成される。
【０３２３】
いくつかの実施形態において、第１周波数帯域に対応する複数の経路の第１経路に沿って設けられた複数のインピーダンス整合部品の第１インピーダンス整合部品は、複数の経路の第２経路に対応する第２周波数帯域のための帯域外雑音指数又は帯域外利得の少なくとも一方を低減するように構成される。
【０３２４】
例Ｄ：増幅器後段フィルタ
【０３２５】
図５６は、いくつかの実施形態において、ダイバーシティ受信器構成Ｄ４００が、複数の増幅器Ｄ３１４ａ〜Ｄ３１４ｄの出力に設けられた複数の帯域通過フィルタＤ４２３ａ〜Ｄ４２３ｄを有するダイバーシティ受信器（ＤＲｘ）モジュールＤ４１０を含み得ることを示す。ダイバーシティ受信器構成Ｄ４００は、アンテナ１４０に結合された入力と送信ライン１３５に結合された出力とを有するＤＲｘモジュールＤ４１０を含む。ＤＲｘモジュールＤ４１０は、ＤＲｘモジュールＤ４１０の入力及び出力間に一定数の経路を含む。各経路は、入力マルチプレクサＤ３１１、増幅器前段帯域通過フィルタＤ４１３ａ〜Ｄ４１３ｄ、増幅器Ｄ３１４ａ〜Ｄ３１４ｄ、増幅器後段帯域通過フィルタＤ４２３ａ〜Ｄ４２３ｄ及び出力マルチプレクサＤ３１２を含む。
【０３２６】
ＤＲｘ制御器Ｄ３０２は、入力及び出力間の複数の経路の一以上を選択的にアクティブにするように構成される。いくつかの実装において、ＤＲｘ制御器Ｄ３０２は、ＤＲｘ制御器Ｄ３０２が（例えば通信制御器から）受信した帯域選択信号に基づいて複数の経路の一以上を選択的にアクティブにするように構成される。ＤＲｘ制御器Ｄ３０２は、例えば、増幅器Ｄ３１４ａ〜Ｄ３１４ｄのイネーブル若しくはディセーブルにより、マルチプレクサＤ３１１、Ｄ３１２の制御により、又は他の機構を介して当該経路を選択的にアクティブにすることができる。
【０３２７】
ＤＲｘモジュールＤ４１０の出力が、送信ライン１３５を介してダイバーシティＲＦモジュールＤ４２０へと通される。ダイバーシティＲＦモジュールＤ４２０は、図５６のダイバーシティＲＦモジュールＤ４２０が下流側帯域通過フィルタを含まない点で、図３９のダイバーシティＲＦモジュール３２０とは異なる。いくつかの実装において（例えば図５６に示されるように）、下流側マルチプレクサＤ３２１は、サンプルスイッチとして実装してよい。
【０３２８】
増幅器後段帯域通過フィルタＤ４２３ａ〜Ｄ４２３ｄを、ダイバーシティＲＦモジュールＤ４２０ではなくＤＲｘモジュールＤ４１０の中に含めることは、一定数の利点をもたらし得る。例えば、以下に詳述されるように、かかる構成は、ＤＲｘモジュールＤ４１０の雑音指数を改善し、フィルタ設計を簡略化し、及び／又は経路アイソレーションを改善する。
【０３２９】
ＤＲｘモジュールＤ４１０の各経路は、雑音指数によって特徴づけることができる。各経路の雑音指数は、経路に沿った伝播が引き起こす信号対雑音比（ＳＮＲ）劣化を表す。特に、各経路の雑音指数は、増幅器前段帯域通過フィルタＤ４１３ａ〜Ｄ４１３ｄの入力におけるＳＮＲと、増幅器後段帯域通過フィルタＤ４２３ａ〜Ｄ４２３４ｂの出力におけるＳＮＲとのデシベル（ｄＢ）差として表現することができる。各経路の雑音指数は、異なる周波数帯域に対して異なり得る。例えば、第１経路は、第１周波数帯域に対する帯域内雑音指数と、第２周波数帯域に対する帯域外雑音指数とを有し得る。同様に、第２経路は、第２周波数帯域に対する帯域内雑音指数と、第１周波数帯域に対する帯域外雑音指数とを有し得る。
【０３３０】
ＤＲｘモジュールＤ４１０はまた、異なる周波数帯域に対して異なり得る雑音指数によって特徴づけることができる。特に、ＤＲｘモジュールＤ４１０の雑音指数は、ＤＲｘモジュールＤ４１０の入力におけるＳＮＲと、ＤＲｘモジュールＤ４１０の出力におけるＳＮＲとのｄＢ差である。
【０３３１】
２つの経路に沿って伝播する信号は出力マルチプレクサＤ３１２によって結合されるので、増幅器が生成又は増幅する帯域外雑音は、当該結合された信号に負の影響を与え得る。例えば、第１増幅器Ｄ３１４ａが生成又は増幅する帯域外雑音は、第２周波数におけるＤＲｘモジュールＤ４１０の雑音指数を増加させ得る。すなわち、当該経路に沿って設けられた増幅器後段帯域通過フィルタＤ４２３ａは、この帯域外雑音を低減し、かつ、第２周波数におけるＤＲｘモジュールＤ４１０の雑音指数を減少させることができる。
【０３３２】
いくつかの実装において、増幅器前段帯域通過フィルタＤ４１３ａ〜Ｄ４１３ｄと増幅器後段帯域通過フィルタＤ４２３ａ〜Ｄ４２３ｄとは相補的に設計することができるので、低コストで少ない部品によりフィルタ設計が簡略化され及び／又は同様の性能が達成される。例えば、第１経路に沿って設けられた増幅器後段帯域通過フィルタＤ４２３ａは、第１経路に沿って設けられた増幅器前段帯域通過フィルタＤ４１３ａによる減衰が弱い周波数を強く減衰させることができる。一例では、増幅器前段帯域通過フィルタＤ４１３ａは、第１周波数帯域を上回る周波数よりも当該第１周波数帯域を下回る周波数の方を減衰させ得る。それと相補うように、増幅器後段帯域通過フィルタＤ４２３ａは、第１周波数帯域を下回る周波数よりも当該第１周波数帯域を上回る周波数の方を減衰させ得る。すなわち、増幅器前段帯域通過フィルタＤ４１３ａ及び増幅器後段帯域通過フィルタＤ４２３ａは一緒になって、少ない部品を使用してすべての帯域外周波数を減衰させる。一般に、一経路に沿って設けられた帯域通過フィルタの一つは、当該経路の対応周波数帯域を下回る周波数を、当該対応周波数帯域を上回る周波数よりも減衰させることができ、当該経路に沿って設けられた帯域通過フィルタの他の一つは、当該対応周波数帯域を上回る周波数を、当該対応周波数帯域を下回る周波数よりも減衰させることができる。増幅器前段帯域通過フィルタＤ４１３ａ〜Ｄ４１３ｄと増幅器後段帯域通過フィルタＤ４２３ａ〜Ｄ４２３ｄとは、他の態様で相補的にすることもできる。例えば、第１経路に沿って設けられた増幅器前段帯域通過フィルタＤ４１３ａが、信号を一定の度数だけ位相シフトすることができ、かつ、第１経路に沿って設けられた増幅器後段帯域通過フィルタＤ４２３ａが、当該信号を当該度数だけ逆に位相シフトすることができる。
【０３３３】
いくつかの実装において、増幅器後段帯域通過フィルタＤ４２３ａ〜Ｄ４２３ｄは、経路のアイソレーションを改善することができる。例えば、増幅器後段帯域通過フィルタがなければ、第１経路に沿って伝播する信号は、増幅器前段帯域通過フィルタＤ４１３ａによって第１周波数へとフィルタリングされ、増幅器Ｄ３１４ａによって増幅され得る。当該信号は、出力マルチプレクサＤ３１２を介して漏洩する結果、第２経路に沿って逆方向に伝播し、第２経路に沿って設けられた増幅器Ｄ３１４ｂ、増幅器前段帯域通過フィルタＤ４１３ｂ又は他の部品から反射され得る。この反射信号が初期信号と異相の場合、当該信号は、出力マルチプレクサＤ３１２によって結合されるときに弱められる。これとは対照的に、増幅器後段帯域通過フィルタによれば、（主に第１周波数帯域における）漏洩信号は、第２経路に沿って設けられかつ第２周波数帯域に関連づけられた増幅器後段帯域通過フィルタＤ４２３ｂによって減衰されるので、任意の反射信号の影響が低減される。
【０３３４】
すなわち、ＤＲｘモジュールＤ４１０は、第１マルチプレクサ（例えば入力マルチプレクサＤ３１１）の入力と第２マルチプレクサ（例えば出力マルチプレクサＤ３１２）の出力との間にある複数の経路の一以上を選択的にアクティブにするように構成された制御器を含む。ＤＲｘモジュールＤ４１０はさらに複数の増幅器Ｄ３１４ａ〜Ｄ３１４ｄを含む。複数の増幅器Ｄ３１４ａ〜Ｄ３１４ｄの各一つは、複数の経路の対応する一つに沿って設けられ、増幅器において受信した信号を増幅させるように構成される。ＤＲｘモジュールＤ４１０は第１の複数の帯域通過フィルタ（例えば増幅器後段帯域通過フィルタＤ４２３ａ〜Ｄ４２３ｄ）を含む。第１の複数の帯域通過フィルタの各一つは、複数の増幅器Ｄ３１４ａ〜Ｄ３１４ｄの対応する一つの出力において複数の経路の対応する一つに沿って設けられ、当該帯域通過フィルタにおいて受信した信号を各周波数帯域へとフィルタリングするように構成される。図５６に示されるように、いくつかの実装において、ＤＲｘモジュールＤ４１０はさらに、第２の複数の帯域通過フィルタ（例えば増幅器前段帯域通過フィルタＤ４１３ａ〜Ｄ４１３ｄ）を含む。第２の複数の帯域通過フィルタの各一つは、複数の経路の対応する一つに沿って複数の増幅器Ｄ３１４ａ〜Ｄ３１４ｄの一つの対応増幅器の入力に設けられ、当該帯域通過フィルタにおいて受信した信号を各周波数帯域へとフィルタリングするように構成される。
【０３３５】
図５７は、いくつかの実施形態において、ダイバーシティ受信器構成Ｄ４５０が、ダイバーシティ受信器（ＤＲｘ）モジュールＤ４１０よりも少ない増幅器を備えたダイバーシティＲＦモジュールＤ４６０を含み得ることを示す。ここに言及されるように、いくつかの実装において、ダイバーシティＲＦモジュールＤ４６０は帯域通過フィルタを含まなくてよい。すなわち、いくつかの実装において、ダイバーシティＲＦモジュールＤ４６０の一以上の増幅器Ｄ４２４は、帯域固有とする必要がない。特に、ダイバーシティＲＦモジュールＤ４６０は一以上の経路を含み得る。各径路は、ＤＲｘモジュールＤ４１０の経路に一対一でマッピングされない増幅器Ｄ４２４を含む。かかる経路（又は対応する増幅器）のマッピングは、制御器１２０に記憶することができる。
【０３３６】
したがって、ＤＲｘモジュールＤ４１０が、それぞれが一周波数帯域に対応する一定数の経路を含む一方、ダイバーシティＲＦモジュールＤ４６０は、単一周波数帯域に対応しない（ダイバーシティＲＦモジュールＤ４６０の入力からマルチプレクサＤ３２１の入力までの）一以上の経路を含み得る。
【０３３７】
（図５７に示される）いくつかの実装において、ダイバーシティＲＦモジュールＤ４６０は、送信ライン１３５から受信した信号を増幅して増幅済み信号をマルチプレクサＤ３２１へと出力する単一広帯域又はチューニング可能増幅器Ｄ４２４を含む。マルチプレクサＤ３２１は、それぞれが各周波数帯域に対応する複数のマルチプレクサ出力を含む。いくつかの実装において、マルチプレクサＤ３２１は、サンプルスイッチとして実装してよい。いくつかの実装において、ダイバーシティＲＦモジュールＤ４６０は、いずれの増幅器も含まない。
【０３３８】
いくつかの実装において、ダイバーシティ信号は単一帯域信号である。すなわち、いくつかの実装において、マルチプレクサＤ３２１は、単一帯域信号の周波数帯域に対応する複数の出力の一つへと、制御器１２０から受信した信号に基づいてダイバーシティ信号を引き回す単極／多投（ＳＰＭＴ）スイッチである。いくつかの実装において、ダイバーシティ信号は多重帯域信号である。すなわち、いくつかの実装において、マルチプレクサＤ４２１は、制御器１２０から受信した分割器制御信号に基づいてダイバーシティ信号を、複数の出力の、多重帯域信号の２以上の周波数帯域に対応する２以上へと引き回す帯域分割器である。いくつかの実装において、ダイバーシティＲＦモジュールＤ４６０は、送受信器Ｄ３３０と組わせて単一モジュールにすることができる。
【０３３９】
いくつかの実装において、ダイバーシティＲＦモジュールＤ４６０は、それぞれが一組の周波数帯域に対応する多重増幅器を含む。送信ライン１３５からの信号は、第１経路に沿って高周波増幅器に高周波を出力しかつ第２経路に沿って低周波増幅器に低周波を出力する帯域分割器へと供給することができる。各増幅器の出力は、当該信号を送受信器Ｄ３３０の対応入力へと引き回すべく構成されたマルチプレクサＤ３２１へと与えることができる。
【０３４０】
図５８は、いくつかの実施形態において、ダイバーシティ受信器構成Ｄ５００が、一以上のオフモジュールフィルタＤ５１３、Ｄ５２３に結合されたＤＲｘモジュールＤ５１０を含み得ることを示す。ＤＲｘモジュールＤ５１０は、複数の部品を受容するように構成されたパッケージング基板Ｄ５０１と、パッケージング基板Ｄ５０１に実装された受信システムとを含み得る。ＤＲｘモジュールＤ５１０は、ＤＲｘモジュールＤ５１０から出るように引き回されて任意の所望帯域のためのフィルタをサポートするシステムインテグレータ、設計者又は製造者にとって利用可能とされた一以上の信号経路を含み得る。
【０３４１】
ＤＲｘモジュールＤ５１０は、ＤＲｘモジュールＤ５１０の入力及び出力間に一定数の経路を含む。ＤＲｘモジュールＤ５１０は、ＤＲｘ制御器Ｄ５０２が制御するバイパススイッチＤ５１９によってアクティブにされる入力及び出力間のバイパス経路を含む。図５８が単一のバイパススイッチＤ５１９を例示するにもかかわらず、いくつかの実装において、バイパススイッチＤ５１９は、多重スイッチ（例えば、入力の物理的近くに設けられた第１スイッチ、及び出力の物理的近くに設けられた第２スイッチ）を含み得る。図５８に示されるように、バイパス経路は、フィルタ又は増幅器を含まない。
【０３４２】
ＤＲｘモジュールＤ５１０は、第１マルチプレクサＤ５１１及び第２マルチプレクサＤ５１２を含む一定数のマルチプレクサ経路を含む。マルチプレクサ経路は、一定数のオンモジュール経路を含む。これは、第１マルチプレクサＤ５１１、パッケージング基板Ｄ５０１に実装された増幅器前段帯域通過フィルタＤ４１３ａ〜Ｄ４１３ｄ、パッケージング基板Ｄ５０１に実装された増幅器Ｄ３１４ａ〜Ｄ３１４ｄ、パッケージング基板Ｄ５０１に実装された増幅器後段帯域通過フィルタＤ４２３ａ〜Ｄ４２３ｄ、及び第２マルチプレクサＤ５１２を含む。マルチプレクサ経路は、一以上のオフモジュール経路を含む。これは、第１マルチプレクサＤ５１１、パッケージング基板Ｄ５０１に実装された増幅器前段帯域通過フィルタＤ５１３、増幅器Ｄ５１４、パッケージング基板Ｄ５０１に実装された増幅器後段帯域通過フィルタＤ５２３、及び第２マルチプレクサＤ５１２を含む。増幅器Ｄ５１４は、パッケージング基板Ｄ５０１に実装された広帯域増幅器とすることができ、又はパッケージング基板Ｄ５０１の外に実装することもできる。いくつかの実装において、一以上のオフモジュール経路は、増幅器前段帯域通過フィルタＤ５１３を含まないが、増幅器後段帯域通過フィルタＤ５２３を含む。ここに記載されるように、増幅器Ｄ３１４ａ〜Ｄ３１４ｄ、Ｄ５１４は、可変利得増幅器及び／又は可変電流増幅器としてよい。
【０３４３】
ＤＲｘ制御器Ｄ５０２は、入力及び出力間の複数の経路の一以上を選択的にアクティブにするように構成される。いくつかの実装において、ＤＲｘ制御器Ｄ５０２は、当該複数の経路の一以上を、ＤＲｘ制御器Ｄ５０２（例えば通信制御器から）受信する帯域選択信号に基づいて選択的にアクティブにするように構成される。ＤＲｘ制御器Ｄ５０２は、例えば、バイパススイッチＤ５１９の開閉により、増幅器Ｄ３１４ａ〜Ｄ３１４ｄ、Ｄ５１４のイネーブル又はディセーブルにより、マルチプレクサＤ５１１、Ｄ５１２の制御により、又は他のメカニズムを介して当該経路を選択的にアクティブにすることができる。例えば、ＤＲｘ制御器Ｄ５０２は、（例えば、フィルタＤ３１３ａ〜Ｄ３１３ｄ、Ｄ５１３と増幅器Ｄ３１４ａ〜Ｄ３１４ｄ、Ｄ５１４との間の）経路沿いのスイッチを開閉すること、又は増幅器Ｄ３１４ａ〜Ｄ３１４ｄ、Ｄ５１４の利得を実質的にゼロに設定することができる。
【０３４４】
図５９は、いくつかの実施形態において、ダイバーシティ受信器構成Ｄ６００が、チューニング可能整合回路を備えたＤＲｘモジュールＤ６１０を含み得ることを示す。特に、ＤＲｘモジュールＤ６１０は、ＤＲｘモジュールＤ６１０の入力及び出力の一以上に設けられた一以上のチューニング可能整合回路を含み得る。
【０３４５】
同じダイバーシティアンテナ１４０において受信した多重周波数帯域のすべてが、理想的なインピーダンス整合である可能性は低い。コンパクト整合回路を使用して各周波数帯域を整合させるべく、チューニング可能入力整合回路Ｄ６１６をＤＲｘモジュールＤ６１０の入力に実装して（例えば通信制御器からの帯域選択信号に基づいて）ＤＲｘ制御器Ｄ６０２によって制御することができる。ＤＲｘ制御器Ｄ６０２は、チューニング可能入力整合回路Ｄ６１６を、複数の周波数帯域（又は複数組の周波数帯域）をチューニングパラメータに関連づけるルックアップテーブルに基づいてチューニングすることができる。チューニング可能入力整合回路Ｄ６１６は、チューニング可能Ｔ型回路、チューニング可能π型回路、又は任意の他のチューニング可能整合回路とすることができる。特に、チューニング可能入力整合回路Ｄ６１６は、抵抗器、インダクタ及びキャパシタのような一以上の可変部品を含み得る。これらの可変部品は、並列及び／又は直列に接続してよく、かつ、ＤＲｘモジュールＤ６１０の入力と第１マルチプレクサＤ３１１の入力との間に接続してよく、又はＤＲｘモジュールＤ６１０の入力と接地電圧との間に接続してよい。
【０３４６】
同様に、多くの周波数帯域の信号を搬送する一つのみの送信ライン１３５（又は少なくともいくつかのケーブル）によっては、多重周波数帯域すべてが理想的なインピーダンス整合となる可能性は低い。コンパクト整合回路を使用して各周波数帯域を整合させるべく、チューニング可能出力整合回路Ｄ６１７をＤＲｘモジュールＤ６１０の出力に実装して（例えば通信制御器からの帯域選択信号に基づいて）ＤＲｘ制御器Ｄ６０２によって制御することができる。ＤＲｘ制御器Ｄ６０２は、チューニング可能出力整合回路Ｄ６１８を、複数の周波数帯域（又は複数組の周波数帯域）をチューニングパラメータに関連づけるルックアップテーブルに基づいてチューニングすることができる。チューニング可能出力整合回路Ｄ６１７は、チューニング可能Ｔ型回路、チューニング可能π型回路、又は任意の他のチューニング可能整合回路とすることができる。特に、チューニング可能出力整合回路Ｄ６１７は、抵抗器、インダクタ及びキャパシタのような一以上の可変部品を含み得る。これらの可変部品は、並列及び／又は直列に接続してよく、かつ、ＤＲｘモジュールＤ６１０の出力と第２マルチプレクサＤ３１２の出力との間に接続してよく、又はＤＲｘモジュールＤ６１０の出力と接地電圧との間に接続してよい。
【０３４７】
とりわけ、増幅器後段フィルタに関する上述の例Ｄは、以下のようにまとめることができる。
【０３４８】
いくつかの実装によれば、本開示は、第１マルチプレクサの入力と第２マルチプレクサの出力との間にある複数の経路の一以上を選択的にアクティブにするように構成された制御器を含む受信システムに関する。受信システムは複数の増幅器を含み得る。複数の増幅器の各一つは、当該複数の経路の対応する一つに沿って設けることができ、増幅器において受信した信号を増幅するように構成することができる。受信システムは、第１の複数の帯域通過フィルタを含み得る。第１の複数の帯域通過フィルタの各一つは、複数の増幅器の対応する一つの出力において、複数の経路の対応する一つに沿って設けることができ、帯域通過フィルタにおいて受信した信号を各周波数帯域へとフィルタリングするように構成することができる。
【０３４９】
いくつかの実施形態において、受信システムはさらに、第２の複数の帯域通過フィルタを含み得る。第２の複数の帯域通過フィルタの各一つは、複数の経路の対応する一つに沿って複数の増幅器の一つの対応増幅器の入力に設けることができ、当該帯域通過フィルタにおいて受信した信号を各周波数帯域へとフィルタリングするように構成することができる。
【０３５０】
いくつかの実施形態において、第１経路に沿って設けられた第１の複数の帯域通過フィルタの一つと、当該第１経路に沿って設けられた第２の複数の帯域通過フィルタの一つとは相補的である。いくつかの実施形態において、第１経路に沿って設けられた帯域通過フィルタの一つは、当該対応周波数帯域内の周波数よりも当該対応周波数帯域を下回る周波数の方を減衰することができ、第１経路に沿って設けられた帯域通過フィルタのもう一つは、当該対応周波数帯域を下回る周波数よりも当該対応周波数帯域内の周波数の方を減衰することができる。
【０３５１】
いくつかの実施形態において、受信システムはさらに、第２マルチプレクサの出力に結合され、下流側マルチプレクサを含む下流側モジュールに結合された送信ラインを含み得る。いくつかの実施形態において、下流側モジュールは、下流側帯域通過フィルタを含まない。いくつかの実施形態において、下流側マルチプレクサはサンプルスイッチを含む。いくつかの実施形態において、下流側モジュールは、一以上の下流側増幅器を含み得る。いくつかの実施形態において、一以上の下流側増幅器の数は、複数の増幅器の数未満としてよい。
【０３５２】
いくつかの実施形態において、複数の増幅器の少なくとも一つは、低雑音増幅器を含み得る。
【０３５３】
いくつかの実施形態において、受信システムはさらに、第１マルチプレクサの入力と第２マルチプレクサの出力との一以上に設けられた一以上のチューニング可能整合回路を含み得る。
【０３５４】
いくつかの実施形態において、制御器は、当該制御器が受信した帯域選択信号に基づいて複数の経路の一以上を選択的にアクティブにするように構成することができる。いくつかの実施形態において、制御器は、分割器制御信号を第１マルチプレクサにかつ結合器制御信号を第２マルチプレクサに送信することによって、複数の経路の一以上を選択的にアクティブにするように構成することができる。
【０３５５】
いくつかの実装において、本開示は、複数の部品を受容するように構成されたパッケージング基板を含む無線周波数（ＲＦ）モジュールに関する。ＲＦモジュールさらに、パッケージング基板に実装された受信システムを含む。受信システムは、第１マルチプレクサの入力と第２マルチプレクサの出力との間にある複数の経路の一以上を選択的にアクティブにするように構成された制御器を含む。受信システムはさらに複数の増幅器を含む。複数の増幅器の各一つは、当該複数の経路の対応する一つに沿って設けることができ、増幅器において受信した信号を増幅するように構成することができる。受信システムはさらに、第１の複数の帯域通過フィルタを含む。第１の複数の帯域通過フィルタの各一つは、複数の増幅器の対応する一つの出力において、複数の経路の対応する一つに沿って設けることができ、帯域通過フィルタにおいて受信した信号を各周波数帯域へとフィルタリングするように構成することができる。
【０３５６】
いくつかの実施形態において、ＲＦモジュールは、ダイバーシティ受信器フロントエンドモジュール（ＦＥＭ）としてよい。
【０３５７】
いくつかの実施形態において、受信システムはさらに、第２の複数の帯域通過フィルタを含み得る。第２の複数の帯域通過フィルタの各一つは、複数の経路の対応する一つに沿って複数の増幅器の一つの対応増幅器の入力に設けることができ、当該帯域通過フィルタにおいて受信した信号を各周波数帯域へとフィルタリングするように構成することができる。
【０３５８】
いくつかの実施形態において、複数の経路は、オフモジュール帯域通過フィルタと複数の増幅器の一つとを含むオフモジュール経路を含み得る。
【０３５９】
いくつかの教示によれば、本開示は、第１無線周波数（ＲＦ）信号を受信するように構成された第１アンテナを含む無線装置に関する。無線装置はさらに、第１アンテナと通信する第１フロントエンドモジュール（ＦＥＭ）を含む。パッケージング基板を含む第１ＦＥＭは、複数の部品を受容するように構成される。第１ＦＥＭはさらに、パッケージング基板に実装された受信システムを含む。受信システムは、第１マルチプレクサの入力と第２マルチプレクサの出力との間にある複数の経路の一以上を選択的にアクティブにするように構成された制御器を含む。受信システムはさらに複数の増幅器を含む。複数の増幅器の各一つは、当該複数の経路の対応する一つに沿って設けることができ、増幅器において受信した信号を増幅するように構成することができる。受信システムはさらに、第１の複数の帯域通過フィルタを含む。第１の複数の帯域通過フィルタの各一つは、複数の増幅器の対応する一つの出力において、複数の経路の対応する一つに沿って設けることができ、帯域通過フィルタにおいて受信した信号を各周波数帯域へとフィルタリングするように構成することができる。無線装置はさらに、出力からの第１ＲＦ信号の処理済みバージョンを送信ラインを介して受信しかつ当該第１ＲＦ信号の処理済みバージョンに基づいてデータビットを生成するように構成された通信モジュールを含む。
【０３６０】
いくつかの実施形態において、無線装置はさらに、第２無線周波数（ＲＦ）信号を受信するように構成された第２アンテナと、当該第２アンテナと通信する第２ＦＥＭとを含む。通信モジュールは、第２ＦＥＭの出力から第２ＲＦ信号の処理済みバージョンを受信し、当該第２ＲＦ信号の処理済みバージョンに基づいてデータビットを生成するように構成することができる。
【０３６１】
いくつかの実施形態において、受信システムはさらに、第２の複数の帯域通過フィルタを含む。第２の複数の帯域通過フィルタの各一つは、複数の経路の対応する一つに沿って複数の増幅器の一つの対応増幅器の入力に設けることができ、当該帯域通過フィルタにおいて受信した信号を各周波数帯域へとフィルタリングするように構成することができる。
【０３６２】
例Ｅ：スイッチングネットワーク
【０３６３】
図６０は、いくつかの実施形態において、ダイバーシティ受信器構成Ｅ５００が、単極／単投スイッチＥ５１９を備えたＤＲｘモジュールＥ５１０を含み得ることを示す。ＤＲｘモジュールＥ５１０は、アンテナ１４０に結合されたＤＲｘモジュールＥ５１０の入力から、送信ライン１３５に結合されたＤＲｘモジュールＥ５１０の出力への２つの経路を含む。ＤＲｘモジュールＥ５１０は複数の増幅器Ｅ５１４ａ〜Ｅ５１４ｂを含む。複数の増幅器Ｅ５１４ａ〜Ｅ５１４ｂの各一つは、複数の経路の対応する一つに沿って設けられ、当該増幅器において受信した信号を増幅するように構成される。いくつかの実装において、図６０に示されるように、複数の増幅器の少なくとも一つは二段増幅器を含む。
【０３６４】
図６０のＤＲｘモジュールＥ５１０において、信号分割器及び帯域通過フィルタはダイプレクサＥ５１１として実装される。ダイプレクサＥ５１１は、アンテナ１４０に結合された入力と、第１経路に沿って設けられた位相シフト部品Ｅ５２７ａに結合された第１出力と、第２経路に沿って設けられた第２位相シフト部品Ｅ５２７ｂに結合された第２出力とを含む。第１出力において、ダイプレクサＥ５１１は、（例えばアンテナ１４０から）入力において受信されて第１周波数帯域へとフィルタリングされた信号を出力する。第２出力において、ダイプレクサＥ５１１は、入力において受信されて第２周波数帯域へとフィルタリングされた信号を出力する。いくつかの実装において、ダイプレクサＥ５１１は、ＤＲｘモジュールＥ５１０の入力において受信した入力信号を分割し、複数の経路に沿って伝播される複数の周波数帯域それぞれにある複数の信号にするように構成されたトリプレクサ、クワッドプレクサ又は任意の他のマルチプレクサと置き換えてよい。
【０３６５】
いくつかの実装において、図３９の第２マルチプレクサ３１２のような、ＤＲｘモジュールの出力に設けられた出力マルチプレクサ又は他の信号結合器は、単一帯域信号を受信するときにＤＲｘモジュールの性能を劣化させ得る。例えば、出力マルチプレクサは、雑音を減衰させ又は単一帯域信号に導入し得る。いくつかの実装において、図３９の増幅器３１４ａ〜３１４ｄのような多重増幅器が、多重帯域信号をサポートするべく同時にイネーブルにされると、各増幅器はそれぞれが、帯域内雑音だけでなく、他の多重帯域のそれぞれに対する帯域外雑音も導入し得る。
【０３６６】
図６０のＤＲｘモジュールＥ５１０は、これらの難題のいくつかに対処する。ＤＲｘモジュールＥ５１０は、第１経路を第２経路に結合する単極／単投（ＳＰＳＴ）スイッチＥ５１９を含む。第１周波数帯域に対して単一帯域モードで動作するべく、スイッチＥ５１９が開位置にされ、第１増幅器Ｅ５１４ａはイネーブルにされ、第２増幅器Ｅ５１４ｂはディセーブルにされる。すなわち、第１周波数帯域にある単一帯域信号は、スイッチング損失なしにアンテナ１４０から第１経路に沿って送信ライン１３５へと伝播する。同様に、第２周波数帯域に対して単一帯域モードで動作するべく、スイッチＥ５１９が開位置にされ、第１増幅器Ｅ５１４ａはディセーブルにされ、第２増幅器Ｅ５１４ｂはイネーブルにされる。すなわち、第２周波数帯域にある単一帯域信号は、スイッチング損失なしにアンテナ１４０から第２経路に沿って送信ライン１３５へと伝播する。
【０３６７】
第１周波数帯域及び第２周波数帯域のための多重帯域モードで動作するべく、スイッチＥ５１９が閉位置にされ、第１増幅器Ｅ５１４ａがイネーブルにされ、第２増幅器Ｅ５１４ｂがディセーブルにされる。すなわち、多重帯域信号の第１周波数帯域部分が、第１位相シフト部品Ｅ５２７ａ、第１インピーダンス整合部品Ｅ５２６ａ及び第１増幅器Ｅ５１４ａを通る第１経路に沿って伝播する。第１周波数帯域部分は、第２位相シフト部品Ｅ５２７ｂにより、スイッチＥ５１９を横切って第２経路に沿って逆伝播することが防止される。特に、第２位相シフト部品Ｅ５２７ａは、第１周波数帯域でのインピーダンスを最大化（又は少なくとも増加）させるべく、位相シフト部品Ｅ５２７ｂを通過する信号の第１周波数帯域部分を位相シフトするように構成される。
【０３６８】
多重帯域信号の第２周波数帯域部分は、第２位相シフト部品Ｅ５２７ｂを通る第２経路に沿って伝播し、スイッチＥ５１９を横切り、第１インピーダンス整合部品Ｅ５２６ａ及び第１増幅器Ｅ３１４ａを通る第１経路に沿って伝播する。第２周波数帯域部分は、第１位相シフト部品Ｅ５２７ａによって第１経路に沿って逆伝播することが防止される。特に、第１位相シフト部品Ｅ５２７ａは、第２周波数帯域におけるインピーダンスを最大化（又は少なくとも増加）させるべく、第１位相シフト部品Ｅ５２７ａを通過する信号の第２周波数帯域部分を位相シフトするように構成される。
【０３６９】
各経路は、雑音指数及び利得によって特徴づけることができる。各経路の雑音指数は、当該経路に沿って設けられた増幅器及びインピーダンス整合部品Ｅ５２６ａ〜Ｅ５２６ｂがもたらす信号対雑音比（ＳＮＲ）の劣化を表す。特に、各経路の雑音指数は、インピーダンス整合部品Ｅ５２６ａ〜Ｅ５２６ｂの入力におけるＳＮＲと、増幅器Ｅ３１４ａ〜Ｅ３１４ｂの出力におけるＳＮＲとのデシベル（ｄＢ）差である。すなわち、雑音指数は、同じ利得による増幅器の雑音出力と（雑音が発生しない）「理想の」増幅器の雑音出力との差の尺度である。
【０３７０】
各経路の雑音指数は、異なる周波数帯域に対して異なり得る。例えば、第１経路は、第１周波数帯域に対する第１雑音指数と、第２周波数帯域に対する第２雑音指数とを有し得る。（各周波数帯域における）各経路の雑音指数及び利得は、少なくとも一部では、インピーダンス整合部品Ｅ５２６ａ〜Ｅ５２６ｂの（各周波数帯域における）インピーダンスに依存し得る。したがって、インピーダンス整合部品Ｅ５２６ａ〜Ｅ５２６ｂのインピーダンスは、各経路の雑音指数を最小化（又は低減）するようにすることが有利となり得る。
【０３７１】
いくつかの実装において、第２インピーダンス整合部品Ｅ５２６ｂは、第２周波数帯域に対する雑音指数を最小化（又は低減）するインピーダンスを提示する。いくつかの実装において、第１インピーダンス整合部品Ｅ５２６ａは、第１周波数帯域に対する雑音指数を最小化（又は低減）する。多重帯域信号の第２周波数帯域部分が部分的に第１部に沿って伝播し得るので、いくつかの実装では、第１インピーダンス整合部品Ｅ５２６ａは、第１帯域に対する雑音指数と第２帯域に対する雑音指数とを含むメトリックを最小化（又は低減）する。
【０３７２】
インピーダンス整合部品Ｅ５２６ａ〜Ｅ５２６ｂは、受動回路として実装してよい。特に、インピーダンス整合部品Ｅ５２６ａ〜Ｅ５２６ｂは、ＲＬＣ回路として実装してよく、抵抗器、インダクタ及び／又はキャパシタのような一以上の受動部品を含んでよい。これらの受動部品は、並列及び／又は直列に接続してよく、かつ、位相シフト部品Ｅ５２７ａ〜Ｅ５２７ｂの出力と増幅器Ｅ５１４ａ〜Ｅ４１５ｂの入力との間に接続してよく、位相シフト部品Ｅ５２７ａ〜Ｅ５２７ｂの出力と接地電圧と間に接続してよい。
【０３７３】
同様に、位相シフト部品Ｅ５２７ａ〜Ｅ５２７ｂも、受動回路として実装してよい。特に、位相シフト部品Ｅ５２７ａ〜Ｅ５２７ｂは、ＬＣ回路として実装してよく、インダクタ及び／又はキャパシタのような一以上の受動部品を含み得る。これらの受動部品は、並列及び／又は直列に接続してよく、かつ、ダイプレクサＥ５１１の出力とインピーダンス整合部品Ｅ５２６ａ〜Ｅ５２６ｂの入力との間に接続してよく、又はダイプレクサＥ５１１の出力と接地電圧との間に接続してよい。
【０３７４】
図６１は、いくつかの実施形態において、ダイバーシティ受信器構成Ｅ６００が、チューニング可能位相シフト部品Ｅ６２７ａ〜Ｅ６２７ｄを備えたＤＲｘモジュールＥ６１０を含み得ることを示す。チューニング可能位相シフト部品Ｅ６２７ａ〜Ｅ６２７ｄはそれぞれ、チューニング可能位相シフト部品を通過する信号を、制御器から受信した位相シフトチューニング信号が制御する量だけ位相シフトさせるように構成することができる。
【０３７５】
ダイバーシティ受信器構成Ｅ６００は、アンテナ１４０に結合された入力と送信ライン１３５に結合された出力とを有するＤＲｘモジュールＥ６１０を含む。ＤＲｘモジュールＥ６１０は、ＤＲｘモジュールＥ６１０の入力及び出力間に一定数の経路を含む。各経路は、マルチプレクサＥ３１１、帯域通過フィルタＥ３１３ａ〜Ｅ３１３ｄ、チューニング可能位相シフト部品Ｅ６２７ａ〜Ｅ６２７ｄ、スイッチングネットワークＥ６１２、チューニング可能インピーダンス整合部品Ｅ６２６ａ〜Ｅ６２６ｄ及び増幅器Ｅ３１４ａ〜Ｅ３１４ｄを含む。ここに記載されるように、増幅器Ｅ３１４ａ〜Ｅ３１４ｄは、可変利得増幅器及び／又は可変電流増幅器としてよい。
【０３７６】
チューニング可能位相シフト部品Ｅ６２７ａ〜Ｅ６２７ｄは、インダクタ及びキャパシタのような一以上の可変部品を含み得る。これらの可変部品は、並列及び／又は直列に接続してよく、かつ、マルチプレクサＥ３１１の出力とスイッチングネットワークＥ６１２の入力との間に接続してよく、又は当該マルチプレクサの出力と接地電圧との間に接続してよい。
【０３７７】
チューニング可能インピーダンス整合部品Ｅ６２６ａ〜Ｅ６２６ｄは、チューニング可能Ｔ型回路、チューニング可能π型回路、又は任意の他のチューニング可能整合回路としてよい。チューニング可能インピーダンス整合部品Ｅ６２６ａ〜Ｅ６２６ｄは、抵抗器、インダクタ及びキャパシタのような一以上の可変部品を含み得る。これらの可変部品は、並列及び／又は直列に接続してよく、かつ、スイッチングネットワークＥ６１２の出力と増幅器Ｅ３１４ａ〜Ｅ３１４ｄの入力との間に接続してよく、又はスイッチングネットワークＥ６１２の出力と接地電圧との間に接続してよい。
【０３７８】
ＤＲｘ制御器Ｅ６０２は、入力及び出力間の複数の経路の一以上を選択的にアクティブにするように構成される。いくつかの実装において、ＤＲｘ制御器Ｅ６０２は、複数の経路の一以上を、ＤＲｘ制御器Ｅ６０２が（例えば通信制御器から）受信する帯域選択信号に基づいて選択的にアクティブにするように構成される。ＤＲｘ制御器Ｅ６０２は、例えば、増幅器Ｅ３１４ａ〜Ｅ３１４ｄのイネーブル若しくはディセーブルにより、マルチプレクサＥ３１１及び／又はスイッチングネットワークＥ６１２の制御により、並びに／又は他のメカニズムを介して当該経路を選択的にアクティブにすることができる。
【０３７９】
いくつかの実装において、ＤＲｘ制御器Ｅ６０２は、スイッチングネットワークＥ６１２を帯域選択信号に基づいて制御する。スイッチングネットワークは、複数のＳＰＳＴスイッチを含み、各スイッチは複数の経路の２つを結合する。ＤＲｘ制御器Ｅ６０２は、複数のＳＰＳＴスイッチを開閉するべく、スイッチング信号（又は多重スイッチング信号）をスイッチングネットワークに送信することができる。例えば、入力信号が第１周波数帯域及び第２周波数帯域を含むことを帯域選択信号が指示する場合、ＤＲｘ制御器Ｅ６０２は、第１経路及び第２経路間のスイッチを閉にし得る。入力信号が第２周波数帯域及び第４周波数帯域を含むことを帯域選択信号が指示する場合、ＤＲｘ制御器Ｅ６０２は、第２経路及び第４経路間のスイッチを閉にし得る。入力信号が第１周波数帯域、第２周波数帯域及び第４周波数帯域を含むことを帯域選択信号が指示する場合、ＤＲｘ制御器Ｅ６０２は、双方のスイッチを閉にし得る（並びに／又は第１経路及び第２経路間のスイッチと第１経路及び第４経路間のスイッチとを閉にし得る）。入力信号が第２周波数帯域、第３周波数帯域及び第４周波数を含むことを帯域選択信号が指示する場合、ＤＲｘ制御器Ｅ６０２は、第２経路及び第３経路間のスイッチと、第３経路及び第４経路間のスイッチとを閉にし得る（並びに／又は第２経路及び第３経路間のスイッチと第２経路及び第４経路間のスイッチとを閉にし得る）。
【０３８０】
いくつかの実装において、ＤＲｘ制御器Ｅ６０２は、チューニング可能位相シフト部品Ｅ６２７ａ〜Ｅ６２７ｄをチューニングするように構成される。いくつかの実装において、ＤＲｘ制御器Ｅ６０２は、チューニング可能位相シフト部品Ｅ６２７ａ〜Ｅ６２７ｄを、帯域選択信号に基づいてチューニングする。例えば、ＤＲｘ制御器Ｅ６０２は、チューニング可能位相シフト部品Ｅ６２７ａ〜Ｅ６２７ｄを、帯域選択信号が指示する複数の周波数帯域（又は複数組の周波数帯域）をチューニングパラメータに関連づけるルックアップテーブルに基づいてチューニングすることができる。したがって、ＤＲｘ制御器Ｅ６０２は、チューニング可能位相シフト部品（又はその可変部品）をチューニングパラメータに応じてチューニングするべく、帯域選択信号に応答して位相シフトチューニング信号をアクティブな各経路のチューニング可能位相シフト部品Ｅ６２７ａ〜Ｅ６２７ｄへと送信することができる。
【０３８１】
ＤＲｘ制御器Ｅ６０２は、アクティブな各経路のチューニング可能位相シフト部品Ｅ６２７ａ〜Ｅ６２７ｄをチューニングして、アクティブな他の経路に対応する周波数帯域におけるインピーダンスを最大化する（又は少なくとも減少させる）ように構成することができる。すなわち、第１経路及び第３経路がアクティブな場合、ＤＲｘ制御器Ｅ６０２は、第１位相シフト部品Ｅ６２７ａをチューニングして第３周波数帯域におけるインピーダンスを最大化する（又は少なくとも増加させる）一方、第１経路及び第４経路がアクティブな場合、ＤＲｘ制御器Ｅ６０２は、第１位相シフト部品Ｅ６２７ａをチューニングして第４周波数帯域におけるインピーダンスを最大化する（又は少なくとも増加させる）。
【０３８２】
いくつかの実装において、ＤＲｘ制御器Ｅ６０２は、チューニング可能インピーダンス整合部品Ｅ６２６ａ〜Ｅ６２６ｄをチューニングするように構成される。いくつかの実装において、ＤＲｘ制御器Ｅ６０２は、チューニング可能インピーダンス整合部品Ｅ６２６ａ〜Ｅ６２６ｄを、帯域選択信号に基づいてチューニングする。例えば、ＤＲｘ制御器Ｅ６０２は、チューニング可能インピーダンス整合部品Ｅ６２６ａ〜Ｅ６２６ｄを、帯域選択信号が指示する複数の周波数帯域（又は複数組の周波数帯域）をチューニングパラメータに関連づけるルックアップテーブルに基づいてチューニングすることができる。したがって、ＤＲｘ制御器Ｅ６０２は、帯域選択信号に応答してインピーダンスチューニング信号を、アクティブな増幅器を有する経路のチューニング可能インピーダンス整合部品Ｅ６２６ａ〜Ｅ６２６ｄに、チューニングパラメータに応じて送信することができる。
【０３８３】
いくつかの実装において、ＤＲｘ制御器Ｅ６０２は、アクティブな各経路の対応周波数帯域のための雑音指数を含むメトリックを最小化（又は低減）するべく、アクティブな増幅器を有する経路のチューニング可能インピーダンス整合部品Ｅ６２６ａ〜Ｅ６２６ｄをチューニングする。
【０３８４】
様々な実装において、チューニング可能位相シフト部品Ｅ６２７ａ〜Ｅ６２７ｄ又はチューニング可能インピーダンス整合部品Ｅ６２６ａ〜Ｅ６２６ｄの一以上は、ＤＲｘ制御器Ｅ６０２が制御しない固定部品によって置き換えてよい。
【０３８５】
図６２は、ＲＦ信号を処理する方法Ｅ７００のフローチャート表現の一実施形態を示す。いくつかの実装において（及び一例として以下に詳述されるように）、方法Ｅ７００は、図６１のＤＲｘ制御器Ｅ６０２のような制御器が行う。いくつかの実装において、方法Ｅ７００は、ハードウェア、ファームウェア、ソフトウェア又はこれらの組み合わせを含む処理ロジックによって行われる。いくつかの実装において、方法Ｅ７００は、非一時的なコンピュータ可読媒体（例えばメモリ）に記憶されたコードを実行するプロセッサによって行われる。簡潔には、方法Ｅ７００は、帯域選択信号を受信することと、受信ＲＦ信号を一以上の経路に沿って引き回して当該受信ＲＦ信号を処理することとを含む。
【０３８６】
方法Ｅ７００は、ブロックＥ７１０において、制御器が帯域選択信号を受信することから開始する。制御器は、他の制御器から帯域選択信号を受信し、又はセルラー基地局若しくは他の外部ソースから帯域選択信号を受信することができる。帯域選択信号は、無線装置がＲＦ信号を送受信する一以上の周波数帯域を指示することができる。いくつかの実装において、帯域選択信号は、キャリアアグリゲーション通信のための一組の周波数帯域を指示する。
【０３８７】
ブロックＥ７２０において、制御器は、帯域選択信号に基づいて増幅器イネーブル信号をＤＲｘモジュールの増幅器に送信する。いくつかの実装において、帯域選択信号が単一周波数帯域を指示すると、制御器は、当該単一周波数帯域に対応する経路に沿って設けられた増幅器をイネーブルにするべく増幅器イネーブル信号を送信する。制御器は、他の周波数帯域に対応する他の経路に沿って設けられた他の増幅器をディセーブルにするべく増幅器イネーブル信号を送信してもよい。いくつかの実装において、帯域選択信号が多重周波数帯域を指示すると、制御器は、多重周波数帯域の一つに対応する当該経路の一つに沿って設けられた増幅器をイネーブルにするべく増幅器イネーブル信号を送信する。制御器は、他の増幅器をディセーブルにするべく増幅器イネーブル信号を送信してもよい。いくつかの実装において、制御器は、最低周波数帯域に対応する経路に沿って設けられた増幅器をイネーブルにする。
【０３８８】
ブロックＥ７３０において、制御器は、帯域選択信号に基づいて単極／単投（ＳＰＳＴ）スイッチのスイッチングネットワークを制御するスイッチング信号を送信する。スイッチングネットワークは、複数の周波数帯域に対応する複数の経路を結合する複数のＳＰＳＴスイッチを含む。いくつかの実装において、帯域選択信号が単一周波数帯域を指示すると、制御器は、ＳＰＳＴスイッチのすべてを開にするスイッチング信号を送信する。いくつかの実装において、帯域選択信号が多重周波数帯域を指示すると、制御器は、当該多重周波数帯域に対応する経路を結合するべく、ＳＰＳＴスイッチの一以上を閉にするスイッチング信号を送信する。
【０３８９】
ブロックＥ７４０において、制御器は、帯域選択信号に基づいてチューニング信号を一以上のチューニング可能部品に送信する。チューニング可能部品は、複数のチューニング可能位相シフト部品又は複数のチューニング可能インピーダンス整合部品の一以上を含み得る。制御器は、チューニング可能部品を、帯域選択信号が指示する複数の周波数帯域（又は複数組の周波数帯域）をチューニングパラメータに関連づけるルックアップテーブルに基づいてチューニングすることができる。したがって、ＤＲｘ制御器は、チューニング可能部品（又はその可変部品）をチューニングパラメータに応じてチューニングするべく、帯域選択信号に応答してチューニング信号を、（アクティブな経路の）チューニング可能部品に送信することができる。
【０３９０】
とりわけ、スイッチングネットワークに関する上述の例Ｅは、以下のようにまとめることができる。
【０３９１】
いくつかの実施形態によれば、本開示は、複数の増幅器を含む受信システムに関する。複数の増幅器の各一つは、受信システムの入力と当該受信システムの出力との間にある複数の経路の対応する一つに沿って設けられ、当該増幅器において受信した信号を増幅するように構成される。受信システムはさらに、一以上の単極／単投スイッチを含むスイッチングネットワークを含む。当該スイッチの各一つが、複数の経路の２つを結合する。受信システムはさらに、帯域選択信号を受信し、当該帯域選択信号に基づいて複数の増幅器の一つをイネーブルしてスイッチングネットワークを制御するように構成された制御器を含む。
【０３９２】
いくつかの実施形態において、制御器は、単一周波数帯域を指示する帯域選択信号の受信に応答して当該単一周波数帯域に対応する複数の増幅器の一つをイネーブルにすることにより、スイッチングネットワークを制御して一以上のスイッチのすべてを開にするように構成することができる。
【０３９３】
いくつかの実施形態において、制御器は、多重周波数帯域を指示する帯域選択信号の受信に応答して当該多重周波数帯域の一つに対応する複数の増幅器の一つをイネーブルにすることにより、スイッチングネットワークを制御して、多重周波数帯域に対応する経路間にある一以上のスイッチの少なくとも一つを閉にするように構成することができる。
【０３９４】
いくつかの実施形態において、受信システムはさらに、複数の位相シフト部品を含み得る。複数の位相シフト部品の各一つは、複数の経路の対応する一つに沿って設けることができ、当該複数の経路の他の一つに対応する周波数帯域のためのインピーダンスを増加させるべく当該位相シフト部品を通過する信号を位相シフトするように構成することができる。いくつかの実施形態において、複数の位相シフト部品の各一つは、スイッチングネットワーク及び入力間に設けることができる。いくつかの実施形態において、複数の位相シフト部品の少なくとも一つは、チューニング可能位相シフト部品を含み得る。これは、チューニング可能位相シフト部品を通過する信号を、制御器から受信した位相シフトチューニング信号が制御する量だけ位相シフトする。いくつかの実施形態において、制御器は、帯域選択信号に基づいて位相シフトチューニング信号を生成するように構成することができる。
【０３９５】
いくつかの実施形態において、受信システムはさらに、複数のインピーダンス整合部品を含み得る。複数のインピーダンス整合部品の各一つは、複数の経路の対応する一つに沿って設けることができ、当該複数の経路の当該一つの雑音指数を減少させるように構成することができる。いくつかの実施形態において、複数のインピーダンス整合部品の各一つは、スイッチングネットワークと複数の増幅器の対応する一つとの間に設けることができる。いくつかの実施形態において、複数のインピーダンス整合部品の少なくとも一つは、制御器から受信したインピーダンスチューニング信号が制御するインピーダンスを提示するように構成されたチューニング可能インピーダンス整合部品を含み得る。いくつかの実施形態において、制御器は、帯域選択信号に基づいてインピーダンスチューニング信号を生成するように構成することができる。
【０３９６】
いくつかの実施形態において、受信システムはさらに、入力において受信した入力信号を分割して、複数の経路に沿って伝播する複数の周波数帯域それぞれの複数の信号にするように構成されたマルチプレクサを含み得る。
【０３９７】
いくつかの実施形態において、複数の増幅器の少なくとも一つは二段増幅器を含み得る。
【０３９８】
いくつかの実施形態において、制御器は、複数の増幅器の一つをイネーブルにし、かつ、当該複数の増幅器の他をディセーブルにするように構成することができる。
【０３９９】
いくつかの実装において、本開示は、複数の部品を受容するように構成されたパッケージング基板を含む無線周波数（ＲＦ）モジュールに関する。ＲＦモジュールさらに、パッケージング基板に実装された受信システムを含む。受信システムは複数の増幅器を含む。複数の増幅器の各一つは、受信システムの入力と当該受信システムの出力との間にある複数の経路の対応する一つに沿って設けられ、当該増幅器において受信した信号を増幅するように構成される。受信システムはさらに、一以上の単極／単投スイッチを含むスイッチングネットワークを含む。当該スイッチの各一つが、複数の経路の２つを結合する。受信システムはさらに、帯域選択信号を受信し、当該帯域選択信号に基づいて複数の増幅器の一つをイネーブルしてスイッチングネットワークを制御するように構成された制御器を含む。
【０４００】
いくつかの実施形態において、ＲＦモジュールは、ダイバーシティ受信器フロントエンドモジュール（ＦＥＭ）としてよい。
【０４０１】
いくつかの実施形態において、受信システムはさらに、複数の位相シフト部品を含み得る。複数の位相シフト部品の各一つは、複数の経路の対応する一つに沿って設けることができ、当該複数の経路の他の一つに対応する周波数帯域のためのインピーダンスを増加させるべく当該位相シフト部品を通過する信号を位相シフトするように構成することができる。
【０４０２】
いくつかの教示によれば、本開示は、第１無線周波数（ＲＦ）信号を受信するように構成された第１アンテナを含む無線装置に関する。無線装置はさらに、第１アンテナと通信する第１フロントエンドモジュール（ＦＥＭ）を含む。パッケージング基板を含む第１ＦＥＭは、複数の部品を受容するように構成される。第１ＦＥＭはさらに、パッケージング基板に実装された受信システムを含む。受信システムは複数の増幅器を含む。複数の増幅器の各一つは、受信システムの入力と当該受信システムの出力との間にある複数の経路の対応する一つに沿って設けられ、当該増幅器において受信した信号を増幅するように構成される。受信システムはさらに、一以上の単極／単投スイッチを含むスイッチングネットワークを含む。当該スイッチの各一つが、複数の経路の２つを結合する。受信システムはさらに、帯域選択信号を受信し、当該帯域選択信号に基づいて複数の増幅器の一つをイネーブルしてスイッチングネットワークを制御するように構成された制御器を含む。無線装置はさらに、第１ＲＦ信号の処理済みバージョンを出力からケーブルを介して受信し、当該第１ＲＦ信号の処理済みバージョンに基づいてデータビットを生成するように構成された送受信器を含む。
【０４０３】
いくつかの実装において、無線装置はさらに、第２無線周波数（ＲＦ）信号を受信するように構成された第２アンテナと、第１アンテナと通信する第２ＦＥＭとを含み得る。送受信器は、第２ＦＥＭの出力から第２ＲＦ信号の処理済みバージョンを受信し、当該第２ＲＦ信号の処理済みバージョンに基づいてデータビットを生成するように構成される。
【０４０４】
いくつかの実装において、受信システムはさらに、複数の位相シフト部品を含み得る。複数の位相シフト部品の各一つは、複数の経路の対応する一つに沿って設けることができ、当該複数の経路の他の一つに対応する周波数帯域のためのインピーダンスを増加させるべく当該位相シフト部品を通過する信号を位相シフトするように構成することができる。
【０４０５】
例Ｆ：フレキシブルな帯域引き回し
【０４０６】
図６３は、いくつかの実施形態において、ダイバーシティ受信器構成Ｆ６００が、チューニング可能整合回路を備えたＤＲｘモジュールＦ６１０を含み得ることを示す。特に、ＤＲｘモジュールＦ６１０は、ＤＲｘモジュールＦ６１０の入力及び出力の一以上に設けられた一以上のチューニング可能整合回路を含み得る。
【０４０７】
同じダイバーシティアンテナ１４０において受信した多重周波数帯域のすべてが、理想的なインピーダンス整合である可能性は低い。コンパクト整合回路を使用して各周波数帯域を整合させるべく、チューニング可能入力整合回路Ｆ６１６がＤＲｘモジュールＦ６１０の入力に実装されて、ＤＲｘ制御器Ｆ６０２により（例えば通信制御器からの帯域選択信号に基づいて）制御される。ＤＲｘ制御器Ｆ６０２は、チューニング可能入力整合回路Ｆ６１６を、複数の周波数帯域（又は複数組の周波数帯域）をチューニングパラメータに関連づけるルックアップテーブルに基づいてチューニングすることができる。チューニング可能入力整合回路Ｆ６１６は、チューニング可能Ｔ型回路、チューニング可能π型回路、又は任意の他のチューニング可能整合回路とすることができる。特に、チューニング可能入力整合回路Ｆ６１６は、抵抗器、インダクタ及びキャパシタのような一以上の可変部品を含み得る。これらの可変部品は、並列及び／又は直列に接続してよく、かつ、ＤＲｘモジュールＦ６１０の入力と第１マルチプレクサＦ３１１の入力との間に接続してよく、又はＤＲｘモジュールＦ６１０の入力と接地電圧との間に接続してよい。
【０４０８】
同様に、多くの周波数帯域の信号を搬送する一つのみの送信ライン１３５（又は少なくともいくつかのケーブル）によっては、多重周波数帯域すべてが理想的なインピーダンス整合となる可能性は低い。コンパクト整合回路を使用して各周波数帯域を整合させるべく、チューニング可能出力整合回路Ｆ６１７をＤＲｘモジュールＦ６１０の出力に実装して（例えば通信制御器からの帯域選択信号に基づいて）ＤＲｘ制御器Ｆ６０２によって制御することができる。ＤＲｘ制御器Ｆ６０２は、チューニング可能出力整合回路Ｆ６１８を、複数の周波数帯域（又は複数組の周波数帯域）をチューニングパラメータに関連づけるルックアップテーブルに基づいてチューニングすることができる。チューニング可能出力整合回路Ｆ６１７は、チューニング可能Ｔ型回路、チューニング可能π型回路、又は任意の他のチューニング可能整合回路とすることができる。特に、チューニング可能出力  整合回路Ｆ６１７は、抵抗器、インダクタ及びキャパシタのような一以上の可変部品を含み得る。これらの可変部品は、並列及び／又は直列に接続してよく、かつ、ＤＲｘモジュールＦ６１０の出力と第２マルチプレクサＦ３１２の出力との間に接続してよく、又はＤＲｘモジュールＦ６１０の出力と接地電圧との間に接続してよい。
【０４０９】
図６４は、いくつかの実施形態において、ダイバーシティ受信器構成Ｆ７００が多重送信ラインを含み得ることを示す。図６４が２つの送信ラインＦ７３５ａ〜Ｆ７３５ｂ及び一つのアンテナ１４０を備えた一実施形態を例示するにもかかわらず、ここに記載される態様は、２を超える送信ライン及び／又は（さらに後述されるように）２以上のアンテナを備えた実施形態に実装することができる。
【０４１０】
ダイバーシティ受信器構成Ｆ７００は、アンテナ１４０に結合されたＤＲｘモジュールＦ７１０を含む。ＤＲｘモジュールＦ７１０は、ＤＲｘモジュールＦ７１０の入力（例えばアンテナ１４０ａに結合された入力）と当該ＤＲｘモジュールの出力（例えば第１送信ラインＦ７３５ａに結合された第１出力、又は第２送信ラインＦ７３５ｂに結合された第２出力）との間に一定数の経路を含む。いくつかの実装において、ＤＲｘモジュールＦ７１０は、ＤＲｘ制御器Ｆ７０２が制御する一以上のバイパススイッチによってアクティブにされる入力及び出力間の一以上のバイパス経路（図示せず）を含む。
【０４１１】
ＤＲｘモジュールＦ７１０は、入力マルチプレクサＦ３１１及び出力マルチプレクサＦ７１２を含む一定数のマルチプレクサ経路を含む。マルチプレクサ経路は、入力マルチプレクサＦ３１１、帯域通過フィルタＦ３１３ａ〜Ｆ３１３ｄ、増幅器Ｆ３１４ａ〜Ｆ３１４ｄ及び出力マルチプレクサＦ７１２を含む一定数のオンモジュール経路（図示）を含む。マルチプレクサ経路は、ここに記載される一以上のオフモジュール経路（図示せず）を含んでよい。またもここに記載されるように、増幅器Ｆ３１４ａ〜Ｆ３１４ｄは、可変利得増幅器及び／又は可変電流増幅器とすることができる。
【０４１２】
ＤＲｘ制御器Ｆ７０２は、入力及び出力間の複数の経路の一以上を選択的にアクティブにするように構成される。いくつかの実装において、ＤＲｘ制御器Ｆ７０２は、当該複数の経路の一以上を、ＤＲｘ制御器Ｆ７０２が（例えば通信制御器から）受信する帯域選択信号に基づいて選択的にアクティブにするように構成される。ＤＲｘ制御器Ｆ７０２は、例えば、増幅器Ｆ３１４ａ〜Ｆ３１４ｄのイネーブル又はディセーブルにより、マルチプレクサＦ３１１、Ｆ７１２の制御により、又はここに記載される他のメカニズムを介して当該経路を選択的にアクティブにすることができる。
【０４１３】
多重送信線Ｆ７３５ａ〜７３５ｂを良好に利用するべくＤＲｘ制御器Ｆ７０２は、帯域選択信号に基づいて出力マルチプレクサＦ７１２を制御して、経路に沿って伝播する各信号を、送信ラインＦ７３５ａ〜Ｆ７３５ｂ（又は送信線Ｆ７３５ａ〜Ｆ７３５ｂに対応する出力マルチプレクサ出力）の選択された一つへと引き回すことができる。
【０４１４】
いくつかの実装において、受信した信号が単一周波数帯域を含むことを帯域選択信号が指示する場合、ＤＲｘ制御器Ｆ７０２は出力マルチプレクサＦ７１２を制御して、対応経路を伝播する信号をデフォルト送信ラインへと引き回すことができる。デフォルトの送信ラインは、送信ラインＦ７３５ａ〜Ｆ７３５ｂの一つが短く、雑音の導入が少なく、又はそうでない場合が好ましいときのように、すべての経路（及び対応する周波数帯域）に対して同じでよい。デフォルトの送信ラインは、異なる経路に対して異なってよい。例えば、低周波数帯域に対応する経路を第１送信ラインＦ７３５ｂへと引き回し、高周波数帯域に対応する経路を第２送信ラインＦ７３５ｂへと引き回してよい。
【０４１５】
すなわち、ＤＲｘ制御器Ｆ７０２は、入力マルチプレクサＦ３１１において受信した一以上のＲＦ信号が単一周波数帯域を含むことを指示する帯域選択信号に応答して第２マルチプレクサＦ７１２を制御することにより、当該単一周波数帯域に対応する出力マルチプレクサ入力において受信した増幅済みＲＦ信号を、デフォルトの出力マルチプレクサ出力へと引き回すように構成することができる。ここで述べたように、デフォルトの出力マルチプレクサ出力は、異なる単一周波数帯域に対して異なってよく、又はすべての周波数帯域に対して同じでもよい。
【０４１６】
いくつかの実装において、受信した信号が２つの周波数帯域を含むことを帯域選択信号が指示する場合、ＤＲｘ制御器Ｆ７０２は、出力マルチプレクサＦ７１２を制御することにより、第１周波数帯域に対応する経路に沿って伝播する信号を第１送信ラインＦ７３５ａへと引き回し、かつ、第２周波数帯域に対応する経路に沿って伝播する信号を第２送信ラインＦ７３５ｂへと引き回すことができる。すなわち、２つの周波数帯域が双方とも高周波数帯域（又は低周波数帯域）の場合、対応する経路に沿って伝播する信号を、異なる送信ラインへと引き回すことができる。同様に、送信ラインが３以上の場合、３以上の周波数帯域のそれぞれを異なる送信ラインへと引き回すことができる。
【０４１７】
すなわち、ＤＲＸ制御器Ｆ７０２は、入力マルチプレクサＦ３１１において受信した一以上のＲＦ信号が第１周波数帯域及び第２周波数帯域を含むことを指示する帯域選択信号に応答して、第２マルチプレクサＦ７１２を制御することにより、第１周波数帯域に対応する出力マルチプレクサ入力において受信した増幅済みＲＦ信号を第１出力マルチプレクサ出力へと引き回し、かつ、第２周波数帯域に対応する出力マルチプレクサ入力において受信した増幅済みＲＦ信号を第２出力マルチプレクサ出力へと引き回すように構成することができる。ここで述べたように、第１周波数帯域及び第２周波数帯域は双方とも、高周波数帯域又は低周波数帯域としてよい。
【０４１８】
いくつかの実装において、受信した信号が３つの周波数帯域を含むことを帯域選択信号が指示する場合、ＤＲｘ制御器Ｆ７０２は出力マルチプレクサＦ７１２を制御して当該周波数帯域の２つに対応する２つの経路に沿って伝播する信号の２つを結合し、当該結合信号を当該送信ラインの一方に沿って引き回し、第３の周波数帯域に対応する経路に沿って伝播する信号を当該送信ラインの他方に沿って引き回すことができる。いくつかの実装において、ＤＲｘ制御器Ｆ７０２は出力マルチプレクサＦ７１２を制御して３つの周波数帯域の、互いに最も近い２つ（例えば双方とも低周波数帯域又は双方とも高周波数帯域）を結合する。かかる実装は、ＤＲｘモジュールＦ７１０の出力又は下流側モジュールの入力におけるインピーダンス整合を簡略化することができる。いくつかの実装において、ＤＲｘ制御器Ｆ７０２は出力マルチプレクサＦ７１２を制御して３つの周波数帯域の、最も離れた２つを結合する。かかる実装は、下流側モジュールにおける周波数帯域の分割を簡略化することができる。
【０４１９】
すなわち、ＤＲｘ制御器Ｆ７０２は、入力マルチプレクサＦ３１１において受信した一以上のＲＦ信号が第１周波数帯域、第２周波数帯域及び第３周波数帯域を含むことを指示する帯域選択信号に応答して第２マルチプレクサＦ７１２を制御し、（ａ）第１周波数帯域に対応する出力マルチプレクサ入力において受信した増幅済みＲＦ信号受信と、第２周波数帯域に対応する出力マルチプレクサ入力において受信した増幅済みＲＦ信号とを結合して結合信号を生成し、（ｂ）当該結合信号を第１出力マルチプレクサ出力へと引き回し、（ｃ）第３周波数帯域に対応する出力マルチプレクサ入力において受信した増幅済みＲＦ信号を第２出力マルチプレクサ出力へと引き回すように構成することができる。ここで述べたように、第１周波数帯域及び第２周波数帯域は、３つの周波数帯域の、互いに最も近いもの又は最も離れたものとすることができる。
【０４２０】
いくつかの実装において、受信した信号が４つの周波数帯域を含むことを帯域選択信号が指示する場合、ＤＲｘ制御器Ｆ７０２は出力マルチプレクサＦ７１２を制御して当該周波数帯域の２つに対応する２つの経路に沿って伝播する２つの信号を結合し、第１の結合信号を当該送信ラインの一方に沿って引き回し、当該周波数帯域の他の２つに対応する２つの経路に沿って伝播する信号の２つを引き回し、第２の結合信号を当該送信ラインの他方に沿って引き回すことができる。いくつかの実装において、ＤＲｘ制御器Ｆ７０２は出力マルチプレクサＦ７１２を制御して当該周波数帯域の３つに対応する３つの経路に沿って伝播する信号の３つを結合し、当該結合信号を当該送信ラインの一方に沿って引き回し、第４の周波数帯域に対応する経路に沿って伝播する信号を当該送信ラインの他方に沿って引き回すことができる。かかる実装は、周波数帯域の３つが互いに近く（例えばすべてが低周波帯域）かつ第４周波数帯域が離れている（例えば高周波帯域）場合に有利となり得る。
【０４２１】
一般に、受信した信号が、存在する送信ラインよりも多くの周波数帯域を含むことを帯域選択信号が指示する場合、ＤＲｘ制御器Ｆ７０２は出力マルチプレクサＦ７１２を制御して当該周波数帯域の２以上に対応する２以上の経路に沿って伝播する信号の２以上を結合し、当該結合信号を当該送信ラインの一方へと引き回すことができる。ＤＲｘ制御器Ｆ７０２は出力マルチプレクサＦ７１２を制御し、互いに最も近い又は最も離れた周波数帯域を結合することができる。
【０４２２】
すなわち、経路の一つに沿って伝播する信号は、出力マルチプレクサＦ７１２によって、他の経路に沿って伝播する他の信号に応じて送信ラインの異なる一つへと引き回すことができる。一例では、第３増幅器Ｆ３１４ｃを通過する第３経路に沿って伝播する信号が、当該第３経路が唯一のアクティブな経路である場合には第２送信ラインＦ７３５ｂへと引き回され、（第４増幅器Ｆ３１４ｄを通過する）第４経路もアクティブな場合には第１送信ラインＦ７３５ａへと引き回され（かつ第２送信ライン７３５ｂへと引き回され）る。
【０４２３】
すなわち、ＤＲｘ制御器Ｆ７０２は、第１帯域選択信号に応答して出力マルチプレクサＦ７１２を制御することにより、出力マルチプレクサ入力において受信した増幅済みＲＦ信号を第１出力マルチプレクサ出力へと引き回し、第２帯域選択信号に応答して当該出力マルチプレクサを制御することにより、当該出力マルチプレクサ入力において受信した増幅済みＲＦ信号を第２出力マルチプレクサ出力へと引き回す。
【０４２４】
すなわち、ＤＲｘモジュールＦ７１０は、複数の増幅器Ｆ３１４ａ〜Ｆ３１４ｄを含む受信システムを構成し、複数の増幅器Ｆ３１４ａ〜Ｆ３１４ｄの各一つが、受信システムの入力（例えば、アンテナ１４０に結合されたＤＲｘモジュールＦ７１０の入力、及び／又は他のアンテナに結合されたＤＲｘモジュールＦ７１０の付加入力）と、受信システムの出力（例えば、送信ラインＦ７３５ａ〜Ｆ７３５ｂに結合されたＤＲｘモジュールＦ７１０の出力、及び／又は他の送信ラインに結合されたＤＲｘモジュールＦ７１０の付加出力）との間にある複数の経路の対応する一つに沿って設けられる。増幅器Ｆ３１４ａ〜Ｆ３１４ｄはそれぞれが、増幅器Ｆ３１４ａ〜Ｆ３１４ｄにおいて受信したＲＦ信号を増幅するように構成される。
【０４２５】
ＤＲｘモジュールＦ７１０はさらに入力マルチプレクサＦ３１１を含む。これは、一以上の入力マルチプレクサ入力において一以上のＲＦ信号を受信し、当該一以上のＲＦ信号のそれぞれを、複数の入力マルチプレクサ出力の一以上へと出力して複数の経路の一以上それぞれに沿って伝播させるように構成される。いくつかの実装において、ＤＲｘモジュールＦ７１０は、単一入力マルチプレクサ入力において単一ＲＦ信号を受信し、当該単一ＲＦ信号を、帯域選択信号において指示された各周波数帯域に対応する入力マルチプレクサ出力の一以上へと出力するように、ＤＲｘ制御器Ｆ７０２によって制御され得る。いくつかの実装において、ＤＲｘモジュールＦ７１０は、多重入力マルチプレクサ入力において多重ＲＦ信号（それぞれが、帯域選択信号において指示された異なる組の一以上の周波数帯域に対応）を受信し、当該多重ＲＦ信号のそれぞれを、当該ＲＦ信号の一以上の周波数帯域の当該組に対応する入力マルチプレクサ出力の一以上へと出力するように、ＤＲｘ制御器Ｆ７０２によって制御され得る。すなわち、一般に、入力マルチプレクサＦ３１１は、一以上の周波数帯域にそれぞれが対応する一以上のＲＦ信号を受信し、各ＲＦ信号を、当該ＲＦ信号の一以上の周波数帯域に対応する一以上の経路に沿って引き回すように、ＤＲｘ制御器によって制御される。
【０４２６】
ＤＲｘモジュールＦ７１０はさらに出力マルチプレクサＦ７１２を含む。これは、複数の経路の一以上それぞれに沿って伝播する一以上の増幅済みＲＦ信号を、一以上の対応出力マルチプレクサ入力において受信し、当該一以上の増幅済みＲＦ信号のそれぞれを、複数の出力マルチプレクサ出力（複数の出力送信ラインＦ７３５ａ〜Ｆ７３５ｂの一つにそれぞれが結合される）の選択された一つへと出力する。
【０４２７】
ＤＲｘモジュールＦ７１０はさらに、帯域選択信号を受信して当該帯域選択信号に基づいて入力マルチプレクサ及び出力マルチプレクサを制御するように構成されたＤＲｘ制御器Ｆ７０２を含む。ここに記載されるように、ＤＲｘ制御器Ｆ７０２は、入力マルチプレクサを制御することにより、一以上の周波数帯域に対応する一以上のＲＦ信号のそれぞれを、当該ＲＦ信号の一以上の周波数帯域に対応する一以上の経路に沿うように引き回す。またもここに記載されるように、ＤＲｘ制御器Ｆ７０２は、出力マルチプレクサを制御することにより、一以上の経路に沿って伝播する一以上の増幅済みＲＦ信号のそれぞれを、複数の出力マルチプレクサ出力の選択された一つへと引き回し、ＤＲｘモジュールＦ７１０に結合された送信ラインＦ７３５ａ〜Ｆ７３５ｂを良好に利用する。
【０４２８】
いくつかの実装において、受信した信号が多重周波数帯域を含むことを帯域選択信号が指示する場合、ＤＲｘ制御器Ｆ７０２は出力マルチプレクサＦ７１２を制御し、多重周波数帯域に対応する経路に沿って伝播する信号すべてを結合して当該結合信号を送信ラインの一方へと引き回す。かかる実装は、他方の送信ラインが使用不能（例えば損傷又は特定の無線通信構成に不存在）の場合に使用することができ、ＤＲｘ制御器Ｆ７０２が（例えば通信制御器から）受信した当該送信ラインの一方が使用不能との制御器信号に応答して実装することができる。
【０４２９】
すなわち、ＤＲｘ制御器Ｆ７０２は、入力マルチプレクサＦ３１１において受信した一以上のＲＦ信号が多重周波数帯域を含むことを指示する帯域選択信号に応答し、かつ、送信ラインが使用不能であることを示す制御器信号に応答して出力マルチプレクサＦ７１２を制御することにより、多重周波数帯域に対応する多重出力マルチプレクサ入力において受信した多重増幅済みＲＦ信号を結合して結合信号を生成し、当該結合信号を出力マルチプレクサ出力へと引き回すように構成することができる。
【０４３０】
図６５は、動的引き回しを目的として使用することができる出力マルチプレクサＦ８１２の一実施形態を示す。出力マルチプレクサＦ８１２は、複数の周波数帯域に対応する複数の経路に沿って設けられた増幅器にそれぞれが結合され得る複数の入力Ｆ８０１ａ〜Ｆ８０１ｄを含む。出力マルチプレクサＦ８１２は、それぞれが複数の送信ラインに結合され得る複数の出力Ｆ８０２ａ〜Ｆ８０２ｂを含む。出力Ｆ８０２ａ〜Ｆ８０２ｂそれぞれは、結合器Ｆ８２０ａ〜Ｆ８２０ｂそれぞれの出力に結合される。入力Ｆ８０１ａ〜Ｆ８０１ｄそれぞれは、一組の単極／単投（ＳＰＳＴ）スイッチＦ８３０の一つを介して結合器Ｆ８２０ａ〜Ｆ８２０ｂそれぞれの入力に結合される。スイッチＦ８３０は、ＤＲｘ制御器に結合され得る制御バスＦ８０３を介して制御可能である。
【０４３１】
図６６は、動的引き回しを目的として使用することができる出力マルチプレクサＦ９１２の他実施形態を示す。出力マルチプレクサＦ９１２は、複数の周波数帯域に対応する複数の経路に沿って設けられた増幅器にそれぞれが結合され得る複数の入力Ｆ９０１ａ〜Ｆ９０１ｄを含む。出力マルチプレクサＦ９１２は、それぞれが複数の送信ラインに結合され得る複数の出力Ｆ９０２ａ〜Ｆ９０２ｂを含む。出力Ｆ９０２ａ〜Ｆ９０２ｂそれぞれは、結合器Ｆ９２０ａ〜Ｆ９２０ｂそれぞれの出力に結合される。第１入力Ｆ９０１ａは第１結合器Ｆ９２０ａの入力に結合され、第４入力Ｆ９０１ｄは第２結合器Ｆ９２０ｄの入力に結合される。第２入力Ｆ９０１ｂは、結合器Ｆ９２０ａ〜Ｆ９２０ｂのそれぞれに結合された出力を有する第１の単極／多投（ＳＰＭＴ）スイッチＦ９３０ａに結合される。同様に、第３入力Ｆ９０１ｃは、結合器Ｆ９２０ａ〜Ｆ９２０ｂのそれぞれに結合された出力を有する第２ＳＰＭＴスイッチＦ９３０ｂに結合される。スイッチＦ９３０ａ〜Ｆ９３０ｂは、ＤＲｘ制御器に結合され得る制御バスＦ９０３を介して制御可能である。
【０４３２】
図４４の出力マルチプレクサ８１２とは異なり、図４５の出力マルチプレクサ９１２は、入力９０１ａ〜９０１ｄそれぞれが出力９０２ａ〜９０２ｂのいずれかへと引き回されることを許容しない。むしろ、第１入力９０１ａは固定的に第１出力９０２ａへと引き回され、第４入力９０２ｄは固定的に第２出力９０２ｂへと引き回される。かかる実装は、制御バス９０３のサイズを低減し、又は制御バス９０３に取り付けられたＤＲｘ制御器の制御ロジックを簡略化することができる。
【０４３３】
図６５の出力マルチプレクサＦ８１２及び図６６の出力マルチプレクサＦ９１２は双方とも、第１出力マルチプレクサ出力Ｆ８０２ａ、Ｆ９０２ａに結合された第１結合器Ｆ８２０ａ、Ｆ９２０ａと、第２出力マルチプレクサ出力Ｆ８０２ｂ、Ｆ９０２ｂに結合された第２結合器Ｆ８２０ｂ、Ｆ９２０ｂとを含む。さらに、図６５の出力マルチプレクサＦ８１２及び図６６の出力マルチプレクサＦ９１２の双方は、（ＤＲｘ制御器により制御可能な）一以上のスイッチを介して第１結合器Ｆ８２０ａ、Ｆ９２０ａ及び第２結合器Ｆ８２０ｂ、Ｆ９２０ｂの双方に結合された出力マルチプレクサ入力Ｆ８０１ｂ、Ｆ９０１ｂを含む。図６５の出力マルチプレクサＦ８１２において、出力マルチプレクサ入力Ｆ８０１ｂは、２つのＳＰＳＴスイッチを介して第１結合器Ｆ８２０ａ及び第２結合器Ｆ８２０ｂに結合される。図６６の出力マルチプレクサＦ９１２において、出力マルチプレクサ入力Ｆ９０１ｂは、単一のＳＰＭＴスイッチを介して第１結合器Ｆ９２０ａ及び第２結合器Ｆ８２０ｂに結合される。
【０４３４】
図６７は、いくつかの実施形態において、ダイバーシティ受信器構成Ｆ１０００が多重アンテナＦ１０４０ａ〜Ｆ１０４０ｂを含み得ることを示す。図６７が一つの送信ライン１３５及び２つのアンテナＦ１０４０ａ〜Ｆ１０４０ｂを備えた一実施形態を例示するにもかかわらず、ここに記載される態様は、２以上の送信ライン及び／又は２を超えるアンテナを備えた実施形態に実装することができる。
【０４３５】
ダイバーシティ受信器構成Ｆ１０００は、第１アンテナＦ１０４０ａ及び第２アンテナＦ１０４０ｂに結合されたＤＲｘモジュールＦ１０１０を含む。ＤＲｘモジュールＦ１０１０は、ＤＲｘモジュールＦ１０１０の入力（例えば第１アンテナＦ１０４０ａに結合された第１入力、又は第２アンテナＦ１０４０ｂに結合された第２入力）と、ＤＲｘモジュールの出力（例えば送信ライン１３５に結合された出力）との間に一定数の経路を含む。いくつかの実装において、ＤＲｘモジュールＦ１０１０は、ＤＲｘ制御器Ｆ１００２が制御する一以上のバイパススイッチによってアクティブにされる入力及び出力間の一以上のバイパス経路（図示せず）を含む。
【０４３６】
ＤＲｘモジュールＦ１０１０は、入力マルチプレクサＦ１０１１及び出力マルチプレクサＦ３１２を含む一定数のマルチプレクサ経路を含む。マルチプレクサ経路は一定数のオンモジュール経路（図示）を含み、これは、入力マルチプレクサＦ１０１１、帯域通過フィルタＦ３１３ａ〜Ｆ３１３ｄ、増幅器Ｆ３１４ａ〜Ｆ３１４ｄ及び出力マルチプレクサＦ３１２を含む。マルチプレクサ経路は、ここに記載される一以上のオフモジュール経路（図示せず）を含んでよい。またもここに記載されるように、増幅器Ｆ３１４ａ〜Ｆ３１４ｄは、可変利得増幅器及び／又は可変電流増幅器とすることができる。
【０４３７】
ＤＲｘ制御器Ｆ１００２は、複数の経路の一以上を選択的にアクティブにするように構成される。いくつかの実装において、ＤＲｘ制御器Ｆ１００２は、ＤＲｘ制御器Ｆ１００２が（例えば通信制御器から）受信した帯域選択信号に基づいて複数の経路の一以上を選択的にアクティブにするように構成される。ＤＲｘ制御器Ｆ１００２は、例えば、増幅器Ｆ３１４ａ〜Ｆ３１４ｄのイネーブル又はディセーブルにより、マルチプレクサＦ１０１１、Ｆ３１２の制御により、又はここに記載される他のメカニズムを介して当該経路を選択的にアクティブにすることができる。
【０４３８】
様々なダイバーシティ受信器構成において、アンテナＦ１０４０ａ〜Ｆ１０４０ｂは、様々な周波数帯域をサポートし得る。例えば、一つの実装において、ダイバーシティ受信器構成は、低周波数帯域及び中間周波数帯域をサポートする第１アンテナＦ１０４０ａと、高周波数帯域をサポートする第２アンテナＦ１０４０ｂとを含み得る。他のダイバーシティ受信器構成は、低周波数帯域をサポートする第１アンテナＦ１０４０ａと、中間周波数帯域及び高周波数帯域をサポートする第２アンテナＦ１０４０ｂとを含み得る。さらなる他のダイバーシティ受信器構成は、低周波数帯域、中間周波数帯域及び高周波数帯域をサポートする第１広帯域アンテナＦ１０４０ａを含み、第２アンテナＦ１０４０ｂはなくてよい。
【０４３９】
これらのダイバーシティ受信器構成すべてに対し、ＤＲｘ制御器Ｆ１００２が、（例えば通信制御器から受信した、又は永久的メモリ若しくは他のハードワイヤード構成に記憶され及びこれらから読み出される）アンテナ構成信号に基づいて入力マルチプレクサＦ１０１１を制御することにより、同じＤＲｘモジュールＦ１０１０を使用することができる。
【０４４０】
いくつかの実装において、ダイバーシティ受信器構成Ｆ１０００が単一アンテナＦ１０４０ａのみを含むことをアンテナ構成信号が指示する場合、ＤＲｘ制御器Ｆ１００２は、入力マルチプレクサを制御することにより、単一アンテナＦ１０４０ａにおいて受信した信号を、当該経路のすべて（又は帯域選択信号が指示するアクティブな経路のすべて）へと引き回すことができる。
【０４４１】
すなわち、ＤＲｘ制御器Ｆ１００２は、ダイバーシティ受信器構成が単一アンテナを含むことを指示するアンテナ構成信号に応答して入力マルチプレクサを制御することにより、単一入力マルチプレクサ入力において受信したＲＦ信号を、複数の入力マルチプレクサ出力のすべてへと、又は当該ＲＦ信号の一以上の周波数帯域に関連づけられた複数の入力マルチプレクサ出力のすべてへと引き回すように構成することができる。
【０４４２】
いくつかの実装において、ダイバーシティ受信器構成Ｆ１０００が、低周波数帯域をサポートする第１アンテナＦ１０４０ａと中間周波数帯域及び高周波数帯域をサポートする第２アンテナＦ１０４０ｂとを含むことをアンテナ構成信号が指示する場合、ＤＲｘ制御器Ｆ１００２は、入力マルチプレクサＦ１０１１を制御することにより、第１アンテナＦ１０４０ａにおいて受信した信号を第１経路（第１増幅器Ｆ３１４ａを含む）へと引き回し、かつ、第２アンテナＦ１０４０ｂにおいて受信した信号を、第２経路（第２増幅器Ｆ３１４ｂを含む）、第３経路（第３増幅器Ｆ３１４ｃを含む）、及び第４経路（第４増幅器Ｆ３１４ｄを含む）、又は帯域選択信号が指示するようにアクティブである少なくともこれらの経路へと引き回すことができる。
【０４４３】
いくつかの実装において、ダイバーシティ受信器構成Ｆ１０００が、低周波数帯域及び低い中間周波数帯域をサポートする第１アンテナＦ１０４０ａと、高い中間周波数帯域及び高周波数帯域をサポートする第２アンテナＦ１０４０ｂとを含むことをアンテナ構成信号が指示する場合、ＤＲｘ制御器Ｆ１００２は、入力マルチプレクサＦ１０１１を制御することにより、第１アンテナＦ１０４０ａにおいて受信した信号を第１経路及び第２経路へと引き回し、かつ、第２アンテナＦ１０４０ｂにおいて受信した信号を第３経路及び第４経路、又は帯域選択信号が指示するようにアクティブである少なくともこれらの経路へと引き回すことができる。
【０４４４】
いくつかの実装において、ダイバーシティ受信器構成Ｆ１０００が、低周波数帯域及び中間周波数帯域をサポートする第１アンテナＦ１０４０ａと、高周波数帯域をサポートする第２アンテナＦ１０４０ｂとを含むとアンテナ構成信号が指示する場合、ＤＲｘ制御器Ｆ１００２は入力マルチプレクサＦ１０１１を制御することにより、第１アンテナＦ１０４０ａにおいて受信した信号を第１経路、第２経路及び第３経路へと引き回し、かつ、第２アンテナＦ１０４０ｂにおいて受信した信号を第４経路、又は帯域選択信号が指示するようにアクティブである少なくともこれらの経路へと引き回すことができる。
【０４４５】
すなわち、特定の経路（例えば第３経路）に沿って伝播する信号は、入力マルチプレクサＦ１０１１によって、（アンテナＦ１０４０ａ〜Ｆ１０４０ｂの一つに結合された）入力マルチプレクサ入力の異なる一つから、（アンテナ構成信号が指示する）ダイバーシティ受信器構成に応じて引き回すことができる。
【０４４６】
すなわち、ＤＲｘ制御器Ｆ１００２は、第１アンテナ構成信号に応答して入力マルチプレクサＦ１０１１を制御することにより、第１入力マルチプレクサ入力において受信したＲＦ信号を入力マルチプレクサ出力へと引き回し、かつ、第２アンテナ構成信号に応答して入力マルチプレクサＦ１０１１を制御することにより、第２入力マルチプレクサ入力において受信したＲＦ信号を入力マルチプレクサ出力へと引き回すように構成することができる。
【０４４７】
一般に、ＤＲｘ制御器Ｆ１００２は、入力マルチプレクサＦ１０１１を制御することにより、一以上の周波数帯域をそれぞれが含む受信した信号を、当該一以上の周波数帯域に対応する経路へと引き回すように構成することができる。いくつかの実装において、入力マルチプレクサＦ１０１１はさらに、一以上の周波数帯域のそれぞれを、当該一以上の周波数帯域に対応する経路に沿うように出力する帯域分割器として機能することができる。一例では、入力マルチプレクサＦ１０１１及び帯域通過フィルタＦ３１３ａ〜Ｆ３１３ｄが、かかる帯域分割器を構成する。他の実装において（さらに後述されるように）、帯域通過フィルタＦ３１３ａ〜Ｆ３１３ｄ及び入力マルチプレクサＦ１０１１は、他の態様で統合されて帯域分割器を形成してよい。
【０４４８】
図６８は、動的引き回しを目的として使用することができる入力マルチプレクサＦ１１１１の一実施形態を示す。入力マルチプレクサＦ１１１１は、それぞれが一以上のアンテナに結合され得る複数の入力Ｆ１１０１ａ〜Ｆ１１０１ｂを含む。入力マルチプレクサＦ１１１１は複数の出力Ｆ１１０２ａ〜Ｆ１１０２ｄを含む。複数の出力Ｆ１１０２ａ〜Ｆ１１０２ｄはそれぞれが、複数の周波数帯域に対応する複数の経路に沿って（例えば帯域通過フィルタを介して）設けられた増幅器に結合され得る。入力Ｆ１１０１ａ〜Ｆ１１０１ｂはそれぞれが、一組の単極／単投（ＳＰＳＴ）スイッチＦ１１３０の一つを介して、出力Ｆ１１０２ａ〜Ｆ１１０２ｄのそれぞれに結合される。スイッチＦ１１３０は、ＤＲｘ制御器に結合され得る制御バスＦ１１０３を介して制御可能である。
【０４４９】
図６９は、動的引き回しを目的として使用され得る入力マルチプレクサＦ１２１１の他実施形態を示す。入力マルチプレクサＦ１２１１は、それぞれが一以上のアンテナに結合され得る複数の入力Ｆ１２０１ａ〜Ｆ１２０１ｂを含む。入力マルチプレクサＦ１２１１は複数の出力Ｆ１２０２ａ〜Ｆ１２０２ｄを含む。複数の出力Ｆ１２０２ａ〜Ｆ１２０２ｄは、（例えば帯域通過フィルタを介して）複数の周波数帯域に対応する複数の経路に沿って設けられた増幅器にそれぞれが結合され得る。第１入力Ｆ１２０１ａは、第１出力Ｆ１２０２ａ、第１多極／単投（ＭＰＳＴ）スイッチＦ１２３０ａ及び第２ＭＰＳＴスイッチＦ１２３０ｂに結合される。第２入力Ｆ１２０１ｂは、第１ＭＰＳＴスイッチＦ１２３０ａ、第２ＭＰＳＴスイッチＦ１２３０ｂ及び第４出力Ｆ１２０２ｄに結合される。スイッチＦ１２３０ａ〜Ｆ１２３０ｂは、ＤＲｘ制御器に結合され得る制御バスＦ１２０３を介して制御可能である。
【０４５０】
図６９の出力マルチプレクサＦ１２１１は、図６８の入力マルチプレクサＦ１１１１とは異なり、入力Ｆ１２０１ａ〜Ｆ１２０１ｂのそれぞれが出力Ｆ１２０２ａ〜Ｆ１２０２ｄのいずれかへと引き回されることを許容しない。むしろ、第１入力Ｆ１２０１ａは固定的に第１出力Ｆ１２０２ａへと引き回され、第２入力Ｆ１２０１ｂは固定的に第４出力Ｆ１２０２ｄへと引き回される。かかる実装により、制御バスＦ９０３のサイズを低減し、又は制御バスＦ９０３に取り付けられたＤＲｘ制御器の制御ロジックを簡略化することができる。それにもかかわらず、ＤＲｘ制御器は、アンテナ構成信号に基づいてスイッチＦ１２３０ａ〜Ｆ１２３０ｂを制御することにより、入力Ｆ１２０１ａ〜Ｆ１２０１ｂのいずれかからの信号を、第２出力Ｆ１２０２ｂ及び／又は第３出力Ｆ１２０２ｃへと引き回すことができる。
【０４５１】
図６８の入力マルチプレクサＦ１１１１と図６９の入力マルチプレクサＦ１２１１とは双方とも、多極／多投（ＭＰＭＴ）スイッチとして動作する。いくつかの実装において、入力マルチプレクサＦ１１１１、Ｆ１２１１は、挿入損失を低減するフィルタ又は整合部品を含む。かかるフィルタ又は整合部品は、ＤＲｘモジュールの他の部品（例えば図６７の帯域通過フィルタＦ３１３ａ〜Ｆ３１３ｄ）と協調して設計することができる。例えば、入力マルチプレクサ及び帯域通過フィルタを単一部品として統合し、合計部品数を低減することができる。他例では、入力マルチプレクサは、特定の出力インピーダンス（例えば５０オームではないもの）を目的として設計することができ、帯域通過フィルタは、このインピーダンスに整合するように設計することができる。
【０４５２】
図７０〜７５は、動的な入力引き回し及び／又は出力引き回しを備えたＤＲｘモジュールの様々な実装を示す。図７０は、いくつかの実施形態において、ＤＲｘモジュールＦ１３１０が、単一入力及び２つの出力を含み得る。ＤＲｘモジュールＦ１３１０は帯域分割器として、入力信号を低周波数帯域と中間及び高周波数帯域とに分割する高低ダイプレクサＦ１３１１と、（第１の単極／３投スイッチ及び第２の単極／５投スイッチとして実装される）２極／８投スイッチＦ１３１２と、様々なフィルタ及び帯域分割ダイプレクサとを含む。ここに記載されるように、高低ダイプレクサＦ１３１１と様々なフィルタ及び帯域分割ダイプレクサとは協調設計することができる。
【０４５３】
図７１は、いくつかの実施形態において、ＤＲｘモジュールＦ１３２０が単一入力及び単一出力を含み得ることを示す。ＤＲｘモジュールＦ１３２０は帯域分割器として、入力信号を低周波数帯域と中間及び高周波数帯域とに分割する高低ダイプレクサＦ１３２１と、（第１の単極／３投スイッチ及び第２の単極／５投スイッチとして実装される）２極／８投スイッチＦ１３２２と、様々なフィルタ及び帯域分割ダイプレクサとを含む。ここに記載されるように、高低ダイプレクサＦ１３２１と様々なフィルタ及び帯域分割ダイプレクサとは協調設計することができる。ＤＲｘモジュールＦ１３２０は出力マルチプレクサとして、２つの入力において受信した信号をフィルタリングかつ結合し、当該結合信号を出力する高低結合器Ｆ１３２３を含む。
【０４５４】
図７２は、いくつかの実施形態において、ＤＲｘモジュールＦ１３３０が２つの入力及び３つの出力を含み得ることを示す。ＤＲｘモジュールＦ１３３０は帯域分割器として、入力信号を低周波数帯域と中間及び高周波数帯域とに分割する高低ダイプレクサＦ１３３１と、（第１の単極／３投スイッチ及び第２の単極／２投スイッチ及び第３の単極／３投スイッチとして実装される）３極／８投スイッチＦ１３３２と、様々なフィルタ及び帯域分割ダイプレクサとを含む。ここに記載されるように、高低ダイプレクサＦ１３３１と様々なフィルタ及び帯域分割ダイプレクサとは協調設計することができる。
【０４５５】
図７３は、いくつかの実施形態において、ＤＲｘモジュールＦ１３４０が２つの入力及び２つの出力を含み得ることを示す。ＤＲｘモジュールＦ１３４０は帯域分割器として、入力信号を低周波数帯域と中間及び高周波数帯域とに分割する高低ダイプレクサＦ１３４１と、（第１の単極／３投スイッチ及び第２の単極／２投スイッチ及び第３の単極／３投スイッチとして実装される）３極／８投スイッチＦ１３４２と、様々なフィルタ及び帯域分割ダイプレクサとを含む。ここに記載されるように、高低ダイプレクサＦ１３４１と様々なフィルタ及び帯域分割ダイプレクサは協調設計することができる。ＤＲｘモジュールＦ１３４０は、出力マルチプレクサの一部として、２つの入力において受信した信号をフィルタリングかつ結合し、当該結合信号を出力する高低結合器Ｆ１３４３を含む。
【０４５６】
図７４は、いくつかの実施形態において、ＤＲｘモジュールＦ１３５０が多極／多投スイッチＦ１３５２を含み得ることを示す。ＤＲｘモジュールＦ１３４０は帯域分割器として、入力信号を低周波数帯域と中間及び高周波数帯域とに分割する高低ダイプレクサＦ１３５１と、３極／８投スイッチＦ１３５２と、様々なフィルタ及び帯域分割ダイプレクサとを含む。ここに記載されるように、高低ダイプレクサＦ１３４１と様々なフィルタ及び帯域分割ダイプレクサは協調設計することができる。３極／８投スイッチＦ１３５２は、第１極において受信した信号を５投の一つへと引き回し及び第２極において受信した信号を当該投の３つの一つへと引き回す第１の単極／３投スイッチ及び第２の２極／５投スイッチとして実装される。
【０４５７】
図７５は、いくつかの実施形態において、ＤＲｘモジュールＦ１３６０が入力選択器Ｆ１３６１及び多極／多投スイッチＦ１３６２を含み得ることを示す。ＤＲｘモジュールＦ１３６０は帯域分割器として、（２極／４投スイッチとして動作可能かつ図６８及び図６９に示されるように実装可能な）入力選択器Ｆ１３６１と、４極／１０投スイッチＦ１３６２と、様々なフィルタ、整合部品及び帯域分割ダイプレクサとを含む。ここに記載されるように、入力選択器Ｆ１３６１、スイッチＦ１３６２並びに様々なフィルタ、整合部品及び帯域分割ダイプレクサを協調して設計することができる。入力選択器Ｆ１３６１及びスイッチＦ１３６２は、一緒になって２極／１０投スイッチとして動作する。ＤＲｘモジュールＦ１３６０は出力マルチプレクサとして、入力を出力の選択された一つへと引き回すことができる（これは信号を結合することを含み得る）出力選択器Ｆ１３６３を含む。出力選択器Ｆ１３６３は、図６５及び図６６に例示される態様を使用して実装することができる。
【０４５８】
図７６は、ＲＦ信号を処理する方法のフローチャート表現の一実施形態を示す。いくつかの実装において（及び一例として以下に詳述されるように）、方法Ｆ１４００は、図６４のＤＲｘ制御器Ｆ７０２又は図３９の通信制御器１２０のような制御器によって行われる。いくつかの実装において、方法Ｆ１４００は、ハードウェア、ファームウェア、ソフトウェア又はこれらの組み合わせを含む処理ロジックによって行うことができる。いくつかの実装において、方法Ｆ１４００は、非一時的コンピュータ可読媒体（例えばメモリ）に記憶されたコードを実行するプロセッサによって行われる。簡潔には、方法Ｆ１４００は、帯域選択信号を受信することと、受信ＲＦ信号を一以上の経路に沿って、選択された出力へと引き回して当該受信ＲＦ信号を処理することとを含む。
【０４５９】
方法Ｆ１４００は、ブロックＦ１４１０において、制御器が帯域選択信号を受信することから始まる。制御器は、他の制御器から帯域選択信号を受信し、又はセルラー基地局若しくは他の外部ソースから帯域選択信号を受信することができる。帯域選択信号は、無線装置がＲＦ信号を送受信する一以上の周波数帯域を指示することができる。いくつかの実装において、帯域選択信号は、キャリアアグリゲーション通信のための一組の周波数帯域を指示する。
【０４６０】
ブロックＦ１４２０において、制御器は、帯域選択信号が指示した各周波数帯域のための出力端子を決定する。いくつかの実装において、帯域選択信号が単一周波数帯域を指示し、制御器は当該単一周波数帯域に対するデフォルト出力端子を決定する。いくつかの実装において、帯域選択信号が２つの周波数帯域を指示し、制御器は、当該２つの周波数帯域のそれぞれに対する異なる出力端子を決定する。いくつかの実装において、帯域選択信号が、存在する使用可能出力端子よりも多くの周波数帯域を指示し、制御器は、当該周波数帯域の２以上を結合（すなわち２以上の周波数帯域に対して同じ出力端子を決定）する。制御器は、最も近い周波数帯域又は最も離れた周波数帯域を結合することを決定することができる。
【０４６１】
ブロックＦ１４３０において、制御器は、決定された出力端子へ各周波数帯域のための信号を引き回すべく出力マルチプレクサを制御する。制御器は、一以上のＳＰＳＴスイッチの開閉により、一以上のＳＰＭＴスイッチの状態決定により、出力マルチプレクサ制御信号の送信により、又は他のメカニズムにより出力マルチプレクサを制御することができる。
【０４６２】
とりわけ、フレキシブルな帯域引き回しに関する上述の例Ｆは、以下のようにまとめることができる。
【０４６３】
いくつかの実装によれば、本開示は、複数の増幅器を含む受信システムに関する。複数の増幅器の各一つは、受信システムの入力と当該受信システムの出力との間にある複数の経路の対応する一つに沿って設けられ、当該増幅器において受信した無線周波数（ＲＦ）信号を増幅するように構成される。受信システムはさらに入力マルチプレクサを含む。これは、一以上の入力マルチプレクサにおいて一以上のＲＦ信号を受信し、当該一以上のＲＦ信号のそれぞれを、複数の入力マルチプレクサ出力の一以上へと出力して複数の経路の一以上それぞれに沿って伝播させるように構成される。受信システムはさらに出力マルチプレクサを含む。これは、複数の経路の一以上それぞれに沿って伝播する一以上の増幅済みＲＦ信号を一以上の対応出力マルチプレクサ入力において受信し、当該一以上の増幅済みＲＦ信号を複数の出力マルチプレクサ出力の選択された一つへと出力するように構成される。受信システムはさらに、帯域選択信号を受信し、当該帯域選択信号に基づいて入力マルチプレクサ及び出力マルチプレクサを制御するように構成された制御器を含む。
【０４６４】
いくつかの実施形態において、制御器は、一以上のＲＦ信号が単一周波数帯域を含むことを指示する帯域選択信号に応答して出力マルチプレクサを制御し、当該単一周波数帯域に対応する出力マルチプレクサ入力において受信した増幅済みＲＦ信号をデフォルト出力マルチプレクサ出力へと引き回すべく構成することができる。いくつかの実施形態において、デフォルト出力マルチプレクサ出力は、異なる単一周波数帯域に対して異なる。
【０４６５】
いくつかの実施形態において、制御器は、一以上のＲＦ信号が第１周波数帯域及び第２周波数帯域を含むことを指示する帯域選択信号に応答して出力マルチプレクサを制御し、当該第１周波数帯域に対応する出力マルチプレクサ入力において受信した増幅済みＲＦ信号を第１出力マルチプレクサ出力へと引き回し、当該第２周波数帯域に対応する出力マルチプレクサ入力において受信した増幅済みＲＦ信号を第２出力マルチプレクサ出力へと引き回すべく構成することができる。いくつかの実施形態において、第１周波数帯域及び第２周波数帯域の双方は、高周波帯域又は低周波帯域とすることができる。
【０４６６】
いくつかの実施形態において、制御器は、一以上のＲＦ信号が第１周波数帯域、第２周波数帯域及び第３周波数帯域を含むことを指示する帯域選択信号に応答して出力マルチプレクサを制御し、当該第１周波数帯域に対応する出力マルチプレクサ入力において受信した増幅済みＲＦ信号と、当該第２周波数帯域に対応する出力マルチプレクサ入力において受信した増幅済みＲＦ信号とを結合して結合信号を生成し、当該結合信号を第１出力マルチプレクサ出力へと引き回し、当該第３周波数帯域に対応する出力マルチプレクサ入力において受信した増幅済みＲＦ信号を第２出力マルチプレクサ出力へと引き回すべく構成することができる。いくつかの実施形態において、第１周波数帯域及び第２周波数帯域は、第１周波数帯域、第２周波数帯域及び第３周波数帯域の、互いに最も近い周波数帯域とすることができる。いくつかの実施形態において、第１周波数帯域及び第２周波数帯域は、第１周波数帯域、第２周波数帯域及び第３周波数帯域の、最も離れた周波数帯域とすることができる。
【０４６７】
いくつかの実施形態において、制御器は、一以上のＲＦ信号が多重周波数帯域を含むことを指示する帯域選択信号に応答しかつ送信ラインが使用不能であることを指示する制御器信号に応答して出力マルチプレクサを制御し、当該多重周波数帯域に対応する多重出力マルチプレクサ入力において受信した多重の増幅済みＲＦ信号を結合して結合信号を生成し、当該結合信号を出力マルチプレクサ出力へと引き回すべく構成することができる。
【０４６８】
いくつかの実施形態において、制御器は、第１帯域選択信号に応答して出力マルチプレクサを制御し、出力マルチプレクサ入力において受信した増幅済みＲＦ信号を第１出力マルチプレクサ出力へと引き回し、第２帯域選択信号に応答して当該出力マルチプレクサを制御し、当該出力マルチプレクサ入力において受信した増幅済みＲＦ信号を第２出力マルチプレクサ出力へと引き回すべく構成することができる。
【０４６９】
いくつかの実施形態において、出力マルチプレクサは、第１出力マルチプレクサ出力に結合された第１結合器と、第２出力マルチプレクサ出力に結合された第２結合器とを含み得る。いくつかの実施形態において、出力マルチプレクサ入力は、一以上のスイッチを介して第１結合器及び第２結合器に結合することができる。いくつかの実施形態において、制御器は、一以上のスイッチを制御することによって出力マルチプレクサを制御することができる。いくつかの実施形態において、一以上のスイッチは、２つの単極／単投（ＳＰＳＴ）スイッチを含み得る。いくつかの実施形態において、一以上のスイッチは、単一の単極／多投（ＳＰＭＴ）スイッチを含み得る。いくつかの実施形態において、受信システムはさらに、それぞれが複数の出力マルチプレクサ出力に結合された複数の送信ラインを含む。
【０４７０】
いくつかの実装において、本開示は、複数の部品を受容するように構成されたパッケージング基板を含む無線周波数（ＲＦ）モジュールに関する。ＲＦモジュールさらに、パッケージング基板に実装された受信システムを含む。受信システムは複数の増幅器を含む。複数の増幅器の各一つは、受信システムの入力と当該受信システムの出力との間にある複数の経路の対応する一つに沿って設けられ、当該増幅器において受信した無線周波数（ＲＦ）信号を増幅するように構成される。受信システムは、一以上の入力マルチプレクサ入力において一以上のＲＦ信号を受信し、当該一以上のＲＦ信号のそれぞれを、複数の入力マルチプレクサ出力の選択された一以上へと出力して複数の経路の一以上それぞれに沿って伝播させるべく構成された入力マルチプレクサを含む。受信システムは、複数の経路の一以上それぞれに沿って伝播する一以上の増幅済みＲＦ信号を、一以上の対応出力マルチプレクサ入力において受信し、当該一以上の増幅済みＲＦ信号のそれぞれを、複数の出力マルチプレクサ出力の選択された一つへと出力するように構成された出力マルチプレクサを含む。受信システムは、帯域選択信号を受信し、当該帯域選択信号に基づいて入力マルチプレクサ及び出力マルチプレクサを制御するように構成された制御器を含む。
【０４７１】
いくつかの実施形態において、ＲＦモジュールは、ダイバーシティ受信器フロントエンドモジュール（ＦＥＭ）としてよい。
【０４７２】
いくつかの教示によれば、本開示は、第１無線周波数（ＲＦ）信号を受信するように構成された第１アンテナを含む無線装置に関する。無線装置はさらに、第１アンテナと通信する第１フロントエンドモジュール（ＦＥＭ）を含む。パッケージング基板を含む第１ＦＥＭは、複数の部品を受容するように構成される。第１ＦＥＭはさらに、パッケージング基板に実装された受信システムを含む。受信システムは複数の増幅器を含む。複数の増幅器の各一つは、受信システムの入力と当該受信システムの出力との間にある複数の経路の対応する一つに沿って設けられ、当該増幅器において受信した無線周波数（ＲＦ）信号を増幅するように構成される。受信システムは、一以上の入力マルチプレクサ入力において一以上のＲＦ信号を受信し、当該一以上のＲＦ信号のそれぞれを、複数の入力マルチプレクサ出力の選択された一以上へと出力して複数の経路の一以上それぞれに沿って伝播させるべく構成された入力マルチプレクサを含む。受信システムは、複数の経路の一以上それぞれに沿って伝播する一以上の増幅済みＲＦ信号を、一以上の対応出力マルチプレクサ入力において受信し、当該一以上の増幅済みＲＦ信号のそれぞれを、複数の出力マルチプレクサ出力の選択された一つへと出力するように構成された出力マルチプレクサを含む。受信システムは、帯域選択信号を受信し、当該帯域選択信号に基づいて入力マルチプレクサ及び出力マルチプレクサを制御するように構成された制御器を含む。無線装置はさらに、出力からの第１ＲＦ信号の処理済みバージョンを、それぞれが複数の出力マルチプレクサ出力に結合された複数の送信ラインを介して受信し、当該第１ＲＦ信号の処理済みバージョンに基づいてデータビットを生成するように構成された通信モジュールを含む。
【０４７３】
いくつかの実施形態において、無線装置はさらに、第２無線周波数（ＲＦ）信号を受信するように構成された第２アンテナと、当該第２アンテナと通信する第２ＦＥＭとを含む。通信モジュールは、第２ＦＥＭの出力から第２ＲＦ信号の処理済みバージョンを受信し、当該第２ＲＦ信号の処理済みバージョンに基づいてデータビットを生成するように構成することができる。
【０４７４】
特徴の組み合わせの複数例
【０４７５】
図７７Ａ及び７７Ｂは、いくつかの実施形態において、ダイバーシティ受信器構成が、ここに記載される例Ａの一以上の特徴と、ここに記載される例Ｂの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。
【０４７６】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０４７７】
図７８Ａ及び７８Ｂは、いくつかの実施形態において、ダイバーシティ受信器構成が、ここに記載される例Ａの一以上の特徴と、ここに記載される例Ｃの一以上の特徴とを含み得ることを示す。例Ａに関する付加的な詳細が、図３７〜４１、４２〜４６及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。
【０４７８】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０４７９】
図７９Ａ及び７９Ｂは、いくつかの実施形態において、ダイバーシティ受信器構成が、ここに記載される例Ａの一以上の特徴と、ここに記載される例Ｄの一以上の特徴とを含み得ることを示す。例Ａに関する付加的な詳細が、図３７〜４１、４２〜４６及び１３４〜１３６を含む様々な図を参照してここに記載される。例Ｄに関する付加的な詳細が、図３７〜４１、５６〜５９及び１３４〜１３６を含む様々な図を参照してここに記載される。
【０４８０】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０４８１】
図８０Ａ及び８０Ｂは、いくつかの実施形態において、ダイバーシティ受信器構成が、ここに記載される例Ｂの一以上の特徴と、ここに記載される例Ｃの一以上の特徴とを含み得ることを示す。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。
【０４８２】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０４８３】
図８１Ａ及び８１Ｂは、いくつかの実施形態において、ダイバーシティ受信器構成が、ここに記載される例Ｂの一以上の特徴と、ここに記載される例Ｄの一以上の特徴とを含み得ることを示す。例Ｂに関する付加的な詳細が、図３７〜４１、４７〜５０、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。
【０４８４】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０４８５】
図８２Ａ及び８２Ｂは、いくつかの実施形態において、ダイバーシティ受信器構成が、ここに記載される例Ｃの一以上の特徴と、ここに記載される例Ｄの一以上の特徴とを含み得ることを示す。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。
【０４８６】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０４８７】
図８３Ａ及び８３Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。
【０４８８】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０４８９】
図８４Ａ及び８４Ｂは、いくつかの実施形態において、ダイバーシティ受信器構成が、ここに記載される例Ａの一以上の特徴と、ここに記載される例Ｂの一以上の特徴と、ここに記載される例Ｄの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。
【０４９０】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０４９１】
図８５Ａ及び８５Ｂは、いくつかの実施形態において、ダイバーシティ受信器構成が、ここに記載される例Ａの一以上の特徴と、ここに記載される例Ｃの一以上の特徴と、ここに記載される例Ｄの一以上の特徴とを含み得ることを示す。例Ａに関する付加的な詳細が、図３７〜４１、４２〜４６及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。
【０４９２】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０４９３】
図８６Ａ及び８６Ｂは、いくつかの実施形態において、ダイバーシティ受信器構成が、ここに記載される例Ｂの一以上の特徴と、ここに記載される例Ｃの一以上の特徴と、ここに記載される例Ｄの一以上の特徴とを含み得ることを示す。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。
【０４９４】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０４９５】
図８７Ａ及び８７Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。
【０４９６】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０４９７】
図８８Ａ及び８８Ｂは、いくつかの実施形態において、ダイバーシティ受信器構成が、ここに記載される例Ａの一以上の特徴と、ここに記載される例Ｂの一以上の特徴と、ここに記載される例Ｅの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。例Ｅに関する付加的な詳細が、図３７〜４１、６０〜６２及び１３４〜１３６を含む様々な図を参照してここに記載される。
【０４９８】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０４９９】
図８９Ａ及び８９Ｂは、いくつかの実施形態において、ダイバーシティ受信器構成が、ここに記載される例Ａの一以上の特徴と、ここに記載される例Ｃの一以上の特徴と、ここに記載される例Ｅの一以上の特徴とを含み得ることを示す。例Ａに関する付加的な詳細が、図３７〜４１、４２〜４６及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｅに関する付加的な詳細が、図３７〜４１、６０〜６２及び１３４〜１３６を含む様々な図を参照してここに記載される。
【０５００】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５０１】
図９０Ａ及び９０Ｂは、いくつかの実施形態において、ダイバーシティ受信器構成が、ここに記載される例Ａの一以上の特徴と、ここに記載される例Ｄの一以上の特徴と、ここに記載される例Ｅの一以上の特徴とを含み得ることを示す。例Ａに関する付加的な詳細が、図３７〜４１、４２〜４６及び１３４〜１３６を含む様々な図を参照してここに記載される。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。
【０５０２】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５０３】
図９１Ａ及び９１Ｂは、いくつかの実施形態において、ダイバーシティ受信器構成が、ここに記載される例Ｂの一以上の特徴と、ここに記載される例Ｃの一以上の特徴と、ここに記載される例Ｅの一以上の特徴とを含み得ることを示す。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｅに関する付加的な詳細が、図３７〜４１、６０〜６２及び１３４〜１３６を含む様々な図を参照してここに記載される。
【０５０４】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５０５】
図９２Ａ及び９２Ｂは、いくつかの実施形態において、ダイバーシティ受信器構成が、ここに記載される例Ｂの一以上の特徴と、ここに記載される例Ｄの一以上の特徴と、ここに記載される例Ｅの一以上の特徴とを含み得ることを示す。例Ｂに関する付加的な詳細が、図３７〜４１、４７〜５０、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。
【０５０６】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５０７】
図９３Ａ及び９３Ｂは、いくつかの実施形態において、ダイバーシティ受信器構成が、ここに記載される例Ｃの一以上の特徴と、ここに記載される例Ｄの一以上の特徴と、ここに記載される例Ｅの一以上の特徴とを含み得ることを示す。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。
【０５０８】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５０９】
図９４Ａ及び９４Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｅの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｅに関する付加的な詳細が、図３７〜４１、６０〜６２及び１３４〜１３６を含む様々な図を参照してここに記載される。
【０５１０】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５１１】
図９５Ａ及び９５Ｂは、いくつかの実施形態において、ダイバーシティ受信器構成が、ここに記載される例Ａの一以上の特徴と、ここに記載される例Ｂの一以上の特徴と、ここに記載される例Ｄの一以上の特徴と、ここに記載される例Ｅの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。
【０５１２】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５１３】
図９６Ａ及び９６Ｂは、いくつかの実施形態において、ダイバーシティ受信器構成が、ここに記載される例Ａの一以上の特徴と、ここに記載される例Ｃの一以上の特徴と、ここに記載される例Ｄの一以上の特徴と、ここに記載される例Ｅの一以上の特徴とを含み得ることを示す。例Ａに関する付加的な詳細が、図３７〜４１、４２〜４６及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。
【０５１４】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５１５】
図９７Ａ及び９７Ｂは、いくつかの実施形態において、ダイバーシティ受信器構成が、ここに記載される例Ｂの一以上の特徴と、ここに記載される例Ｃの一以上の特徴と、ここに記載される例Ｄの一以上の特徴と、ここに記載される例Ｅの一以上の特徴とを含み得ることを示す。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。
【０５１６】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５１７】
図９８Ａ及び９８Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴と、ここに記載される例Ｅの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。
【０５１８】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５１９】
図９９は、いくつかの実施形態において、ダイバーシティ受信器構成が、ここに記載される例Ａの一以上の特徴と、ここに記載される例Ｂの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。例Ｆに関する付加的な詳細が、図３７〜４１、６３〜７６及び１３４〜１３６を含む様々な図を参照してここに記載される。
【０５２０】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５２１】
図１００は、いくつかの実施形態において、ダイバーシティ受信器構成が、ここに記載される例Ａの一以上の特徴と、ここに記載される例Ｃの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｆに関する付加的な詳細が、図３７〜４１、６３〜７６及び１３４〜１３６を含む様々な図を参照してここに記載される。
【０５２２】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５２３】
図１０１は、いくつかの実施形態において、ダイバーシティ受信器構成が、ここに記載される例Ａの一以上の特徴と、ここに記載される例Ｄの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｄに関する付加的な詳細が、図３７〜４１、５６〜５９及び１３４〜１３６を含む様々な図を参照してここに記載される。例Ｆに関する付加的な詳細が、図３７〜４１、６３〜７６及び１３４〜１３６を含む様々な図を参照してここに記載される。
【０５２４】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５２５】
図１０２は、いくつかの実施形態において、ダイバーシティ受信器構成が、ここに記載される例Ｂの一以上の特徴と、ここに記載される例Ｃの一以上の特徴と、ここに記載される例Ｆの一以上の特徴とを含み得ることを示す。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｆに関する付加的な詳細が、図３７〜４１、６３〜７６及び１３４〜１３６を含む様々な図を参照してここに記載される。
【０５２６】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５２７】
図１０３は、いくつかの実施形態において、ダイバーシティ受信器構成が、ここに記載される例Ｂの一以上の特徴と、ここに記載される例Ｄの一以上の特徴と、ここに記載される例Ｆの一以上の特徴とを含み得ることを示す。例Ｂに関する付加的な詳細が、図３７〜４１、４７〜５０、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｆに関する付加的な詳細が、図３７〜４１、６３〜７６及び１３４〜１３６を含む様々な図を参照してここに記載される。
【０５２８】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５２９】
図１０４は、いくつかの実施形態において、ダイバーシティ受信器構成が、ここに記載される例Ｃの一以上の特徴と、ここに記載される例Ｄの一以上の特徴と、ここに記載される例Ｆの一以上の特徴とを含み得ることを示す。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｆに関する付加的な詳細が、図３７〜４１、６３〜７６及び１３４〜１３６を含む様々な図を参照してここに記載される。
【０５３０】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５３１】
図１０５は、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｆに関する付加的な詳細が、図３７〜４１、６３〜７６及び１３４〜１３６を含む様々な図を参照してここに記載される。
【０５３２】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５３３】
図１０６は、いくつかの実施形態において、ダイバーシティ受信器構成が、ここに記載される例Ａの一以上の特徴と、ここに記載される例Ｂの一以上の特徴と、ここに記載される例Ｄの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｆに関する付加的な詳細が、図３７〜４１、６３〜７６及び１３４〜１３６を含む様々な図を参照してここに記載される。
【０５３４】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５３５】
図１０７は、いくつかの実施形態において、ダイバーシティ受信器構成が、ここに記載される例Ａの一以上の特徴と、ここに記載される例Ｃの一以上の特徴と、ここに記載される例Ｄの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｆに関する付加的な詳細が、図３７〜４１、６３〜７６及び１３４〜１３６を含む様々な図を参照してここに記載される。
【０５３６】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５３７】
図１０８は、いくつかの実施形態において、ダイバーシティ受信器構成が、ここに記載される例Ｂの一以上の特徴と、ここに記載される例Ｃの一以上の特徴と、ここに記載される例Ｄの一以上の特徴と、ここに記載される例Ｆの一以上の特徴とを含み得ることを示す。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｆに関する付加的な詳細が、図３７〜４１、６３〜７６及び１３４〜１３６を含む様々な図を参照してここに記載される。
【０５３８】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５３９】
図１０９は、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｆに関する付加的な詳細が、図３７〜４１、６３〜７６及び１３４〜１３６を含む様々な図を参照してここに記載される。
【０５４０】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５４１】
図１１０は、いくつかの実施形態において、ダイバーシティ受信器構成が、ここに記載される例Ａの一以上の特徴と、ここに記載される例Ｂの一以上の特徴と、ここに記載される例Ｅの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５４２】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５４３】
図１１１は、いくつかの実施形態において、ダイバーシティ受信器構成が、ここに記載される例Ａの一以上の特徴と、ここに記載される例Ｃの一以上の特徴と、ここに記載される例Ｅの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５４４】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５４５】
図１１２は、いくつかの実施形態において、ダイバーシティ受信器構成が、ここに記載される例Ａの一以上の特徴と、ここに記載される例Ｄの一以上の特徴と、ここに記載される例Ｅの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５４６】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５４７】
図１１３は、いくつかの実施形態において、ダイバーシティ受信器構成が、ここに記載される例Ｂの一以上の特徴と、ここに記載される例Ｃの一以上の特徴と、ここに記載される例Ｅの一以上の特徴と、ここに記載される例Ｆの一以上の特徴とを含み得ることを示す。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５４８】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５４９】
図１１４は、いくつかの実施形態において、ダイバーシティ受信器構成が、ここに記載される例Ｂの一以上の特徴と、ここに記載される例Ｄの一以上の特徴と、ここに記載される例Ｅの一以上の特徴と、ここに記載される例Ｆの一以上の特徴とを含み得ることを示す。例Ｂに関する付加的な詳細が、図３７〜４１、４７〜５０、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５５０】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５５１】
図１１５は、いくつかの実施形態において、ダイバーシティ受信器構成が、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５５２】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５５３】
図１１６は、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｅの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５５４】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５５５】
図１１７は、いくつかの実施形態において、ダイバーシティ受信器構成が、ここに記載される例Ａの一以上の特徴と、ここに記載される例Ｂの一以上の特徴と、ここに記載される例Ｄの一以上の特徴と、ここに記載される例Ｅの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５５６】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５５７】
図１１８は、いくつかの実施形態において、ダイバーシティ受信器構成が、ここに記載される例Ａの一以上の特徴と、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５５８】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５５９】
図１１９は、いくつかの実施形態において、ダイバーシティ受信器構成が、ここに記載される例Ｂの一以上の特徴と、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５６０】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５６１】
図１２０は、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｂに関する付加的な詳細が、図３７〜４１、４７〜５０、５３〜５５及び１３４〜１３６を含む様々な図を参照してここに記載される。例Ｃに関する付加的な詳細が、図３７〜４１、５１、５２、５３〜５５及び１３４〜１３６を含む様々な図を参照してここに記載される。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５６２】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５６３】
図１２１Ａ及び１２１Ｂは、いくつかの実施形態において、ダイバーシティ受信器構成が、ここに記載される例Ａの一以上の特徴と、ここに記載される例Ｅの一以上の特徴とを含み得ることを示す。例Ａに関する付加的な詳細が、図３７〜４１、４２〜４６及び１３４〜１３６を含む様々な図を参照してここに記載される。例Ｅに関する付加的な詳細が、図３７〜４１、６０〜６２及び１３４〜１３６を含む様々な図を参照してここに記載される。
【０５６４】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５６５】
図１２２Ａ及び１２２Ｂは、いくつかの実施形態において、ダイバーシティ受信器構成が、ここに記載される例Ｂの一以上の特徴と、ここに記載される例Ｅの一以上の特徴とを含み得ることを示す。例Ｂに関する付加的な詳細が、図３７〜４１、４７〜５０、５３〜５５及び１３４〜１３６を含む様々な図を参照してここに記載される。例Ｅに関する付加的な詳細が、図３７〜４１、６０〜６２及び１３４〜１３６を含む様々な図を参照してここに記載される。
【０５６６】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５６７】
図１２３Ａ及び１２３Ｂは、いくつかの実施形態において、ダイバーシティ受信器構成が、ここに記載される例Ｃの一以上の特徴と、ここに記載される例Ｅの一以上の特徴とを含み得ることを示す。例Ｃに関する付加的な詳細が、図３７〜４１、５１、５２、５３〜５５及び１３４〜１３６を含む様々な図を参照してここに記載される。例Ｅに関する付加的な詳細が、図３７〜４１、６０〜６２及び１３４〜１３６を含む様々な図を参照してここに記載される。
【０５６８】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５６９】
図１２４Ａ及び１２４Ｂは、いくつかの実施形態において、ダイバーシティ受信器構成が、ここに記載される例Ｄの一以上の特徴と、ここに記載される例Ｅの一以上の特徴とを含み得ることを示す。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。
【０５７０】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５７１】
図１２５は、いくつかの実施形態において、ダイバーシティ受信器構成が、ここに記載される例Ａの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｆに関する付加的な詳細が、図３７〜４１、６３〜７６及び１３４〜１３６を含む様々な図を参照してここに記載される。
【０５７２】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５７３】
図１２６は、いくつかの実施形態において、ダイバーシティ受信器構成が、ここに記載される例Ｂの一以上の特徴と、ここに記載される例Ｆの一以上の特徴とを含み得ることを示す。例Ｂに関する付加的な詳細が、図３７〜４１、４７〜５０、５３〜５５及び１３４〜１３６を含む様々な図を参照してここに記載される。例Ｆに関する付加的な詳細が、図３７〜４１、６３〜７６及び１３４〜１３６を含む様々な図を参照してここに記載される。
【０５７４】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５７５】
図１２７は、いくつかの実施形態において、ダイバーシティ受信器構成が、ここに記載される例Ｃの一以上の特徴と、ここに記載される例Ｆの一以上の特徴とを含み得ることを示す。例Ｃに関する付加的な詳細が、図３７〜４１、５１、５２、５３〜５５及び１３４〜１３６を含む様々な図を参照してここに記載される。例Ｆに関する付加的な詳細が、図３７〜４１、６３〜７６及び１３４〜１３６を含む様々な図を参照してここに記載される。
【０５７６】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５７７】
図１２８は、いくつかの実施形態において、ダイバーシティ受信器構成が、ここに記載される例Ｄの一以上の特徴と、ここに記載される例Ｆの一以上の特徴とを含み得ることを示す。例Ｄに関する付加的な詳細が、図３７〜４１、５６〜５９及び１３４〜１３６を含む様々な図を参照してここに記載される。例Ｆに関する付加的な詳細が、図３７〜４１、６３〜７６及び１３４〜１３６を含む様々な図を参照してここに記載される。
【０５７８】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５７９】
図１２９は、いくつかの実施形態において、ダイバーシティ受信器構成が、ここに記載される例Ｅの一以上の特徴と、ここに記載される例Ｆの一以上の特徴とを含み得ることを示す。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５８０】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５８１】
図１３０は、いくつかの実施形態において、ダイバーシティ受信器構成が、ここに記載される例Ａの一以上の特徴と、ここに記載される例Ｅの一以上の特徴と、ここに記載される例Ｆの一以上の特徴とを含み得ることを示す。例Ａに関する付加的な詳細が、図３７〜４１、４２〜４６及び１３４〜１３６を含む様々な図を参照してここに記載される。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５８２】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５８３】
図１３１は、いくつかの実施形態において、ダイバーシティ受信器構成が、ここに記載される例Ｂの一以上の特徴と、ここに記載される例Ｅの一以上の特徴と、ここに記載される例Ｆの一以上の特徴とを含み得ることを示す。例Ｂに関する付加的な詳細が、図３７〜４１、４７〜５０、５３〜５５及び１３４〜１３６を含む様々な図を参照してここに記載される。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５８４】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５８５】
図１３２は、いくつかの実施形態において、ダイバーシティ受信器構成が、ここに記載される例Ｃの一以上の特徴と、ここに記載される例Ｅの一以上の特徴と、ここに記載される例Ｆの一以上の特徴とを含み得ることを示す。例Ｃに関する付加的な詳細が、図３７〜４１、５１、５２、５３〜５５及び１３４〜１３６を含む様々な図を参照してここに記載される。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５８６】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５８７】
図１３３は、いくつかの実施形態において、ダイバーシティ受信器構成が、ここに記載される例Ｄの一以上の特徴と、ここに記載される例Ｅの一以上の特徴と、ここに記載される例Ｆの一以上の特徴とを含み得ることを示す。例Ｄに関する付加的な詳細が、図３７〜４１、５６〜５９及び１３４〜１３６を含む様々な図を参照してここに記載される。例Ｅに関する付加的な詳細が、図３７〜４１、６０〜６２及び１３４〜１３６を含む様々な図を参照してここに記載される。例Ｆに関する付加的な詳細が、図３７〜４１、６３〜７６及び１３４〜１３６を含む様々な図を参照してここに記載される。
【０５８８】
いくつかの実施形態において、上述した特徴の組み合わせは、各例、当該組み合わせにおける例のすべて、又はこれらの任意の組み合わせに関するいくつかの又はすべての利点及び／又は機能を与えることができる。
【０５８９】
製品及びアーキテクチャの複数例
【０５９０】
図１３４は、いくつかの実施形態において、複数の特徴の組み合わせを有するダイバーシティ受信器構成（例えば図７７〜１３３）の一部又は全部を含むダイバーシティ受信器構成の一部又は全部が、一モジュールに全体的に又は部分的に実装され得ることを示す。かかるモジュールは、例えばフロントエンドモジュール（ＦＥＭ）とすることができる。かかるモジュールは、例えばダイバーシティ受信器（ＤＲｘ）ＦＥＭとすることができる。
【０５９１】
図１３４の一例において、モジュール１０００はパッケージング基板１００２を含み得る。かかるパッケージング基板１００２には一定数の部品が装着され得る。例えば、（フロントエンド電力管理集積回路［ＦＥ−ＰＩＭＣ］を含み得る）制御器１００４、ここに記載される一以上の特徴を有する組み合わせアセンブリ１００６、マルチプレクサアセンブリ１０１０、（一以上の帯域通過フィルタを含み得る）フィルタバンク１００８を、パッケージング基板１００２上に及び／又はパッケージング基板１００２内に装着及び／又は実装可能である。一定数のＳＭＴ装置１０１２のような他の部品もまた、パッケージング基板１００２上に装着することができる。様々な部品のすべてがパッケージング基板１００２上にレイアウトされるように描かれるにもかかわらず、何らかの部品（複数可）が、他の部品（複数可）の上に実装できることが理解される。
【０５９２】
図１３５は、いくつかの実施形態において、複数の特徴の組み合わせを有するダイバーシティ受信器構成（例えば図７７〜１３３）の一部又は全部を含むダイバーシティ受信器構成の一部又は全部が、一アーキテクチャに全体的に又は部分的に実装され得ることを示す。かかるアーキテクチャは、一以上のモジュールを含み、ダイバーシティ受信器（ＤＲｘ）フロントエンド機能のようなフロントエンド機能を与えるように構成することができる。
【０５９３】
図１３５の一例において、アーキテクチャ１１００は、（フロントエンド電力管理集積回路［ＦＥ−ＰＩＭＣ］を含み得る）制御器１１０４、ここに記載される一以上の特徴を有する組み合わせアセンブリ１１０６、マルチプレクサアセンブリ１１１０、及び（一以上の帯域通過フィルタを含み得る）フィルタバンク１１０８を含み得る。一定数のＳＭＴ装置１１１２のような他の部品もまた、アーキテクチャ１１００に実装することができる。
【０５９４】
いくつかの実装において、ここに記載される一以上の特徴を有する装置及び／又は回路は、無線装置のようなＲＦ電子装置に含まれ得る。かかる装置及び／又は回路は、無線装置に直接、ここに記載されるモジュラー形態で、又はこれらの何らかの組み合わせで実装可能である。いくつかの実施形態において、かかる無線装置は、例えば、セルラー電話、スマートフォン、電話機能あり又はなしのハンドヘルド無線装置、無線タブレット等を含み得る。
【０５９５】
図１３６は、ここに記載される一以上の有利な特徴を有する代表的な無線装置１４００を描く。ここに記載される一以上の特徴を有する一以上のモジュールの文脈において、かかるモジュールは一般に、破線枠１４０１（例えばフロントエンドモジュールとして実装可能）、ダイバーシティＲＦモジュール１４１１（例えば下流側モジュールとして実装可能）、及びダイバーシティ受信器（ＤＲｘ）モジュール１０００（例えばフロントエンドモジュールとして実装可能）によって描くことができる。
【０５９６】
図１３６を参照すると、電力増幅器（ＰＡ）１４２０は、その各ＲＦ信号を、増幅及び送信対象のＲＦ信号を生成するように構成かつ動作可能な送受信器１４１０から受信し、受信した信号を処理することができる。送受信器１４１０は、ユーザに適したデータ及び／又は音声信号と送受信器１４１０に適したＲＦ信号との間の変換を与えるべく構成されたベース帯域サブシステム１４０８と相互作用をするように示される。送受信器１４１０はまた、無線装置１４００の動作のために電力を管理するように構成された電力管理部品１４０６と通信することもできる。かかる電力管理はまた、ベース帯域サブシステム１４０８並びにモジュール１４０１、１４１１及び１０００の動作を制御することもできる。
【０５９７】
ベース帯域サブシステム１４０８は、ユーザに与えられ及びユーザから受けた音声及び／又はデータの様々な入力及び出力を容易にするべく、ユーザインタフェイス１４０２に接続されるように示される。ベース帯域サブシステム１４０８はまた、無線装置の動作を容易にし、及び／又はユーザのための情報記憶を与えるデータ及び／又は命令を記憶するように構成されたメモリ１４０４に接続することもできる。
【０５９８】
無線装置１４００の一例において、ＰＡ１４２０の出力は、（それぞれの整合回路１４２２を介して）それぞれのデュプレクサ１４２４に整合され及び引き回されるように示される。かかる増幅されかつフィルタリングを受けた信号は、送信を目的としてアンテナスイッチ１４１４を介して一次アンテナ１４１６へと引き回すことができる。いくつかの実施形態において、デュプレクサ１４２４により、共通アンテナ（例えば一次アンテナ１４１６）を使用して送受信動作を同時に行うことができる。図１３６において、受信した信号は、例えば低雑音増幅器（ＬＮＡ）を含み得る「Ｒｘ」経路へと引き回されるように示される。
【０５９９】
無線装置はまた、ダイバーシティアンテナ１４２６と、ダイバーシティアンテナ１４２６から信号を受信するダイバーシティ受信器モジュール１０００とを含む。ダイバーシティ受信器モジュール１０００は、受信した信号を処理し、処理された信号を、送信ライン１４３５を介してダイバーシティＲＦモジュール１４１１へと送信する。ダイバーシティＲＦモジュール１４１１は、当該信号をさらに処理した後に送受信器１４１０に供給する。
【０６００】
いくつかの実施形態において、ここに記載される例Ａを、無線周波数（ＲＦ）受信システム並びに関連する装置及び方法の第１の特徴を含むものとみなすことができる。同様に、ここに記載される例Ｂは、無線周波数（ＲＦ）受信システム並びに関連する装置及び方法の第２の特徴を含むものとみなすことができる。同様に、ここに記載される例Ｃは、無線周波数（ＲＦ）受信システム並びに関連する装置及び方法の第３の特徴を含むものとみなすことができる。同様に、ここに記載される例Ｄは、無線周波数（ＲＦ）受信システム並びに関連する装置及び方法の第４の特徴を含むものとみなすことができる。同様に、ここに記載される例Ｅは、無線周波数（ＲＦ）受信システム並びに関連する装置及び方法の第５の特徴を含むものとみなすことができる。同様に、ここに記載される例Ｆは、無線周波数（ＲＦ）受信システム並びに関連する装置及び方法の第６の特徴を含むものとみなすことができる。
【０６０１】
本開示の一以上の特徴には、ここに記載される様々なセルラー周波数帯域を実装することができる。かかる帯域の複数例が表１に列挙される。理解されることだが、帯域の少なくともいくつかは、サブ帯域に分割することができる。またも理解されることだが、本開示の一以上の特徴は、表１の複数例のような指示を有しない周波数範囲も実装することができる。
【表１】
2017200183.tif 000003
【０６０２】
付加的な実施形態及び例
【０６０３】
以下の段落では、例示を目的として、実施形態及び組み合わせの複数例が列挙される。理解すべきことだが、ここで以下に与えられる組み合わせは、網羅的というわけではなく、本開示によりサポートされる潜在的な組み合わせの列挙される複数例を代表する。
【０６０４】
遮蔽されたＲＦモジュールの製作の列挙される複数例
【０６０５】
以下に列挙される複数の実施形態の例は、遮蔽されたＲＦモジュールの製作の複数例、及びＤＲｘ受信器モジュール、フロントエンドモジュール等のような遮蔽されたＲＦモジュールの複数例を含む。ここに記載の遮蔽されたＲＦモジュール（その実施形態は、明細書に引き続いての特許請求の範囲に含まれる）は、列挙される複数例の方法及び／又は装置を使用して作られる等角遮蔽体を含み得る。したがって、ここでの特許請求の範囲及び明細書における遮蔽が、これらの実施形態の例に列挙される方法、装置及びシステムを含むことを理解すべきである。
［実施形態１］
複数のパッケージ状装置を処理する方法であって、
ステンシルと当該ステンシルの第１側に貼り付けられた両面接着部材とを有する第１アセンブリを形成し又は与えることであって、当該ステンシルは複数の開口を有し、当該両面接着部材は、当該ステンシルの開口に対応する複数の開口を有することと、
当該第１アセンブリをリングに貼り付けて第２アセンブリを与えることであって、当該リングは堆積プロセスを容易にする寸法とされることと、
複数のパッケージ状装置を、各パッケージ状装置が当該第１アセンブリの両面接着部材によって保持されて各パッケージ状装置の一部分が当該両面接着部材の対応開口の中へと延びるように当該第２アセンブリへとローディングすることと
を含む方法。
［実施形態２］
各パッケージ状装置は箱形本体を含み、当該両面接着部材の対応開口の中へと延びるパッケージ状装置の一部分が、当該箱形本体の下側に実装された一以上の特徴部を含む実施形態１の方法。
［実施形態３］
前記一以上の特徴部は複数の半田ボールを含む実施形態２の方法。
［実施形態４］
前記箱形本体は上面及び４つの側壁面を含む実施形態２の方法。
［実施形態５］
当該パッケージ状装置がローディングされた当該第２アセンブリにおいて当該堆積プロセスを行うことにより、当該複数のパッケージ状装置のそれぞれの箱形本体の上面及び４つの側壁面に導電性材料が堆積されることをさらに含む実施形態４の方法。
［実施形態６］
前記導電性材料は等角態様で堆積される実施形態５の方法。
［実施形態７］
当該パッケージ状装置は無線周波数モジュールであり、当該導電性材料は、当該無線周波数モジュールのための遮蔽を与えるように構成される実施形態６の方法。
［実施形態８］
当該第１アセンブリを形成することは、当該開口のない両面接着部材を当該ステンシルの第１側に貼り付けることと、当該両面接着部材の開口を形成するべくレーザー切断動作を行うこととを含む実施形態１の方法。
［実施形態９］
当該レーザー切断動作は、レーザービームが当該ステンシルの開口を通って当該両面接着部材に入射するように行われる実施形態８の方法。
［実施形態１０］
当該レーザー切断動作はさらに、当該レーザービームが当該両面接着部材を切り抜くが、当該両面接着部材の、当該ステンシルに対向する一側においてカバー層を切り抜かないように構成される実施形態９の方法。
［実施形態１１］
当該カバー層を当該両面接着部材から除去することをさらに含み、当該両面接着部材の切断部分が当該カバー層とともに除去されることにより、当該両面接着部材の開口が与えられる実施形態１０の方法。
［実施形態１２］
当該カバー層を除去することは、当該第１アセンブリを当該リングに貼り付けた後に行われる実施形態１１の方法。
［実施形態１３］
当該両面接着部材の開口は、当該ステンシルの対応開口よりも小さい実施形態８の方法。
［実施形態１４］
当該第１アセンブリを当該リングに貼り付けることは、当該リングが当該第１アセンブリを取り囲むように当該リングに対して当該第１アセンブリを位置決めすることを含む実施形態１の方法。
［実施形態１５］
当該第１アセンブリを当該リングに貼り付けることはさらに、当該第１アセンブリ及び当該リングにおいて接着部材を位置決めすることにより当該第１アセンブリを当該リングに固定することを含み、当該接着部材は該ステンシルの第２側に貼り付けられる実施形態１４の方法。
［実施形態１６］
当該接着部材は片面接着部材である実施形態１５の方法。
［実施形態１７］
当該ステンシルを覆う当該接着部材の一部分を切り抜いて当該ステンシルの各開口の少なくとも一部分を露出させるべくレーザー切断動作を行うことをさらに含む実施形態１５の方法。
［実施形態１８］
当該接着部材の一部分を切り抜くことは、当該ステンシルの開口のすべてを露出させるべく当該接着部材に単一の開口をもたらす実施形態１７の方法。
［実施形態１９］
当該レーザー切断動作は、レーザービームが当該接着部材を切り抜くが、当該ステンシルの第１側において当該両面接着部材に損傷を与えることがないように行われる実施形態１７の方法。
［実施形態２０］
前記レーザー切断動作は、当該レーザービームが、当該接着部材を切り抜いた後に当該ステンシルによってブロックされるように行われる実施形態１９の方法。
［実施形態２１］
複数のパッケージ状モジュールを処理する装置であって、
堆積装置において利用されるように構成されたリングと、
各開口が処理対象のパッケージ状モジュールの一部分を受容する寸法とされた複数の開口を有するステンシルと、
当該ステンシルを当該リングに貼り付けて当該ステンシルを当該堆積装置において利用可能とする接着部材と
を含む装置。
［実施形態２２］
当該ステンシルの第１側に貼り付けられた両面接着部材をさらに含み、
当該両面接着部材は、当該ステンシルの当該開口に対応する複数の開口を有する実施形態２１の装置。
［実施形態２３］
当該リングと当該ステンシルとは、ほぼ同一の平面内となるように当該接着部材によって貼り付けられる実施形態２２の装置。
［実施形態２４］
当該ステンシルは、当該リングの内径の中に位置決めされる実施形態２３の装置。
［実施形態２５］
当該接着部材は、当該ステンシルの第２側の少なくとも一部分と当該リングの対応側の少なくとも一部分とを覆う寸法とされる実施形態２４の装置。
［実施形態２６］
当該接着部材は片面接着部材であり、当該片面接着部材の接着面が、当該ステンシルの第２側と当該リングの対応側とに係合する実施形態２５の装置。
［実施形態２７］
当該接着部材は、当該ステンシルの第２側において当該ステンシルの各開口の少なくとも一部分を露出する寸法とされた一以上の切り抜きを含み、
当該ＲＦモジュールの当該一部分が当該ステンシルの第１側からその中に置かれるときに周囲気体が当該ステンシルの当該開口から抜け出ることが許容される実施形態２５の装置。
［実施形態２８］
当該接着部材の一以上の切り抜きは、当該ステンシルの当該開口のすべてを露出する単一の切り抜きを含み、
当該単一の切り抜きにより、当該ステンシルの周縁部分において当該接着部材が当該ステンシルの第２側を保持する実施形態２７の装置。
［実施形態２９］
当該接着部材の単一の切り抜きは、当該ステンシルの中実部分における切断縁を含み、
当該ステンシルは、当該ステンシルの第２側からの当該接着部材への切断動作中に当該ステンシルの第１側における当該両面接着部材への損傷を抑制する実施形態２８の装置。
［実施形態３０］
当該ステンシルの第１側における当該両面接着部材の各開口は、当該パッケージ状モジュールの下側に係合する寸法とされる一方、当該パッケージ状モジュールの当該一部分が当該ステンシルの対応開口に入ることを許容する実施形態２７の装置。
［実施形態３１］
当該ステンシルの第１側における当該両面接着部材の各開口が当該ステンシルの対応開口よりも小さくされることにより、当該両面接着部材の当該開口の縁が、当該ステンシルの対応開口の縁に対する張り出しを形成する実施形態３０の装置。
［実施形態３２］
当該両面接着部材の上方にカバー層をさらに含み、
当該カバー層は、当該パッケージ状モジュールを当該両面接着部材へと位置決めする前に除去されるように構成される実施形態３１の装置。
［実施形態３３］
当該両面接着部材の複数の開口は、当該カバー層が除去されるときに、当該両面接着部材の切り抜きが当該カバー層とともに除去されて当該両面接着部材の対応開口が与えられるように構成される実施形態３２の装置。
［実施形態３４］
当該リングは一般的な円形状を有する実施形態２１の装置。
［実施形態３５］
当該リングはその内側部分を完全に取り囲む実施形態２１の装置。
［実施形態３６］
当該堆積装置は物理蒸着堆積装置を含む実施形態２１の装置。
［実施形態３７］
当該ステンシルは矩形状シートであり、
当該複数の開口は、アレイ状に配列された複数の矩形状開口である実施形態２１の装置。
［実施形態３８］
パッケージ状モジュールのバッチ処理のためのシステムであって、
堆積装置における利用のために構成されたリングと、各開口が処理対象のパッケージ状モジュールの一部分を受容する寸法とされた複数の開口を有するステンシルアセンブリと、当該ステンシルアセンブリを当該リングに貼り付けて当該ステンシルアセンブリが当該堆積装置において利用できるようにする接着部材とを含むキャリアアセンブリを用意し又は与えるように構成された第１サブシステムと、
当該ステンシルアセンブリの当該複数の開口の上方に位置決めされて当該ステンシルアセンブリにより保持された複数のパッケージ状モジュールを取り扱うことにより、当該複数のパッケージ状モジュールを当該堆積装置においてさらに処理できるように構成された第２サブシステムと
を含むシステム。
［実施形態３９］
当該堆積装置を含んで当該複数のパッケージ状モジュールにおいて堆積プロセスを行うように構成された第３サブシステムをさらに含む実施形態３８のシステム。
［実施形態４０］
当該ステンシルアセンブリにより保持されているパッケージ状モジュールが、各パッケージ状モジュールの上面及び側面における当該堆積プロセスによる導体材料の等角層の堆積を許容する一方、当該パッケージ状モジュールの下側は当該導体材料が実質的に存在しないように維持される実施形態３９のシステム。
［実施形態４１］
無線周波数（ＲＦ）モジュールであって、
複数の部品を受容するように構成されたパッケージング基板と、
当該パッケージング基板に対して実装された受信システムと、
当該受信システムの少なくとも一部分のためのＲＦ遮蔽を与えるように実装された遮蔽体と
を含み、
当該受信システムは、当該受信システムの入力と当該受信システムの出力との間にある複数の経路の一以上を選択的にアクティブにするように構成された制御器を含み、
当該受信システムはさらに複数の増幅器を含み、
当該複数の増幅器の各一つは、当該複数の経路に対応する一つに沿って設けられ、当該増幅器において受信した信号を増幅するように構成され、
当該受信システムはさらに、前記ＲＦ受信システムのために実装された第１の特徴部、第２の特徴部、第３の特徴部、第４の特徴部、第５の特徴部及び第６の特徴部の一以上を含み、
当該第１の特徴部は複数の帯域通過フィルタを含み、当該複数の帯域通過フィルタの各一つは当該複数の経路の対応する一つに沿って設けられ、当該帯域通過フィルタにおいて受信した信号を各周波数帯域へとフィルタリングするように構成され、当該複数の増幅器の少なくともいくつかは複数の可変利得増幅器（ＶＧＡ）として実装され、当該複数のＶＧＡの各一つは、対応する信号を、当該制御器から受信した増幅器制御信号が制御する利得を用いて増幅するように構成され、
当該第２の特徴部は複数の位相シフト部品を含み、当該複数の位相シフト部品の各一つは、当該複数の経路の対応する一つに沿って設けられ、当該位相シフト部品を通過する信号を位相シフトするように構成され、
当該第３の特徴部は複数のインピーダンス整合部品を含み、当該複数のインピーダンス整合部品の各一つは、複数の経路の対応する一つに沿って設けられ、当該複数の経路の当該一つの帯域外雑音指数又は帯域外利得の少なくとも一つを低減するように構成され、
当該第４の特徴部は複数の増幅器後段帯域通過フィルタを含み、当該複数の増幅器後段帯域通過フィルタの各一つは、当該複数の増幅器の対応する一つの出力において当該複数の経路の対応する一つに沿って設けられ、信号を各周波数帯域へとフィルタリングするように構成され、
当該第５の特徴部は、一以上の単極／単投スイッチを有するスイッチングネットワークを含み、当該スイッチの各一つは当該複数の経路の２つを結合し、当該スイッチングネットワークは、当該制御器が帯域選択信号に基づいて制御するように構成され、
当該第６の特徴部は、
一以上の入力マルチプレクサ入力において一以上のＲＦ信号を受信し、当該一以上のＲＦ信号のそれぞれを、当該複数の経路の一以上それぞれに沿って伝播させるべく複数の入力マルチプレクサ出力の一以上へと出力するように構成された入力マルチプレクサと、
一以上の対応出力マルチプレクサ入力において、当該複数の経路の一以上それぞれに沿って伝播する一以上の増幅済みＲＦ信号を受信し、当該一以上の増幅済みＲＦ信号のそれぞれを、複数の出力マルチプレクサ出力の選択された一つへと出力するように構成された出力マルチプレクサと
を含み、
当該遮蔽体は、実施形態１〜４０の方法及び／又は装置を使用して製造されるＲＦモジュール。
【０６０６】
ＤＲｘアセンブリの複数例の列挙
【０６０７】
以下に列挙される複数の実施形態の例は、ＤＲｘアセンブリの複数例、及びかかるＤＲｘアセンブリにおいて利用可能な特徴の複数の組み合わせを含む。ここに記載の遮蔽されたＲＦモジュール（その実施形態は本明細書に引き続いての特許請求の範囲に含まれる）は、列挙される以下の複数例に記載のＤＲｘアセンブリを含み得る。したがって、ここに記載の受信システム（例えばＤＲｘモジュール、フロントエンドモジュール、ＲＦモジュール等）が、これらの実施形態の複数例に列挙される装置及びシステムも含むことを理解すべきである。
［実施形態１］
無線周波数（ＲＦ）受信システムであって、
当該受信システムの入力と当該受信システムの出力との間にある複数の経路の一以上を選択的にアクティブにするように構成された制御器と、
複数の増幅器と、
当該ＲＦ受信システムのために実装された第１の特徴部、第２の特徴部、第３の特徴部、第４の特徴部、第５の特徴部及び第６の特徴部の２以上と
を含み、
当該複数の増幅器の各一つは、当該複数の経路に対応する一つに沿って設けられ、当該増幅器において受信した信号を増幅するように構成され、
当該第１の特徴部は複数の帯域通過フィルタを含み、当該複数の帯域通過フィルタの各一つは当該複数の経路の対応する一つに沿って設けられ、当該帯域通過フィルタにおいて受信した信号を各周波数帯域へとフィルタリングするように構成され、当該複数の増幅器の少なくともいくつかは複数の可変利得増幅器（ＶＧＡ）として実装され、当該複数のＶＧＡの各一つは、対応する信号を、当該制御器から受信した増幅器制御信号が制御する利得を用いて増幅するように構成され、
当該第２の特徴部は複数の位相シフト部品を含み、当該複数の位相シフト部品の各一つは、当該複数の経路の対応する一つに沿って設けられ、当該位相シフト部品を通過する信号を位相シフトするように構成され、
当該第３の特徴部は複数のインピーダンス整合部品を含み、当該複数のインピーダンス整合部品の各一つは、複数の経路の対応する一つに沿って設けられ、当該複数の経路の当該一つの帯域外雑音指数又は帯域外利得の少なくとも一つを低減するように構成され、
当該第４の特徴部は複数の増幅器後段帯域通過フィルタを含み、当該複数の増幅器後段帯域通過フィルタの各一つは、当該複数の増幅器の対応する一つの出力において当該複数の経路の対応する一つに沿って設けられ、信号を各周波数帯域へとフィルタリングするように構成され、
当該第５の特徴部は、一以上の単極／単投スイッチを有するスイッチングネットワークを含み、当該スイッチの各一つは前記複数の経路の２つを結合し、当該スイッチングネットワークは、当該制御器が帯域選択信号に基づいて制御するように構成され、
当該第６の特徴部は、
一以上の入力マルチプレクサ入力において一以上のＲＦ信号を受信し、当該一以上のＲＦ信号のそれぞれを、当該複数の経路の一以上それぞれに沿って伝播させるべく複数の入力マルチプレクサ出力の一以上へと出力するように構成された入力マルチプレクサと、
一以上の対応出力マルチプレクサ入力において、当該複数の経路の一以上それぞれに沿って伝播する一以上の増幅済みＲＦ信号を受信し、当該一以上の増幅済みＲＦ信号のそれぞれを、複数の出力マルチプレクサ出力の選択された一つへと出力するように構成された出力マルチプレクサと
を含むＲＦ受信システム。
［実施形態２］
当該ＲＦ受信システムは、当該第１の特徴部及び当該第２の特徴部を含む実施形態１のＲＦ受信システム。
［実施形態３］
当該ＲＦ受信システムは、当該第１の特徴部及び当該第３の特徴部を含む実施形態１のＲＦ受信システム。
［実施形態４］
当該ＲＦ受信システムは、当該第１の特徴部及び当該第４の特徴部を含む実施形態１のＲＦ受信システム。
［実施形態５］
当該ＲＦ受信システムは、当該第２の特徴部及び当該第３の特徴部を含む実施形態１のＲＦ受信システム。
［実施形態６］
当該ＲＦ受信システムは、当該第２の特徴部及び当該第４の特徴部を含む実施形態１のＲＦ受信システム。
［実施形態７］
当該ＲＦ受信システムは、当該第３の特徴部及び当該第４の特徴部を含む実施形態１のＲＦ受信システム。
［実施形態８］
当該ＲＦ受信システムは、当該第１の特徴部、第２の特徴部及び当該第３の特徴部を含む実施形態１のＲＦ受信システム。
［実施形態９］
当該ＲＦ受信システムは、当該第１の特徴部、第２の特徴部及び当該第４の特徴部を含む実施形態１のＲＦ受信システム。
［実施形態１０］
当該ＲＦ受信システムは、当該第１の特徴部、第３の特徴部及び当該第４の特徴部を含む実施形態１のＲＦ受信システム。
［実施形態１１］
当該ＲＦ受信システムは、当該第２の特徴部、第３の特徴部及び当該第４の特徴部を含む実施形態１のＲＦ受信システム。
［実施形態１２］
当該ＲＦ受信システムは、当該第１の特徴部、第２の特徴部、第３の特徴部及び当該第４の特徴部を含む実施形態１のＲＦ受信システム。
［実施形態１３］
当該ＲＦ受信システムは、当該第１の特徴部、第２の特徴部及び当該第５の特徴部を含む実施形態１のＲＦ受信システム。
［実施形態１４］
当該ＲＦ受信システムは、当該第１の特徴部、第３の特徴部及び当該第５の特徴部を含む実施形態１のＲＦ受信システム。
［実施形態１５］
当該ＲＦ受信システムは、当該第１の特徴部、第４の特徴部及び当該第５の特徴部を含む実施形態１のＲＦ受信システム。
［実施形態１６］
当該ＲＦ受信システムは、当該第２の特徴部、第３の特徴部及び当該第５の特徴部を含む実施形態１のＲＦ受信システム。
［実施形態１８］
当該ＲＦ受信システムは、当該第２の特徴部、第４の特徴部及び当該第５の特徴部を含む実施形態１のＲＦ受信システム。
［実施形態１８］
当該ＲＦ受信システムは、当該第３の特徴部、第４の特徴部及び当該第５の特徴部を含む実施形態１のＲＦ受信システム。
［実施形態１９］
当該ＲＦ受信システムは、当該第１の特徴部、第２の特徴部、第３の特徴部及び当該第５の特徴部を含む実施形態１のＲＦ受信システム。
［実施形態２０］
当該ＲＦ受信システムは、当該第１の特徴部、当該第２の特徴部、当該第４の特徴部及び当該第５の特徴部を含む実施形態１のＲＦ受信システム。
［実施形態２１］
当該ＲＦ受信システムは、当該第１の特徴部、当該第３の特徴部、当該第４の特徴部及び当該第５の特徴部を含む実施形態１のＲＦ受信システム。
［実施形態２２］
当該ＲＦ受信システムは、当該第２の特徴部、当該第３の特徴部、当該第４の特徴部及び当該第５の特徴部を含む実施形態１のＲＦ受信システム。
［実施形態２３］
当該ＲＦ受信システムは、当該第１の特徴部、当該第２の特徴部、当該第３の特徴部、当該第４の特徴部及び当該第５の特徴部を含む実施形態１のＲＦ受信システム。
［実施形態２４］
当該ＲＦ受信システムは、当該第１の特徴部、当該第２の特徴部及び当該第６の特徴部を含む実施形態１のＲＦ受信システム。
［実施形態２５］
当該ＲＦ受信システムは、当該第１の特徴部、第３の特徴部及び当該第６の特徴部を含む実施形態１のＲＦ受信システム。
［実施形態２６］
当該ＲＦ受信システムは、当該第１の特徴部、第４の特徴部及び当該第６の特徴部を含む実施形態１のＲＦ受信システム。
［実施形態２７］
当該ＲＦ受信システムは、当該第２の特徴部、当該第３の特徴部及び当該第６の特徴部を含む実施形態１のＲＦ受信システム。
［実施形態２８］
当該ＲＦ受信システムは、当該第２の特徴部、第４の特徴部及び当該第６の特徴部を含む実施形態１のＲＦ受信システム。
［実施形態２９］
当該ＲＦ受信システムは、当該第３の特徴部、第４の特徴部及び当該第６の特徴部を含む実施形態１のＲＦ受信システム。
［実施形態３０］
当該ＲＦ受信システムは、当該第１の特徴部、第２の特徴部、第３の特徴部及び当該第６の特徴部を含む実施形態１のＲＦ受信システム。
［実施形態３１］
当該ＲＦ受信システムは、当該第１の特徴部、第２の特徴部、第４の特徴部及び当該第６の特徴部を含む実施形態１のＲＦ受信システム。
［実施形態３２］
当該ＲＦ受信システムは、当該第１の特徴部、第３の特徴部、第４の特徴部及び当該第６の特徴部を含む実施形態１のＲＦ受信システム。
［実施形態３３］
当該ＲＦ受信システムは、当該第２の特徴部、第３の特徴部、第４の特徴部及び当該第６の特徴部を含む実施形態１のＲＦ受信システム。
［実施形態３４］
当該ＲＦ受信システムは、当該第１の特徴部、第２の特徴部、第３の特徴部、第４の特徴部及び当該第６の特徴部を含む実施形態１のＲＦ受信システム。
［実施形態３５］
当該ＲＦ受信システムは、当該第１の特徴部、当該第２の特徴部、当該第５の特徴部及び当該第６の特徴部を含む実施形態１のＲＦ受信システム。
［実施形態３６］
当該ＲＦ受信システムは、当該第１の特徴部、当該第３の特徴部、当該第５の特徴部及び当該第６の特徴部を含む実施形態１のＲＦ受信システム。
［実施形態３７］
当該ＲＦ受信システムは、当該第１の特徴部、当該第４の特徴部、当該第５の特徴部及び当該第６の特徴部を含む実施形態１のＲＦ受信システム。
［実施形態３８］
当該ＲＦ受信システムは、当該第２の特徴部、当該第３の特徴部、当該第５の特徴部及び当該第６の特徴部を含む実施形態１のＲＦ受信システム。
［実施形態３９］
当該ＲＦ受信システムは、当該第２の特徴部、当該第４の特徴部、当該第５の特徴部及び当該第６の特徴部を含む実施形態１のＲＦ受信システム。
［実施形態４０］
当該ＲＦ受信システムは、当該第３の特徴部、当該第４の特徴部、当該第５の特徴部及び当該第６の特徴部を含む実施形態１のＲＦ受信システム。
［実施形態４１］
当該ＲＦ受信システムは、当該第１の特徴部、当該第２の特徴部、当該第３の特徴部、当該第５の特徴部及び当該第６の特徴部を含む実施形態１のＲＦ受信システム。
［実施形態４２］
当該ＲＦ受信システムは、当該第１の特徴部、当該第２の特徴部、当該第４の特徴部、当該第５の特徴部及び当該第６の特徴部を含む実施形態１のＲＦ受信システム。
［実施形態４３］
当該ＲＦ受信システムは、当該第１の特徴部、当該第３の特徴部、当該第４の特徴部、当該第５の特徴部及び当該第６の特徴部を含む実施形態１のＲＦ受信システム。
［実施形態４４］
当該ＲＦ受信システムは、当該第２の特徴部、当該第３の特徴部、当該第４の特徴部、当該第５の特徴部及び当該第６の特徴部を含む実施形態１のＲＦ受信システム。
［実施形態４５］
当該ＲＦ受信システムは、当該第１の特徴部、当該第２の特徴部、当該第３の特徴部、当該第４の特徴部、当該第５の特徴部及び当該第６の特徴部を含む実施形態１のＲＦ受信システム。
［実施形態４６］
当該ＲＦ受信システムは、当該第１の特徴部及び当該第５の特徴部を含む実施形態１のＲＦ受信システム。
［実施形態４７］
当該ＲＦ受信システムは、当該第２の特徴部及び当該第５の特徴部を含む実施形態１のＲＦ受信システム。
［実施形態４８］
当該ＲＦ受信システムは、当該第３の特徴部及び当該第５の特徴部を含む実施形態１のＲＦ受信システム。
［実施形態４９］
当該ＲＦ受信システムは、当該第４の特徴部及び当該第５の特徴部を含む実施形態１のＲＦ受信システム。
［実施形態５０］
当該ＲＦ受信システムは、当該第１の特徴部及び当該第６の特徴部を含む実施形態１のＲＦ受信システム。
［実施形態５１］
当該ＲＦ受信システムは、当該第２の特徴部及び当該第６の特徴部を含む実施形態１のＲＦ受信システム。
［実施形態５２］
当該ＲＦ受信システムは、当該第３の特徴部及び当該第６の特徴部を含む実施形態１のＲＦ受信システム。
［実施形態５３］
当該ＲＦ受信システムは、当該第４の特徴部及び当該第６の特徴部を含む実施形態１のＲＦ受信システム。
［実施形態５４］
当該ＲＦ受信システムは、当該第５の特徴部及び当該第６の特徴部を含む実施形態１のＲＦ受信システム。
［実施形態５５］
当該ＲＦ受信システムは、当該第１の特徴部、当該第５の特徴部及び当該第６の特徴部を含む実施形態１のＲＦ受信システム。
［実施形態５６］
当該ＲＦ受信システムは、当該第２の特徴部、当該第５の特徴部及び当該第６の特徴部を含む実施形態１のＲＦ受信システム。
［実施形態５７］
当該ＲＦ受信システムは、当該第３の特徴部、当該第５の特徴部及び当該第６の特徴部を含む実施形態１のＲＦ受信システム。
［実施形態５８］
当該ＲＦ受信システムは、当該第４の特徴部、当該第５の特徴部及び当該第６の特徴部を含む実施形態１のＲＦ受信システム。
［実施形態５９］
無線周波数（ＲＦ）モジュールであって、
複数の部品を受容するように構成されたパッケージング基板と、
当該パッケージング基板に実装された受信システムと
を含み、
当該受信システムは、当該受信システムの入力と当該受信システムの出力との間にある複数の経路の一以上を選択的にアクティブにするように構成された制御器を含み、
当該受信システムはさらに複数の増幅器を含み、
当該複数の増幅器の各一つは、当該複数の経路の対応する一つに沿って設けられ、当該増幅器において受信した信号を増幅するように構成され、
当該受信システムはさらに、当該ＲＦ受信システムのために実装された第１の特徴部、第２の特徴部、第３の特徴部、第４の特徴部、第５の特徴部及び第６の特徴部の２以上を含み、
当該第１の特徴部は複数の帯域通過フィルタを含み、当該複数の帯域通過フィルタの各一つは当該複数の経路の対応する一つに沿って設けられ、当該帯域通過フィルタにおいて受信した信号を各周波数帯域へとフィルタリングするように構成され、当該複数の増幅器の少なくともいくつかは複数の可変利得増幅器（ＶＧＡ）として実装され、当該複数のＶＧＡの各一つは、対応する信号を、当該制御器から受信した増幅器制御信号が制御する利得を用いて増幅するように構成され、
当該第２の特徴部は複数の位相シフト部品を含み、当該複数の位相シフト部品の各一つは、当該複数の経路の対応する一つに沿って設けられ、当該位相シフト部品を通過する信号を位相シフトするように構成され、
当該第３の特徴部は複数のインピーダンス整合部品を含み、当該複数のインピーダンス整合部品の各一つは、複数の経路の対応する一つに沿って設けられ、当該複数の経路の当該一つの帯域外雑音指数又は帯域外利得の少なくとも一つを低減するように構成され、
当該第４の特徴部は複数の増幅器後段帯域通過フィルタを含み、当該複数の増幅器後段帯域通過フィルタの各一つは、当該複数の増幅器の対応する一つの出力において当該複数の経路の対応する一つに沿って設けられ、信号を各周波数帯域へとフィルタリングするように構成され、
当該第５の特徴部は、一以上の単極／単投スイッチを有するスイッチングネットワークを含み、当該スイッチの各一つは当該複数の経路の２つを結合し、当該スイッチングネットワークは、当該制御器が帯域選択信号に基づいて制御するように構成され、
当該第６の特徴部は、
一以上の入力マルチプレクサ入力において一以上のＲＦ信号を受信し、当該一以上のＲＦ信号のそれぞれを、当該複数の経路の一以上それぞれに沿って伝播させるべく複数の入力マルチプレクサ出力の一以上へと出力するように構成された入力マルチプレクサと、
一以上の対応出力マルチプレクサ入力において、当該複数の経路の一以上それぞれに沿って伝播する一以上の増幅済みＲＦ信号を受信し、当該一以上の増幅済みＲＦ信号のそれぞれを、複数の出力マルチプレクサ出力の選択された一つへと出力するように構成された出力マルチプレクサと
を含むＲＦ受信システム。
［実施形態６０］
当該ＲＦモジュールは、ダイバーシティ受信器フロントエンドモジュール（ＦＥＭ）である実施形態５９のＲＦモジュール。
［実施形態６１］
無線周波数（ＲＦ）モジュールであって、
複数の部品を受容するように構成されたパッケージング基板と、
当該パッケージング基板に対して実装された受信システムと、
当該受信システムの少なくとも一部分のためのＲＦ遮蔽を与えるように実装された遮蔽体と
を含み、
当該受信システムは、実施形態１〜６０のいずれかによって実装されるＲＦモジュール。
［実施形態６２］
無線装置であって、
一以上の無線周波数（ＲＦ）信号を受信するように構成された第１アンテナと、
前記第１アンテナと通信する第１フロントエンドモジュール（ＦＥＭ）と、
送受信器と
を含み、
当該第１ＦＥＭは、複数の部品を受容するように構成されたパッケージング基板を含み、
当該第１ＦＥＭはさらに、前記パッケージング基板に実装された受信システムを含み、
当該受信システムは、当該受信システムの入力と当該受信システムの出力との間にある複数の経路の一以上を選択的にアクティブにするように構成された制御器を含み、
当該受信システムはさらに複数の増幅器を含み、
当該複数の増幅器の各一つは、当該複数の経路に対応する一つに沿って設けられ、当該増幅器において受信した信号を増幅するように構成され、
当該受信システムはさらに、当該ＲＦ受信システムのために実装された第１の特徴部、第２の特徴部、第３の特徴部、第４の特徴部、第５の特徴部及び第６の特徴部の２以上を含み、
当該第１の特徴部は複数の帯域通過フィルタを含み、当該複数の帯域通過フィルタの各一つは当該複数の経路の対応する一つに沿って設けられ、当該帯域通過フィルタにおいて受信した信号を各周波数帯域へとフィルタリングするように構成され、当該複数の増幅器の少なくともいくつかは複数の可変利得増幅器（ＶＧＡ）として実装され、当該複数のＶＧＡの各一つは、対応する信号を、当該制御器から受信した増幅器制御信号が制御する利得を用いて増幅するように構成され、
当該第２の特徴部は複数の位相シフト部品を含み、当該複数の位相シフト部品の各一つは、当該複数の経路の対応する一つに沿って設けられ、当該位相シフト部品を通過する信号を位相シフトするように構成され、
当該第３の特徴部は複数のインピーダンス整合部品を含み、当該複数のインピーダンス整合部品の各一つは、当該複数の経路の対応する一つに沿って設けられ、当該複数の経路の当該一つの帯域外雑音指数又は帯域外利得の少なくとも一つを低減するように構成され、
当該第４の特徴部は複数の増幅器後段帯域通過フィルタを含み、当該複数の増幅器後段帯域通過フィルタの各一つは、当該複数の増幅器の対応する一つの出力において当該複数の経路の対応する一つに沿って設けられ、信号を各周波数帯域へとフィルタリングするように構成され、
当該第５の特徴部は、一以上の単極／単投スイッチを有するスイッチングネットワークを含み、当該スイッチの各一つは前記複数の経路の２つを結合し、当該スイッチングネットワークは、当該制御器が帯域選択信号に基づいて制御するように構成され、
当該第６の特徴部は、
一以上の入力マルチプレクサ入力において一以上のＲＦ信号を受信し、当該一以上のＲＦ信号のそれぞれを、当該複数の経路の一以上それぞれに沿って伝播させるべく複数の入力マルチプレクサ出力の一以上へと出力するように構成された入力マルチプレクサと、
一以上の対応出力マルチプレクサ入力において、当該複数の経路の一以上それぞれに沿って伝播する一以上の増幅済みＲＦ信号を受信し、当該一以上の増幅済みＲＦ信号のそれぞれを、複数の出力マルチプレクサ出力の選択された一つへと出力するように構成された出力マルチプレクサと
を含み、
当該送受信器は、当該一以上のＲＦ信号の処理済みバージョンを当該受信システムから受信し、当該一以上のＲＦ信号の当該処理済みバージョンに基づいてデータビットを生成するように構成される無線装置。
［実施形態６３］
当該無線装置はセルラー電話である実施形態６２の無線装置。
【０６０８】
本開示は、様々な特徴を記載するが、その単一の特徴のみがここに記載される利益に対する責任を負うわけではない。理解されることだが、ここに記載される様々な特徴は、当業者にとって明らかなように結合し、修正し、又は省略することができる。ここに具体的に記載されるもの以外の結合及び小結合も、当業者にとって明らかであって、本開示の一部を形成することが意図される。様々な方法が、様々なフローチャートステップ及び／又はフェーズに関連してここに記載される。理解されることだが、多くの場合、一定のステップ及び／又はフェーズは、フローチャートに示される多重のステップ及び／又はフェーズが単一のステップ及び／又はフェーズとして行うことができるように、一緒に組み合わせることができる。さらに、一定のステップ及び／又はフェーズは、別個に行うべく付加的な下位部品に分解することもできる。いくつかの例において、ステップ及び／又はフェーズの順序は再配列することができ、一定のステップ及び／又はフェーズを完全に省略することもできる。さらに、ここに記載される方法は、ここに図示され及び記載されるものに対する付加的なステップ及び／又はフェーズも行うことができるような、オープンエンドとして理解される。
【０６０９】
ここに記載されるシステム及び方法のいくつかの態様は有利なことに、例えば、コンピュータソフトウェア、ハードウェア、ファームウェア、又は、コンピュータソフトウェア、ハードウェア及びファームウェアの任意の組み合わせを使用して実装可能である。コンピュータソフトウェアは、実行時にここに記載の機能を行う、コンピュータ可読媒体（例えば非一時的コンピュータ可読媒体）に記憶されたコンピュータ実行可能コードを含み得る。いくつかの実施形態において、コンピュータ実行可能コードは、一以上の汎用コンピュータプロセッサによって実行される。当業者であれば、本開示に照らし、汎用コンピュータにおいて実行されるソフトウェアを使用して実装可能な任意の特徴又は機能が、ハードウェア、ソフトウェア又はファームウェアの異なる組み合わせを使用しても実装可能であることがわかる。例えば、かかるモジュールは、集積回路の組み合わせを使用して完全にハードウェア実装可能である。代替的に又は付加的に、かかる特徴又は機能は、汎用コンピュータによらず、ここに記載される特定の機能を実行するべく設計された専用コンピュータを使用して完全に又は部分的に実装可能である。
【０６１０】
多重分散されたコンピューティング装置を、ここに記載される任意の一つのコンピューティング装置の代わりに用いることができる。かかる分散された実施形態において、分散されたコンピューティング装置のそれぞれにおいていくつかの機能が行われるように、一つのコンピューティング装置の機能が（例えばネットワークを介して）分散される。
【０６１１】
いくつかの実施形態は、式、アルゴリズム、及び／又はフローチャートの例示を参照して記載することができる。これらの方法は、一以上のコンピュータにおいて実行可能なコンピュータプログラム命令を使用して実装可能である。これらの方法はまた、別個に又は装置若しくはシステムの一部品としてのいずれかでコンピュータプログラム製品として実装可能である。この点において、式、アルゴリズム、ブロック、又はフローチャートのステップ、及びこれらの組み合わせのそれぞれを、コンピュータ可読プログラムコード論理に具体化された一以上のコンピュータプログラム命令を含むハードウェア、ファームウェア及び／又はソフトウェアによって実装することができる。わかることだが、かかるコンピュータプログラム命令はいずれも、コンピュータ（複数可）又は他のプログラム可能処理デバイス（複数可）において実行されるコンピュータプログラム命令が、式、アルゴリズム及び／又はフローチャートに特定される機能を実装するように、制約なしに汎用コンピュータ若しくは専用コンピュータ、又は機械をもたらす他のプログラム可能処理装置を含む一以上のコンピュータにローディングすることができる。またも理解されることだが、式、アルゴリズム、及び／又はフローチャートのブロックの例示、並びにこれらの組み合わせのそれぞれは、特定の機能若しくはステップ、又は、専用ハードウェアとコンピュータ可読プログラムコード論理手段との組み合わせを行う専用ハードウェア系コンピュータシステムによって実装することができる。
【０６１２】
さらに、コンピュータ可読プログラムコード論理に具体化されるコンピュータプログラム命令はまた、コンピュータ可読メモリ（例えば非一時的コンピュータ可読媒体）に記憶させることができる。当該コンピュータ可読メモリは、コンピュータ可読メモリに記憶された命令がフローチャート（複数可）のブロック（複数可）に特定された機能（複数可）を実装するように、一以上のコンピュータ又は他のプログラム可能処理装置を特定の態様で機能させることができる。コンピュータプログラム命令はまた、一以上のコンピュータ又は他のプログラム可能コンピューティングデバイスにローディングされて当該一以上のコンピュータ又は他のプログラム可能コンピューティングデバイスにおいて一連の動作ステップを実行させることにより、当該コンピュータ又は他のプログラム可能処理装置において実行される命令が、式（複数可）、アルゴリズム（複数可）、及び／又はフローチャート（複数可）ブロック（複数可）に特定される機能を実装するためのステップを与えるようにコンピュータ実装プロセスをもたらすことができる。
【０６１３】
ここに記載される方法及びタスクのいくつか又はすべては、コンピュータシステムによって行われ及び完全に自動化することができる。コンピュータシステムは、いくつかの場合において、記載の機能を行うべくネットワークを介して通信し及び相互運用される多数の別個のコンピュータ又はコンピューティング装置（例えば物理的サーバ、ワークステーション、記憶アレイ等）を含み得る。かかるコンピューティング装置はそれぞれが典型的に、メモリ又は他の非一時的コンピュータ可読記憶媒体若しくは装置に記憶されたプログラム命令又はモジュールを実行するプロセッサ（又は多重プロセッサ）を含む。ここに開示の様々な機能は、かかるプログラム命令に具体化することができる。ただし、代替的に、開示の機能のいくつか又はすべてを、コンピュータシステムの特定用途向け回路（例えばＡＳＩＣ又はＦＰＧＡ）に実装してよい。コンピュータシステムが多数のコンピューティング装置を含む場合、これらの装置は共通位置に配置してよいが、必ずしもその必要はない。開示の方法及びタスクの結果は、半導体メモリチップ及び／又は磁気ディスクのような物理的記憶装置を異なる状態に変換することよって永続的に記憶することができる。
【０６１４】
本明細書及び特許請求の範囲全体にわたり、文脈上そうでないことが明らかでない限り、「含む」等の用語は、排他的又は網羅的な意味とは反対の包括的意味に、すなわち「〜を含むがこれらに限られない」との意味に解釈すべきである。ここで一般に使用される用語「結合」は、直接接続されるか又は一以上の中間要素を介して接続されるかいずれかとなり得る２以上の要素を言及する。加えて、用語「ここ」、「上」、「下」及び同様の趣旨の用語は、本願において使用される場合、本願全体を言及し、本願の任意の特定部分を言及するわけではない。文脈が許容する場合、単数又は複数を使用する上述の詳細な説明における用語はそれぞれ、複数又は単数をも含み得る。２以上の項目のリストを参照する用語「又は」及び「若しくは」について、当該用語は以下の解釈のすべてをカバーする。すなわち、当該リストの任意の項目、当該リストのすべての項目、及び当該リストの項目の任意の組み合わせである。用語「代表的」は、ここでは専ら「一例又は一例示として機能する」ことを意味するべく使用される。「代表的」としてここに記載される任意の実装は必ずしも、他の実装に対して好ましい又は有利として解釈されるわけではない。
【０６１５】
本開示は、ここに示される実装に制限されることを意図しない。本開示に記載される実装に対する様々な修正は、当業者にとって容易にわかるものであり、ここに画定される一般的な原理は、本開示の要旨又は範囲を逸脱することなく他の実装に対しても適用することができる。ここに与えられる本発明の教示は、他の方法及びシステムに対しても適用可能であり、上述の方法及びシステムに制限されるわけではなく、上述の様々な実施形態の要素及び行為は、さらなる実施形態を与えるべく組み合わせることができる。したがって、ここに記載される新規な方法及びシステムは、様々な他の形態で具体化することができる。さらに、ここに記載される方法及びシステムの形態において様々な省略、置換及び変更を、本開示の要旨から逸脱することなく行うことができる。添付の特許請求の範囲及びその均等物が、本開示の範囲及び要旨に収まるかかる形態又は修正をカバーすることが意図される。
【図１】
2017200183.tif 000004
【図２】
2017200183.tif 000005
【図３】
2017200183.tif 000006
【図４】
2017200183.tif 000007
【図５】
2017200183.tif 000008
【図６】
2017200183.tif 000009
【図７】
2017200183.tif 000010
【図８】
2017200183.tif 000011
【図９】
2017200183.tif 000012
【図１０】
2017200183.tif 000013
【図１１】
2017200183.tif 000014
【図１２】
2017200183.tif 000015
【図１３】
2017200183.tif 000016
【図１４】
2017200183.tif 000017
【図１５】
2017200183.tif 000018
【図１６】
2017200183.tif 000019
【図１７】
2017200183.tif 000020
【図１８】
2017200183.tif 000021
【図１９】
2017200183.tif 000022
【図２０】
2017200183.tif 000023
【図２１】
2017200183.tif 000024
【図２２】
2017200183.tif 000025
【図２３】
2017200183.tif 000026
【図２４】
2017200183.tif 000027
【図２５】
2017200183.tif 000028
【図２６】
2017200183.tif 000029
【図２７】
2017200183.tif 000030
【図２８】
2017200183.tif 000031
【図２９】
2017200183.tif 000032
【図３０】
2017200183.tif 000033
【図３１】
2017200183.tif 000034
【図３２】
2017200183.tif 000035
【図３３】
2017200183.tif 000036
【図３４】
2017200183.tif 000037
【図３５】
2017200183.tif 000038
【図３６】
2017200183.tif 000039
【図３７】
2017200183.tif 000040
【図３８】
2017200183.tif 000041
【図３９】
2017200183.tif 000042
【図４０】
2017200183.tif 000043
【図４１】
2017200183.tif 000044
【図４２】
2017200183.tif 000045
【図４３】
2017200183.tif 000046
【図４４】
2017200183.tif 000047
【図４５】
2017200183.tif 000048
【図４６】
2017200183.tif 000049
【図４７】
2017200183.tif 000050
【図４８】
2017200183.tif 000051
【図４９】
2017200183.tif 000052
【図５０】
2017200183.tif 000053
【図５１】
2017200183.tif 000054
【図５２】
2017200183.tif 000055
【図５３】
2017200183.tif 000056
【図５４】
2017200183.tif 000057
【図５５】
2017200183.tif 000058
【図５６】
2017200183.tif 000059
【図５７】
2017200183.tif 000060
【図５８】
2017200183.tif 000061
【図５９】
2017200183.tif 000062
【図６０】
2017200183.tif 000063
【図６１】
2017200183.tif 000064
【図６２】
2017200183.tif 000065
【図６３】
2017200183.tif 000066
【図６４】
2017200183.tif 000067
【図６５】
2017200183.tif 000068
【図６６】
2017200183.tif 000069
【図６７】
2017200183.tif 000070
【図６８】
2017200183.tif 000071
【図６９】
2017200183.tif 000072
【図７０】
2017200183.tif 000073
【図７１】
2017200183.tif 000074
【図７２】
2017200183.tif 000075
【図７３】
2017200183.tif 000076
【図７４】
2017200183.tif 000077
【図７５】
2017200183.tif 000078
【図７６】
2017200183.tif 000079
【図７７】
2017200183.tif 000080
【図７８】
2017200183.tif 000081
【図７９】
2017200183.tif 000082
【図８０】
2017200183.tif 000083
【図８１】
2017200183.tif 000084
【図８２】
2017200183.tif 000085
【図８３】
2017200183.tif 000086
【図８４】
2017200183.tif 000087
【図８５】
2017200183.tif 000088
【図８６】
2017200183.tif 000089
【図８７】
2017200183.tif 000090
【図８８】
2017200183.tif 000091
【図８９】
2017200183.tif 000092
【図９０】
2017200183.tif 000093
【図９１】
2017200183.tif 000094
【図９２】
2017200183.tif 000095
【図９３】
2017200183.tif 000096
【図９４】
2017200183.tif 000097
【図９５】
2017200183.tif 000098
【図９６】
2017200183.tif 000099
【図９７】
2017200183.tif 000100
【図９８】
2017200183.tif 000101
【図９９】
2017200183.tif 000102
【図１００】
2017200183.tif 000103
【図１０１】
2017200183.tif 000104
【図１０２】
2017200183.tif 000105
【図１０３】
2017200183.tif 000106
【図１０４】
2017200183.tif 000107
【図１０５】
2017200183.tif 000108
【図１０６】
2017200183.tif 000109
【図１０７】
2017200183.tif 000110
【図１０８】
2017200183.tif 000111
【図１０９】
2017200183.tif 000112
【図１１０】
2017200183.tif 000113
【図１１１】
2017200183.tif 000114
【図１１２】
2017200183.tif 000115
【図１１３】
2017200183.tif 000116
【図１１４】
2017200183.tif 000117
【図１１５】
2017200183.tif 000118
【図１１６】
2017200183.tif 000119
【図１１７】
2017200183.tif 000120
【図１１８】
2017200183.tif 000121
【図１１９】
2017200183.tif 000122
【図１２０】
2017200183.tif 000123
【図１２１】
2017200183.tif 000124
【図１２２】
2017200183.tif 000125
【図１２３】
2017200183.tif 000126
【図１２４】
2017200183.tif 000127
【図１２５】
2017200183.tif 000128
【図１２６】
2017200183.tif 000129
【図１２７】
2017200183.tif 000130
【図１２８】
2017200183.tif 000131
【図１２９】
2017200183.tif 000132
【図１３０】
2017200183.tif 000133
【図１３１】
2017200183.tif 000134
【図１３２】
2017200183.tif 000135
【図１３３】
2017200183.tif 000136
【図１３４】
2017200183.tif 000137
【図１３５】
2017200183.tif 000138
【図１３６】
2017200183.tif 000139
【外国語明細書】
2017200183000001.pdf